(57)【要約】  アクセスポイント（Ｂ１０１）と、中継器＃１（Ｂ１０２＿１）と、中継器＃２（Ｂ１０２＿２）とを備え、端末（Ｂ１０３）と無線通信する通信システム（ＢＳ）において、アクセスポイント（Ｂ１０１）は、第１の周波数帯に含まれる少なくとも第１のチャネルで中継器＃１（Ｂ１０２＿１）と無線通信し、かつ、第１の周波数帯とは異なる第２の周波数帯に含まれる少なくとも第２のチャネルで中継器＃２（Ｂ１０２＿２）と無線通信し、中継器＃１（Ｂ１０２＿１）は、第２の周波数帯に含まれる少なくとも第３のチャネルで端末（Ｂ１０３）と無線通信し、中継器＃２（Ｂ１０２＿２）は、第１の周波数帯に含まれる少なくとも第４のチャネルで端末（Ｂ１０３）と無線通信する。
2020067242.tif 000002
【特許請求の範囲】
【請求項１】
アクセスポイントと、第１の通信装置と、第２の通信装置とを備え、端末と無線通信する通信システムであって、
前記アクセスポイントは、
第１の周波数帯に含まれる少なくとも第１のチャネルで前記第１の通信装置と無線通信し、かつ、前記第１の周波数帯とは異なる第２の周波数帯に含まれる少なくとも第２のチャネルで前記第２の通信装置と無線通信し、
前記第１の通信装置は、前記第２の周波数帯に含まれる少なくとも第３のチャネルで前記端末と無線通信し、
前記第２の通信装置は、前記第１の周波数帯に含まれる少なくとも第４のチャネルで前記端末と無線通信する
通信システム。
【請求項２】
前記第３のチャネルは、前記第２のチャネルと同じチャネルであり、
前記第４のチャネルは、前記第１のチャネルと同じチャネルである
請求項１に記載の通信システム。
【請求項３】
前記第１の通信装置と前記第２の通信装置とは、一の筐体内に配置されている
請求項１又は２に記載の通信システム。
【請求項４】
前記アクセスポイントは、ＯＦＤＭＡ（Orthogonal Frequency Division Multiple Access）による多重アクセスを用いて、前記第１の通信装置及び前記第２の通信装置と通信する
請求項１〜３のいずれか１項に記載の通信システム。
【請求項５】
前記端末は、複数の端末を含み、
前記第１の通信装置及び前記第２の通信装置の少なくとも一方は、ＯＦＤＭＡによる多重アクセスを用いて、前記複数の端末と通信する
請求項１〜４のいずれか１項に記載の通信システム。
【請求項６】
前記アクセスポイントは、一のデータを、前記第１の通信装置及び前記第２の通信装置それぞれに送信し、
前記第１の通信装置は、前記一のデータを受信した場合に、受信した前記一のデータを前記端末に送信し、
前記第２の通信装置は、前記一のデータを受信した場合に、受信した前記一のデータを前記端末に送信する
請求項１〜５のいずれか１項に記載の通信システム。
【請求項７】
通信システムと無線通信する端末であって、
前記通信システムは、アクセスポイントと、第１の通信装置と、第２の通信装置とを備え、
前記アクセスポイントは、
第１の周波数帯に含まれる少なくとも第１のチャネルで前記第１の通信装置と無線通信し、かつ、前記第１の周波数帯とは異なる第２の周波数帯に含まれる少なくとも第２のチャネルで前記第２の通信装置と無線通信し、
前記端末は、
前記第２の周波数帯に含まれる少なくとも第３のチャネルで前記第１の通信装置と無線通信し、
前記第１の周波数帯に含まれる少なくとも第４のチャネルで前記第２の通信装置と無線通信する
端末。
【請求項８】
アクセスポイントと、第１の通信装置と、第２の通信装置とを備え、端末と無線通信する通信システムの制御方法であって、
前記アクセスポイントは、第１の周波数帯に含まれる少なくとも第１のチャネルで前記第１の通信装置と無線通信し、かつ、前記第１の周波数帯とは異なる第２の周波数帯に含まれる少なくとも第２のチャネルで前記第２の通信装置と無線通信し、
前記第１の通信装置は、前記第２の周波数帯に含まれる少なくとも第３のチャネルで前記端末と無線通信し、
前記第２の通信装置は、前記第１の周波数帯に含まれる少なくとも第４のチャネルで前記端末と無線通信する
制御方法。
【請求項９】
通信システムと無線通信する端末の制御方法であって、
前記通信システムは、アクセスポイントと、第１の通信装置と、第２の通信装置とを備え、
前記アクセスポイントは、
第１の周波数帯に含まれる少なくとも第１のチャネルで前記第１の通信装置と無線通信し、かつ、前記第１の周波数帯とは異なる第２の周波数帯に含まれる少なくとも第２のチャネルで前記第２の通信装置と無線通信し、
前記制御方法は、
前記第２の周波数帯に含まれる少なくとも第３のチャネルで前記第１の通信装置と無線通信し、
前記第１の周波数帯に含まれる少なくとも第４のチャネルで前記第２の通信装置と無線通信する
制御方法。
【発明の詳細な説明】
【技術分野】
【０００１】
本開示は、通信システム、端末、及び、制御方法に関する。
【背景技術】
【０００２】
従来、複数アンテナを用いた通信方法として、例えば、ＭＩＭＯ（Multiple-Input Multiple-Out）と呼ばれる通信方法がある。ＭＩＭＯに代表されるマルチアンテナ通信では、一または複数ストリームの送信データを変調し、生成した一または複数の変調信号を複数のアンテナを用いて同一周波数（共通の周波数）を用い、同時に送信する。マルチアンテナ通信は、データの受信品質の向上、および／または、（単位時間当たりの）データの通信速度の向上を促進する。例えば、特許文献１では、送信装置が、空間の広い方向にわたりほぼ一定のアンテナ利得を有する疑似オムニパターンを有する複数のアンテナを用いて変調信号を送信する通信システムが開示されている。【０００３】
一方で、通信システムにおいては、特定の通信装置間の受信品質の向上や通信速度の向上だけでなく、例えばマルチキャスト／ブロードキャスト通信や中継通信などを用いる通信システムにおけるシステムの一部または全体の性能改善や新たなサービス形態への対応が要望されている。
【先行技術文献】
【特許文献】
【０００４】
【特許文献１】国際公開第２０１１／０５５５３６号
【発明の概要】
【発明が解決しようとする課題】
【０００５】
中継通信を含むネットワークにおいて、システムの一部または全体の性能改善や新たなサービス形態への対応を促進することが可能な通信システム、通信装置、通信方法、制御方法を提供する。
【課題を解決するための手段】
【０００６】
本開示の一態様の通信システムは、アクセスポイントと、第１の通信装置と、第２の通信装置とを備え、端末と無線通信する通信システムであって、前記アクセスポイントは、第１の周波数帯に含まれる少なくとも第１のチャネルで前記第１の通信装置と無線通信し、かつ、前記第１の周波数帯とは異なる第２の周波数帯に含まれる少なくとも第２のチャネルで前記第２の通信装置と無線通信し、前記第１の通信装置は、前記第２の周波数帯に含まれる少なくとも第３のチャネルで前記端末と無線通信し、前記第２の通信装置は、前記第１の周波数帯に含まれる少なくとも第４のチャネルで前記端末と無線通信する。【０００７】
なお、これらの包括的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラムおよび記録媒体の任意な組み合わせで実現されてもよい。
【発明の効果】
【０００８】
本開示によれば、中継通信を含むネットワークにおいて、システムの一部または全体の性能改善や新たなサービス形態への対応を促進できる可能性がある。
【図面の簡単な説明】
【０００９】
【図１】図１は、基地局の構成の一例を示す図である。
【図２】図２は、基地局のアンテナ部の構成の一例を示す図である。
【図３】図３は、基地局の構成の一例を示す図である。
【図４】図４は、端末の構成の一例を示す図である。
【図５】図５は、端末のアンテナ部の構成の一例を示す図である。
【図６】図６は、端末の構成の一例を示す図である。
【図７】図７は、基地局と端末の間の通信状態の一例を示す図である。
【図８】図８は、複数ストリームの関係を説明するための図である。
【図９】図９は、フレーム構成の一例を示す図である。
【図１０】図１０は、フレーム構成の一例を示す図である。
【図１１】図１１は、シンボル構成の一例を示す図である。
【図１２】図１２は、基地局と端末の間の通信状態の一例を示す図である。
【図１３】図１３は、複数の変調信号の関係を示す図である。
【図１４】図１４は、フレーム構成の一例を示す図である。
【図１５】図１５は、フレーム構成の一例を示す図である。
【図１６】図１６は、シンボル構成の一例を示す図である。
【図１７】図１７は、基地局と端末の間の通信状態の一例を示す図である。
【図１８】図１８は、基地局と端末の間の通信状態の一例を示す図である。
【図１９】図１９は、基地局と端末の間の通信状態の一例を示す図である。
【図２０】図２０は、基地局と端末の間の通信状態の一例を示す図である。
【図２１】図２１は、複数の変調信号の関係を示す図である。
【図２２】図２２は、基地局と端末の間の通信状態の一例を示す図である。
【図２３】図２３は、基地局と端末の通信を行う手順を示す図である。
【図２４】図２４は、基地局及び端末が送信するシンボルの一例を示す図である。
【図２５】図２５は、基地局が送信するシンボルの一例を示す図である。
【図２６】図２６は、基地局と端末の間の通信状態の一例を示す図である。
【図２７】図２７は、基地局が送信するシンボルの一例を示す図である。
【図２８】図２８は、基地局と端末の通信を行う手順を示す図である。
【図２９】図２９は、基地局と端末の間の通信状態の一例を示す図である。
【図３０】図３０は、基地局と端末の通信を行う手順を示す図である。
【図３１】図３１は、基地局が送信するシンボルの一例を示す図である。
【図３２】図３２は、基地局が送信するシンボルの一例を示す図である。
【図３３】図３３は、基地局と端末の通信を行う手順を示す図である。
【図３４】図３４は、基地局と端末の通信を行う手順を示す図である。
【図３５】図３５は、基地局が送信するシンボルの一例を示す図である。
【図３６】図３６は、基地局と端末の通信を行う手順を示す図である。
【図３７】図３７は、基地局の構成の一例を示す図である。
【図３８】図３８は、フレーム構成の一例を示す図である。
【図３９】図３９は、フレーム構成の一例を示す図である。
【図４０】図４０は、フレーム構成の一例を示す図である。
【図４１】図４１は、フレーム構成の一例を示す図である。
【図４２】図４２は、シンボル領域の端末への割り当ての一例を示す図である。
【図４３】図４３は、シンボル領域の端末への割り当ての一例を示す図である。
【図４４】図４４は、基地局の構成の一例を示す図である。
【図４５】図４５は、ネットワークとゲートウェイの接続の一例を示す図である。
【図４６】図４６は、通信システムの構成の一例を示す図である。
【図４７】図４７は、屋内ネットワークの構成の一例を示す図である。
【図４８】図４８は、フレーム構成の一例を示す図である。
【図４９】図４９は、通信シーケンスの一例を示す図である。
【図５０】図５０は、フレーム構成の一例を示す図である。
【図５１】図５１は、屋内ネットワークの構成の一例を示す図である。
【図５２】図５２は、フレーム構成の一例を示す図である。
【図５３】図５３は、屋内ネットワークの構成の一例を示す図である。
【図５４】図５４は、動作タイミングの一例を示す図である。
【図５５】図５５は、屋内ネットワークの構成の一例を示す図である。
【図５６】図５６は、屋内ネットワークの構成の一例を示す図である。
【図５７】図５７は、屋内ネットワークの構成の一例を示す図である。
【図５８】図５８は、通信シーケンスの一例を示す図である。
【図５９】図５９は、屋内ゲートウェイの構成の一例を示す図である。
【図６０】図６０は、フレームの送受信の一例を示す図である。
【図６１】図６１は、フレーム構成の一例を示す図である。
【図６２】図６２は、屋内ゲートウェイの構成の一例を示す図である。
【図６３】図６３は、フレームの送信時間の一例を示す図である。
【図６４】図６４は、フレームの送信時間の一例を示す図である。
【図６５】図６５は、フレームの送信時間の一例を示す図である。
【図６６】図６６は、システム構成の一例を示す図である。
【図６７】図６７は、システム構成の一例を示す図である。
【図６８】図６８は、装置の構成の一例を示す図である。
【図６９】図６９は、端末の構成の一例を示す図である。
【図７０】図７０は、システムの動作例を示す図である。
【図７１】図７１は、システムの動作例を示す図である。
【図７２】図７２は、システムの動作例を示す図である。
【図７３】図７３は、システムの動作例を示す図である。
【図７４】図７４は、送信情報、受信情報の一例を示す図である。
【図７５】図７５は、送信情報、受信情報の一例を示す図である。
【図７６】図７６は、送信情報、受信情報の一例を示す図である。
【図７７】図７７は、ゲートウェイの構成の一例を示す図である。
【図７８】図７８は、端末、サーバー、装置の動作の一例を示す図である。
【図７９】図７９は、サーバーの構成の一例を示す図である。
【図８０】図８０は、ネットワーク構成の一例を示す図である。
【図８１】図８１は、ネットワーク構成の一例を示す図である。
【図８２】図８２は、サーバーの構成の一例を示す図である。
【図８３】図８３は、ネットワーク構成の一例を示す図である。
【図８４】図８４は、システム構成の一例を示す図である。
【図８５】図８５は、フレームの送信時間の一例を示す図である。
【図８６】図８６は、フレームの送信時間の一例を示す図である。
【図８７】図８７は、フレームの送信時間の一例を示す図である。
【図８８】図８８は、フレームの送信時間の一例を示す図である。
【図８９】図８９は、フレームの送信時間の一例を示す図である。
【図９０】図９０は、フレームの送信時間の一例を示す図である。
【図９１】図９１は、アクセスポイントの構成の一例を示す図である。
【図９２】図９２は、中継器の構成の一例を示す図である。
【図９３】図９３は、中継器の構成の一例を示す図である。
【図９４】図９４は、中継器の構成の一例を示す図である。
【図９５】図９５は、フレームの送信時間の一例を示す図である。
【図９６】図９６は、フレームの送信時間の一例を示す図である。
【図９７】図９７は、システム構成の一例を示す図である。
【図９８】図９８は、フレームの送信時間の一例を示す図である。
【図９９】図９９は、フレームの送信時間の一例を示す図である。
【図１００】図１００は、フレームの送信時間の一例を示す図である。
【図１０１】図１０１は、フレームの送信時間の一例を示す図である。
【図１０２】図１０２は、アクセスポイントの構成の一例を示す図である。
【図１０３】図１０３は、アクセスポイントの構成の一例を示す図である。
【図１０４】図１０４は、システム構成の一例を示す図である。
【図１０５】図１０５は、システム構成の一例を示す図である。
【図１０６】図１０６は、フレームの送信時間の一例を示す図である。
【図１０７】図１０７は、フレームの送信時間の一例を示す図である。
【図１０８Ａ】図１０８Ａは、情報の送信時間の一例を示す図である。
【図１０８Ｂ】図１０８Ｂは、情報の送信時間の一例を示す図である。
【図１０９Ａ】図１０９Ａは、情報の送信時間の一例を示す図である。
【図１０９Ｂ】図１０９Ｂは、情報の送信時間の一例を示す図である。
【図１１０Ａ】図１１０Ａは、情報の送信時間の一例を示す図である。
【図１１０Ｂ】図１１０Ｂは、情報の送信時間の一例を示す図である。
【図１１１】図１１１は、システム構成の一例を示す図である。
【図１１２Ａ】図１１２Ａは、フレームの送信時間及び周波数の一例を示す図である。
【図１１２Ｂ】図１１２Ｂは、フレームの送信時間及び周波数の一例を示す図である。
【図１１３Ａ】図１１３Ａは、フレームの送信時間及び周波数の一例を示す図である。
【図１１３Ｂ】図１１３Ｂは、フレームの送信時間及び周波数の一例を示す図である。
【図１１４】図１１４は、通信システムの制御方法の一例を示す図である。
【図１１５】図１１５は、端末の制御方法の一例を示す図である。
【図１１６】図１１６は、システム構成の一例を示す図である。
【図１１７】図１１７は、フレームの送信時間及び周波数の一例を示す図である。
【図１１８】図１１８は、フレームの送信時間及び周波数の一例を示す図である。
【図１１９】図１１９は、フレームの送信時間及び周波数の一例を示す図である。
【図１２０】図１２０は、フレームの送信時間及び周波数の一例を示す図である。
【図１２１】図１２１は、システム構成の一例を示す図である。
【図１２２】図１２２は、システム構成の一例を示す図である。
【図１２３】図１２３は、システム構成の一例を示す図である。
【図１２４】図１２４は、フレームの送信時間の一例を示す図である。
【図１２５】図１２５は、フレームの送信時間の一例を示す図である。
【図１２６】図１２６は、フレームの送信時間の一例を示す図である。
【図１２７】図１２７は、フレームの送信時間の一例を示す図である。
【図１２８】図１２８は、フレームの送信時間の一例を示す図である。
【図１２９】図１２９は、フレームの送信時間の一例を示す図である。
【図１３０】図１３０は、システム構成の一例を示す図である。
【図１３１】図１３１は、システム構成の一例を示す図である。
【図１３２Ａ】図１３２Ａは、システム構成の一例を示す図である。
【図１３２Ｂ】図１３２Ｂは、システム構成の一例を示す図である。
【図１３２Ｃ】図１３２Ｃは、システム構成の一例を示す図である。
【図１３３】図１３３は、中継器の構成の一例を示す図である。
【図１３４】図１３４は、中継器の詳細な構成の一例を示す図である。
【図１３５】図１３５は、中継器の詳細な構成の一例を示す図である。
【図１３６】図１３６は、中継器の詳細な構成の一例を示す図である。
【図１３７】図１３７は、中継器の詳細な構成の一例を示す図である。
【図１３８】図１３８は、中継器の詳細な構成の一例を示す図である。
【図１３９】図１３９は、中継器の詳細な構成の一例を示す図である。
【図１４０】図１４０は、中継器の詳細な構成の一例を示す図である。
【図１４１】図１４１は、中継器の詳細な構成の一例を示す図である。
【図１４２】図１４２は、ビーコンフレームの構成の例を示す図である。
【図１４３】図１４３は、Probe requestフレームの構成の例を示す図である。
【図１４４】図１４４は、Probe responseフレームの構成の例を示す図である。
【図１４５】図１４５は、Association requestフレームの構成の例を示す図である。
【図１４６】図１４６は、Association responseフレームの構成の例を示す図である。
【図１４７】図１４７は、RTSフレームの構成の例を示す図である。
【図１４８】図１４８は、CTSフレームの構成の例を示す図である。
【図１４９】図１４９は、ACKフレームの構成の例を示す図である。
【図１５０】図１５０は、データフレームの構成の例を示す図である。
【図１５１Ａ】図１５１Ａは、フレームの構成の例を示す図である。
【図１５１Ｂ】図１５１Ｂは、フレームの構成の例を示す図である。
【発明を実施するための形態】
【００１０】
本開示の一態様に係る通信システムは、アクセスポイントと、第１の通信装置と、第２の通信装置とを備え、端末と無線通信する通信システムであって、前記アクセスポイントは、第１の周波数帯に含まれる少なくとも第１のチャネルで前記第１の通信装置と無線通信し、かつ、前記第１の周波数帯とは異なる第２の周波数帯に含まれる少なくとも第２のチャネルで前記第２の通信装置と無線通信し、前記第１の通信装置は、前記第２の周波数帯に含まれる少なくとも第３のチャネルで前記端末と無線通信し、前記第２の通信装置は、前記第１の周波数帯に含まれる少なくとも第４のチャネルで前記端末と無線通信する。
【００１１】
上記態様によれば、通信システムにおいて、アクセスポイントが第１の通信装置に送信する電波の周波数帯（第１の周波数帯）と、第１の通信装置が端末に送信する電波の周波数帯（第２の周波数帯）とが異なるので、これらの電波の干渉が回避され、データの伝送効率の低下が抑制される。同様に、アクセスポイントが第２の通信装置に送信する電波の周波数帯（第２の周波数帯）と、第２の通信装置が端末に送信する電波の周波数帯（第１の周波数帯）とが異なるので、これらの電波の干渉が回避され、データの伝送効率の低下が抑制される。また、通信システムは、アクセスポイントと第１の通信装置との通信、及び、第２の通信装置と端末との通信に同じ周波数帯（第１の周波数帯）を用い、アクセスポイントと第２の通信装置との通信、及び、第１の通信装置と端末との通信に同じ周波数帯（第２の周波数帯）を用いるので、各別の周波数帯を用いる場合より、通信システム全体として使用する周波数帯を少なくすることができる。よって、通信システムは、使用する周波数帯を少なくしながら、データの伝送効率の低下を抑制することで、通信システムの性能を改善し得る。
【００１２】
例えば、前記第３のチャネルは、前記第２のチャネルと同じチャネルであり、前記第４のチャネルは、前記第１のチャネルと同じチャネルであってもよい。
【００１３】
上記態様によれば、通信システムは、アクセスポイントと第１の通信装置との通信、及び、第２の通信装置と端末との通信に同じチャネルを用い、アクセスポイントと第２の通信装置との通信、及び、第１の通信装置と端末との通信に同じチャネルを用いるので、各別のチャネルを用いる場合より、通信システム全体として使用するチャネルを少なくすることができる。よって、通信システムは、使用するチャネルをより少なくしながら、通信システムの性能を改善し得る。
【００１４】
例えば、前記第１の通信装置と前記第２の通信装置とは、一の筐体内に配置されていてもよい。
【００１５】
上記態様によれば、通信システムは、第１の通信装置と第２の通信装置とが１つの装置として扱われ得る。これにより、通信システムは、システム構成をよりシンプルにしながら、通信システムの性能を改善し得る。
【００１６】
例えば、前記アクセスポイントは、ＯＦＤＭＡ（Orthogonal Frequency Division Multiple Access）による多重アクセスを用いて、前記第１の通信装置及び前記第２の通信装置と通信してもよい。
【００１７】
上記態様によれば、通信システムは、アクセスポイントと通信装置との間でＯＦＤＭＡによる多重アクセスを用いることで、チャネルの利用効率を向上しながら通信システムの性能を改善し得る。
【００１８】
例えば、前記端末は、複数の端末を含み、前記第１の通信装置及び前記第２の通信装置の少なくとも一方は、ＯＦＤＭＡによる多重アクセスを用いて、前記複数の端末と通信するしてもよい。
【００１９】
上記態様によれば、通信システムは、通信装置と端末との間でＯＦＤＭＡによる多重アクセスを用いることで、チャネルの利用効率を向上しながら通信システムの性能を改善し得る。
【００２０】
例えば、前記アクセスポイントは、一のデータを、前記第１の通信装置及び前記第２の通信装置それぞれに送信し、前記第１の通信装置は、前記一のデータを受信した場合に、受信した前記一のデータを前記端末に送信し、前記第２の通信装置は、前記一のデータを受信した場合に、受信した前記一のデータを前記端末に送信してもよい。
【００２１】
上記態様によれば、通信システムは、一のデータをアクセスポイントから第１の通信装置を経由して端末に送信するとともに、同じデータをアクセスポイントから第２の通信装置を経由して端末に送信する。これにより、通信システムは、端末におけるデータの受信率を向上させることにより、通信システムの性能を改善し得る。
【００２２】
また、本開示の一態様に係る端末は、通信システムと無線通信する端末であって、前記通信システムは、アクセスポイントと、第１の通信装置と、第２の通信装置とを備え、前記アクセスポイントは、第１の周波数帯に含まれる少なくとも第１のチャネルで前記第１の通信装置と無線通信し、かつ、前記第１の周波数帯とは異なる第２の周波数帯に含まれる少なくとも第２のチャネルで前記第２の通信装置と無線通信し、前記端末は、前記第２の周波数帯に含まれる少なくとも第３のチャネルで前記第１の通信装置と無線通信し、前記第１の周波数帯に含まれる少なくとも第４のチャネルで前記第２の通信装置と無線通信する。
【００２３】
上記態様によれば、上記通信システムと同様の効果を奏する。
【００２４】
また、本開示の一態様に係る制御方法は、アクセスポイントと、第１の通信装置と、第２の通信装置とを備え、端末と無線通信する通信システムの制御方法であって、前記アクセスポイントは、第１の周波数帯に含まれる少なくとも第１のチャネルで前記第１の通信装置と無線通信し、かつ、前記第１の周波数帯とは異なる第２の周波数帯に含まれる少なくとも第２のチャネルで前記第２の通信装置と無線通信し、前記第１の通信装置は、前記第２の周波数帯に含まれる少なくとも第３のチャネルで前記端末と無線通信し、前記第２の通信装置は、前記第１の周波数帯に含まれる少なくとも第４のチャネルで前記端末と無線通信する。
【００２５】
上記態様によれば、上記通信システムと同様の効果を奏する。
【００２６】
また、本開示の一態様に係る制御方法は、通信システムと無線通信する端末の制御方法であって、前記通信システムは、アクセスポイントと、第１の通信装置と、第２の通信装置とを備え、前記アクセスポイントは、第１の周波数帯に含まれる少なくとも第１のチャネルで前記第１の通信装置と無線通信し、かつ、前記第１の周波数帯とは異なる第２の周波数帯に含まれる少なくとも第２のチャネルで前記第２の通信装置と無線通信し、前記制御方法は、前記第２の周波数帯に含まれる少なくとも第３のチャネルで前記第１の通信装置と無線通信し、前記第１の周波数帯に含まれる少なくとも第４のチャネルで前記第２の通信装置と無線通信する。
【００２７】
上記態様によれば、上記端末と同様の効果を奏する。
【００２８】
なお、これらの包括的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラムまたは記録媒体の任意な組み合わせで実現されてもよい。
【００２９】
以下、実施の形態について、図面を参照しながら具体的に説明する。
【００３０】
なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本開示を限定する主旨ではない。また、以下の実施の形態における構成要素のうち、最上位概念を示す独立請求項に記載されていない構成要素については、任意の構成要素として説明される。
【００３１】
（実施の形態１）
図１は、本実施の形態における基地局（または、アクセスポイントなど）の構成の一例を示している。
【００３２】
１０１−１は＃１情報、１０１−２は＃２情報、・・・、１０１−Ｍは＃Ｍ情報を示している。１０１−ｉは、＃ｉ情報を示している。ｉは１以上Ｍ以下の整数とする。なお、Ｍは２以上の整数とする。なお、＃１情報から＃Ｍ情報までのすべてが存在する必要はない。
【００３３】
信号処理部１０２は、＃１情報１０１−１、＃２情報１０１−２、・・・、＃Ｍ情報１０１−Ｍ、および、制御信号１５９を入力とする。信号処理部１０２は、制御信号１５９に含まれる、「誤り訂正符号化の方法（符号化率、符号長（ブロック長））に関する情報」「変調方式に関する情報」、「プリコーディングに関する情報」、「送信方法（多重化方法）」、「マルチキャスト用の送信を行うか／ユニキャスト用の送信を行うか（マルチキャスト用の送信、ユニキャスト用の送信を同時に実現してもよい）」、「マルチキャストを行うときの送信ストリーム数」、「マルチキャスト用の変調信号を送信する場合の送信方法（この点については、後で詳しく説明する）」などの情報に基づき、信号処理を行い、信号処理後の信号１０３−１、信号処理後の信号１０３−２、・・・、信号処理後の信号１０３−Ｍ、つまり、信号処理後の信号１０３−ｉを出力する。なお、信号処理後の信号＃１から信号処理後の信号＃Ｍまでのすべてが存在する必要はない。このとき、＃ｉ情報１０１−ｉに対し、誤り訂正符号化を行い、その後、設定した変調方式によるマッピングを行う。これにより、ベースバンド信号を得る。
【００３４】
そして、各情報に対応するベースバンド信号を集め、プリコーディングを行う。また、例えば、ＯＦＤＭ（Orthogonal Frequency Division Multiplexing）を適用してもよい。
【００３５】
無線部１０４−１は、信号処理後の信号１０３−１、制御信号１５９を入力とし、制御信号１５９に基づいて、帯域制限、周波数変換、増幅などの処理を行い、送信信号１０５−１を出力する。そして、送信信号１０５−１は、アンテナ部１０６−１から電波として出力される。
【００３６】
同様に、無線部１０４−２は、信号処理後の信号１０３−２、制御信号１５９を入力とし、制御信号１５９に基づいて、帯域制限、周波数変換、増幅などの処理を行い、送信信号１０５−２を出力する。そして、送信信号１０５−２は、アンテナ部１０６−２から電波として出力される。無線部１０４−３から無線部１０４−（Ｍ−１）までの説明は省略する。
【００３７】
無線部１０４−Ｍは、信号処理後の信号１０３−Ｍ、制御信号１５９を入力とし、制御信号１５９に基づいて、帯域制限、周波数変換、増幅などの処理を行い、送信信号１０５−Ｍを出力する。そして、送信信号１０５−Ｍは、アンテナ部１０６−Ｍから電波として出力される。
【００３８】
なお、各無線部は、信号処理後の信号が存在していない場合は、上記処理を行わなくてもよい。
【００３９】
無線部群１５３は、受信アンテナ群１５１で受信した受信信号群１５２を入力とし、周波数変換等の処理を行い、ベースバンド信号群１５４を出力する。
【００４０】
信号処理部１５５は、ベースバンド信号群１５４を入力し、復調、誤り訂正復号を行う、つまり、時間同期、周波数同期、チャネル推定などの処理も行う。このとき、信号処理部１５５は、一つ以上の端末が送信した変調信号を受信し、処理を行っているため、各端末が送信したデータと、各端末が送信した制御情報を得る。したがって、信号処理部１５５は、一つ以上の端末に対応するデータ群１５６、および、一つ以上の端末に対応する制御情報群１５７を出力する。
【００４１】
設定部１５８は、制御情報群１５７、設定信号１６０を入力とし、制御情報群１５７に基づき、「誤り訂正符号化の方法（符号化率、符号長（ブロック長））」、「変調方式」、「プリコーディング方法」、「送信方法」、「アンテナの設定」、「マルチキャスト用の送信を行うか／ユニキャスト用の送信を行うか（マルチキャスト及びユニキャストの送信を同時に実現してもよい）」、「マルチキャストを行うときの送信ストリーム数」、「マルチキャスト用の変調信号を送信する場合の送信方法」などを決定し、これらの決定した情報を含んだ制御信号１５９を出力する。
【００４２】
アンテナ部１０６−１、１０６−２、・・・、１０６−Ｍは、制御信号１５９を入力としている。このときの動作について、図２を用いて説明する。
【００４３】
図２は、アンテナ部１０６−１、１０６−２、・・・、１０６−Ｍの構成の一例を示している。各アンテナ部は、図２のように複数のアンテナを具備している。なお、図２では、アンテナを４つ描いているが、各アンテナ部は、複数のアンテナを具備していればよい。なお、アンテナの本数は４に限ったものではない。
【００４４】
図２は、アンテナ部１０６−ｉの構成となる。ｉは１以上Ｍ以下の整数である。
【００４５】
分配部２０２は、送信信号２０１（図１の送信信号１０５−ｉに相当）を入力とし、送信信号２０１を分配し、信号２０３−１、２０３−２、２０３−３、２０３−４を出力する。
【００４６】
乗算部２０４−１は、信号２０３−１、および、制御信号２００（図１の制御信号１５９に相当）を入力とし、制御信号２００に含まれる乗算係数の情報に基づき、信号２０３−１に対し、係数Ｗ１を乗算し、乗算後の信号２０５−１を出力する。なお、係数Ｗ１は複素数で定義する。したがって、Ｗ１は実数をとることもできる。したがって、信号２０３−１をｖ１（ｔ）とすると、乗算後の信号２０５−１はＷ１×ｖ１（ｔ）とあらわすことができる（ｔは時間）。そして、乗算後の信号２０５−１は、アンテナ２０６−１から電波として出力される。
【００４７】
同様に、乗算部２０４−２は、信号２０３−２、および、制御信号２００を入力とし、制御信号２００に含まれる乗算係数の情報に基づき、信号２０３−２に対し、係数Ｗ２を乗算し、乗算後の信号２０５−２を出力する。なお、係数Ｗ２は複素数で定義する。したがって、Ｗ２は実数をとることもできる。したがって、信号２０３−２をｖ２（ｔ）とすると、乗算後の信号２０５−２はＷ２×ｖ２（ｔ）とあらわすことができる（ｔは時間）。そして、乗算後の信号２０５−２は、アンテナ２０６−２から電波として出力される。
【００４８】
乗算部２０４−３は、信号２０３−３、および、制御信号２００を入力とし、制御信号２００に含まれる乗算係数の情報に基づき、信号２０３−３に対し、係数Ｗ３を乗算し、乗算後の信号２０５−３を出力する。なお、係数Ｗ３は複素数で定義する。したがって、Ｗ３は実数をとることもできる。したがって、信号２０３−３をｖ３（ｔ）とすると、乗算後の信号２０５−３はＷ３×ｖ３（ｔ）とあらわすことができる（ｔは時間）。そして、乗算後の信号２０５−３は、アンテナ２０６−３から電波として出力される。
【００４９】
乗算部２０４−４は、信号２０３−４、および、制御信号２００を入力とし、制御信号２００に含まれる乗算係数の情報に基づき、信号２０３−４に対し、係数Ｗ４を乗算し、乗算後の信号２０５−４を出力する。なお、係数Ｗ４は複素数で定義する。したがって、Ｗ４は実数をとることもできる。したがって、信号２０３−４をｖ４（ｔ）とすると、乗算後の信号２０５−４はＷ４×ｖ４（ｔ）とあらわすことができる（ｔは時間）。そして、乗算後の信号２０５−４は、アンテナ２０６−４から電波として出力される。
【００５０】
なお、Ｗ１の絶対値、Ｗ２の絶対値、Ｗ３の絶対値、Ｗ４の絶対値が等しくてもよい。
【００５１】
図３は、本実施の形態における図１の基地局の構成とは異なる基地局の構成を示しており、図３において、図１と同様に動作するものについては、同一番号を付しており、以下では説明を省略する。
【００５２】
重みづけ合成部３０１は、変調信号１０５−１、変調信号１０５−２、・・・、変調信号１０５−Ｍ、および、制御信号１５９を入力とする。そして、重みづけ合成部３０１は、制御信号１５９に含まれる重みづけ合成に関する情報にもとづき、変調信号１０５−１、変調信号１０５−２、・・・、変調信号１０５−Ｍに対し、重みづけ合成を行い、重みづけ合成後の信号３０２−１、３０２−２、・・・、３０２−Ｋを出力する。Ｋは１以上の整数とする。そして、重みづけ合成後の信号３０２−１はアンテナ３０３−１から電波として出力され、重みづけ合成後の信号３０２−２はアンテナ３０３−２から電波として出力され、・・・、重みづけ合成後の信号３０２−Ｋはアンテナ３０３−Ｋから電波として出力される。
【００５３】
重みづけ合成後の信号ｙｉ（ｔ）３０２−ｉ（ｉは、１以上Ｋ以下の整数）は、以下のようにあらわされる（ｔは時間）。
【００５４】
【数１】
2020067242.tif 000003
【００５５】
なお、式（１）において、Ａｉｊは複素数で定義できる値であり、したがって、Ａｉｊは実数をとることもでき、ｘｊ（ｔ）は変調信号１０５−ｊとなる。ｊは１以上Ｍ以下の整数である。
【００５６】
図４は、端末の構成の一例を示している。アンテナ部４０１−１、４０１−２、・・・、４０１−Ｎは、制御信号４１０を入力としている。Ｎは１以上の整数である。
【００５７】
無線部４０３−１は、アンテナ部４０１−１で受信した受信信号４０２−１、および、制御信号４１０を入力とし、制御信号４１０に基づき、受信信号４０２−１に対し、周波数変換等の処理を施し、ベースバンド信号４０４−１を出力する。
【００５８】
同様に、無線部４０３−２は、アンテナ部４０１−２で受信した受信信号４０２−２、および、制御信号４１０を入力とし、制御信号４１０に基づき、受信信号４０２−２に対し、周波数変換等の処理を施し、ベースバンド信号４０４−２を出力する。なお、無線部４０３−３から無線部４０３−（Ｎ−１）までの説明は省略する。
【００５９】
無線部４０３−Ｎは、アンテナ部４０１−Ｎで受信した受信信号４０２−Ｎ、および、制御信号４１０を入力とし、制御信号に基づき、受信信号４０２−Ｎに対し、周波数変換等の処理を施し、ベースバンド信号４０４−Ｎを出力する。
【００６０】
ただし、無線部４０３−１、４０３−２、・・・、４０３−Ｎはすべてが動作しなくてもよい。したがって、ベースバンド信号４０４−１、４０４−２、・・・、４０４−Ｎがすべて存在しているとは限らない。
【００６１】
信号処理部４０５は、ベースバンド信号４０４−１、４０４−２、・・・、４０４−Ｎ、および、制御信号４１０を入力とし、制御信号４１０に基づいて、復調、誤り訂正復号の処理を行い、データ４０６、送信用制御情報４０７、制御情報４０８を出力する。つまり、信号処理部４０５は、時間同期、周波数同期、チャネル推定などの処理も行う。
【００６２】
設定部４０９は、制御情報４０８を入力とし、受信方法に関する設定を行い、制御信号４１０を出力する。
【００６３】
信号処理部４５２は、情報４５１、送信用制御情報４０７を入力とし、誤り訂正符号化、設定した変調方式によるマッピングなどの処理を行い、ベースバンド信号群４５３を出力する。
【００６４】
無線部群４５４は、ベースバンド信号群４５３を入力とし、帯域制限、周波数変換、増幅等の処理を行い、送信信号群４５５を出力し、送信信号群４５５は、送信アンテナ群４５６から、電波として出力される。
【００６５】
図５は、アンテナ部４０１−１、４０１−２、・・・、４０１−Ｎの構成の一例を示している。各アンテナ部は、図５のように複数のアンテナを具備している。なお、図５では、アンテナを４つ描いているが、各アンテナ部は、複数のアンテナを具備していればよい。なお、アンテナ部は、アンテナの本数は４に限ったものではない。
【００６６】
図５は、アンテナ部４０１−ｉの構成となる。ｉは１以上Ｎ以下の整数である。
【００６７】
乗算部５０３−１は、アンテナ５０１−１で受信した受信信号５０２−１、および、制御信号５００（図４の制御信号４１０に相当）を入力とし、制御信号５００に含まれる乗算係数の情報に基づき、受信信号５０２−１に対し、係数Ｄ１を乗算し、乗算後の信号５０４−１を出力する。なお、係数Ｄ１は複素数で定義できる。したがって、Ｄ１は実数をとることもできる。したがって、受信信号５０２−１をｅ１（ｔ）とすると、乗算後の信号５０４−１はＤ１×ｅ１（ｔ）とあらわすことができる（ｔは時間）。
【００６８】
同様に、乗算部５０３−２は、アンテナ５０１−２で受信した受信信号５０２−２、および、制御信号５００を入力とし、制御信号５００に含まれる乗算係数の情報に基づき、受信信号５０２−２に対し、係数Ｄ２を乗算し、乗算後の信号５０４−２を出力する。なお、係数Ｄ２は複素数で定義できる。したがって、Ｄ２は実数をとることもできる。したがって、受信信号５０２−２をｅ２（ｔ）とすると、乗算後の信号５０４−２はＤ２×ｅ２（ｔ）とあらわすことができる（ｔは時間）。
【００６９】
乗算部５０３−３は、アンテナ５０１−３で受信した受信信号５０２−３、および、制御信号５００を入力とし、制御信号５００に含まれる乗算係数の情報に基づき、受信信号５０２−３に対し、係数Ｄ３を乗算し、乗算後の信号５０４−３を出力する。なお、係数Ｄ３は複素数で定義できる。したがって、Ｄ３は実数をとることもできる。したがって、受信信号５０２−３をｅ３（ｔ）とすると、乗算後の信号５０４−３はＤ３×ｅ３（ｔ）とあらわすことができる（ｔは時間）。
【００７０】
乗算部５０３−４は、アンテナ５０１−４で受信した受信信号５０２−４、および、制御信号５００を入力とし、制御信号５００に含まれる乗算係数の情報に基づき、受信信号５０２−４に対し、係数Ｄ４を乗算し、乗算後の信号５０４−４を出力する。なお、係数Ｄ４は複素数で定義できる。したがって、Ｄ４は実数をとろこともできる。したがって、受信信号５０２−４をｅ４（ｔ）とすると、乗算後の信号５０４−４はＤ４×ｅ４（ｔ）とあらわすことができる（ｔは時間）。
【００７１】
合成部５０５は、乗算後の信号５０４−１、５０４−２、５０４−３、５０４−４を入力とし、乗算後の信号５０４−１、５０４−２、５０４−３、５０４−４を加算し、合成後の信号５０６（図４の受信信号４０２−ｉに相当する）を出力とする。したがって、合成後の信号５０６は、Ｄ１×ｅ１（ｔ）＋Ｄ２×ｅ２（ｔ）＋Ｄ３×ｅ３（ｔ）＋Ｄ４×ｅ４（ｔ）とあらわされる。
【００７２】
図６は、本実施の形態における図４の端末の構成とは異なる端末の構成を示しており、図６において、図４と同様に動作するものについては、同一番号を付しており、以下では説明を省略する。
【００７３】
乗算部６０３−１は、アンテナ６０１−１で受信した受信信号６０２−１、および、制御信号４１０を入力とし、制御信号４１０に含まれる乗算係数の情報に基づき、受信信号６０２−１に対し、係数Ｇ１を乗算し、乗算後の信号６０４−１を出力する。なお、係数Ｇ１は複素数で定義できる。したがって、Ｇ１は実数をとることもできる。したがって、受信信号６０２−１をｃ１（ｔ）とすると、乗算後の信号６０４−１はＧ１×ｃ１（ｔ）とあらわすことができる（ｔは時間）。
【００７４】
同様に、乗算部６０３−２は、アンテナ６０１−２で受信した受信信号６０２−２、および、制御信号４１０を入力とし、制御信号４１０に含まれる乗算係数の情報に基づき、受信信号６０２−２に対し、係数Ｇ２を乗算し、乗算後の信号６０４−２を出力する。なお、係数Ｇ２は複素数で定義できる。したがって、Ｇ２は実数をとることもできる。したがって、受信信号６０２−２をｃ２（ｔ）とすると、乗算後の信号６０４−２はＧ２×ｃ２（ｔ）とあらわすことができる（ｔは時間）。乗算部６０３−３から乗算部６０３−（Ｌ−１）までの説明は省略する。
【００７５】
乗算部６０３−Ｌは、アンテナ６０１−Ｌで受信した受信信号６０２−Ｌ、および、制御信号４１０を入力とし、制御信号４１０に含まれる乗算係数の情報に基づき、受信信号６０２−Ｌに対し、係数ＧＬを乗算し、乗算後の信号６０４−Ｌを出力する。なお、係数ＧＬは複素数で定義できる。したがって、ＧＬは実数をとることもできる。したがって、受信信号６０２−ＬをｃＬ（ｔ）とすると、乗算後の信号６０４−ＬはＧＬ×ｃＬ（ｔ）とあらわすことができる（ｔは時間）。
【００７６】
したがって、乗算部６０３−ｉは、アンテナ６０１−ｉで受信した受信信号６０２−ｉ、および、制御信号４１０を入力とし、制御信号４１０に含まれる乗算係数の情報に基づき、受信信号６０２−ｉに対し、係数Ｇｉを乗算し、乗算後の信号６０４−ｉを出力する。なお、係数Ｇｉは複素数で定義できる。したがって、Ｇｉは実数をとることもできる。したがって、受信信号６０２−ｉをｃｉ（ｔ）とすると、乗算後の信号６０４−ｉはＧｉ×ｃｉ（ｔ）とあらわすことができる（ｔは時間）。なお、ｉは１以上Ｌ以下の整数とし、Ｌは２以上の整数である。
【００７７】
処理部６０５は、乗算後の信号６０４−１、乗算後の信号６０４−２、・・・、乗算後の信号６０４−Ｌ、および、制御信号４１０を入力とし、制御信号４１０に基づき、信号処理を行い、処理後の信号６０６−１、６０６−２、・・・、６０６−Ｎを出力する。Ｎは２以上の整数とする。このとき、乗算後の信号６０４−ｉをｐｉ（ｔ）とあらわす。ｉは１以上Ｌ以下の整数とする。すると、処理後の信号６０６−ｊ（ｒｊ（ｔ））は、以下のようにあらわされる（ｊは１以上Ｎ以下の整数）。
【００７８】
【数２】
2020067242.tif 000004
【００７９】
なお、式（２）において、Ｂｊｉは複素数で定義できる値である。したがって、Ｂｊｉは実数をとることもできる。
【００８０】
図７は、基地局と端末の通信状態の一例を示している。なお、基地局は、アクセスポイント、放送局などと呼ぶことがある。
【００８１】
基地局７００は、複数のアンテナを具備し、送信用のアンテナ７０１から、複数の送信信号を送信する。このとき、基地局７００は、例えば、図１、図３のような構成で構成されており、信号処理部１０２（および／または、重み付け合成部３０１）において、プリコーディング（重み付け合成）を行うことで、送信ビームフォーミング（指向性制御）を行う。
【００８２】
そして、図７は、ストリーム１のデータを伝送するための送信ビーム７０２−１、ストリーム１のデータを伝送するための送信ビーム７０２−２、ストリーム１のデータを伝送するための送信ビーム７０２−３を示す。
【００８３】
図７は、ストリーム２のデータを伝送するための送信ビーム７０３−１、ストリーム２のデータを伝送するための送信ビーム７０３−２、ストリーム２のデータを伝送するための送信ビーム７０３−３を示す。
【００８４】
なお、図７では、ストリーム１のデータを伝送するための送信ビームの数を３、ストリーム２のデータを伝送するための送信ビームの数を３としているが、これに限ったものではなく、ストリーム１のデータを伝送するための送信ビームが複数、ストリーム２のデータを伝送するための送信ビームが複数であればよい。
【００８５】
図７は、端末７０４−１、７０４−２、７０４−３、７０４−４、７０４−５を含み、例えば、図４、図５に示す端末と同じ構成である。
【００８６】
例えば、端末７０４−１は、「信号処理部４０５」、および／または、「アンテナ４０１−１から４０１−Ｎ」、および／または、「乗算部６０３−１から６０３−Ｌ、および、処理部６０５」により、受信時の指向性制御を行い、受信指向性７０５−１、および、受信指向性７０６−１を形成する。そして、受信指向性７０５−１により、端末７０４−１は、ストリーム１のデータを伝送するための送信ビーム７０２−１の受信及び復調が可能となり、受信指向性７０６−１により、端末７０４−１は、ストリーム２のデータを伝送するための送信ビーム７０３−１の受信及び復調が可能となる。
【００８７】
同様に、端末７０４−２は、「信号処理部４０５」、および／または、「アンテナ４０１−１から４０１−Ｎ」、および／または、「乗算部６０３−１から６０３−Ｌ、および、処理部６０５」により、受信時の指向性制御を行い、受信指向性７０５−２、および、受信指向性７０６−２を形成する。そして、受信指向性７０５−２により、端末７０４−２は、ストリーム１のデータを伝送するための送信ビーム７０２−１の受信及び復調が可能となり、受信指向性７０６−２により、端末７０４−２は、ストリーム２のデータを伝送するための送信ビーム７０３−１の受信及び復調が可能となる。
【００８８】
端末７０４−３は、「信号処理部４０５」、および／または、「アンテナ４０１−１から４０１−Ｎ」、および／または、「乗算部６０３−１から６０３−Ｌ、および、処理部６０５」により、受信時の指向性制御を行い、受信指向性７０５−３、および、受信指向性７０６−３を形成する。
【００８９】
そして、受信指向性７０５−３により、端末７０４−３は、ストリーム１のデータを伝送するための送信ビーム７０２−２の受信及び復調が可能となり、受信指向性７０６−３により、端末７０４−３は、ストリーム２のデータを伝送するための送信ビーム７０３−２の受信及び復調が可能となる。
【００９０】
端末７０４−４は、「信号処理部４０５」、および／または、「アンテナ４０１−１から４０１−Ｎ」、および／または、「乗算部６０３−１から６０３−Ｌ、および、処理部６０５」により、受信時の指向性制御を行い、受信指向性７０５−４、および、受信指向性７０６−４を形成する。そして、受信指向性７０５−４により、端末７０４−４は、ストリーム１のデータを伝送するための送信ビーム７０２−３の受信及び復調が可能となり、受信指向性７０６−４により、端末７０４−４は、ストリーム２のデータを伝送するための送信ビーム７０３−２の受信及び復調が可能となる。
【００９１】
端末７０４−５は、「信号処理部４０５」、および／または、「アンテナ４０１−１から４０１−Ｎ」、および／または、「乗算部６０３−１から６０３−Ｌ、および、処理部６０５」により、受信時の指向性制御を行い、受信指向性７０５−５、および、受信指向性７０６−５を形成する。そして、受信指向性７０５−５により、端末７０４−５は、ストリーム１のデータを伝送するための送信ビーム７０２−３の受信及び復調が可能となり、受信指向性７０６−５により、端末７０４−５は、ストリーム２のデータを伝送するための送信ビーム７０３−３の受信及び復調が可能となる。
【００９２】
図７では、端末は、ストリーム１のデータを伝送するための送信ビーム７０２−１、７０２−２、７０２−３のうち、空間的な位置により、少なくとも一つの送信ビームを選択し、受信の指向性を向けることで、ストリーム１のデータを高い品質で得ることができ、また、端末は、ストリーム２のデータを伝送するための送信ビーム７０３−１、７０３−２、７０３−３のうち、空間的な位置により、少なくとも一つの送信ビームを選択し、受信の指向性を向けることで、ストリーム２のデータを高い品質で得ることができる。
【００９３】
なお、基地局７００は、ストリーム１のデータを伝送するための送信ビーム７０２−１とストリーム２のデータを伝送するための送信ビーム７０３−１とを、同一周波数（同一周波数帯）、同一時間を用いて、送信する。そして、基地局７００は、ストリーム１のデータを伝送するための送信ビーム７０２−２とストリーム２のデータを伝送するための送信ビーム７０３−２とを、同一周波数（同一周波数帯）、同一時間を用いて、送信する。また、基地局７００は、ストリーム１のデータを伝送するための送信ビーム７０２−３とストリーム２のデータを伝送するための送信ビーム７０３−３とを、同一周波数（同一周波数帯）、同一時刻を用いて、送信する。
【００９４】
また、ストリーム１のデータを伝送するための送信ビーム７０２−１、７０２−２、７０２−３は、同一周波数（同一周波数帯）のビームであってもよいし、それぞれ、異なる周波数（異なる周波数帯）のビームであってもよい。ストリーム２のデータを伝送するための送信ビーム７０３−１、７０３−２、７０３−３は、同一周波数（同一周波数帯）のビームであってもよいし、それぞれ、異なる周波数（異なる周波数帯）のビームであってもよい。
【００９５】
図１、図３における基地局の設定部１５８の動作について、説明する。
【００９６】
設定部１５８は、設定信号１６０を入力としている。設定信号１６０は、「マルチキャスト用の送信を行うか／ユニキャスト用の送信を行うか」の情報を含んでおり、図７のような送信を基地局が行う場合、設定信号１６０により「マルチキャスト用の送信を行う」という情報が、設定部１５８に入力される。
【００９７】
設定信号１６０は、「マルチキャストを行うときの送信ストリーム数」の情報を含んでおり、図７のような送信を基地局が行う場合、設定信号１６０により、「送信ストリーム数は２」という情報が、設定部１５８に入力される。
【００９８】
また、設定信号１６０は、「各ストリームをいくつの送信ビームで送信するか」の情報を含んでいてもよい。図７のような送信を基地局が行う場合、設定信号１６０により、「ストリーム１を送信する送信ビーム数は３、ストリーム２を送信する送信ビーム数は３」という情報が、設定部１５８に入力される。
【００９９】
なお、図１、図３の基地局は、データシンボルが「マルチキャスト用の送信であるか／ユニキャスト用の送信であるか」の情報、「マルチキャストを行うときの送信ストリーム数」の情報、「各ストリームをいくつの送信ビームで送信するか」の情報等を含んだ制御情報シンボルを送信してもよい。これにより、端末は、適切な受信が可能となる。制御情報シンボルの構成の詳細については、後で行う。
【０１００】
図８は、図１、図３の＃ｉ情報１０１−ｉと図７を用いて説明した「ストリーム１」「ストリーム２」の関係を説明するための図面である。例えば、＃１情報１０１−１に対して、誤り訂正符号化などの処理を施し、誤り訂正符号化後のデータを得る。この誤り訂正符号化後のデータを＃１送信データと名付ける。そして、＃１送信データに対してマッピングを行い、データシンボルを得るが、このデータシンボルをストリーム１用、ストリーム２用に振り分け、ストリーム１のデータシンボル（データシンボル群）、および、ストリーム２のデータシンボル（データシンボル群）を得る。そして、ストリーム１のシンボル群は、ストリーム１のデータシンボル（データシンボル群）を含み、ストリーム１のシンボル群は、図１、図３の基地局から送信される。また、ストリーム２のシンボル群は、ストリーム２のデータシンボル（データシンボル群）を含み、ストリーム２のシンボル群は、図１、図３の基地局から送信される。
【０１０１】
図９は、横軸時間としたときのフレーム構成の一例を示している。
【０１０２】
図９のストリーム１の＃１シンボル群９０１−１は、図７におけるストリーム１のデータを伝送するための送信ビーム７０２−１のシンボル群である。
【０１０３】
図９のストリーム１の＃２シンボル群９０１−２は、図７におけるストリーム１のデータを伝送するための送信ビーム７０２−２のシンボル群である。
【０１０４】
図９のストリーム１の＃３シンボル群９０１−３は、図７におけるストリーム１のデータを伝送するための送信ビーム７０２−３のシンボル群である。
【０１０５】
図９のストリーム２の＃１シンボル群９０２−１は、図７におけるストリーム２のデータを伝送するための送信ビーム７０３−１のシンボル群である。
【０１０６】
図９のストリーム２の＃２シンボル群９０２−２は、図７におけるストリーム２のデータを伝送するための送信ビーム７０３−２のシンボル群である。
【０１０７】
図９のストリーム２の＃３シンボル群９０２−３は、図７におけるストリーム２のデータを伝送するための送信ビーム７０３−３のシンボル群である。
【０１０８】
そして、ストリーム１の＃１シンボル群９０１−１、ストリーム１の＃２シンボル群９０１−２、ストリーム１の＃３シンボル群９０１−３、ストリーム２の＃１シンボル群９０２−１、ストリーム２の＃２シンボル群９０２−２、ストリーム２の＃３シンボル群９０２−３は、例えば、時間区間１に存在している。
【０１０９】
また、前にも記載したように、ストリーム１の＃１シンボル群９０１−１とストリーム２の＃２シンボル群９０２−１は、同一周波数（同一周波数帯）を用いて送信されており、ストリーム１の＃２シンボル群９０１−２とストリーム２の＃２シンボル群９０２−２は、同一周波数（同一周波数帯）を用いて送信されており、ストリーム１の＃３シンボル群９０１−３とストリーム２の＃３シンボル群９０２−３は、同一周波数（同一周波数帯）を用いて送信されている。
【０１１０】
例えば、図８の手順で、情報から「ストリーム１のデータシンボル群Ａ」および「ストリーム２のデータシンボル群Ａ」を生成した。そして、「ストリーム１のデータシンボル群Ａ」を構成するシンボルと同じシンボルで構成されたシンボル群「ストリーム１のデータシンボル群Ａ−１」、「ストリーム１のデータシンボル群Ａ」を構成するシンボルと同じシンボルで構成されたシンボル群「ストリーム１のデータシンボル群Ａ−２」、「ストリーム１のデータシンボル群Ａ」を構成するシンボルと同じシンボルで構成されたシンボル群「ストリーム１のデータシンボル群Ａ−３」を用意する。
【０１１１】
つまり、「ストリーム１のデータシンボル群Ａ−１」を構成するシンボルと「ストリーム１のデータシンボル群Ａ−２」を構成するシンボルと「ストリーム１のデータシンボル群Ａ−３」を構成するシンボルは同じである。
【０１１２】
このとき、図９のストリーム１の＃１シンボル群９０１−１は、「ストリーム１のデータシンボル群Ａ−１」を含んでおり、図９のストリーム１の＃２シンボル群９０１−２は、「ストリーム１のデータシンボル群Ａ−２」を含んでおり、図９のストリーム１の＃３シンボル群９０１−３は、「ストリーム１のデータシンボル群Ａ−３」を含んでいる。つまり、ストリーム１の＃１シンボル群９０１−１、ストリーム１の＃２シンボル群９０１−２、ストリーム１の＃３シンボル群９０１−３は、同一のデータシンボル群を含んでいる。
【０１１３】
また、「ストリーム２のデータシンボル群Ａ」を構成するシンボルと同じシンボルで構成されたシンボル群「ストリーム２のデータシンボル群Ａ−１」、「ストリーム２のデータシンボル群Ａ」を構成するシンボル群と同じシンボルで構成されたシンボル群「ストリーム２のデータシンボル群Ａ−２」、「ストリーム２のデータシンボル群Ａ」を構成するシンボル群と同じシンボルで構成されたシンボル群「ストリーム２のデータシンボル群Ａ−３」を用意する。
【０１１４】
つまり、「ストリーム２のデータシンボル群Ａ−１」を構成するシンボルと「ストリーム２のデータシンボル群Ａ−２」を構成するシンボルと「ストリーム２のデータシンボル群Ａ−３」を構成するシンボルは同じである。
【０１１５】
このとき、図９のストリーム２の＃１シンボル群９０２−１は、「ストリーム２のデータシンボル群Ａ−１」を含んでおり、図９のストリーム２の＃２シンボル群９０２−２は、「ストリーム２のデータシンボル群Ａ−２」を含んでおり、図９のストリーム２の＃３シンボル群９０２−３は、「ストリーム２のデータシンボル群Ａ−３」を含んでいる。つまり、ストリーム２の＃１シンボル群９０２−１、ストリーム２の＃２シンボル群９０２−２、ストリーム２の＃３シンボル群９０２−３は、同一のデータシンボル群を含んでいる。
【０１１６】
図１０は、図９で説明した「ストリームＸのシンボル群＃Ｙ」（Ｘ＝１，２；Ｙ＝１，２，３）のフレーム構成の一例を示している。図１０において、横軸時間であり、１００１は制御情報シンボル、１００２はストリームのデータシンボル群である。このとき、ストリームのデータシンボル群１００２は、図９を用いて説明した「ストリーム１のデータシンボル群Ａ」または「ストリーム２のデータシンボル群Ａ」を伝送するためのシンボルである。
【０１１７】
なお、図１０のフレーム構成において、ＯＦＤＭ（Orthogonal Frequency Division Multiplexing）方式などのマルチキャリア方式を用いてもよく、この場合、周波数軸方向にシンボルが存在していてもよい。また、各シンボルには、受信装置が時間及び周波数同期を行うためのリファレンスシンボル、受信装置が信号を検出するためのリファレンスシンボル、受信装置がチャネル推定を行うためのリファレンスシンボルなどが含まれていてもよい。そして、フレーム構成は図１０に限ったものではなく、制御情報シンボル１００１、ストリームのデータシンボル群１００２をどのように配置してもよい。なお、リファレンスシンボルは、プリアンブル、パイロットシンボルと呼ぶこともある。
【０１１８】
次に、制御情報シンボル１００１の構成について説明する。
【０１１９】
図１１は、図１０の制御情報シンボルとして送信するシンボルの構成の一例を示しており、横軸は時間である。図１１において、端末は、「端末が受信指向性制御を行うためのトレーニングシンボル」１１０１を受信することで、「信号処理部４０５」、および／または、「アンテナ４０１−１から４０１−Ｎ」、および／または、「乗算部６０３−１から６０３−Ｌ、および、処理部６０５」で実施する、受信時の指向性制御のための信号処理方法を決定する。
【０１２０】
端末は、「マルチキャストを行っているときの送信ストリーム数を通知するためのシンボル」１１０２を受信することで、端末は、得る必要があるストリーム数を知る。
【０１２１】
端末は、「ストリームのデータシンボルがどのストリームのデータシンボルであるかを通知するためのシンボル」１１０３を受信することで、端末は、基地局が送信しているストリームのうち、どのストリームを受信できているか、を知ることができる。
【０１２２】
上記についての例を説明する。
【０１２３】
図７のように、基地局がストリーム、送信ビームを送信している場合について説明する。そして、図９のストリーム１の＃１シンボル群９０１−１における制御情報シンボルの具体的な情報について説明する。
【０１２４】
図７の場合、基地局は「ストリーム１」および「ストリーム２」を送信しているため、「マルチキャストを行っているときの送信ストリーム数を通知するためのシンボル」１１０２の情報は「２」という情報となる。
【０１２５】
また、図９のストリーム１の＃１シンボル群９０１−１は、ストリーム１のデータシンボルを送信しているため、「ストリームのデータシンボルがどのストリームのデータシンボルであるかを通知するためのシンボル」１１０３の情報は「ストリーム１」という情報になる。
【０１２６】
例えば、端末が、図９のストリーム１の＃１シンボル群９０１−１を受信した場合について説明する。このとき、端末は、「マルチキャストを行っているときの送信ストリーム数を通知するためのシンボル」１１０２から「送信ストリーム数が２」、「ストリームのデータシンボル群がどのストリームのデータシンボルであるかを通知するためのシンボル」１１０３から「ストリーム１のデータシンボル」を得たことを認識する。
【０１２７】
その後、端末は、「送信ストリーム数が２」、得ているデータシンボルが「ストリーム１のデータシンボル」であると認識するため、「ストリーム２のデータシンボル」を得る必要があると認識する。よって、端末は、ストリーム２のシンボル群を探す作業を開始することができる。例えば、端末は、図９のストリーム２の＃１シンボル群９０２−１、ストリーム２の＃２シンボル群９０２−２、ストリーム２の＃３シンボル群９０２−３のいずれかの送信ビームを、探す。
【０１２８】
そして、端末は、ストリーム２の＃１シンボル群９０２−１、ストリーム２の＃２シンボル群９０２−２、ストリーム２の＃３シンボル群９０２−３のいずれかの送信ビームを得ることで、ストリーム１のデータシンボルとストリーム２のデータシンボルの両者のデータシンボルを得る。
【０１２９】
このように、制御情報シンボルを構成することで、端末は、的確にデータシンボルを得ることができるという効果を得る。
【０１３０】
以上のように、マルチキャスト伝送及びブロードキャストデータ伝送において、基地局が、データシンボルを複数の送信ビームを用いて送信し、端末は、複数の送信ビームから、品質のよい、ビームを選択的に受信することにより、基地局が送信した変調信号は、送信指向性制御、受信指向性制御を行っているため、高いデータの受信品質が得られるエリアを広くすることができるという効果を得る。
【０１３１】
また、上述の説明では、端末が、受信指向性制御を行っていることを説明したが、端末は、受信指向性制御を行わなくても、上述の効果を得ることは可能である。
【０１３２】
なお、図１０の「ストリームのデータシンボル群」１００２の変調方式は、どのような変調方式であってもよく、「ストリームのデータシンボル群」１００２の変調方式のマッピング方法は、シンボルごとに切り替わってもよい。つまり、マッピング後に同相Ｉ−直交Ｑ平面上において、コンスタレーションの位相が、シンボルごとに切り替わってもよい。
【０１３３】
図１２は、基地局と端末の通信状態の図７とは異なる例である。なお、図１２において、図７と同様に動作するものについては同一番号を付している。
【０１３４】
基地局７００は、複数のアンテナを具備し、送信用のアンテナ７０１から、複数の送信信号を送信する。このとき、基地局７００は、例えば、図１、図３のような構成で構成されており、信号処理部１０２、（および／または、重み付け合成部３０１）において、プリコーディング（重み付け合成）を行うことで、送信ビームフォーミング（指向性制御）を行う。
【０１３５】
そして、図１２は、「変調信号１」を伝送するための送信ビーム１２０２−１、「変調信号１」を伝送するための送信ビーム１２０２−２、「変調信号１」を伝送するための送信ビーム１２０２−３を示す。
【０１３６】
図１２は、「変調信号２」を伝送するための送信ビーム１２０３−１、「変調信号２」を伝送するための送信ビーム１２０３−２、「変調信号２」を伝送するための送信ビーム１２０３−３を示す。
【０１３７】
なお、図１２では、「変調信号１」を伝送するための送信ビームの数を３、「変調信号２」を伝送するための送信ビームの数を３としているが、これに限ったものではなく、「変調信号１」を伝送するための送信ビームが複数、「変調信号２」を伝送するための送信ビームが複数であればよい。そして、「変調信号１」、「変調信号２」については、後で、詳しく説明する。
【０１３８】
図１２は、端末７０４−１、７０４−２、７０４−３、７０４−４、７０４−５を含み、例えば、図４、図５における端末と同じ構成である。
【０１３９】
例えば、端末７０４−１は、「信号処理部４０５」、および／または、「アンテナ４０１−１から４０１−Ｎ」、および／または、「乗算部６０３−１から６０３−Ｌ、および、処理部６０５」により、受信時の指向性制御を行い、受信指向性７０５−１、および、受信指向性７０６−１を形成する。そして、受信指向性７０５−１により、端末７０４−１は、「変調信号１」を伝送するための送信ビーム１２０２−１の受信及び復調が可能となり、受信指向性７０６−１により、端末７０４−１は、「変調信号２」を伝送するための送信ビーム１２０３−１の受信及び復調が可能となる。
【０１４０】
同様に、端末７０４−２は、「信号処理部４０５」、および／または、「アンテナ４０１−１から４０１−Ｎ」、および／または、「乗算部６０３−１から６０３−Ｌ、および、処理部６０５」により、受信時の指向性制御を行い、受信指向性７０５−２、および、受信指向性７０６−２を形成する。そして、受信指向性７０５−２により、端末７０４−２は、「変調信号１」を伝送するための送信ビーム１２０２−１の受信及び復調が可能となり、受信指向性７０６−２により、端末７０４−２は、「変調信号２」を伝送するための送信ビーム１２０３−１の受信及び復調が可能となる。
【０１４１】
端末７０４−３は、「信号処理部４０５」、および／または、「アンテナ４０１−１から４０１−Ｎ」、および／または、「乗算部６０３−１から６０３−Ｌ、および、処理部６０５」により、受信時の指向性制御を行い、受信指向性７０５−３、および、受信指向性７０６−３を形成する。
【０１４２】
そして、受信指向性７０５−３により、端末７０４−３は、「変調信号１」を伝送するための送信ビーム１２０２−２の受信及び復調が可能となり、受信指向性７０６−３により、端末７０４−３は、「変調信号２」を伝送するための送信ビーム１２０３−２の受信及び復調が可能となる。
【０１４３】
端末７０４−４は、「信号処理部４０５」、および／または、「アンテナ４０１−１から４０１−Ｎ」、および／または、「乗算部６０３−１から６０３−Ｌ、および、処理部６０５」により、受信時の指向性制御を行い、受信指向性７０５−４、および、受信指向性７０６−４を形成する。そして、受信指向性７０５−４により、端末７０４−４は、「変調信号１」を伝送するための送信ビーム１２０２−３の受信及び復調が可能となり、受信指向性７０６−４により、端末７０４−４は、「変調信号２」を伝送するための送信ビーム１２０３−２の受信及び復調が可能となる。
【０１４４】
端末７０４−５は、「信号処理部４０５」、および／または、「アンテナ４０１−１から４０１−Ｎ」、および／または、「乗算部６０３−１から６０３−Ｌ、および、処理部６０５」により、受信時の指向性制御を行い、受信指向性７０５−５、および、受信指向性７０６−５を形成する。そして、受信指向性７０５−５により、端末７０４−５は、「変調信号１」を伝送するための送信ビーム１２０２−３の受信及び復調が可能となり、受信指向性７０６−５により、端末７０４−５は、「変調信号２」を伝送するための送信ビーム１２０３−３の受信及び復調が可能となる。
【０１４５】
図１２における特長的な点は、端末は、「変調信号１」を伝送するための送信ビーム１２０２−１、１２０２−２、１２０２−３のうち、空間的な位置により、少なくとも一つの送信ビームを選択し、受信の指向性を向けることで、「変調信号１」を高い品質で得ることができ、また、端末は、「変調信号２」を伝送するための送信ビーム１２０３−１、１２０３−２、１２０３−３のうち、空間的な位置により、少なくとも一つの送信ビームを選択し、受信の指向性を向けることで、「変調信号２」を高い品質で得ることができる。
【０１４６】
なお、基地局７００は、「変調信号１」を伝送するための送信ビーム１２０２−１と「変調信号２」を伝送するための送信ビーム１２０３−１とを、同一周波数（同一周波数帯）、同一時間を用いて、送信する。そして、基地局７００は、「変調信号１」を伝送するための送信ビーム１２０２−２と「変調信号２」を伝送するための送信ビーム１２０３−２とを、同一周波数（同一周波数帯）、同一時間を用いて、送信する。また、基地局７００は、「変調信号１」を伝送するための送信ビーム１２０２−３と「変調信号２」を伝送するための送信ビーム１２０３−３とを、同一周波数（同一周波数帯）、同一時刻を用いて、送信する。
【０１４７】
また、「変調信号１」を伝送するための送信ビーム１２０２−１、１２０２−２、１２０２−３は、同一周波数（同一周波数帯）のビームであってもよいし、それぞれ、異なる周波数（異なる周波数帯）のビームであってもよい。「変調信号２」を伝送するための送信ビーム１２０３−１、１２０３−２、１２０３−３は、同一周波数（同一周波数帯）のビームであってもよいし、それぞれ、異なる周波数（異なる周波数帯）のビームであってもよい。
【０１４８】
図１、図３における基地局の設定部１５８の動作について、説明する。
【０１４９】
設定部１５８は、設定信号１６０を入力としている。設定信号１６０は、「マルチキャスト用の送信を行うか／ユニキャスト用の送信を行うか」の情報を含んでおり、図１２のような送信を基地局が行う場合、設定信号１６０により「マルチキャスト用の送信を行う」という情報が、設定部１５８に入力される。
【０１５０】
設定信号１６０は、「マルチキャストを行うときの送信変調信号数」の情報を含んでおり、図１２のような送信を基地局が行う場合、設定信号１６０により、「送信変調信号数は２」という情報が、設定部１５８に入力される。
【０１５１】
また、設定信号１６０は、「各変調信号をいくつの送信ビームで送信するか」の情報を含んでいてもよい。図１２のような送信を基地局が行う場合、設定信号１６０により、「変調信号１を送信する送信ビーム数は３、変調信号２を送信する送信ビーム数は３」という情報が、設定部１５８に入力される。
【０１５２】
なお、図１、図３の基地局は、データシンボルが「マルチキャスト用の送信であるか／ユニキャスト用の送信であるか」の情報、「マルチキャストを行うときの送信変調信号数」の情報、「各変調信号をいくつの送信ビームで送信するか」の情報等を含んだ制御情報シンボルを送信してもよい。これにより、端末は、適切な受信が可能となる。制御情報シンボルの構成の詳細については、後で行う。
【０１５３】
図１３は、図１、図３の＃ｉ情報１０１−ｉと図１２を用いて説明した「変調信号１」「変調信号２」の関係を説明するための図面である。
【０１５４】
例えば、＃１情報１０１−１に対して、誤り訂正符号化などの処理を施し、誤り訂正符号化後のデータを得る。この誤り訂正符号化後のデータを＃１送信データと名付ける。そして、＃１送信データに対してマッピングを行いデータシンボルを得るが、このデータシンボルをストリーム１用、ストリーム２用に振り分け、ストリーム１のデータシンボル（データシンボル群）、および、ストリーム２のデータシンボル（データシンボル群）を得る。このとき、シンボル番号ｉにおけるストリーム１のデータシンボルをｓ１（ｉ）、ストリーム２のデータシンボルをｓ２（ｉ）とする。すると、シンボル番号ｉにおける「変調信号１」ｔｘ１（ｉ）は、例えば、以下のようにあらわす。
【０１５５】
【数３】
2020067242.tif 000005
【０１５６】
そして、シンボル番号ｉにおける「変調信号２」ｔｘ２（ｉ）は、例えば、以下のようにあらわす。
【０１５７】
【数４】
2020067242.tif 000006
【０１５８】
なお、式（３）、式（４）において、α（ｉ）は複素数で定義することができ（したがって、実数であってもよい）、β（ｉ）は複素数で定義することができ（したがって、実数であってもよい）、γ（ｉ）は複素数で定義することができ（したがって、実数であってもよい）、δ（ｉ）は複素数で定義することができる（したがって、実数であってもよい）。また、α（ｉ）と記載しているが、シンボル番号ｉの関数でなくてもよく（固定の値であってもよい）、β（ｉ）と記載しているが、シンボル番号ｉの関数でなくてもよく（固定の値であってもよい）、γ（ｉ）と記載しているが、シンボル番号ｉの関数でなくてもよく（固定の値であってもよい）、δ（ｉ）と記載しているが、シンボル番号ｉの関数でなくてもよい（固定の値であってもよい）。
【０１５９】
そして、データシンボルから構成された「変調信号１のデータ伝送領域の信号」を含んだ「変調信号１のシンボル群」は、図１、図３の基地局から送信される。また、データシンボルから構成された「変調信号２のデータ伝送領域の信号」を含んだ「変調信号２のシンボル群」は、図１、図３の基地局から送信される。
【０１６０】
なお、「変調信号１」「変調信号２」に対して、位相変更やＣＤＤ(Cyclic Delay Diversity)等の信号処理を行ってもよい。ただし、信号処理の方法はこれに限ったものではない。
【０１６１】
図１４は、横軸時間としたときのフレーム構成の一例を示している。
【０１６２】
図１４の変調信号１の＃１シンボル群（１４０１−１）は、図１２における変調信号１のデータを伝送するための送信ビーム１２０２−１のシンボル群である。
【０１６３】
図１４の変調信号１の＃２シンボル群（１４０１−２）は、図１２における変調信号１のデータを伝送するための送信ビーム１２０２−２のシンボル群である。
【０１６４】
図１４の変調信号１の＃３シンボル群（１４０１−３）は、図１２における変調信号１のデータを伝送するための送信ビーム１２０２−３のシンボル群である。
【０１６５】
図１４の変調信号２の＃１シンボル群（１４０２−１）は、図１２における変調信号２のデータを伝送するための送信ビーム１２０３−１のシンボル群である。
【０１６６】
図１４の変調信号２の＃２シンボル群（１４０２−２）は、図１２における変調信号２のデータを伝送するための送信ビーム１２０３−２のシンボル群である。
【０１６７】
図１４の変調信号２の＃３シンボル群（１４０２−３）は、図１２における変調信号２のデータを伝送するための送信ビーム１２０３−３のシンボル群である。
【０１６８】
そして、変調信号１の＃１シンボル群（１４０１−１）、変調信号１の＃２シンボル群（１４０１−２）、変調信号１の＃３シンボル群（１４０１−３）、変調信号２の＃１シンボル群（１４０２−１）、変調信号２の＃２シンボル群（１４０２−２）、変調信号２の＃３シンボル群（１４０２−３）は、例えば、時間区間１に存在している。
【０１６９】
また、前にも記載したように、変調信号１の＃１シンボル群（１４０１−１）と変調信号２の＃１シンボル群（１４０２−１）は、同一周波数（同一周波数帯）を用いて送信されており、変調信号１の＃２シンボル群（１４０１−２）と変調信号２の＃２シンボル群（１４０２−２）は、同一周波数（同一周波数帯）を用いて送信されており、変調信号１の＃３シンボル群（１４０１−３）と変調信号２の＃３シンボル群（１４０２−３）は、同一周波数（同一周波数帯）を用いて送信されている。
【０１７０】
例えば、図１３の手順で、情報から「変調信号１のデータ伝送領域の信号Ａ」および「変調信号２のデータ伝送領域の信号Ａ」を生成した。
【０１７１】
そして、「変調信号１のデータ伝送領域の信号Ａ」を構成する信号と同等の信号で構成された信号「変調信号１のデータ伝送領域の信号Ａ−１」、「変調信号１のデータ伝送領域の信号Ａ」を構成する信号と同等の信号で構成された信号「変調信号１のデータ伝送領域の信号Ａ−２」、「変調信号１のデータ伝送領域の信号Ａ」を構成する信号と同等の信号で構成された信号「変調信号１のデータ伝送領域の信号Ａ−３」を用意する（つまり、「変調信号１のデータ伝送領域の信号群Ａ−１」を構成する信号と「変調信号１のデータ伝送領域の信号Ａ−２」を構成する信号と「変調信号１のデータ伝送領域の信号Ａ−３」を構成する信号は同じである。）。
【０１７２】
このとき、図１４の変調信号１の＃１シンボル群（１４０１−１）は、「変調信号１のデータ伝送領域の信号Ａ−１」を含んでおり、図１４の変調信号１の＃２シンボル群（１４０１−２）は、「変調信号１のデータ伝送領域の信号Ａ−２」を含んでおり、図１４の変調信号１の＃３シンボル群（１４０１−３）は、「変調信号１のデータ伝送領域の信号Ａ−３」を含んでいる。つまり、変調信号１の＃１シンボル群（１４０１−１）、変調信号１の＃２シンボル群（１４０１−２）、変調信号１の＃３シンボル群（１４０１−３）は、同等の信号を含んでいる。
【０１７３】
また、「変調信号２のデータ伝送領域の信号Ａ」を構成する信号と同等の信号で構成された信号「変調信号２のデータ伝送領域の信号Ａ−１」、「変調信号２のデータ伝送領域の信号Ａ」を構成する信号と同等の信号で構成された信号「変調信号２のデータ伝送領域の信号Ａ−２」、「変調信号２のデータ伝送領域の信号Ａ」を構成する信号と同等の信号で構成された信号「変調信号２のデータ伝送領域の信号Ａ−３」を用意する（つまり、「変調信号２のデータ伝送領域の信号Ａ−１」を構成する信号と「変調信号２のデータ伝送領域の信号Ａ−２」を構成する信号と「変調信号２のデータ伝送領域の信号Ａ−３」を構成する信号は同じである。）。
【０１７４】
このとき、図１４の変調信号２の＃１シンボル群（１４０２−１）は、「変調信号２のデータ伝送領域の信号Ａ−１」を含んでおり、図１４のストリーム２の＃２シンボル群（１４０２−２）は、「変調信号２のデータ伝送領域の信号Ａ−２」を含んでおり、図１４の変調信号２の＃３シンボル群（１４０２−３）は、「変調信号２のデータ伝送領域の信号Ａ−３」を含んでいる。つまり、変調信号２の＃１シンボル群（１４０２−１）、変調信号２の＃２シンボル群（１４０２−２）、変調信号２の＃３シンボル群（１４０２−３）は、同等の信号を含んでいる。
【０１７５】
図１５は、図１４で説明した「変調信号Ｘのシンボル群＃Ｙ」（Ｘ＝１，２；Ｙ＝１，２，３）のフレーム構成の一例を示している。図１５において、横軸時間であり、１５０１は制御情報シンボル、１５０２はデータ伝送用の変調信号送信領域である。このとき、データ伝送用の変調信号送信領域１５０２は、図１４を用いて説明した「変調信号１のデータ伝送領域の信号Ａ」または「変調信号２のデータ伝送領域の信号Ａ」を伝送するためのシンボルである。
【０１７６】
なお、図１５のフレーム構成において、ＯＦＤＭ（Orthogonal Frequency Division Multiplexing）方式などのマルチキャリア方式を用いてもよく、この場合、周波数軸方向にシンボルが存在していてもよい。また、各シンボルには、受信装置が時間及び周波数同期を行うためのリファレンスシンボル、受信装置が信号を検出するためのリファレンスシンボル、受信装置がチャネル推定を行うためのリファレンスシンボルなどが含まれていてもよい。そして、フレーム構成は図１５に限ったものではなく、制御情報シンボル１５０１、データ伝送用の変調信号送信領域１５０２をどのように配置してもよい。リファレンスシンボルは、例えば、プリアンブル、パイロットシンボルと呼んでも良い。
【０１７７】
次に、制御情報シンボル１５０１の構成について説明する。
【０１７８】
図１６は、図１５の制御情報シンボルとして送信するシンボルの構成の一例を示しており、横軸は時間である。図１６において、１６０１は、「端末が受信指向性制御を行うためのトレーニングシンボル」であり、端末は、「端末が受信指向性制御を行うためのトレーニングシンボル」１６０１を受信することで、「信号処理部４０５」、および／または、「アンテナ４０１−１から４０１−Ｎ」、および／または、「乗算部６０３−１から６０３−Ｌ、および、処理部６０５」で実施する、受信時の指向性制御のための信号処理方法を決定する。
【０１７９】
１６０２は、「マルチキャストを行っているときの送信変調信号数を通知するためのシンボル」であり、端末は、「マルチキャストを行っているときの送信変調信号数を通知するためのシンボル」１６０２を受信することで、端末は、得る必要がある変調信号数を知る。
【０１８０】
１６０３は、「変調信号のデータ伝送用の変調信号送信領域がどの変調信号のデータ伝送用の変調信号送信領域であるかを通知するためのシンボル」であり、端末は、「変調信号のデータ伝送用の変調信号送信領域がどの変調信号のデータ伝送用の変調信号送信領域であるかを通知するためのシンボル」１６０３を受信することで、端末は、基地局が送信している変調信号のうち、どの変調信号を受信できているか、を知ることができる。
【０１８１】
上記についての例を説明する。
【０１８２】
図１２のように、基地局が「変調信号」、送信ビームを送信している場合を考える。そして、図１４の変調信号１の＃１シンボル群１４０１−１における制御情報シンボルの具体的な情報について説明する。
【０１８３】
図１２の場合、基地局は「変調信号１」および「変調信号２」を送信しているため、「マルチキャストを行っているときの送信変調信号数を通知するためのシンボル」１６０２の情報は「２」という情報となる。
【０１８４】
また、図１４の変調信号１の＃１シンボル群１４０１−１は、変調信号１のデータ伝送領域の信号を送信しているため、「変調信号のデータ伝送用の変調信号送信領域がどの変調信号のデータ伝送用の変調信号送信領域であるかを通知するためのシンボル」１６０３の情報は「変調信号１」という情報になる。
【０１８５】
例えば、端末が、図１４の変調信号１の＃１シンボル群１４０１−１を受信したとする。このとき、端末は、「マルチキャストを行っているときの送信変調信号数を通知するためのシンボル」１６０２から「変調信号数２」、「変調信号のデータ伝送用の変調信号送信領域がどの変調信号のデータ伝送用の変調信号送信領域であるかを通知するためのシンボル」１６０３から「変調信号１」を得ているということを認識する。
【０１８６】
すると、端末は、存在する「変調信号数２」、得ている変調信号が「変調信号１」であると認識するので、「変調信号２」を得る必要があると認識する。よって、端末は、「変調信号２」を探す作業を開始することができる。例えば、図１４の「変調信号２の＃１シンボル群」１４０２−１、「変調信号２の＃２シンボル群」１４０２−２、「変調信号２の＃３シンボル群」１４０２−３のいずれかの送信ビームを、端末は探す。
【０１８７】
そして、端末は、「変調信号２の＃１シンボル群」１４０２−１、「変調信号２の＃２シンボル群」１４０２−２、「変調信号２の＃３シンボル群」１４０２−３のいずれかの送信ビームを得ることで、「変調信号１」と「変調信号２」の両者を得、ストリーム１のデータシンボル、ストリーム２のデータシンボルを高品質に得ることが可能となる。
【０１８８】
このように、制御情報シンボルを構成することで、端末は、的確にデータシンボルを得ることができるという効果を得ることができる。
【０１８９】
以上のように、マルチキャストデータ伝送及びブロードキャストデータ伝送において、基地局が、データシンボルを複数の送信ビームを用いて送信し、端末は、複数の送信ビームから、品質のよい、ビームを選択的に受信することにより、基地局が送信した変調信号は、高いデータの受信品質が得られるエリアを広くすることができるという効果を得ることができる。これは、基地局が、送信指向性制御、受信指向性制御を行っているためである。
【０１９０】
また、上述の説明では、端末が、受信指向性制御を行っていることを説明したが、端末は、受信指向性制御を行わなくても、上述の効果を得ることは可能である。
【０１９１】
なお、図７において、各端末は、ストリーム１の変調信号と、ストリーム２の変調信号の両者を得ている場合について説明しているが、必ずしもこのような実施の形態に限ったものではない。例えば、ストリーム１の変調信号を得たい端末、ストリーム２の変調信号を得たい端末、ストリーム１の変調信号およびストリーム２の変調信号の両者を得たい端末が存在するというように、端末によって、得たい変調信号が異なるというような実施をしてもよい。
【０１９２】
（実施の形態２）
実施の形態１では、マルチキャストデータ伝送及びブロードキャストデータ伝送において、基地局が、データシンボルを複数の送信ビームを用いて送信する方法について説明した。本実施の形態では、実施の形態１の変形例として、基地局が、マルチキャストデータ伝送及びブロードキャストデータ伝送を行うとともに、ユニキャストのデータ伝送を行う場合について説明する。
【０１９３】
図１７は、基地局（または、アクセスポイントなど）と端末の通信状態の一例を示しており、図７と同様に動作するものについては、同一番号を付しており、詳細の説明は省略する。
【０１９４】
基地局７００は、複数アンテナを具備し、送信用のアンテナ７０１から、複数の送信信号を送信する。このとき、基地局７００は、例えば、図１、図３のような構成で構成されており、信号処理部１０２（および／または、重み付け合成部３０１）において、プリコーディング（重み付け合成）を行うことで、送信ビームフォーミング（指向性制御）を行う。
【０１９５】
そして、送信ビーム７０２−１、７０２−２、７０２−３、７０３−１、７０３−２、７０３−３の説明については、図７を用いて説明したとおりであるので、説明を省略する。
【０１９６】
また、端末７０４−１、７０４−２、７０４−３、７０４−４、７０４−５、および、受信指向性７０５−１、７０５−２、７０５−３、７０５−４、７０５−５、７０６−１、７０６−２、７０６−３、７０６−４、７０６−５の説明については、図７を用いて説明したとおりであるので、説明を省略する。
【０１９７】
図１７において、特徴的な点は、基地局が、図７で説明したように、マルチキャストを行うとともに、基地局７００と端末（例えば１７０２）がユニキャストの通信を行う点である。
【０１９８】
基地局７００は、マルチキャスト用の送信ビーム７０２−１、７０２−２、７０２−３、７０３−１、７０３−２、７０３−３に加え、図１７では、ユニキャスト用の送信ビーム１７０１を生成し、端末１７０２に対し、個別データを伝送する。なお、図１７では、端末１７０２に対し、基地局７００は、送信ビーム１７０１の一つを送信している例を示しているが、送信ビームの数は、一つに限ったものではなく、基地局７００は、端末１７０２に対し、複数の送信ビームを送信してもよい（複数の変調信号を送信してもよい）。
【０１９９】
そして、端末１７０２は、「信号処理部４０５」、および／または、「アンテナ４０１−１から４０１−Ｎ」、および／または、「乗算部６０３−１から６０３−Ｌ、および、信号処理部６０５」により、受信時の指向性制御を行う、受信指向性１７０３を形成する。これにより、端末１７０２は、送信ビーム１７０１の受信及び復調が可能となる。
【０２００】
なお、送信ビーム１７０１を含む送信ビームを生成するために、基地局は、例えば、図１、図３のような構成における信号処理部１０２（および／または、重み付け合成部３０１）において、プリコーディング（重み付け合成）を行う。
【０２０１】
逆に、端末１７０２が、基地局７００に対し、変調信号を送信する場合、端末１７０２は、プリコーディング（または、重み付け合成）を行い、送信ビーム１７０３を送信し、基地局７００は、受信時の指向性制御を行う、受信指向性１７０１を形成する。これにより、基地局７００は、送信ビーム１７０３の受信及び復調が可能となる。
【０２０２】
なお、ストリーム１のデータを伝送するための送信ビーム７０２−１とストリーム２のデータを伝送するための送信ビーム７０３−１は、同一周波数（同一周波数帯）、同一時間を用いて、基地局７００は送信する。そして、ストリーム１のデータを伝送するための送信ビーム７０２−２とストリーム２のデータを伝送するための送信ビーム７０３−２は、同一周波数（同一周波数帯）、同一時間を用いて、基地局７００は送信する。また、ストリーム１のデータを伝送するための送信ビーム７０２−３とストリーム２のデータを伝送するための送信ビーム７０３−３は、同一周波数（同一周波数帯）、同一時刻を用いて、基地局７００は送信する。
【０２０３】
また、ストリーム１のデータを伝送するための送信ビーム７０２−１、７０２−２、７０２−３は、同一周波数（同一周波数帯）のビームであってもよいし、それぞれ、異なる周波数（異なる周波数帯）のビームであってもよい。ストリーム２のデータを伝送するための送信ビーム７０３−１、７０３−２、７０３−３は、同一周波数（同一周波数帯）のビームであってもよいし、それぞれ、異なる周波数（異なる周波数帯）のビームであってもよい。
【０２０４】
そして、ユニキャスト用の送信ビーム１７０１は、送信ビーム７０２−１、７０２−２、７０２−３、７０３−１、７０３−２、７０３−３と同一周波数（同一周波数帯）のビームであってもよいし、異なる周波数（異なる周波数帯）のビームであってもよい。
【０２０５】
また、図１７では、ユニキャスト通信を行う端末を１台として記載を進めたが、基地局とユニキャスト通信を行う端末の数は、複数台であってもよい。
【０２０６】
このとき、基地局の構成図１、図３における設定部１５８の動作について、説明する。
【０２０７】
設定部１５８は、設定信号１６０を入力としている。設定信号１６０は、「マルチキャスト用の送信を行うか／ユニキャスト用の送信を行うか」の情報を含んでおり、図１７のような送信を基地局が行う場合、設定信号１６０により「マルチキャスト用の送信、ユニキャスト用の送信両者を行う」という情報が、設定部１５８に入力される。
【０２０８】
あわせて、設定信号１６０は、「マルチキャストを行うときの送信ストリーム数」の情報を含んでおり、図１７のような送信を基地局が行う場合、設定信号１６０により、「送信ストリーム数は２」という情報が、設定部１５８に入力される。
【０２０９】
また、設定信号１６０は、「各ストリームをいくつの送信ビームで送信するか」の情報を含んでいてもよい。図１７のような送信を基地局が行う場合、設定信号１６０により、「ストリーム１を送信する送信ビーム数は３、ストリーム２を送信する送信ビーム数は３」という情報が、設定部１５８に入力される。
【０２１０】
なお、図１、図３の基地局は、データシンボルが「マルチキャスト用の送信であるか／ユニキャスト用の送信であるか」の情報、「マルチキャストを行うときの送信ストリーム数」の情報、「各ストリームをいくつの送信ビームで送信するか」の情報等を含んだ制御情報シンボルを送信してもよい。これにより、端末は、適切な受信が可能となる。
【０２１１】
さらに、基地局は、ユニキャスト通信を行う端末に対して、基地局が指向性制御を行うためのトレーニング用の制御情報シンボル、端末が指向性制御を行うためのトレーニング用の制御情報シンボルを送信してもよい。
【０２１２】
図１８は、基地局（または、アクセスポイントなど）と端末の通信状態の一例を示しており、図７、図１２と同様に動作するものについては、同一番号を付しており、詳細の説明は省略する。
【０２１３】
基地局７００は、複数アンテナを具備し、送信用のアンテナ７０１から、複数の送信信号を送信する。このとき、基地局７００は、例えば、図１、図３のような構成で構成されており、信号処理部１０２（および／または、重み付け合成部３０１）において、プリコーディング（重み付け合成）を行うことで、送信ビームフォーミング（指向性制御）を行う。
【０２１４】
そして、送信ビーム１２０２−１、１２０２−２、１２０２−３、１２０３−１、１２０３−２、１２０３−３の説明については、図１２を用いて説明したとおりであるので、説明を省略する。
【０２１５】
また、端末７０４−１、７０４−２、７０４−３、７０４−４、７０４−５、および、受信指向性７０５−１、７０５−２、７０５−３、７０５−４、７０５−５、７０６−１、７０６−２、７０６−３、７０６−４、７０６−５の説明については、図１２を用いて説明したとおりであるので、説明を省略する。
【０２１６】
図１８において、特徴的な点は、基地局が、図１２で説明したように、マルチキャストを行うとともに、基地局７００と端末（例えば１７０２）がユニキャストの通信を行う点である。
【０２１７】
基地局７００は、マルチキャスト用の送信ビーム１２０２−１、１２０２−２、１２０２−３、１２０３−１、１２０３−２、１２０３−３に加え、図１８では、ユニキャスト用の送信ビーム１７０１を生成し、端末１７０２に対し、個別データを伝送する。なお、図１８では、端末１７０２に対し、基地局７００は、送信ビーム１７０１の一つを送信している例を示しているが、送信ビームの数は、一つに限ったものではなく、基地局７００は、端末１７０２に対し、複数の送信ビームを送信してもよい（複数の変調信号を送信してもよい）。
【０２１８】
そして、端末１７０２は、「信号処理部４０５」、および／または、「アンテナ４０１−１から４０１−Ｎ」、および／または、「乗算部６０３−１から６０３−Ｌ、および、信号処理部６０５」により、受信時の指向性制御を行う、受信指向性１７０３を形成する。これにより、端末１７０２は、送信ビーム１７０１の受信及び復調が可能となる。
【０２１９】
なお、送信ビーム１７０１を含む送信ビームを生成するために、基地局は、例えば、図１、図３のような構成における信号処理部１０２（および／または、重み付け合成部３０１）において、プリコーディング（重み付け合成）を行う。
【０２２０】
逆に、端末１７０２が、基地局７００に対し、変調信号を送信する場合、端末１７０２は、プリコーディング（または、重み付け合成）を行い、送信ビーム１７０３を送信し、基地局７００は、受信時の指向性制御を行う、受信指向性１７０１を形成する。これにより、基地局７００は、送信ビーム１７０３の受信及び復調が可能となる。
【０２２１】
なお、「変調信号１」を伝送するための送信ビーム１２０２−１と「変調信号２」を伝送するための送信ビーム１２０３−１は、同一周波数（同一周波数帯）、同一時間を用いて、基地局７００は送信する。そして、「変調信号１」を伝送するための送信ビーム１２０２−２と「変調信号２」を伝送するための送信ビーム１２０３−２は、同一周波数（同一周波数帯）、同一時間を用いて、基地局７００は送信する。また、「変調信号１」を伝送するための送信ビーム１２０２−３と「変調信号２」を伝送するための送信ビーム１２０３−３は、同一周波数（同一周波数帯）、同一時刻を用いて、基地局７００は送信する。
【０２２２】
また、「変調信号１」を伝送するための送信ビーム１２０２−１、１２０２−２、１２０２−３は、同一周波数（同一周波数帯）のビームであってもよいし、それぞれ、異なる周波数（異なる周波数帯）のビームであってもよい。「変調信号２」を伝送するための送信ビーム１２０３−１、１２０３−２、１２０３−３は、同一周波数（同一周波数帯）のビームであってもよいし、それぞれ、異なる周波数（異なる周波数帯）のビームであってもよい。
【０２２３】
そして、ユニキャスト用の送信ビーム１７０１は、送信ビーム１２０２−１、１２０２−２、１２０２−３、１２０３−１、１２０３−２、１２０３−３と同一周波数（同一周波数帯）のビームであってもよいし、異なる周波数（異なる周波数帯）のビームであってもよい。
【０２２４】
また、図１８では、ユニキャスト通信を行う端末を１台として記載を進めたが、基地局とユニキャスト通信を行う端末の数は、複数台であってもよい。
【０２２５】
このとき、基地局の構成図１、図３における設定部１５８の動作について、説明する。
【０２２６】
設定部１５８は、設定信号１６０を入力としている。設定信号１６０は、「マルチキャスト用の送信を行うか／ユニキャスト用の送信を行うか」の情報を含んでおり、図１８のような送信を基地局が行う場合、設定信号１６０により「マルチキャスト用の送信、ユニキャスト用の送信両者を行う」という情報が、設定部１５８に入力される。
【０２２７】
あわせて、設定信号１６０は、「マルチキャストを行うときの送信ストリーム数」の情報を含んでおり、図１８のような送信を基地局が行う場合、設定信号１６０により、「送信ストリーム数は２」という情報が、設定部１５８に入力される。
【０２２８】
また、設定信号１６０は、「各ストリームをいくつの送信ビームで送信するか」の情報を含んでいてもよい。図１８のような送信を基地局が行う場合、設定信号１６０により、「ストリーム１を送信する送信ビーム数は３、ストリーム２を送信する送信ビーム数は３」という情報が、設定部１５８に入力される。
【０２２９】
なお、図１、図３の基地局は、データシンボルが「マルチキャスト用の送信であるか／ユニキャスト用の送信であるか」の情報、「マルチキャストを行うときの送信ストリーム数」の情報、「各ストリームをいくつの送信ビームで送信するか」の情報等を含んだ制御情報シンボルを送信してもよい。これにより、端末は、適切な受信が可能となる。
【０２３０】
さらに、基地局は、ユニキャスト通信を行う端末に対して、基地局が指向性制御を行うためのトレーニング用の制御情報シンボル、端末が指向性制御を行うためのトレーニング用の制御情報シンボルを送信してもよい。
【０２３１】
次に、実施の形態１の変形例として、基地局が、マルチキャストデータ伝送を複数送信する場合について説明する。
【０２３２】
図１９は、基地局（または、アクセスポイントなど）と端末の通信状態の一例を示しており、図７と同様に動作するものについては、同一番号を付しており、詳細の説明は省略する。
【０２３３】
基地局７００は、複数アンテナを具備し、送信用のアンテナ７０１から、複数の送信信号を送信する。このとき、基地局７００は、例えば、図１、図３のような構成で構成されており、信号処理部１０２（および／または、重み付け合成部３０１）において、プリコーディング（重み付け合成）を行うことで、送信ビームフォーミング（指向性制御）を行う。
【０２３４】
そして、送信ビーム７０２−１、７０２−２、７０２−３、７０３−１、７０３−２、７０３−３の説明については、図７を用いて説明したとおりであるので、説明を省略する。
【０２３５】
また、端末７０４−１、７０４−２、７０４−３、７０４−４、７０４−５、および、受信指向性７０５−１、７０５−２、７０５−３、７０５−４、７０５−５、７０６−１、７０６−２、７０６−３、７０６−４、７０６−５の説明については、図７を用いて説明したとおりであるので、説明を省略する。
【０２３６】
基地局７００は、送信ビーム７０２−１、７０２−２、７０２−３、７０３−１、７０３−２、７０３−３に加えて送信ビーム１９０１−１、１９０１−２、１９０２−１、１９０２−２を送信する。
【０２３７】
送信ビーム１９０１−１は、ストリーム３のデータを伝送するための送信ビームである。また、送信ビーム１９０１−２も、ストリーム３のデータを伝送するための送信ビームである。
【０２３８】
送信ビーム１９０２−１は、ストリーム４のデータを伝送するための送信ビームである。また、送信ビーム１９０２−２も、ストリーム４のデータを伝送するための送信ビームである。
【０２３９】
７０４−１、７０４−２、７０４−３、７０４−４、７０４−５、１９０３−１、１９０３−２、１９０３−３は端末であり、例えば、図４、図５のような構成で構成されている。なお、端末７０４−１、７０４−２、７０４−３、７０４−４、７０４−５の動作については、図７を用いて説明したとおりである。
【０２４０】
端末１９０３−１は、「信号処理部４０５」、および／または、「アンテナ４０１−１から４０１−Ｎ」、および／または、「乗算部６０３−１から６０３−Ｌ、および、処理部６０５」により、受信時の指向性制御を行い、受信指向性１９０４−１、および、受信指向性１９０５−１を形成する。そして、受信指向性１９０４−１により、端末１９０３−１は、ストリーム３のデータを伝送するための送信ビーム１９０１−２の受信及び復調が可能となり、受信指向性１９０５−１により、端末１９０３−１は、ストリーム４のデータを伝送するための送信ビーム１９０２−２の受信及び復調が可能となる。
【０２４１】
端末１９０３−２は、「信号処理部４０５」、および／または、「アンテナ４０１−１から４０１−Ｎ」、および／または、「乗算部６０３−１から６０３−Ｌ、および、処理部６０５」により、受信時の指向性制御を行い、受信指向性１９０４−２、および、受信指向性１９０５−２を形成する。そして、受信指向性１９０４−２により、端末１９０３−２は、ストリーム４のデータを伝送するための送信ビーム１９０２−１の受信及び復調が可能となり、受信指向性１９０５−２により、端末１９０３−２は、ストリーム３のデータを伝送するための送信ビーム１９０１−２の受信及び復調が可能となる。
【０２４２】
端末１９０３−３は、「信号処理部４０５」、および／または、「アンテナ４０１−１から４０１−Ｎ」、および／または、「乗算部６０３−１から６０３−Ｌ、および、処理部６０５」により、受信時の指向性制御を行い、受信指向性１９０４−３、および、受信指向性１９０５−３を形成する。そして、受信指向性１９０４−３により、端末１９０３−３は、ストリーム３のデータを伝送するための送信ビーム１９０１−１の受信及び復調が可能となり、受信指向性１９０５−３により、端末１９０３−３は、ストリーム４のデータを伝送するための送信ビーム１９０２−１の受信及び復調が可能となる。
【０２４３】
端末１９０３−４は、「信号処理部４０５」、および／または、「アンテナ４０１−１から４０１−Ｎ」、および／または、「乗算部６０３−１から６０３−Ｌ、および、処理部６０５」により、受信時の指向性制御を行い、受信指向性１９０４−４、および、受信指向性１９０５−４を形成する。そして、受信指向性１９０４−４により、端末１９０３−４は、ストリーム２のデータを伝送するための送信ビーム７０３−１の受信及び復調が可能となり、受信指向性１９０５−４により、端末１９０３−４は、ストリーム３のデータを伝送するための送信ビーム１９０１−１の受信及び復調が可能となる。
【０２４４】
図１９において、特徴的な点は、基地局が、マルチキャスト用のデータを含むストリームを複数送信するとともに、各ストリームは、複数の送信ビームで送信されており、各端末は、複数のストリームのうち一つ以上のストリームの送信ビームを選択的に受信する点である。
【０２４５】
なお、ストリーム１のデータを伝送するための送信ビーム７０２−１とストリーム２のデータを伝送するための送信ビーム７０３−１は、同一周波数（同一周波数帯）、同一時間を用いて、基地局７００は送信する。そして、ストリーム１のデータを伝送するための送信ビーム７０２−２とストリーム２のデータを伝送するための送信ビーム７０３−２は、同一周波数（同一周波数帯）、同一時間を用いて、基地局７００は送信する。また、ストリーム１のデータを伝送するための送信ビーム７０２−３とストリーム２のデータを伝送するための送信ビーム７０３−３は、同一周波数（同一周波数帯）、同一時刻を用いて、基地局７００は送信する。
【０２４６】
ストリーム３のデータを伝送するための送信ビーム１９０１−１とストリーム４のデータを伝送するための送信ビーム１９０２−１は、同一周波数（同一周波数帯）、同一時間を用いて、基地局７００は送信する。そして、ストリーム３のデータを伝送するための送信ビーム１９０１−２とストリーム４のデータを伝送するための送信ビーム１９０２−２は、同一周波数（同一周波数帯）、同一時間を用いて、基地局７００は送信する。
【０２４７】
また、ストリーム１のデータを伝送するための送信ビーム７０２−１、７０２−２、７０２−３は、同一周波数（同一周波数帯）のビームであってもよいし、それぞれ、異なる周波数（異なる周波数帯）のビームであってもよい。ストリーム２のデータを伝送するための送信ビーム７０３−１、７０３−２、７０３−３は、同一周波数（同一周波数帯）のビームであってもよいし、それぞれ、異なる周波数（異なる周波数帯）のビームであってもよい。
【０２４８】
ストリーム３のデータを伝送するための送信ビーム１９０１−１、１９０１−２は、同一周波数（同一周波数帯）のビームであってもよいし、それぞれ、異なる周波数（異なる周波数帯）のビームであってもよい。また、ストリーム４のデータを伝送するための送信ビーム１９０２−１、１９０２−２は、同一周波数（同一周波数帯）のビームであってもよいし、それぞれ、異なる周波数（異なる周波数帯）のビームであってもよい。
【０２４９】
そして、図１の＃１情報１０１−１からストリーム１のデータシンボルを生成してもよいし、ストリーム２のデータシンボルを生成し、＃２情報１０１−２からストリーム３のデータシンボル、ストリーム４のデータシンボルを生成してもよい。なお、＃１情報１０１−１、＃２情報１０１−２はそれぞれ誤り訂正符号化を行い、その後、データシンボルを生成してもよい。
【０２５０】
また、図１の＃１情報１０１−１からストリーム１のデータシンボルを生成し、図１の＃２情報１０１−２からストリーム２のデータシンボルを生成し、図１の＃３情報１０１−３からストリーム３のデータシンボルを生成し、図１の＃４情報１０１−４からストリーム４のデータシンボルを生成するとしてもよい。なお、＃１情報１０１−１、＃２情報１０１−２、＃３情報１０１−３、＃４情報１０１−４は、それぞれ、誤り訂正符号化を行い、その後データシンボルを生成してもよい。
【０２５１】
つまり、各ストリームのデータシンボルは、図１の情報のいずれから生成してもよい。このため、端末は、マルチキャスト用のストリームを選択的に得ることができるという効果を得る。
【０２５２】
このとき、基地局の構成図１、図３における設定部１５８の動作について、説明する。設定部１５８は、設定信号１６０を入力としている。設定信号１６０は、「マルチキャスト用の送信を行うか／ユニキャスト用の送信を行うか」の情報を含んでおり、図１９のような送信を基地局が行う場合、設定信号１６０により「マルチキャスト用の送信を行う」という情報が、設定部１５８に入力される。
【０２５３】
設定信号１６０は、「マルチキャストを行うときの送信ストリーム数」の情報を含んでおり、図１９のような送信を基地局が行う場合、設定信号１６０により、「送信ストリーム数は４」という情報が、設定部１５８に入力される。
【０２５４】
また、設定信号１６０は、「各ストリームをいくつの送信ビームで送信するか」の情報を含んでいてもよい。図１９のような送信を基地局が行う場合、設定信号１６０により、「ストリーム１を送信する送信ビーム数は３、ストリーム２を送信する送信ビーム数は３、ストリーム３を送信する送信ビーム数は２、ストリーム４を送信する送信ビーム数は２」という情報が、設定部１５８に入力される。
【０２５５】
なお、図１、図３の基地局は、データシンボルが「マルチキャスト用の送信であるか／ユニキャスト用の送信であるか」の情報、「マルチキャストを行うときの送信ストリーム数」の情報、「各ストリームをいくつの送信ビームで送信するか」の情報等を含んだ制御情報シンボルを送信してもよい。これにより、端末は、適切な受信が可能となる。
【０２５６】
次に、実施の形態１の変形例として、基地局が、マルチキャストデータ伝送を複数送信する場合について説明する。
【０２５７】
図２０は、基地局（または、アクセスポイントなど）と端末の通信状態の一例を示しており、図７、図１２、図１９と同様に動作するものについては、同一番号を付しており、詳細の説明は省略する。
【０２５８】
基地局７００は、複数アンテナを具備し、送信用のアンテナ７０１から、複数の送信信号を送信する。このとき、基地局７００は、例えば、図１、図３のような構成で構成されており、信号処理部１０２（および／または、重み付け合成部３０１）において、プリコーディング（重み付け合成）を行うことで、送信ビームフォーミング（指向性制御）を行う。
【０２５９】
そして、送信ビーム１２０２−１、１２０２−２、１２０２−３、１２０３−１、１２０３−２、１２０３−３の説明については、図１２の説明と重複するので、説明を省略する。
【０２６０】
また、端末７０４−１、７０４−２、７０４−３、７０４−４、７０４−５、および、受信指向性７０５−１、７０５−２、７０５−３、７０５−４、７０５−５、７０６−１、７０６−２、７０６−３、７０６−４、７０６−５の説明については、図１２の説明と重複するので、説明を省略する。
【０２６１】
基地局７００は、送信ビーム１２０２−１、１２０２−２、１２０２−３、１２０３−１、１２０３−２、１２０３−３に加えて送信ビーム２００１−１、２００１−２、２００２−１、２００２−２を送信する。
【０２６２】
送信ビーム２００１−１は、「変調信号３」を伝送するための送信ビームである。また、送信ビーム２００１−２も、「変調信号３」を伝送するための送信ビームである。
【０２６３】
送信ビーム２００２−１は、「変調信号４」を伝送するための送信ビームである。また、送信ビーム２００２−２も、「変調信号４」を伝送するための送信ビームである。
【０２６４】
端末７０４−１、７０４−２、７０４−３、７０４−４、７０４−５、１９０３−１、１９０３−２、１９０３−３は、例えば、図４、図５と同じ構成である。なお、端末７０４−１、７０４−２、７０４−３、７０４−４、７０４−５の動作については、図７の説明と同じである。
【０２６５】
端末１９０３−１は、「信号処理部４０５」、および／または、「アンテナ４０１−１からアンテナ４０１−Ｎまで」、および／または、「乗算部６０３−１から乗算部６０３−Ｌまで、および、処理部６０５」により、受信時の指向性制御を行い、受信指向性１９０４−１、および、受信指向性１９０５−１を形成する。そして、受信指向性１９０４−１により、端末１９０３−１は、「変調信号３」を伝送するための送信ビーム２００１−２の受信及び復調が可能となり、受信指向性１９０５−１により、端末１９０３−１は、「変調信号４」を伝送するための送信ビーム２００２−２の受信及び復調が可能となる。
【０２６６】
端末１９０３−２は、「信号処理部４０５」、および／または、「アンテナ４０１−１からアンテナ４０１−Ｎまで」、および／または、「乗算部６０３−１から乗算部６０３−Ｌまで、および、処理部６０５」により、受信時の指向性制御を行い、受信指向性１９０４−２、および、受信指向性１９０５−２を形成する。そして、受信指向性１９０４−２により、端末１９０３−２は、「変調信号４」を伝送するための送信ビーム２００２−１の受信及び復調が可能となり、受信指向性１９０５−２により、端末１９０３−２は、「変調信号３」を伝送するための送信ビーム２００１−２の受信及び復調が可能となる。
【０２６７】
端末１９０３−３は、「信号処理部４０５」、および／または、「アンテナ４０１−１からアンテナ４０１−Ｎまで」、および／または、「乗算部６０３−１から乗算部６０３−Ｌまで、および、処理部６０５」により、受信時の指向性制御を行い、受信指向性１９０４−３、および、受信指向性１９０５−３を形成する。そして、受信指向性１９０４−３により、端末１９０３−３は、「変調信号３」を伝送するための送信ビーム２００１−１の受信及び復調が可能となり、受信指向性１９０５−３により、端末１９０３−３は、「変調信号４」を伝送するための送信ビーム２００２−１の受信及び復調が可能となる。
【０２６８】
端末１９０３−４は、「信号処理部４０５」、および／または、「アンテナ４０１−１からアンテナ４０１−Ｎまで」、および／または、「乗算部６０３−１から乗算部６０３−Ｌまで、および、処理部６０５」により、受信時の指向性制御を行い、受信指向性１９０４−４、および、受信指向性１９０５−４を形成する。そして、受信指向性１９０４−４により、端末１９０３−４は、「変調信号３」を伝送するための送信ビーム２００１−１の受信及び復調が可能となり、受信指向性１９０５−４により、端末１９０３−４は、「変調信号４」を伝送するための送信ビーム２００２−１の受信及び復調が可能となる。
【０２６９】
図２０において、基地局が、マルチキャスト用のデータを含む変調信号を複数送信し、各変調信号は、複数の送信ビームで送信されており、各端末は、複数の変調信号のうち一つ以上のストリームの送信ビームを選択的に受信する。
【０２７０】
なお、基地局７００は、「変調信号１」を伝送するための送信ビーム１２０２−１と「変調信号２」を伝送するための送信ビーム１２０３−１を、同一周波数（同一周波数帯）、同一時間を用いて、送信する。そして、基地局７００は、「変調信号１」を伝送するための送信ビーム１２０２−２と「変調信号２」を伝送するための送信ビーム１２０３−２を、同一周波数（同一周波数帯）、同一時間を用いて、送信する。また、基地局７００は、「変調信号１」を伝送するための送信ビーム１２０２−３と「変調信号２」を伝送するための送信ビーム１２０３−３を、同一周波数（同一周波数帯）、同一時刻を用いて、送信する。
【０２７１】
基地局７００は、「変調信号３」を伝送するための送信ビーム２００１−１と「変調信号４」を伝送するための送信ビーム２００２−１を、同一周波数（同一周波数帯）、同一時間を用いて、送信する。そして、基地局７００は、「変調信号３」を伝送するための送信ビーム２００１−２と「変調信号４」を伝送するための送信ビーム２００２−２を、同一周波数（同一周波数帯）、同一時間を用いて、送信する。
【０２７２】
また、ストリーム１のデータを伝送するための送信ビーム７０２−１、７０２−２、７０２−３は、同一周波数（同一周波数帯）のビームであってもよいし、それぞれ、異なる周波数（異なる周波数帯）のビームであってもよい。ストリーム２のデータを伝送するための送信ビーム７０３−１、７０３−２、７０３−３は、同一周波数（同一周波数帯）のビームであってもよいし、それぞれ、異なる周波数（異なる周波数帯）のビームであってもよい。
【０２７３】
「変調信号３」を伝送するための送信ビーム２００１−１、２００１−２は、同一周波数（同一周波数帯）のビームであってもよいし、それぞれ、異なる周波数（異なる周波数帯）のビームであってもよい。また、「変調信号４」を伝送するための送信ビーム２００２−１、２００２−２は、同一周波数（同一周波数帯）のビームであってもよいし、それぞれ、異なる周波数（異なる周波数帯）のビームであってもよい。
【０２７４】
このとき、基地局の構成図１、図３における設定部１５８の動作について、説明する。設定部１５８は、設定信号１６０を入力としている。設定信号１６０は、「マルチキャスト用の送信を行うか／ユニキャスト用の送信を行うか」の情報を含んでおり、図１９に示す送信を基地局が行う場合、設定信号１６０により「マルチキャスト用の送信を行う」という情報が、設定部１５８に入力される。
【０２７５】
設定信号１６０は、「マルチキャストを行うときの送信変調信号数」の情報を含んでおり、図２０に示す送信を基地局が行う場合、設定信号１６０により、「送信変調信号数は４」という情報が、設定部１５８に入力される。
【０２７６】
また、設定信号１６０は、「各変調信号をいくつの送信ビームで送信するか」の情報を含んでいてもよい。図２０に示す送信を基地局が行う場合、設定信号１６０により、「変調信号１を送信する送信ビーム数は３、変調信号２を送信する送信ビーム数は３、変調信号３を送信する送信ビーム数は２、変調信号４を送信する送信ビーム数は２」という情報が、設定部１５８に入力される。
【０２７７】
なお、図１、図３の基地局は、データシンボルが「マルチキャスト用の送信であるか／ユニキャスト用の送信であるか」の情報、「マルチキャストを行うときの送信ストリーム数」の情報、「各ストリームをいくつの送信ビームで送信するか」の情報等を含んだ制御情報シンボルを送信してもよい。これにより、端末は、適切な受信が可能となる。
【０２７８】
なお、図２０では、端末は、「変調信号１」の送信ビームと「変調信号２」の送信ビームの両者を受信すると、高い受信品質でストリーム１のデータとストリーム２のデータを得ることができる。
【０２７９】
同様に、端末は、「変調信号３」の送信ビームと「変調信号４」の送信ビームの両者を受信すると、高い受信品質でストリーム３のデータとストリーム４のデータを得ることができる。
【０２８０】
そして、図２０では、基地局が「変調信号１」、「変調信号２」、「変調信号３」、「変調信号４」を送信する例を説明しているが、基地局は、ストリーム５のデータ及びストリーム６のデータを伝送する「変調信号５」及び「変調信号６」を送信してもよいし、それよりも多くのストリームを伝送するためにより多くの変調信号を送信してもよい。なお、変調信号のそれぞれは１以上の送信ビームを用いて送信される。
【０２８１】
さらに、図１７、図１８で説明したように、ユニキャスト用の送信ビーム（または受信指向性制御）が一つ以上存在していてもよい。
【０２８２】
「変調信号１」、「変調信号２」の関係については、図１３の説明と重複するので省略する。ここでは、「変調信号３」、「変調信号４」の関係について、図２１を用いて説明する。
【０２８３】
例えば、＃２情報１０１−２に対して、誤り訂正符号化などの処理を施し、誤り訂正符号化後のデータを得る。この誤り訂正符号化後のデータを＃２送信データと名付ける。そして、＃２送信データに対してマッピングを行い、データシンボルを得るが、このデータシンボルをストリーム３用、ストリーム４用に振り分け、ストリーム３のデータシンボル（データシンボル群）、および、ストリーム４のデータシンボル（データシンボル群）を得る。このとき、シンボル番号ｉにおけるストリーム３のデータシンボルをｓ３（ｉ）、ストリーム４のデータシンボルをｓ４（ｉ）とする。すると、シンボル番号ｉにおける「変調信号３」ｔｘ３（ｉ）は、例えば、以下のようにあらわす。
【０２８４】
【数５】
2020067242.tif 000007
【０２８５】
そして、シンボル番号ｉにおける「変調信号４」ｔｘ４（ｉ）は、例えば、以下のようにあらわす。
【０２８６】
【数６】
2020067242.tif 000008
【０２８７】
なお、式（５）、式（６）において、ｅ（ｉ）、ｆ（ｉ）、ｇ（ｉ）、ｈ（ｉ）は、それぞれ、複素数で定義することができ、したがって、実数であってもよい。
【０２８８】
また、ｅ（ｉ）、ｆ（ｉ）、ｇ（ｉ）、ｈ（ｉ）と記載しているが、それらはシンボル番号ｉの関数でなくてもよく、固定の値であってもよい。
【０２８９】
そして、データシンボルから構成された「変調信号３のデータ伝送領域の信号」を含んだ「変調信号３のシンボル群」は、図１、図３の基地局から送信される。また、データシンボルから構成された「変調信号４のデータ伝送領域の信号」を含んだ「変調信号４のシンボル群」は、図１、図３の基地局から送信される。
【０２９０】
（補足）
当然であるが、本明細書において説明した実施の形態、その他の内容を複数組み合わせて、実施してもよい。
【０２９１】
また、各実施の形態、その他の内容については、あくまでも例であり、例えば、「変調方式、誤り訂正符号化方式（使用する誤り訂正符号、符号長、符号化率等）、制御情報など」を例示していても、別の「変調方式、誤り訂正符号化方式（使用する誤り訂正符号、符号長、符号化率等）、制御情報など」を適用した場合でも同様の構成で実施することが可能である。
【０２９２】
変調方式については、本明細書で記載している変調方式以外の変調方式を使用しても、本明細書において説明した実施の形態、その他の内容を実施することが可能である。例えば、ＡＰＳＫ（Amplitude Phase Shift Keying）、ＰＡＭ（Pulse Amplitude Modulation）、ＰＳＫ（Phase Shift Keying）、ＱＡＭ（Quadrature Amplitude Modulation）を適用してもよいし、各変調方式において、均一マッピング、非均一マッピングとしてもよい。ＡＰＳＫは、例えば、16APSK, 64APSK, 128APSK, 256APSK, 1024APSK, 4096APSKを含み、ＰＡＭは、例えば、4PAM, 8PAM, 16PAM, 64PAM, 128PAM, 256PAM, 1024PAM, 4096PAMを含み、ＰＳＫは、例えば、BPSK, QPSK, 8PSK, 16PSK, 64PSK, 128PSK, 256PSK, 1024PSK,4096PSKを含み、ＱＡＭは、例えば、4QAM, 8QAM, 16QAM, 64QAM, 128QAM, 256QAM, 1024QAM, 4096QAMを含む。
【０２９３】
また、Ｉ−Ｑ平面における２個、４個、８個、１６個、６４個、１２８個、２５６個、１０２４個等の信号点の配置方法（２個、４個、８個、１６個、６４個、１２８個、２５６個、１０２４個等の信号点をもつ変調方式）は、本明細書で示した変調方式の信号点配置方法に限ったものではない。
【０２９４】
本明細書で記載した「基地局」は、例えば、放送局、基地局、アクセスポイント、端末、携帯電話（mobile phone）などであってもよい。そして、本明細書で記載している「端末」は、テレビ、ラジオ、端末、パーソナルコンピュータ、携帯電話、アクセスポイント、基地局などであってもよい。また、本開示における「基地局」、「端末」は、通信機能を有している機器であって、その機器が、テレビ、ラジオ、パーソナルコンピュータ、携帯電話等のアプリケーションを実行するための装置に何らかのインターフェースを解して接続できるようなに構成されてもよい。また、本実施の形態では、データシンボル以外のシンボル、例えば、パイロットシンボル、制御情報用のシンボルなどが、フレームにおいて、どのように配置されていてもよい。
【０２９５】
そして、パイロットシンボル、制御情報用のシンボルは、どのような名付け方を行ってもよく、例えば、送受信機において、ＰＳＫ変調を用いて変調した既知のシンボルであればよく、または、受信機が同期することによって、受信機は、送信機が送信したシンボルを知ることができてもよい。受信機は、このシンボルを用いて、周波数同期、時間同期、各変調信号のチャネル推定（ＣＳＩ（Channel State Information）の推定）、信号の検出等を行う。なお、パイロットシンボルは、プリアンブル、ユニークワード、ポストアンブル、リファレンスシンボル等と呼ぶことがある。
【０２９６】
また、制御情報用のシンボルは、データ（アプリケーション等のデータ）以外の通信を実現するための、通信相手に伝送する必要がある情報（例えば、通信に用いている変調方式、誤り訂正符号化方式、誤り訂正符号化方式の符号化率、上位レイヤーでの設定情報等）を伝送するためのシンボルである。
【０２９７】
なお、本開示は各実施の形態に限定されず、種々変更して実施することが可能である。例えば、各実施の形態では、通信装置として行う場合について説明しているが、これに限られるものではなく、この通信方法をソフトウェアとして行うことも可能である。
【０２９８】
なお、例えば、上記通信方法を実行するプログラムを予めＲＯＭ（Read Only Memory）に格納しておき、そのプログラムをＣＰＵ（Central Processor Unit）によって動作させるようにしても良い。
【０２９９】
また、上記通信方法を実行するプログラムをコンピュータで読み取り可能な記憶媒体に格納し、記憶媒体に格納されたプログラムをコンピュータのＲＡＭ（Random Access Memory）に記録して、コンピュータをそのプログラムにしたがって動作させるようにしても良い。
【０３００】
そして、上記の各実施の形態などの各構成は、典型的には、入力端子及び出力端子を有する集積回路であるＬＳＩ（Large Scale Integration）として実現されてもよい。これらは、個別に１チップ化されてもよいし、各実施の形態の全ての構成または一部の構成を含むように１チップ化されてもよい。ここでは、ＬＳＩとしたが、集積度の違いにより、ＩＣ（Integrated Circuit）、システムＬＳＩ、スーパーＬＳＩ、ウルトラＬＳＩと呼称されることもある。また、集積回路化の手法はＬＳＩに限られるものではなく、専用回路または汎用プロセッサで実現しても良い。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用しても良い。さらに、半導体技術の進歩又は派生する別技術によりＬＳＩに置き換わる集積回路化の技術が登場すれば、当然、その技術を用いて機能ブロックの集積化を行っても良い。バイオ技術の適応等が可能性としてあり得る。
【０３０１】
（実施の形態３）
本実施の形態では、実施の形態１、実施の形態２と異なるビームフォーミングを適用したときのマルチキャスト通信方法について説明する。
【０３０２】
基地局の構成については、実施の形態１の図１から図３を用いて説明したとおりであるため、実施の形態１と同様に動作する部分についての説明は省略する。また、基地局と通信を行う端末の構成についても、実施の形態１の図４から図６を用いて説明したとおりであるため、実施の形態１と同様に動作する部分についての説明は省略する。
【０３０３】
以下では、本実施の形態における基地局と端末の動作の例を説明する。
【０３０４】
図２２は、基地局が１つの端末に対して、マルチキャスト用送信ストリームを送信している場合を示している。
【０３０５】
図２２において、基地局７００は、送信用アンテナから「（マルチキャスト用）ストリーム１−１（ストリーム１の第１ビーム）」の送信ビーム２２０１−１を端末２２０２−１に対して送信しており、端末２２０２−１は、指向性制御を行うことで、受信指向性２２０３−１を生成し、「ストリーム１−１」の送信ビーム２２０１−１を受信している。
【０３０６】
図２３は、図２２のような基地局と端末の通信状態のために行う「基地局と端末の通信を行うための手順」の説明を行う。
【０３０７】
［２３−１］端末は、まず、基地局に対し、「ストリーム１のマルチキャスト送信の要求」を行う。
【０３０８】
［２３−２］基地局は、［２３−１］を受け、「ストリーム１のマルチキャスト送信を行っていない」ことを認識する。そこで、基地局は、端末に対し、ストリーム１のマルチキャスト送信を行うために、送信指向性制御用のトレーニングシンボル、受信指向性制御用のトレーニングシンボルを送信する。
【０３０９】
［２３−３］端末は、基地局が送信した送信指向性制御用のトレーニングシンボル、および、受信指向性制御用のトレーニングシンボルを受信し、基地局が送信指向性制御、端末が受信指向性制御を行うために、基地局に対し、フィードバック情報を送信する。
【０３１０】
［２３−４］基地局は、端末が送信したフィードバック情報に基づいて、送信指向性制御の方法（指向性制御を行うときに使用する重み付け係数の決定など）の決定を行い、送信指向性制御を行い、ストリーム１のデータシンボルを送信する。
【０３１１】
［２３−５］端末は、受信指向性制御方法（指向性制御を行うときに使用する重み付け係数の決定など）の決定を行い、基地局が送信したストリーム１のデータシンボルの受信を開始する。
【０３１２】
なお、図２３の「基地局と端末の通信を行うための手順」は一例であり、各情報の送信の順番は、図２３に限ったものではなく、各情報の送信の順番が入れ替わっても同様に実施することができる。また、図２３では、端末が受信指向性制御を行う場合を例に説明しているが、端末が受信指向性制御を行わない場合であってもよい。このとき、図２３において、基地局は、受信指向性制御用トレーニングシンボルを送信しなくてもよく、また、端末は受信指向性制御方法の決定を行わない。
【０３１３】
また、基地局が送信指向性制御を行う際、基地局が図１の構成の場合、例えば、図２の乗算部２０４−１、２０４−２、２０４−３、２０４−４における乗算係数が設定され、また、基地局が図３の構成の場合、例えば、重み付け合成部３０１において、重み付け係数が設定される。なお、送信するストリーム数は、図２２の場合「１」としているが、これに限ったものではない。
【０３１４】
そして、端末が受信指向性制御を行う際、端末が図４の構成の場合、例えば、図５の乗算部５０３−１、５０３−２、５０３−３、５０３−４における乗算係数が設定され、また、端末が図６の構成の場合、例えば、乗算部６０３−１、６０３−２、・・・、６０３−Ｌにおける乗算係数が設定される。
【０３１５】
図２４は、図２３における基地局が、送信指向性制御用シンボル、および、受信指向性制御用シンボル、データシンボルを送信する際、基地局が送信するシンボルと端末が送信するシンボルの一例を時間軸において示す図である。図２４における（ａ）は基地局が送信するシンボルの一例を時間軸において示す図であり、図２４における（ｂ）は端末が送信するシンボルの一例を時間軸において示す図であり、いずれも横軸は時間である。
【０３１６】
図２３のように基地局と端末の通信が行われた場合、図２４に示すように、まず、「基地局送信指向性制御トレーニングシンボル」２４０１を、基地局は送信する。例えば、「基地局送信指向性制御トレーニングシンボル」２４０１は、制御情報シンボルと既知のＰＳＫシンボルで構成されている。
【０３１７】
そして、端末は、基地局が送信した「基地局送信指向性制御トレーニングシンボル」２４０１を受信し、例えば、基地局が送信に使用するアンテナの情報、指向性制御で使用する乗算係数（または、重み付け係数）に関する情報をフィードバック情報シンボル２４０２として送信する。
【０３１８】
基地局は、端末が送信した「フィードバック情報シンボル」２４０２を受信し、フィードバック情報シンボル２４０２から送信に使用するアンテナを決定し、また、フィードバック情報シンボル２４０２から送信指向性制御に用いる係数を決定する。その後、基地局は、「端末受信指向性制御トレーニングシンボル」２４０３を送信する。例えば、「端末受信指向性制御トレーニングシンボル」２４０３は、制御情報シンボルと既知ＰＳＫシンボルで構成されている。
【０３１９】
そして、端末は、基地局が送信した「端末受信指向性制御トレーニングシンボル」２４０３を受信し、例えば、端末が受信に使用するアンテナ、端末が受信指向性制御に使用する乗算係数を決定する。そして、端末は、データシンボルを受信する準備が完了したことをフィードバック情報シンボル２４０４として送信する。
【０３２０】
そして、基地局は、端末が送信した「フィードバック情報シンボル」２４０４を受信し、フィードバック情報シンボル２４０４に基づき、データシンボル２４０５を出力する。
【０３２１】
なお、図２４の基地局と端末の通信は、一例であり、シンボルの送信の順番や基地局の送信と端末の送信の順番については、これに限ったものではない。また、「基地局送信指向性制御トレーニングシンボル」２４０１、「フィードバック情報シンボル」２４０２、「端末受信指向性制御トレーニングシンボル」２４０３、「フィードバック情報シンボル」２４０４、「データシンボル」２４０５のそれぞれに、信号検出、時間同期、周波数同期、周波数オフセット推定及びチャネル推定のためのプリアンブル、リファレンスシンボル、パイロットシンボル、また、制御情報を伝送するためのシンボルなどが含まれていてもよい。
【０３２２】
図２５は、図２３における基地局と端末の通信が完了した後、基地局がストリーム１のデータシンボルを送信する際の、基地局が送信するシンボルの例であり、横軸を時間とする。
【０３２３】
図２５では、基地局は、「（マルチキャスト用）ストリーム１−１データシンボル（１）」２５０１−１−１として、ストリーム１の送信ビーム１の第１番目のデータシンボルを送信する。その後、データシンボル送信可能な区間２５０２−１が配置される。
【０３２４】
その後、基地局は、「（マルチキャスト用）ストリーム１−１データシンボル（２）」２５０１−１−２として、（マルチキャスト用）ストリーム１の送信ビーム１の第２番目のデータシンボルを送信する。その後、データシンボル送信可能な区間２５０２−２が配置される。
【０３２５】
その後、基地局は、「（マルチキャスト用）ストリーム１−１データシンボル（３）」２５０１−１−３として、（マルチキャスト用）ストリーム１の送信ビーム１の第３番目のデータシンボルを送信する。
【０３２６】
このようにして、基地局は、図２２に示した「（マルチキャスト用）ストリーム１−１」２２０１−１のデータシンボルを、基地局は送信する。なお、図２５において、「（マルチキャスト用）ストリーム１−１データシンボル（１）」２５０１−１−１、「（マルチキャスト用）ストリーム１−１データシンボル（２）」２５０１−１−２、「（マルチキャスト用）データシンボル１−１データシンボル（３）」２５０１−１−３、・・・には、データシンボル以外に、信号検出、時間同期、周波数同期、周波数オフセット推定、チャネル推定のためのプリアンブル、リファレンスシンボル、パイロットシンボル、また、制御情報を伝送するためのシンボルなどが含まれていてもよい。
【０３２７】
なお、図２５では、データシンボル送信可能な区間２５０２−１は、ユニキャスト送信区間２５０３−１を含み、また、データシンボル送信可能な区間２５０２−２は、ユニキャスト送信区間２５０３−２を含む。
【０３２８】
図２５では、フレームは、ユニキャスト送信区間２５０３−１、２５０３−２を含む。例えば、図２５では、基地局は、データシンボル送信可能な区間２５０２−１のユニキャスト送信区間２５０３−１を除く区間、および、データシンボル送信可能区間２５０２−２のユニキャスト送信区間２５０３−２を除く区間では、マルチキャスト用のシンボルを送信してもよい。この点については、後で、例を用いて説明する。
【０３２９】
このように、ユニキャスト送信区間をフレームに設けることは、無線通信システムを安定的に動作させるために有用な構成要件となる。この点については、後で例を説明する。なお、ユニキャスト送信区間は、図２５のような時間的位置でなくてもよく、どのように時間的に配置してもよい。なお、ユニキャスト送信区間は、基地局がシンボルを送信してもよいし、端末がシンボルを送信してもよい。
【０３３０】
また、基地局によって、直接的に、ユニキャスト送信区間を設定できるような構成であってもよいが、別の方法として、基地局が、マルチキャスト用のシンボルを送信するための最大送信データ伝送速度を設定するようにしてもよい。
【０３３１】
例えば、基地局が送信可能なデータの伝送速度が２Ｇｂｐｓ（ｂｐｓ： bits per second）であり、基地局において、マルチキャスト用のシンボルを送信するのに割り当てることができるデータの最大伝送速度を１．５Ｇｂｐｓとする場合、５００Ｍｂｐｓに相当するユニキャスト送信区間を設定することができる。
【０３３２】
このように、ユニキャスト送信区間を基地局において間接的に設定できるような構成であってもよい。なお、別の具体的な例については後で説明を行う。
【０３３３】
なお、図２２の状態に伴い、図２５では、「（マルチキャスト用）ストリーム１−１データシンボル（１）」２５０１−１−１、「（マルチキャスト用）ストリーム１−１データシンボル（２）」２５０１−１−２、「（マルチキャスト用）ストリーム１−１データシンボル（３）」２５０１−１−３が存在するフレーム構成を記載しているが、これに限ったものではない。例えば、ストリーム１（ストリーム１−１）以外のマルチキャスト用のストリームのデータシンボルが存在してもよいし、ストリーム１の第２の送信ビームであるストリーム１−２のデータシンボル、ストリーム１の第３の送信ビームであるストリーム１−３データストリームが存在していてもよい。この点については、後で説明を行う。
【０３３４】
図２６は、図２２の基地局が１つの端末に対して、マルチキャスト用送信ストリームを送信している状態に対し、新たに端末が１つ追加されたときの状態を示しており、図２２と同様に動作するものについては同一番号を付している。
【０３３５】
図２６において、新たに追加された端末は２２０２−２である。端末２２０２−２は、指向性制御を行うことで、受信指向性２２０３−２を生成し、「（マルチキャスト用）ストリーム１−１」の送信ビーム２２０１−１を受信する。
【０３３６】
次に、図２６について説明する。
【０３３７】
以下の説明では、図２６において、基地局７００と端末２２０２−１がマルチキャスト通信を行っている状態に対し、新たに端末２２０２−２がマルチキャスト通信に参加するという状態である。したがって、図２７に示すように基地局は、「端末受信指向性制御トレーニングシンボル」２７０１と「データシンボル」２７０２を送信しており、図２４に示した「基地局送信トレーニングシンボル」は送信しない。なお、図２７において、横軸は時間である。
【０３３８】
図２８は、図２６のように基地局が２つの端末にマルチキャスト用の送信ビームを送信している状態になるために行われる動作の例を示している。
【０３３９】
［２８−１］端末２２０２−２は、基地局に対して「ストリーム１のマルチキャスト送信の要求」を行う。なお、「ストリーム１のマルチキャスト送信の要求」は、図２５におけるユニキャスト送信区間に送信される。
【０３４０】
［２８−２］基地局は、［２８−１］を受け、「マルチキャスト用のストリーム１の送信を行っていること」を端末２２０２−２に通知する。なお、「マルチキャスト用のストリーム１の送信を行っていること」の通知は、図２５におけるユニキャスト送信区間に送信される。
【０３４１】
［２８−３］端末２２０２−２は、［２８−２］を受け、マルチキャスト用のストリーム１の受信を開始するために、受信指向性制御を実施する。そして、端末２２０２−２は、受信指向性制御を行い、「マルチキャスト用のストリーム１」の受信ができたことを、基地局に通知する。
【０３４２】
［２８−４］基地局は、［２８−３］を受け、端末が「マルチキャスト用のストリーム１」を受信できたことを確認する。
【０３４３】
［２８−５］端末２２０２−２は、受信指向性制御を行い、「マルチキャスト用のストリーム１」の受信を開始する。
【０３４４】
図２９は、図２２の基地局が一つの端末に対して、マルチキャスト用送信ストリームを送信している状態に対し、新たに端末一つが追加されたときの状態を示しており、図２２と同様に動作するものについては同一番号を付している。
【０３４５】
図２９において、新たに追加された端末は２２０２−２である。このとき、図２６と異なる点は、基地局７００は、「（マルチキャスト用）ストリーム１−２（ストリーム１の第２）」の送信ビーム２２０１−２を新たに送信し、端末２２０２−２は、指向性制御を行うことで、受信指向性２２０３−２を生成し、「（マルチキャスト用）ストリーム１−２」の送信ビーム２２０１−２を受信する。
【０３４６】
次に、図２９のような状態のために行われる制御について説明する。
【０３４７】
以下の説明では、図２９において、基地局７００と端末２２０２−１がマルチキャスト通信を行っている状態に対し、新たに端末２２０２−２がマルチキャスト通信に参加するという状態である。
【０３４８】
図３０は、図２９のように基地局が２つの端末にマルチキャスト用の送信ビームを送信している状態になるために行われる動作の例を示している。
【０３４９】
［３０−１］端末２２０２−２は、基地局に対して「ストリーム１のマルチキャスト送信の要求」を行う。なお、「ストリーム１のマルチキャスト送信の要求」は、図２５におけるユニキャスト送信区間に送信される。
【０３５０】
［３０−２］基地局は、［３０−１］を受け、「マルチキャスト用のストリーム１の送信を行っていること」を端末２２０２−２に通知する。なお、「マルチキャスト用のストリーム１の送信を行っていること」の通知は、図２５におけるユニキャスト送信区間に送信されている。
【０３５１】
［３０−３］端末２２０２−２は、［３０−２］を受け、「マルチキャスト用のストリーム１を受信していないこと」を基地局に通知する。なお、「マルチキャスト用のストリーム１を受信していないこと」の通知は、図２５におけるユニキャスト送信区間に送信されている。
【０３５２】
［３０−４］基地局は、［３０−３］を受け、マルチキャスト用のストリーム１の別の送信ビーム（つまり、図２９の送信ビーム２２０１−２）を送信すると決定する。なお、ここでは、マルチキャスト用のストリーム１の別の送信ビームを送信すると判断しているが、マルチキャスト用のストリーム１の別の送信ビームを送信しないと判断してもよい。この点については、後で説明する。
【０３５３】
そこで、基地局は、端末２２０２−２に対し、ストリーム１のマルチキャスト送信を行うために、送信指向性制御用のトレーニングシンボル、受信指向性制御用のトレーニングシンボルを送信する。なお、これらのシンボルの送信とは別に、図２９におけるストリーム１−１の送信ビームを、基地局は送信している。この点については、後で説明する。
【０３５４】
［３０−５］端末２２０２−２は、基地局が送信した送信指向性制御用のトレーニングシンボル、および、受信指向性制御用のトレーニングシンボルを受信し、基地局が送信指向性制御、端末２２０２−２が受信指向性制御を行うために、基地局に対し、フィードバック情報を送信する。
【０３５５】
［３０−６］基地局は、端末２２０２−２が送信したフィードバック情報に基づいて、送信指向性制御の方法（指向性制御を行うときに使用する重み付け係数の決定など）の決定を行い、ストリーム１のデータシンボル（図２９のストリーム１−２の送信ビーム２２０１−２）を送信する。
【０３５６】
［３０−７］端末２２０２−２は、受信指向性制御方法（指向性制御を行うときに使用する重み付け係数の決定など）の決定を行い、基地局が送信したストリーム１のデータシンボル（図２９のストリーム１−２の送信ビーム２２０１−２）の受信を開始する。
【０３５７】
なお、図３０の「基地局と端末の通信を行うための手順」は一例であり、各情報の送信の順番は、図３０に限ったものではなく、各情報の送信の順番が入れ替わっても同様に実施することができる。
【０３５８】
また、図３０では、端末の受信指向性制御を行う場合を例に説明しているが、端末が受信指向性制御を行わないような場合であってもよい。このとき、図３０において、基地局は、受信指向性制御用のトレーニングシンボルを送信しなくてもよく、また、端末は受信指向性制御方法の決定を行わなくてもよい。
【０３５９】
また、基地局が送信指向性制御を行う際、基地局の構成が図１の構成の場合、例えば、図２の乗算部２０４−１、２０４−２、２０４−３、２０４−４における乗算係数が設定され、また、基地局の構成が図３の構成の場合、例えば、重み付け合成部３０１において、重み付け係数が設定される。なお、送信するストリーム数は、図２９の場合、「２」としているが、これに限ったものではない。
【０３６０】
そして、端末２２０２−１、２２０２−２が受信指向性制御を行う際、端末の構成が図４の構成の場合、例えば、図５の乗算部５０３−１、５０３−２、５０３−３、５０３−４における乗算係数が設定され、また、端末の構成が図６の構成の場合、例えば、乗算部６０３−１、６０３−２、・・・、６０３−Ｌにおける乗算係数が設定される。
【０３６１】
図３１は、図３０における基地局と端末の通信が完了した後、基地局がストリーム１のデータシンボルを送信する際の、基地局が送信するシンボルの例であり、横軸を時間とする。
【０３６２】
図３１では、図２９の「ストリーム１−１」が存在しているので、図２５と同様に、「（マルチキャスト用）ストリーム１−１データシンボル（Ｍ）」２５０１−１−Ｍ、「（マルチキャスト用）ストリーム１−１データシンボル（Ｍ＋１）」２５０１−１−（Ｍ＋１）、「（マルチキャスト用）ストリーム１−１データシンボル（Ｍ＋２）」２５０１−１−Ｍ＋２が存在する。なお、「（Ｍ）、（Ｍ＋１）、（Ｍ＋２）」と記載しているが、（マルチキャスト用）ストリーム１−１は、（マルチキャスト用）ストリーム１−２が存在する前から存在しているからである。したがって、図３１では、Ｍは２以上の整数とする。
【０３６３】
そして、図３１に示すように、ユニキャスト送信区間２５０３−１、２５０３−２以外の区間において、「（マルチキャスト用）ストリーム１−２データシンボル（１）」３１０１−１、「（マルチキャスト用）ストリーム１−２データシンボル（２）」３１０１−２、「（マルチキャスト用）ストリーム１−２データシンボル（３）」３１０１−３が存在している。
【０３６４】
これまでの説明のように、以下のような特長をもつ。
【０３６５】
・「（マルチキャスト用）ストリーム１−１データシンボル（Ｍ）」２５０１−１−Ｍ、「（マルチキャスト用）ストリーム１−１データシンボル（Ｍ＋１）」２５０１−１−（Ｍ＋１）、「（マルチキャスト用）ストリーム１−１データシンボル（Ｍ＋２）」２５０１−１−（Ｍ＋２）、「（マルチキャスト用）ストリーム１−２データシンボル（１）」３１０１−１、「（マルチキャスト用）ストリーム１−２データシンボル（２）」３１０１−２、「（マルチキャスト用）ストリーム１−２データシンボル（３）」３１０１−３は、いずれも「ストリーム１」を伝送するためのデータシンボルである。
【０３６６】
・端末は、「ストリーム１−１のデータシンボル」を得ることで、「ストリーム１のデータ」を得ることができる。また、端末は、「ストリーム１−２のデータシンボル」を得ることで、「ストリーム１のデータ」を得ることができる。
【０３６７】
・「（マルチキャスト用）ストリーム１−１データシンボル（Ｍ）」２５０１−１−Ｍ、「（マルチキャスト用）ストリーム１−１データシンボル（Ｍ＋１）」２５０１−１−（Ｍ＋１）、「（マルチキャスト用）ストリーム１−１データシンボル（Ｍ＋２）」２５０１−１−（Ｍ＋２）の送信ビームの指向性と、「（マルチキャスト用）ストリーム１−２データシンボル（１）」３１０１−１、「（マルチキャスト用）ストリーム１−２データシンボル（２）」３１０１−２、「（マルチキャスト用）ストリーム１−２データシンボル（３）」３１０１−３の送信ビームの指向性は異なる。したがって、「（マルチキャスト用）ストリーム１−１データシンボル（Ｍ）」２５０１−１−Ｍ、「（マルチキャスト用）ストリーム１−１データシンボル（Ｍ＋１）」２５０１−１−（Ｍ＋１）、「（マルチキャスト用）ストリーム１−１データシンボル（Ｍ＋２）」２５０１−１−（Ｍ＋２）の送信ビームを生成するために使用する基地局の送信装置の乗算係数（または重み付け係数）のセットと、「（マルチキャスト用）ストリーム１−２データシンボル（１）」３１０１−１、「（マルチキャスト用）ストリーム１−２データシンボル（２）」３１０１−２、「（マルチキャスト用）ストリーム１−２データシンボル（３）」３１０１−３の送信ビームを生成するために使用する基地局の送信装置の乗算係数（または重み付け係数）のセットは異なる。
【０３６８】
以上より、基地局が送信したマルチキャストストリームを２つの端末が受信できるようになる。このとき、送受信で指向性制御を行っているため、マルチキャスト用のストリームを受信することができるエリアを広範にすることができるという効果を得る。また、ストリームの追加、送信ビームの追加は必要なときに限って行うため、データを伝送するための周波数、時間、空間の資源を有効に活用することができるという効果を得る。
【０３６９】
なお、以降で説明するような制御を行うことがある。制御の詳細は以下のとおりである。
【０３７０】
図３２は、図３１と異なる「図３０における基地局と端末の通信が完了した後、基地局が（ストリーム１の）データシンボルを送信する際の、基地局が送信するシンボルの例」であり、横軸を時間とする。なお、図３２において、図２５、図３１と同様に動作するものについては、同一番号を付している。
【０３７１】
図３２において、図３１と異なる点は、ユニキャスト送信区間２５０３−１、２５０３−２を時間的に長く設定しているため、基地局は、これ以上のマルチキャスト用のシンボルを追加して、送信しない点である。
【０３７２】
図３３は、図２９のように基地局が２つの端末（端末２２０２−１、２２０２−２）にマルチキャスト用の送信ビームを送信しているのに加え、新たな端末２２０２−３が基地局に対し、送信ビームの追加の要求を行ったときの動作の例を示している。なお、基地局が送信している変調信号のフレームは、図３２に示す。
【０３７３】
［３３−１］端末２２０２−３は、基地局に対して、「ストリーム１のマルチキャスト送信の要求」を行う。なお、「ストリーム１のマルチキャスト送信の要求」は、図３２におけるユニキャスト送信区間に送信される。
【０３７４】
［３３−２］基地局は、［３３−１］を受け、「マルチキャスト用のストリーム１の送信を行っていること」を端末２２０２−３に通知する。なお、「マルチキャスト用のストリーム１の送信を行っていることの通知」は、図３２におけるユニキャスト送信区間に送信される。
【０３７５】
［３３−３］端末２２０２−３は、［３３−２］を受け、「マルチキャスト用のストリーム１を受信していないこと」を基地局に通知する。なお、「マルチキャスト用のストリーム１を受信していないことの通知」は、図３２におけるユニキャスト送信区間に送信されている。
【０３７６】
［３３−４］基地局は、［３３−３］を受け、マルチキャスト用ストリーム１の送信ビームとして、ストリーム１−１の送信ビーム、ストリーム１−２の送信ビームとは別の送信ビームを送信することができるかの判定を行う。このとき、図３２に示すフレームであることを考慮し、基地局は、マルチキャスト用ストリーム１の別の送信ビームを送信しないと判定する。よって、基地局は、「マルチキャスト用ストリーム１の別の送信ビームを送信しないこと」を端末２２０２−３に通知する。なお、「マルチキャスト用ストリーム１の別の送信ビームを送信しないことの通知」は、図３２におけるユニキャスト送信区間に送信される。
【０３７７】
［３３−５］端末２２０２−３は、「マルチキャスト用ストリーム１の別の送信ビームを送信しないことの通知」を受信する。
【０３７８】
なお、図３３の「基地局と端末の通信の手順」は一例であり、各情報の送信の順番は、図３３に限ったものではなく、各送信の順番が入れ替わっても同様に実施することができる。このように、マルチキャスト送信のための通信資源が不足している場合、マルチキャスト送信ビームの追加を行わなくてもよい。
【０３７９】
図３４は、図２９に示す基地局が２つの端末（端末２２０２−１、２２０２−２）にマルチキャスト用の送信ビームを送信しているのに加え、新たな端末２２０２−３が基地局に対し、別のマルチキャスト用のストリーム（ストリーム２）の送信ビームの追加の要求を行う動作の例を示している。なお、基地局が送信している変調信号のフレームは、図３１のような状態である。
【０３８０】
［３４−１］端末２２０２−３は、基地局に対して、「ストリーム２のマルチキャスト送信の要求」を行う。なお、「ストリーム２のマルチキャスト送信の要求」は、図３１におけるユニキャスト送信区間２５０３に送信される。
【０３８１】
［３４−２］基地局は、［３４−１］を受け、「マルチキャスト用のストリーム２の送信を行っていないこと」を端末２２０２−３に通知する。また、「マルチキャスト用のストリーム２の送信ビームを基地局が追加して送信できるかの判定を行う。このとき図３１のようなフレーム状態であることを考慮し、「マルチキャスト用のストリーム２の送信ビームの送信に対応していること」を端末２２０２−３に通知する。なお、「マルチキャスト用のストリーム２の送信を行っていないことの通知」、および、「マルチキャスト用のストリーム２の送信ビームが送信可能であることの通知」は、図３１におけるユニキャスト送信区間２５０３に送信される。
【０３８２】
［３４−３］端末２２０３−３は、［３４−２］を受け、「マルチキャスト用のストリーム２の受信準備が完了したこと」を基地局に通知する。なお、「マルチキャスト用のストリーム２の受信準備が完了したこと」の通知は、図３１におけるユニキャスト送信区間２５０３に送信される。
【０３８３】
［３４−４］基地局は、［３４−３］を受け、マルチキャスト用のストリーム２の送信ビームを送信することを決定する。そこで、基地局は、端末２２０２−３に対し、ストリーム２のマルチキャスト送信を行うために、送信指向性制御用のトレーニングシンボル、受信指向性制御用のトレーニングシンボルを送信する。なお、これらのシンボルの送信とは別に、図３１のようにストリーム１−１の送信ビーム、ストリーム１−２の送信ビームを基地局は送信している。この点については、後で説明する。
【０３８４】
［３４−５］端末２２０２−３は、基地局が送信した送信指向性制御用のトレーニングシンボル、および、受信指向性制御用のトレーニングシンボルを受信し、基地局は送信指向性制御、端末２２０２−３が受信指向性制御を行うために、基地局に対し、フィードバック情報を送信する。
【０３８５】
［３４−６］基地局は、端末２２０２−３が送信したフィードバック情報に基づいて、送信指向性制御の方法（指向性制御を行うときに使用する重み付け係数の決定など）の決定を行い、ストリーム２のデータシンボルを送信する。
【０３８６】
［３４−７］端末２２０２−３は、受信指向性制御方法（指向性制御を行うときに使用する重み付け係数の決定など）の決定を行い、基地局が送信したストリーム２のデータシンボルの受信を開始する。
【０３８７】
なお、図３４の「基地局と端末の通信を行うための手順」は、一例であり、各情報の送信の順番は、図３４に限ったものではなく、各情報の送信の順番が入れ替わっても同様に実施することができる、また、図３４では、端末の受信指向性制御を行う場合を例に説明しているが、端末が受信指向性制御を行わないような場合であってもよい。このとき、図３４において、基地局は受信指向性制御用のトレーニングシンボルを送信しなくてもよく、また、端末は受信指向性制御方法の決定を行わない。
【０３８８】
また、基地局が送信指向性制御を行う際、基地局が図１の構成の場合、例えば、図２の乗算部２０４−１、２０４−２、２０４−３、２０４−４における乗算係数が設定される。
【０３８９】
そして、端末２２０２−１、２２０２−２、２２０２−３が受信指向性制御を行う際、端末が図４の構成の場合、例えば、図５の乗算部５０３−１、５０３−２、５０３−３、５０３−４における乗算係数が設定されることになり、また、端末の構成が図６の構成の場合、例えば、乗算部６０３−１、６０３−２、・・・、６０３−Ｌにおける乗算係数が設定される。
【０３９０】
図３５は、図３４における基地局と端末の通信が完了した後、基地局がストリーム１、ストリーム２のデータシンボルを送信する際の、基地局が送信するシンボルの例であり、横軸を時間とする。
【０３９１】
図３５において、図３１に示す「ストリーム１−１」、「ストリーム１−２」が存在しているので、「（マルチキャスト用）ストリーム１−１データシンボル（Ｍ）」２５０１−１−Ｍ、「（マルチキャスト用）ストリーム１−１データシンボル（Ｍ＋１）」２５０１−１−（Ｍ＋１）、「（マルチキャスト用）ストリーム１−１データシンボル（Ｍ＋２）」２５０１−１−（Ｍ＋２）が存在し、また、「（マルチキャスト用）ストリーム１−２データシンボル（Ｎ）」３１０１−Ｎ、「（マルチキャスト用）ストリーム１−２データシンボル（Ｎ＋１）」３１０１−（Ｎ＋１）、「（マルチキャスト用）ストリーム１−２データシンボル（Ｎ＋２）」３１０１−（Ｎ＋２）が存在する。なお、Ｎ、Ｍは２以上の整数とする。
【０３９２】
そして、図３５に示すように、ユニキャスト送信区間２５０３−１、２５０３−２以外の区間において、「（マルチキャスト用）ストリーム２−１データシンボル（１）」３５０１−１、「（マルチキャスト用）ストリーム２−１データシンボル（２）」３５０１−２、「（マルチキャスト用）ストリーム２−１データシンボル（３）」３５０１−３が存在している。
【０３９３】
これまでの説明のように、このとき、以下のような特長をもつ。
【０３９４】
・「（マルチキャスト用）ストリーム１−１データシンボル（Ｍ）」２５０１−１−Ｍ、「（マルチキャスト用）ストリーム１−１データシンボル（Ｍ＋１）」２５０１−１−（Ｍ＋１）、「（マルチキャスト用）ストリーム１−１データシンボル（Ｍ＋２）」２５０１−１−（Ｍ＋２）、「（マルチキャスト用）ストリーム１−２データシンボル（Ｎ）」３１０１−Ｎ、「（マルチキャスト用）ストリーム１−２データシンボル（Ｎ＋１）」３１０１−（Ｎ＋１）、「（マルチキャスト用）ストリーム１−２データシンボル（Ｎ＋２）」３１０１−（Ｎ＋２）は、いずれも「ストリーム１」を伝送するためのデータシンボルである。
【０３９５】
・端末は、「ストリーム１−１のデータシンボル」を得ることで、「ストリーム１のデータ」を得る。また、端末は、「ストリーム１−２のデータシンボル」を得ることで、「ストリーム１のデータ」を得る。
【０３９６】
・「（マルチキャスト用）ストリーム１−１データシンボル（Ｍ）」２５０１−１−Ｍ、「（マルチキャスト用）ストリーム１−１データシンボル（Ｍ＋１）」２５０１−１−（Ｍ＋１）、「（マルチキャスト用）ストリーム１−１データシンボル（Ｍ＋２）」２５０１−１−（Ｍ＋２）の送信ビームの指向性と、「（マルチキャスト用）ストリーム１−２データシンボル（１）」３１０１−１、「（マルチキャスト用）ストリーム１−２データシンボル（２）」３１０１−２、「（マルチキャスト用）ストリーム１−２データシンボル（３）」３１０１−３の送信ビームの指向性は異なる。
【０３９７】
したがって、「（マルチキャスト用）ストリーム１−１データシンボル（Ｍ）」２５０１−１−Ｍ、「（マルチキャスト用）ストリーム１−１データシンボル（Ｍ＋１）」２５０１−１−（Ｍ＋１）、「（マルチキャスト用）ストリーム１−１データシンボル（Ｍ＋２）」２５０１−１−（Ｍ＋２）の送信ビームを生成するために使用する基地局の送信装置の乗算係数（または重み付け係数）のセットと、「（マルチキャスト用）ストリーム１−２データシンボル（１）」３１０１−１、「（マルチキャスト用）ストリーム１−２データシンボル（２）」３１０１−２、「（マルチキャスト用）ストリーム１−２データシンボル（３）」３１０１−３の送信ビームを生成するために使用する基地局の送信装置の乗算係数（または重み付け係数）のセットは異なる。
【０３９８】
・「（マルチキャスト用）ストリーム２−１データシンボル（１）」３５０１−１、「（マルチキャスト用）ストリーム２−１データシンボル（２）」３５０１−２、「（マルチキャスト用）ストリーム２−１データシンボル（３）」３５０１−３は「ストリーム２」を伝送するためのデータシンボルである。
【０３９９】
・端末は、「ストリーム２−１のデータシンボル」を得ることで、「ストリーム２」のデータを得る。以上より、端末は、基地局が送信した複数のマルチキャストストリーム（ストリーム１とストリーム２）を受信できる。このとき、送受信で指向性制御を行っているため、マルチキャスト用のストリームが受信可能なエリアを広範にすることができるという効果を得る。また、ストリームの追加、送信ビームの追加は必要なときに限って行うため、データを伝送するための周波数、時間、空間の資源を有効に活用することができるという効果を得る。
【０４００】
なお、以降で説明するような制御を行なってもよい。制御の詳細は以下のとおりである。
【０４０１】
図３２は、図３５と異なる「基地局が（ストリーム１の）データシンボルを送信する際の、基地局が送信するシンボルの例」であり、横軸を時間とする。なお、図３２において、図２５と図３１と同様に動作するものについては、同一番号を付している。
【０４０２】
図３２において、図３５と異なる点は、ユニキャスト送信区間２５０３−１、２５０３−２を時間的に長く設定しているため、基地局は、これ以上のマルチキャスト用のシンボル、例えば、新しいストリームのシンボルを追加して、送信しない点である。
【０４０３】
図３６は、図２９のように基地局が２つの端末（端末２２０２−１、２２０２−２）にマルチキャスト用の送信ビームを送信しているのに加え、新たな端末２２０２−３が基地局に対し、別のマルチキャスト用のストリーム（ストリーム２）の送信ビームの追加の要求を行う動作の例を示す。なお、基地局が送信する変調信号のフレームを、図３２に示す。
【０４０４】
［３６−１］端末２２０２−３は、基地局に対して、「ストリーム２のマルチキャスト送信の要求」を行う。なお、「ストリーム２のマルチキャスト送信の要求」は、図３２におけるユニキャスト送信区間に送信される。
【０４０５】
［３６−２］基地局は、［３６−１］を受け、「マルチキャスト用のストリーム２の送信を行っていないこと」を端末２２０２−３に通知する。なお、「マルチキャスト用のストリーム２の送信を行っていないこと」は、図３２におけるユニキャスト送信区間に送信される。また、基地局は、マルチキャスト用ストリーム２の送信ビームを送信することができるかの判定を行う。基地局は、図３２に示すフレームを考慮し、マルチキャスト用ストリーム２の送信ビームを送信しないと判定する。よって、基地局は、「マルチキャスト用ストリーム２の送信ビームを送信しないこと」を端末２２０２−３に通知する。なお、「マルチキャスト用ストリーム２の送信ビームを送信しないことの通知」は、図３２におけるユニキャスト送信区間に送信される。
【０４０６】
［３６−３］端末２２０２−３は、「マルチキャスト用ストリーム２の送信ビームを送信しないことの通知」を受信する。
【０４０７】
なお、図３６の「基地局と端末の通信の手順」は一例であり、各情報の送信の順番は、図３６に限ったものではなく、各送信の手順が入れ替わっても同様に実施することができる。このように、マルチキャスト送信のための通信資源が不足している場合、ストリームの追加、マルチキャスト送信ビームの追加を行わなくてもよい。
【０４０８】
なお、図３５などで示したユニキャスト送信区間２５０３−１、２５０３−２の設定方法について補足説明をする。
【０４０９】
例えば、図３５において、マルチキャスト用の送信ビームの数の最大値をあらかじめ決めておく、または、設定する。
【０４１０】
そして、各端末の要求を受け、基地局は、マルチキャスト用の送信ビームの数の最大値以下となる、マルチキャスト用の送信ビームを送信する。例えば、図３５の場合、マルチキャスト用の送信ビーム数は３である。そして、基地局は、マルチキャスト用の複数の送信ビームを送信するが、これらを送信した後の時間的な空き時間をユニキャスト送信区間と定める。
【０４１１】
以上のように、ユニキャスト送信区間を定めてもよい。
【０４１２】
（補足１）
補足１では、基地局が、複数の端末とユニキャスト通信、つまり、個別通信を行っている場合について説明する。
【０４１３】
このとき、例えば、図９のストリーム１の＃１シンボル群９０１−１、ストリーム１の＃２シンボル群９０１−２、および、ストリーム１の＃３シンボル群９０１−３が、ブロードキャストチャネル、つまり、基地局が複数の端末とデータ通信を行うために、基地局が複数の端末に対してブロードキャスト送信を行う制御情報であってもよい。なお、制御情報とは、例えば、基地局と端末がデータ通信を実現するために必要となる制御情報である。
【０４１４】
また、例えば、図９のストリーム１の＃１シンボル群９０１−１、ストリーム１の＃２シンボル群９０１−２、および、ストリーム１の＃３シンボル群９０１−３が、コモンサーチスペース（common search space）であってもよい。なお、コモンサーチスペースとは、セル制御を行うための制御情報である。そして、コモンサーチスペースは、複数の端末に対し、ブロードキャストされる制御情報である。
【０４１５】
同様に、例えば、図９のストリーム２の＃１シンボル群９０２−１、ストリーム２の＃２シンボル群９０２−２、および、ストリーム２の＃３シンボル群９０２−３が、ブロードキャストチャネル、つまり、基地局が複数の端末とデータ通信を行うために、基地局が複数の端末に対してブロードキャスト送信を行う制御情報であってもよい。
【０４１６】
また、例えば、図９のストリーム２の＃１シンボル群９０２−１、ストリーム２の＃２シンボル群９０２−２、および、ストリーム２の＃３シンボル群９０２−３が、コモンサーチスペースであってもよい。
【０４１７】
なお、図９のストリーム１の＃１シンボル群９０１−１、ストリーム１の＃２シンボル群９０１−２、および、ストリーム１の＃３シンボル群９０１−３、ストリーム２の＃１シンボル群９０２−１、ストリーム２の＃２シンボル群９０２−２、および、ストリーム２の＃３シンボル群９０２−３の特徴については、これまでに説明した実施の形態に記載したとおりである。
【０４１８】
例えば、図１４の変調信号１の＃１シンボル群１４０１−１、変調信号１の＃２シンボル群１４０１−２、および、変調信号１の＃３シンボル群１４０１−３が、ブロードキャストチャネル、つまり、基地局が複数の端末とデータ通信を行うために、基地局が複数の端末に対してブロードキャスト送信を行う制御情報であってもよい。
【０４１９】
また、例えば、図１４の変調信号１の＃１シンボル群１４０１−１、変調信号１の＃２シンボル群１４０１−２、および、変調信号１の＃３シンボル群１４０１−３が、コモンサーチスペースであってもよい。
【０４２０】
例えば、図１４の変調信号２の＃１シンボル群１４０２−１、変調信号２の＃２シンボル群１４０２−２、および、変調信号２の＃３シンボル群１４０２−３が、ブロードキャストチャネル、つまり、基地局が複数の端末とデータ通信を行うために、基地局が複数の端末に対してブロードキャスト送信を行う制御情報であってもよい。
【０４２１】
また、例えば、図１４の変調信号２の＃１シンボル群１４０２−１、変調信号２の＃２シンボル群１４０２−２、および、変調信号２の＃３シンボル群１４０２−３が、コモンサーチスペースであってもよい。
【０４２２】
なお、図１４の変調信号１の＃１シンボル群１４０１−１、変調信号１の＃２シンボル群１４０１−２、および、変調信号１の＃３シンボル群１４０１−３は、これまでに説明した実施の形態に記載したとおりであり、図１４の変調信号２の＃１シンボル群１４０２−１、変調信号２の＃２シンボル群１４０２−２、および、変調信号２の＃３シンボル群１４０２−３は、これまでに説明した実施の形態に記載したとおりである。
【０４２３】
例えば、図２５のストリーム１−１データシンボル（１）２５０１−１−１、ストリーム１−１データシンボル（２）２５０１−１−２、および、ストリーム１−１データシンボル（３）２５０１−１−３は、ブロードキャストチャネル、つまり、基地局が複数の端末とデータ通信を行うために、基地局が複数の端末に対してブロードキャスト送信を行う制御情報であってもよい。
【０４２４】
また、図２５のストリーム１−１データシンボル（１）２５０１−１−１、ストリーム１−１データシンボル（２）２５０１−１−２、および、ストリーム１−１データシンボル（３）２５０１−１−３は、コモンサーチスペースであってもよい。
【０４２５】
なお、図２５のストリーム１−１データシンボル（１）２５０１−１−１、ストリーム１−１データシンボル（２）２５０１−１−２、および、ストリーム１−１データシンボル（３）２５０１−１−３は、これまでに説明した実施の形態に記載したとおりである。
【０４２６】
例えば、図３１、図３２のストリーム１−１データシンボル（Ｍ）２５０１−１−Ｍ、ストリーム１−１データシンボル（Ｍ＋１）２５０１−１−（Ｍ＋１）、ストリーム１−１データシンボル（Ｍ＋２）２５０１−１−（Ｍ＋２）、ストリーム１−２データシンボル（１）３１０１−１、ストリーム１−２データシンボル（２）３１０１−２、及び、ストリーム１−２データシンボル（３）３１０１−３は、ブロードキャストチャネル、つまり、基地局が複数の端末とデータ通信を行うために、基地局が複数の端末に対してブロードキャスト送信を行う制御情報であってもよい。
【０４２７】
また、図３１、図３２のストリーム１−１データシンボル（Ｍ）２５０１−１−Ｍ、ストリーム１−１データシンボル（Ｍ＋１）２５０１−１−（Ｍ＋１）、ストリーム１−１データシンボル（Ｍ＋２）２５０１−１−（Ｍ＋２）、ストリーム１−２データシンボル（１）３１０１−１、ストリーム１−２データシンボル（２）３１０１−２、及び、ストリーム１−２データシンボル（３）３１０１−３は、コモンサーチスペースであってもよい。
【０４２８】
なお、図３１、図３２のストリーム１−１データシンボル（Ｍ）２５０１−１−Ｍ、ストリーム１−１データシンボル（Ｍ＋１）２５０１−１−（Ｍ＋１）、ストリーム１−１データシンボル（Ｍ＋２）２５０１−１−（Ｍ＋２）、ストリーム１−２データシンボル（１）３１０１−１、ストリーム１−２データシンボル（２）３１０１−２、及び、ストリーム１−２データシンボル（３）３１０１−３は、これまでに説明した実施の形態に記載したとおりである。
【０４２９】
例えば、図３５において、ストリーム１−１データシンボル（Ｍ）２５０１−１−Ｍ、ストリーム１−１データシンボル（Ｍ＋１）２５０１−１−（Ｍ＋１）、ストリーム１−１データシンボル（Ｍ＋２）２５０１−１−（Ｍ＋２）、ストリーム１−２データシンボル（Ｎ）３１０１−Ｎ、ストリーム１−２データシンボル（Ｎ＋１）３１０１−（Ｎ＋１）、および、ストリーム１−２データシンボル（Ｎ＋２）３１０１−（Ｎ＋２）は、ブロードキャストチャネル、つまり、基地局が複数の端末とデータ通信を行うために、基地局が複数の端末に対してブロードキャスト送信を行う制御情報であってもよい。
【０４３０】
また、図３５において、ストリーム１−１データシンボル（Ｍ）２５０１−１−Ｍ、ストリーム１−１データシンボル（Ｍ＋１）２５０１−１−（Ｍ＋１）、ストリーム１−１データシンボル（Ｍ＋２）２５０１−１−（Ｍ＋２）、ストリーム１−２データシンボル（Ｎ）３１０１−Ｎ、ストリーム１−２データシンボル（Ｎ＋１）３１０１−（Ｎ＋１）、および、ストリーム１−２データシンボル（Ｎ＋２）３１０１−（Ｎ＋２）は、コモンサーチスペースであってもよい。
【０４３１】
例えば、図３５のストリーム２−１データシンボル（１）３５０１−１、ストリーム２−１データシンボル（２）３５０１−２、および、ストリーム２−１データシンボル（３）３５０１−３は、ブロードキャストチャネル、つまり、基地局が複数の端末とデータ通信を行うために、基地局が複数の端末に対してブロードキャスト送信を行う制御情報であってもよい。
【０４３２】
また、図３５のストリーム２−１データシンボル（１）３５０１−１、ストリーム２−１データシンボル（２）３５０１−２、および、ストリーム２−１データシンボル（３）３５０１−３は、コモンサーチスペースであってもよい。
【０４３３】
なお、図３５において、ストリーム１−１データシンボル（Ｍ）２５０１−１−Ｍ、ストリーム１−１データシンボル（Ｍ＋１）２５０１−１−（Ｍ＋１）、ストリーム１−１データシンボル（Ｍ＋２）２５０１−１−（Ｍ＋２）、ストリーム１−２データシンボル（Ｎ）３１０１−Ｎ、ストリーム１−２データシンボル（Ｎ＋１）３１０１−（Ｎ＋１）、および、ストリーム１−２データシンボル（Ｎ＋２）３１０１−（Ｎ＋２）は、これまでに説明した実施の形態に記載したとおりであり、図３５のストリーム２−１データシンボル（１）３５０１−１、ストリーム２−１データシンボル（２）３５０１−２、および、ストリーム２−１データシンボル（３）３５０１−３は、これまでに説明した実施の形態に記載したとおりである。
【０４３４】
図９、図１４、図２５、図３１、図３２、図３５において、各データシンボルを送信する際、シングルキャリアの伝送方法を用いてもよいし、ＯＦＤＭなどのマルチキャリアの伝送方式を用いてもよい。また、データシンボルの時間的な位置は、図９、図１４、図２５、図３１、図３２、図３５に限ったものではない。
【０４３５】
また、図２５、図３１、図３２、図３５において、横軸を時間として説明しているが、横軸を周波数（キャリア）としても、同様に実施することが可能である。なお、横軸を周波数（キャリア）としたとき、基地局は、各データシンボルを、１つ以上のキャリア、または、サブキャリアを用いて、送信する。
【０４３６】
（補足２）
補足２では、基地局が複数の端末とユニキャスト通信、つまり、個別通信を行っている場合について説明する。
【０４３７】
このとき、例えば、図９のストリーム１の＃１シンボル群９０１−１、ストリーム１の＃２シンボル群９０１−２、ストリーム１の＃３シンボル群９０１−３、ストリーム２の＃１シンボル群９０２−１、ストリーム２の＃２シンボル群９０２−２、および、ストリーム２の＃３シンボル群９０２−３は、基地局宛てのデータ又は通信を行っている複数端末のいずれかの端末宛のデータであってもよい。このとき、データの中には、制御情報が含まれていてもよい。
【０４３８】
なお、図９のストリーム１の＃１シンボル群９０１−１、ストリーム１の＃２シンボル群９０１−２、ストリーム１の＃３シンボル群９０１−３、ストリーム２の＃１シンボル群９０２−１、ストリーム２の＃２シンボル群９０２−２、および、ストリーム２の＃３シンボル群９０２−３は、これまでに説明した実施の形態に記載したとおりである。
【０４３９】
例えば、図１４の変調信号１の＃１シンボル群１４０１−１、変調信号１の＃２シンボル群１４０１−２、変調信号１の＃３シンボル群１４０１−３、変調信号２の＃１シンボル群１４０１−３、変調信号２の＃２シンボル群１４０２−２、および、変調信号２の＃３シンボル群１４０２−３は、基地局宛てのデータ又は通信を行っている複数端末のいずれかの端末宛のデータであってもよい。このとき、データの中には、制御情報が含まれていてもよい。
【０４４０】
なお、図１４の変調信号１の＃１シンボル群１４０１−１、変調信号１の＃２シンボル群１４０１−２、変調信号１の＃３シンボル群１４０１−３、変調信号２の＃１シンボル群１４０１−３、変調信号２の＃２シンボル群１４０２−２、および、変調信号２の＃３シンボル群１４０２−３は、これまでに説明した実施の形態に記載したとおりである。
【０４４１】
例えば、図２５のストリーム１−１データシンボル（１）２５０１−１−１、ストリーム１−１データシンボル（２）２５０１−１−２、および、ストリーム１−１データシンボル（３）２５０１−１−３は、基地局宛てのデータ又は通信を行っている複数端末のいずれかの端末宛のデータであってもよい。このとき、データの中には、制御情報が含まれていてもよい。
【０４４２】
なお、図２５のストリーム１−１データシンボル（１）２５０１−１−１、ストリーム１−１データシンボル（２）２５０１−１−２、および、ストリーム１−１データシンボル（３）２５０１−１−３は、これまでに説明した実施の形態に記載したとおりである。
【０４４３】
例えば、図３１、図３２のストリーム１−１データシンボル（Ｍ）２５０１−１−Ｍ、ストリーム１−１データシンボル（Ｍ＋１）２５０１−１−（Ｍ＋１）、ストリーム１−１データシンボル（Ｍ＋２）２５０１−１−（Ｍ＋２）、ストリーム１−２データシンボル（１）３１０１−１、ストリーム１−２データシンボル（２）３１０１−２、ストリーム１−２データシンボル（３）３１０１−３は、基地局宛てのデータ又は通信を行っている複数端末のいずれかの端末宛のデータであってもよい。このとき、データの中には、制御情報が含まれていてもよい。
【０４４４】
なお、図３１、図３２のストリーム１−１データシンボル（Ｍ）２５０１−１−Ｍ、ストリーム１−１データシンボル（Ｍ＋１）２５０１−１−（Ｍ＋１）、ストリーム１−１データシンボル（Ｍ＋２）２５０１−１−（Ｍ＋２）、ストリーム１−２データシンボル（１）３１０１−１、ストリーム１−２データシンボル（２）３１０１−２、ストリーム１−２データシンボル（３）３１０１−３は、これまでに説明した実施の形態に記載したとおりである。
【０４４５】
例えば、図３５において、ストリーム１−１データシンボル（Ｍ）２５０１−１−Ｍ、ストリーム１−１データシンボル（Ｍ＋１）２５０１−１−（Ｍ＋１）、ストリーム１−１データシンボル（Ｍ＋２）２５０１−１−（Ｍ＋２）、ストリーム１−２データシンボル（Ｎ）３１０１−Ｎ、ストリーム１−２データシンボル（Ｎ＋１）３１０１−（Ｎ＋１）、ストリーム１−２データシンボル（Ｎ＋２）３１０１−（Ｎ＋２）は、基地局宛てのデータ又は通信を行っている複数端末のいずれかの端末宛のデータであってもよい。このとき、データの中には、制御情報が含まれていてもよい。
【０４４６】
例えば、図３５のストリーム２−１データシンボル（１）３５０１−１、ストリーム２−１データシンボル（２）３５０１−２、および、ストリーム２−１データシンボル（３）３５０１−３は、基地局宛てのデータ又は通信を行っている複数端末のいずれかの端末宛のデータであってもよい。このとき、データの中には、制御情報が含まれていてもよい。
【０４４７】
なお、図３５において、ストリーム１−１データシンボル（Ｍ）２５０１−１−Ｍ、ストリーム１−１データシンボル（Ｍ＋１）２５０１−１−（Ｍ＋１）、ストリーム１−１データシンボル（Ｍ＋２）２５０１−１−（Ｍ＋２）、ストリーム１−２データシンボル（Ｎ）３１０１−Ｎ、ストリーム１−２データシンボル（Ｎ＋１）３１０１−（Ｎ＋１）、ストリーム１−２データシンボル（Ｎ＋２）３１０１−（Ｎ＋２）、ストリーム２−１データシンボル（１）３５０１−１、ストリーム２−１データシンボル（２）３５０１−２、および、ストリーム２−１データシンボル（３）３５０１−３は、これまでに説明した実施の形態に記載したとおりである。
【０４４８】
図９、図１４、図２５、図３１、図３２、図３５において、各データシンボルを送信する際、シングルキャリアの伝送方法を用いてもよいし、ＯＦＤＭなどのマルチキャリアの伝送方式を用いてもよい。また、データシンボルの時間的な位置は、図９、図１４、図２５、図３１、図３２、図３５に限ったものではない。
【０４４９】
また、図２５、図３１、図３２、図３５において、横軸を時間として説明しているが、横軸を周波数（キャリア）としても、同様に実施することが可能である。なお、横軸を周波数（キャリア）としたとき、基地局は、各データシンボルを、１つ以上のキャリア、または、サブキャリアを用いて、送信する。
【０４５０】
（補足３）
基地局が、図９のフレーム構成のように、ストリーム１の＃１シンボル群９０１−１、ストリーム１の＃２シンボル群９０１−２、ストリーム１の＃３シンボル群９０１−３、ストリーム２の＃１シンボル群９０２−１、ストリーム２の＃２シンボル群９０２−２、及び、ストリーム２の＃３シンボル群９０２−３を送信している時間帯に、「ストリーム１の＃１シンボル群９０１−１の送信ビーム、ストリーム１の＃２シンボル群９０１−２の送信ビーム、ストリーム１の＃３シンボル群９０１−３の送信ビーム、ストリーム２の＃１シンボル群９０２−１の送信ビーム、ストリーム２の＃２シンボル群９０２−２の送信ビーム、ストリーム２の＃３シンボル群９０２−３の送信ビーム」とは別の送信ビームを用いて、別のシンボル群を、基地局は送信してもよい。
【０４５１】
また、図３の基地局が、「信号処理部１０２の信号処理、および、重み付け合成部３０１による信号処理」、または、「信号処理部１０２の信号処理、または、重み付け合成部３０１による信号処理」によって、上記の「別のシンボル群」のための送信ビームを生成してもよい。
【０４５２】
また、基地局が、図１４のフレーム構成のように、変調信号１の＃１シンボル群１４０１−１、変調信号１の＃２シンボル群１４０１−２、変調信号１の＃３シンボル群１４０１−３、変調信号２の＃１シンボル群１４０２−１、変調信号２の＃２シンボル群１４０２−２、変調信号２の＃３シンボル群１４０２−３を送信している時間帯に「変調信号１の＃１シンボル群１４０１−１の送信ビーム、変調信号１の＃２シンボル群１４０１−２の送信ビーム、変調信号１の＃３シンボル群１４０１−３の送信ビーム、変調信号２の＃１シンボル群１４０２−１の送信ビーム、変調信号２の＃２シンボル群１４０２−２の送信ビーム、変調信号２の＃３シンボル群１４０２−３の送信ビーム」とは別の送信ビームを用いて、別のシンボル群を、基地局は送信してもよい。
【０４５３】
このとき、「別のシンボル群」は、ある端末宛のデータシンボルを含むシンボル群であってもよいし、本開示の他の部分で説明したような、制御情報シンボル群を含むシンボル群であってもよいし、他のマルチキャスト用のデータシンボルを含むシンボル群であってもよい。
【０４５４】
また、図３の基地局が、「信号処理部１０２の信号処理、および、重み付け合成部３０１による信号処理」、または、「信号処理部１０２の信号処理、または、重み付け合成部３０１による信号処理」によって、上記の「別のシンボル群」のための送信ビームを生成してもよい。
【０４５５】
（補足４）
基地局が、図２５のフレーム構成のように、ストリーム１−１データシンボル（１）２５０１−１−１、ストリーム１−１データシンボル（２）２５０１−１−２、ストリーム１−１データシンボル（３）２５０１−１−３を送信している時間帯に、「ストリーム１−１データシンボル（１）２５０１−１−１、ストリーム１−１データシンボル（２）２５０１−１−２、ストリーム１−１データシンボル（３）２５０１−１−３を送信する送信ビーム」とは別の送信ビームを用いて、別のシンボル群を、基地局は送信してもよい。
【０４５６】
なお、図２５において、横軸が周波数であった場合でも同様であり、基地局が、ストリーム１−１データシンボル（１）２５０１−１−１、ストリーム１−１データシンボル（２）２５０１−１−２、ストリーム１−１データシンボル（３）２５０１−１−３を送信している時間帯に、「ストリーム１−１データシンボル（１）２５０１−１−１、ストリーム１−１データシンボル（２）２５０１−１−２、ストリーム１−１データシンボル（３）２５０１−１−３を送信する送信ビーム」とは別の送信ビームを用いて、別のシンボル群を、基地局は送信してもよい。
【０４５７】
また、基地局が、図３１、図３２のフレーム構成のように、ストリーム１−１データシンボル（Ｍ）２５０１−１−Ｍ、ストリーム１−１データシンボル（Ｍ＋１）２５０１−１−（Ｍ＋１）、ストリーム１−１データシンボル（Ｍ＋２）２５０１−１−（Ｍ＋２）を送信している時間帯に、「ストリーム１−１データシンボル（Ｍ）２５０１−１−Ｍ、ストリーム１−１データシンボル（Ｍ＋１）２５０１−１−（Ｍ＋１）、ストリーム１−１データシンボル（Ｍ＋２）２５０１−１−（Ｍ＋２）を送信する送信ビーム」とは別の送信ビームを用いて、別のシンボル群を基地局は送信してもよい。
【０４５８】
なお、図３１、図３２において、横軸が周波数であった場合でも同様であり、基地局が、ストリーム１−１データシンボル（Ｍ）２５０１−１−Ｍ、ストリーム１−１データシンボル（Ｍ＋１）２５０１−１−（Ｍ＋１）、ストリーム１−１データシンボル（Ｍ＋２）２５０１−１−（Ｍ＋２）を送信している時間帯に、「ストリーム１−１データシンボル（Ｍ）２５０１−１−Ｍ、ストリーム１−１データシンボル（Ｍ＋１）２５０１−１−（Ｍ＋１）、ストリーム１−１データシンボル（Ｍ＋２）２５０１−１−（Ｍ＋２）を送信する送信ビーム」とは別の送信ビームを用いて、別のシンボル群を基地局は送信してもよい。
【０４５９】
そして、基地局が、図３１、図３２のフレーム構成のように、ストリーム１―２データシンボル（１）３１０１−１、ストリーム１−２データシンボル（２）３１０１−２、ストリーム１−２データシンボル（３）３１０１−３を送信している時間帯に、「ストリーム１―２データシンボル（１）３１０１−１、ストリーム１−２データシンボル（２）３１０１−２、ストリーム１−２データシンボル（３）３１０１−３を送信する送信ビーム」とは別の送信ビームを用いて、別のシンボル群を基地局は送信してもよい。
【０４６０】
なお、図３１、図３２において、横軸が周波数であった場合でも同様であり、基地局が、ストリーム１―２データシンボル（１）３１０１−１、ストリーム１−２データシンボル（２）３１０１−２、ストリーム１−２データシンボル（３）３１０１−３を送信している時間帯に、「ストリーム１―２データシンボル（１）３１０１−１、ストリーム１−２データシンボル（２）３１０１−２、ストリーム１−２データシンボル（３）３１０１−３を送信する送信ビーム」とは別の送信ビームを用いて、別のシンボル群を基地局は送信してもよい。
【０４６１】
基地局が、図３５のフレーム構成のように、ストリーム１−１データシンボル（Ｍ）２５０１−１−Ｍ、ストリーム１−１データシンボル（Ｍ＋１）２５０１−（Ｍ＋１）、ストリーム１−１データシンボル（Ｍ＋２）２５０１−（Ｍ＋２）を送信している時間帯に、「ストリーム１−１データシンボル（Ｍ）２５０１−１−Ｍ、ストリーム１−１データシンボル（Ｍ＋１）２５０１−（Ｍ＋１）、ストリーム１−１データシンボル（Ｍ＋２）２５０１−（Ｍ＋２）を送信する送信ビーム」とは別の送信ビームを用いて、別のシンボル群を基地局は送信してもよい。
【０４６２】
なお、図３５において、横軸が周波数であった場合でも同様であり、基地局が、ストリーム１−１データシンボル（Ｍ）２５０１−１−Ｍ、ストリーム１−１データシンボル（Ｍ＋１）２５０１−（Ｍ＋１）、ストリーム１−１データシンボル（Ｍ＋２）２５０１−（Ｍ＋２）を送信している時間帯に、「ストリーム１−１データシンボル（Ｍ）２５０１−１−Ｍ、ストリーム１−１データシンボル（Ｍ＋１）２５０１−（Ｍ＋１）、ストリーム１−１データシンボル（Ｍ＋２）２５０１−（Ｍ＋２）を送信する送信ビーム」とは別の送信ビームを用いて、別のシンボル群を基地局は送信してもよい。
【０４６３】
また、基地局が、図３５のフレーム構成のように、ストリーム１−２データシンボル（Ｎ）３１０１−Ｎ、ストリーム１−２データシンボル（Ｎ＋１）３１０１−（Ｎ＋１）、ストリーム１−２データシンボル（Ｎ＋２）３１０１−（Ｎ＋２）を送信している時間帯に、「ストリーム１−２データシンボル（Ｎ）３１０１−Ｎ、ストリーム１−２データシンボル（Ｎ＋１）３１０１−（Ｎ＋１）、ストリーム１−２データシンボル（Ｎ＋２）３１０１−（Ｎ＋２）を送信する送信ビーム」とは別の送信ビームを用いて、別のシンボル群を基地局は送信してもよい。
【０４６４】
なお、図３５において、横軸が周波数であった場合でも同様であり、基地局が、ストリーム１−２データシンボル（Ｎ）３１０１−Ｎ、ストリーム１−２データシンボル（Ｎ＋１）３１０１−（Ｎ＋１）、ストリーム１−２データシンボル（Ｎ＋２）３１０１−（Ｎ＋２）を送信している時間帯に、「ストリーム１−２データシンボル（Ｎ）３１０１−Ｎ、ストリーム１−２データシンボル（Ｎ＋１）３１０１−（Ｎ＋１）、ストリーム１−２データシンボル（Ｎ＋２）３１０１−（Ｎ＋２）を送信する送信ビーム」とは別の送信ビームを用いて、別のシンボル群を基地局は送信してもよい。
【０４６５】
そして、基地局が、図３５のフレーム構成のように、ストリーム２−１データシンボル（１）３５０１−１、ストリーム２−１データシンボル（２）３５０１−２、ストリーム２−１データシンボル（３）３５０１−３を送信している時間帯に、「ストリーム２−１データシンボル（１）３５０１−１、ストリーム２−１データシンボル（２）３５０１−２、ストリーム２−１データシンボル（３）３５０１−３を送信する送信ビーム」とは別の送信ビームを用いて、別のシンボル群を基地局は送信してもよい。
【０４６６】
なお、図３５において、横軸が周波数であった場合でも同様であり、基地局が、ストリーム２−１データシンボル（１）３５０１−１、ストリーム２−１データシンボル（２）３５０１−２、ストリーム２−１データシンボル（３）３５０１−３を送信している時間帯に、「ストリーム２−１データシンボル（１）３５０１−１、ストリーム２−１データシンボル（２）３５０１−２、ストリーム２−１データシンボル（３）３５０１−３を送信する送信ビーム」とは別の送信ビームを用いて、別のシンボル群を基地局は送信してもよい。
【０４６７】
上記において、「別のシンボル群」とは、ある端末宛のデータシンボルを含むシンボル群であってもよいし、本明細書の他の部分で説明したような、制御情報シンボルを含むシンボル群であってもよいし、他のマルチキャスト用のデータシンボルを含むシンボル群であってもよい。
【０４６８】
このとき、図１の基地局が、信号処理部１０２の信号処理によって、上記の「別のシンボル群」のための送信ビームを生成してもよいし、図１の基地局が、アンテナ部１０６−１からアンテナ部１０６−Ｍまでのアンテナを選択することで、上記の「別のシンボル群」のための送信ビームを生成してもよい。
【０４６９】
また、図３の基地局が、「信号処理部１０２の信号処理、および、重み付け合成部３０１による信号処理」、または、「信号処理部１０２の信号処理、または、重み付け合成部３０１による信号処理」によって、上記の「別のシンボル群」のための送信ビームを生成してもよい。
【０４７０】
そして、図２５、図３１、図３２、図３５に記載されているようなユニキャスト送信区間２５０３−１、２５０３−２を設定しなくてもよい。
【０４７１】
（補足５）
図３１、図３２に関する説明で以下のような記載を行っている。
【０４７２】
・「（マルチキャスト用）ストリーム１−１データシンボル（Ｍ）」２５０１−１−Ｍ、「（マルチキャスト用）ストリーム１−１データシンボル（Ｍ＋１）」２５０１−１−（Ｍ＋１）、「（マルチキャスト用）ストリーム１−１データシンボル（Ｍ＋２）」２５０１−１−（Ｍ＋２）、「（マルチキャスト用）ストリーム１−２データシンボル（１）」３１０１−１、「（マルチキャスト用）ストリーム１−２データシンボル（２）」３１０１−２、「（マルチキャスト用）ストリーム１−２データシンボル（３）」３１０１−３は、いずれも「ストリーム１」を伝送するためのデータシンボルである。
【０４７３】
・端末は、「ストリーム１−１のデータシンボル」を得ることで、「ストリーム１のデータ」を得ることができる。また、端末は、「ストリーム１−２のデータシンボル」を得ることで、「ストリーム１のデータ」を得ることができる。
【０４７４】
また、図３５に関する説明で以下のような記載を行っている。
【０４７５】
・「（マルチキャスト用）ストリーム１−１データシンボル（Ｍ）」２５０１−１−Ｍ、「（マルチキャスト用）ストリーム１−１データシンボル（Ｍ＋１）」２５０１−１−（Ｍ＋１）、「（マルチキャスト用）ストリーム１−１データシンボル（Ｍ＋２）」２５０１−１−（Ｍ＋２）、「（マルチキャスト用）ストリーム１−２データシンボル（Ｎ）」３１０１−Ｎ、「（マルチキャスト用）ストリーム１−２データシンボル（Ｎ＋１）」３１０１−（Ｎ＋１）、「（マルチキャスト用）ストリーム１−２データシンボル（Ｎ＋２）」３１０１−（Ｎ＋２）は、いずれも「ストリーム１」を伝送するためのデータシンボルである。
【０４７６】
・端末は、「ストリーム１−１のデータシンボル」を得ることで、「ストリーム１のデータ」を得ることができる。また、端末は、「ストリーム１−２のデータシンボル」を得ることで、「ストリーム１のデータ」を得ることができる。
【０４７７】
以下では、上述について補足説明を行う。例えば、図３５において、以下の、＜方法１−１＞、または、＜方法１−２＞、または、＜方法２−１＞、または、＜方法２−２＞により、上述を実現するにことができる。
【０４７８】
＜方法１−１＞
・ストリーム１−１データシンボル（Ｍ）２５０１−１−Ｍとストリーム１−２データシンボル（Ｎ）３１０１−Ｎが同じデータを含んでいる。
【０４７９】
そして、ストリーム１−１データシンボル（Ｍ＋１）２５０１−１−（Ｍ＋１）とストリーム１−２データシンボル（Ｎ＋１）３１０１−（Ｎ＋１）が同じデータを含んでいる。
【０４８０】
ストリーム１−１データシンボル（Ｍ＋２）２５０１−１−（Ｍ＋２）とストリーム１−２データシンボル（Ｎ＋２）３１０１−（Ｎ＋２）が同じデータを含んでいる。
【０４８１】
＜方法１−２＞
・ストリーム１−１データシンボル（Ｋ）２５０１−１−Ｋが含むデータと同じデータが含まれているストリーム１−２データシンボル（Ｌ）３１０１−Ｌが存在する。なお、Ｋ、Ｌは整数である。
【０４８２】
＜方法２−１＞
・ストリーム１−１データシンボル（Ｍ）２５０１−１−Ｍとストリーム１−２データシンボル（Ｎ）３１０１−Ｎが一部同じデータを含んでいる。
【０４８３】
そして、ストリーム１−１データシンボル（Ｍ＋１）２５０１−１−（Ｍ＋１）とストリーム１−２データシンボル（Ｎ＋１）３１０１−（Ｎ＋１）が一部同じデータを含んでいる。
【０４８４】
ストリーム１−１データシンボル（Ｍ＋２）２５０１−１−（Ｍ＋２）とストリーム１−２データシンボル（Ｎ＋２）３１０１−（Ｎ＋２）が一部同じデータを含んでいる。
【０４８５】
＜方法２−２＞
・ストリーム１−１データシンボル（Ｋ）２５０１−１−Ｋが含むデータの一部を含んでいるストリーム１−２データシンボル（Ｌ）３１０１−Ｌが存在する。なお、Ｋ、Ｌは整数である。
【０４８６】
すなわち、第１の基地局または第１の送信システムは、第１のストリームのデータを含む第１のパケット群と、第１のストリームのデータを含む第２のパケット群とを生成し、第１のパケット群に含まれるパケットを第１の送信ビームを用いて第１の期間に送信し、第２のパケット群に含まれるパケットを第１の送信ビームとは異なる第２の送信ビームを用いて第２の期間に送信し、第１の期間と第２の期間は互いに重複していない。
【０４８７】
ここで、第２のパケット群は、第１のパケット群に含まれる第１のパケットが含むデータと同一のデータを含む第２のパケットを含んでいてもよい。また、上記とは別の構成として、第２のパケット群は、第１のパケット群に含まれる第１のパケットが含むデータの一部と同一のデータを含む第３のパケットを含んでいてもよい。
【０４８８】
また、第１の送信ビームと第２の送信ビームは、同一のアンテナ部を用いて送信される互いに異なる指向性を有する送信ビームであってもよいし、互いに異なるアンテナ部を用いて送信される送信ビームであってもよい。
【０４８９】
また、第２の基地局または第２の送信システムは、第１の基地局または第１の送信システムの構成に加えて、第１のストリームのデータを含む第３のパケット群をさらに生成し、第３のパケット群に含まれるパケットを第１の送信ビーム及び第２の送信ビームとは異なる第３の送信ビームを用いて第３の期間に送信し、第３の期間は第１の期間および第２の期間と重複していない。
【０４９０】
ここで、第２の基地局または第２の送信システムは、第１の期間、第２の期間及び第３の期間を所定の順序で繰り返し設定してもよい。
【０４９１】
また、第３の基地局または第３の送信システムは、第１の基地局または第１の送信システムの構成に加えて、第１のストリームのデータを含む第３のパケット群をさらに生成し、第３のパケット群に含まれるパケットを第１の送信ビーム及び第２の送信ビームとは異なる第３の送信ビームを用いて第３の期間に送信し、第３の期間の少なくとも一部は第１の期間と重複している。
【０４９２】
ここで、第３の基地局または第３の送信システムは、第１の期間、第２の期間及び第３の期間を繰り返し設定してもよく、繰り返し設定される第３の期間のいずれの第３の期間もその少なくとも一部が第１の期間と重複していてもよいし、繰り返し設定される第３の期間のうち少なくともいずれか一つの第３の期間も第１の期間と重複していなくてもよい。
【０４９３】
また、第４の基地局または第４の送信システムは、第１の基地局または第１の送信システムの構成に加えて、第２のストリームのデータを含む第４のパケットをさらに生成し、第４のパケットを第１の送信ビームとは異なる第４の送信ビームを用いて第４の期間に送信し、第４の期間の少なくとも一部は第１の期間と重複している。
【０４９４】
なお、上記の説明では、第１の期間と第２の期間は互いに重複していないと説明したが、第１の期間と第２の期間は一部が互いに重複していてもよいし、第１の期間の全部が第２の期間と重複していてもよいし、第１の期間の全部が第２の期間の全部と互いに重複していてもよい。
【０４９５】
また、第５の基地局または第５の送信システムは、第１のストリームのデータを含むパケット群を一つまたは複数生成し、パケット群毎に互いに異なる送信ビームを用いて送信し、端末から送信される信号に基づいて生成するパケット群の数を増加、または減少させるとしてもよい。
【０４９６】
なお、上述において、「ストリーム」と記載しているが、本明細書の他の箇所で記載しているように、図３１、図３２の「ストリーム１−１データシンボル（Ｍ）２５０１−１−Ｍ、および、ストリーム１−１データシンボル（Ｍ＋１）２５０１−１−（Ｍ＋１）、および、ストリーム１−１データシンボル（Ｍ＋２）２５０１−１−（Ｍ＋２）、および、ストリーム１−２データシンボル（１）３１０１−１、および、ストリーム１−２データシンボル（２）３１０１−２、ストリーム１−２データシンボル（３）３１０１−３」、および、図３５の「ストリーム１−１データシンボル（Ｍ）２５０１−１−Ｍ、および、ストリーム１−１データシンボル（Ｍ＋１）２５０１−１−（Ｍ＋１）、ストリーム１−１データシンボル（Ｍ＋２）２５０１−１−（Ｍ＋２）、および、ストリーム１−２データシンボル（Ｎ）３１０１−Ｎ、および、ストリーム１−２データシンボル（Ｎ＋１）３１０１−（Ｎ＋１）、および、ストリーム１−２データシンボル（Ｎ＋２）３１０１−（Ｎ＋２）」は、ある端末宛のデータシンボルを含むシンボルであってもよいし、制御情報シンボルを含むシンボルであってもよいし、マルチキャスト用のデータシンボルを含むシンボルであってもよい。
【０４９７】
（実施の形態４）
本実施の形態では、実施の形態１から実施の形態３で説明した通信システムの具体的な例について説明する。
【０４９８】
本実施の形態における通信システムは、（複数の）基地局と複数の端末で構成されているものとする。例えば、図７、図１２、図１７、図１９、図２０、図２６、図２９などにおける基地局７００と端末７０４−１、７０４−２などにより構成された通信システムを考える。
【０４９９】
図３７は、基地局（７００）の構成の一例を示している。
【０５００】
論理チャネル生成部３７０３は、データ３７０１および制御データ３７０２を入力とし、論理チャネル信号３７０４を出力する。論理チャネル信号３７０４は、例えば、制御用の論理チャネルである「ＢＣＣＨ（Broadcast Control Channel）、ＰＣＣＨ（Paging Control Channel）、ＣＣＣＨ（Common Control Channel）、ＭＣＣＨ（Multicast Control Channel）、ＤＣＣＨ（Dedicated Control Channel）」、データ用の論理チャネルである「ＤＴＣＨ（Dedicated Traffic Channel）、ＭＴＣＨ（Multicast Traffic Channel）」などで構成されているものとする。
【０５０１】
なお、「ＢＣＣＨは、下りリンク、システム制御情報の報知用チャネル」であり、「ＰＣＣＨは、下りリンク、ページング情報用チャネル」であり、「ＣＣＣＨは、下りリンク、ＲＲＣ（Radio Resource Control）接続が存在しないときに使用する共通制御チャネル」であり、「ＭＣＣＨは、下りリンク、１対多のＭＢＭＳ（Multimedia Broadcast Multicast Service）のためのマルチキャスト・チャネルスケジューリング、制御用チャネル」であり、「ＤＣＣＨは、下りリンク、ＲＲＣ接続をもつ端末に使用される専用制御チャネル」であり、「ＤＴＣＨは、下りリンク、１台の端末ＵＥ（User Equipment）への専用トラフィック・チャネル、ユーザ・データ専用チャネル」であり、「ＭＴＣＨは、下りリンク、１対多のＭＢＭＳユーザ・データ用チャネル」である。
【０５０２】
トランスポートチャネル生成部３７０５は、論理チャネル信号３７０４を入力とし、トランスポートチャネル信号３７０６を生成し、出力する。トランスポートチャネル信号３７０６は、例えば、ＢＣＨ（Broadcast Channel）、ＤＬ−ＳＣＨ（Downlink Shared Channel）、ＰＣＨ（Paging Channel）、ＭＣＨ（Multicast Channel）などで構成されているものとする。
【０５０３】
なお、「ＢＣＨは、セル全域にわたって報知されるシステム情報用チャネル」であり、「ＤＬ−ＳＣＨは、ユーザ・データ、制御情報とシステム情報を用いるチャネル」であり、「ＰＣＨは、セル全域にわたって放置されるページング情報用チャネル」であり、「ＭＣＨは、セル全域にわたって報知されるＭＢＭＳトラフィックならびに制御用チャネル」である。
【０５０４】
物理チャネル生成部３７０７は、トランスポートチャネル信号３７０６を入力とし、物理チャネル信号３７０８を生成し、出力する。物理チャネル信号３７０８は、例えば、ＰＢＣＨ（Physical; Broadcast Channel）、ＰＭＣＨ（Physical Multicast Channel）、ＰＤＳＣＨ（Physical Downlink Shared Channel）、ＰＤＣＣＨ（Physical Downlink Control Channel）などで構成されているものとする。
【０５０５】
なお、「ＰＢＣＨは、ＢＣＨトランスポート・チャネルの伝送用」であり、「ＰＭＣＨは、ＭＣＨトランスポート・チャネル伝送用」であり、「ＰＤＳＣＨは、ＤＬ−ＳＣＨならびにトランスポート・チャネルの伝送用」であり、「ＰＤＣＣＨは下りリンクＬ１（Layer 1）／Ｌ２（Layer 2）制御信号の伝送用」である。
【０５０６】
変調信号生成部３７０９は、物理チャネル信号３７０８を入力とし、物理チャネル信号３７０８に基づいた変調信号３７１０を生成し、出力する。そして、基地局７００は、変調信号３７１０を、電波として送信することになる。
【０５０７】
まず、基地局が、複数の端末とユニキャスト通信、つまり、個別通信を行っている場合を考える。
【０５０８】
このとき、例えば、図９の９０１−１のストリーム１のシンボル群＃１、および、９０１−２のストリーム１のシンボル群＃２、および、９０１−３のストリーム１のシンボル群＃３が、ブロードキャストチャネル（つまり、基地局が複数の端末とデータ通信を行うために、基地局が複数の端末に対してブロードキャスト送信を行う制御情報）であってもよい。なお、制御情報とは、例えば、基地局と端末がデータ通信を実現するために必要となる制御情報であるものとする。
【０５０９】
ここで、ブロードキャストチャネルについて説明する。ブロードキャストチャネルは、物理チャネル（物理チャネル信号３７０８）における、「ＰＢＣＨ」、「ＰＭＣＨ」、および、「ＰＤ−ＳＣＨの一部」が該当することになる。
【０５１０】
また、ブロードキャストチャネルは、トランスポートチャネル（トランスポートチャネル信号３７０６）における、「ＢＣＨ」、「ＤＬ−ＳＣＨの一部」、「ＰＣＨ」、「ＭＣＨ」が該当することになる。
【０５１１】
そして、ブロードキャストチャネルは、論理チャネル（論理チャネル信号３７０４）における、「ＢＣＣＨ」、「ＣＣＣＨ」、「ＭＣＣＨ」、「ＤＴＣＨの一部」、「ＭＴＣＨ」が該当することになる。
【０５１２】
同様に、例えば、図９の９０２−１のストリーム２のシンボル群＃１、および、９０２−２のストリーム２のシンボル群＃２、および、９０２−３のストリーム２のシンボル群＃３が、ブロードキャストチャネル（つまり、基地局が複数の端末とデータ通信を行うために、基地局が複数の端末に対してブロードキャスト送信を行う制御情報）であってもよい。なお、制御情報とは、例えば、基地局と端末がデータ通信を実現するために必要となる制御情報であるものとする。
【０５１３】
なお、ブロードキャストチャネルは、物理チャネル（物理チャネル信号３７０８）における、「ＰＢＣＨ」、「ＰＭＣＨ」、および、「ＰＤ−ＳＣＨの一部」が該当することになる。
【０５１４】
また、ブロードキャストチャネルは、トランスポートチャネル（トランスポートチャネル信号３７０６）における、「ＢＣＨ」、「ＤＬ−ＳＣＨの一部」、「ＰＣＨ」、「ＭＣＨ」が該当することになる。
【０５１５】
そして、ブロードキャストチャネルは、論理チャネル（論理チャネル信号３７０４）における、「ＢＣＣＨ」、「ＣＣＣＨ」、「ＭＣＣＨ」、「ＤＴＣＨの一部」、「ＭＴＣＨ」が該当することになる。
【０５１６】
このとき、図９の９０１−１のストリーム１のシンボル群＃１、および、９０１−２のストリーム１のシンボル群＃２、および、９０１−３のストリーム１のシンボル群＃３の特徴については、これまでに説明した実施の形態に記載したとおりであり、また、図９の９０２−１のストリーム２のシンボル群＃１、および、９０２−２のストリーム２のシンボル群＃２、および、９０２−３のストリーム２のシンボル群＃３の特徴については、これまでに説明した実施の形態に記載したとおりである。
【０５１７】
なお、図９のストリーム２のシンボル群＃１（９０２−１）、ストリーム２のシンボル群＃２（９０２−２）、ストリーム２のシンボル群＃３（９０２−３）など、ストリーム２を送信しない場合があってもよい。特に、ブロードキャストチャネルの信号を送信する場合、ストリーム２のシンボル群を、基地局が送信しないとしてもよい（このとき、例えば、図７では、７０３−１、７０３−２、７０３−３を基地局７０１が送信していないことになる。）。
【０５１８】
例えば、図１４の１４０１−１の変調信号１のシンボル群＃１、および、１４０１−２の変調信号１のシンボル群＃２、および、１４０１−３の変調信号１のシンボル群＃３が、ブロードキャストチャネル（つまり、基地局が複数の端末とデータ通信を行うために、基地局が複数の端末に対してブロードキャスト送信を行う制御情報）であってもよい。なお、制御情報とは、例えば、基地局と端末がデータ通信を実現するために必要となる制御情報であるものとする。
【０５１９】
なお、ブロードキャストチャネルは、物理チャネル（物理チャネル信号３７０８）における、「ＰＢＣＨ」、「ＰＭＣＨ」、および、「ＰＤ−ＳＣＨの一部」が該当することになる。
【０５２０】
また、ブロードキャストチャネルは、トランスポートチャネル（トランスポートチャネル信号３７０６）における、「ＢＣＨ」、「ＤＬ−ＳＣＨの一部」、「ＰＣＨ」、「ＭＣＨ」が該当することになる。
【０５２１】
そして、ブロードキャストチャネルは、論理チャネル（論理チャネル信号３７０４）における、「ＢＣＣＨ」、「ＣＣＣＨ」、「ＭＣＣＨ」、「ＤＴＣＨの一部」、「ＭＴＣＨ」が該当することになる。
【０５２２】
例えば、図１４の１４０２−１の変調信号２のシンボル群＃１、および、１４０２−２の変調信号２のシンボル群＃２、および、１４０２−３の変調信号２のシンボル群＃３が、ブロードキャストチャネル（つまり、基地局が複数の端末とデータ通信を行うために、基地局が複数の端末に対してブロードキャスト送信を行う制御情報）であってもよい。なお、制御情報とは、例えば、基地局と端末がデータ通信を実現するために必要となる制御情報であるものとする。
【０５２３】
なお、ブロードキャストチャネルは、物理チャネル（物理チャネル信号３７０８）における、「ＰＢＣＨ」、「ＰＭＣＨ」、および、「ＰＤ−ＳＣＨの一部」が該当することになる。
【０５２４】
また、ブロードキャストチャネルは、トランスポートチャネル（トランスポートチャネル信号３７０６）における、「ＢＣＨ」、「ＤＬ−ＳＣＨの一部」、「ＰＣＨ」、「ＭＣＨ」が該当することになる。
【０５２５】
そして、ブロードキャストチャネルは、論理チャネル（論理チャネル信号３７０４）における、「ＢＣＣＨ」、「ＣＣＣＨ」、「ＭＣＣＨ」、「ＤＴＣＨの一部」、「ＭＴＣＨ」が該当することになる。
【０５２６】
なお、図１４の１４０１−１の変調信号１のシンボル群＃１、および、１４０１−２の変調信号１のシンボル群＃２、および、１４０１−３の変調信号１のシンボル群＃３の特徴については、これまでに説明した実施の形態に記載したとおりであり、図１４の１４０２−１の変調信号２のシンボル群＃１、および、１４０２−２の変調信号２のシンボル群＃２、および、１４０２−３の変調信号２のシンボル群＃３の特徴については、これまでに説明した実施の形態に記載したとおりである。
【０５２７】
例えば、図２５の２５０１−１−１のストリーム１−１データシンボル（１）、および、２５０１−１−２のストリーム１−１データシンボル（２）、および、２５０１−１−３のストリーム１−１データシンボル（３）が、ブロードキャストチャネル（つまり、基地局が複数の端末とデータ通信を行うために、基地局が複数の端末に対してブロードキャスト送信を行う制御情報）であってもよい。なお、制御情報とは、例えば、基地局と端末がデータ通信を実現するために必要となる制御情報であるものとする。
【０５２８】
なお、ブロードキャストチャネルは、物理チャネル（物理チャネル信号３７０８）における、「ＰＢＣＨ」、「ＰＭＣＨ」、および、「ＰＤ−ＳＣＨの一部」が該当することになる。
【０５２９】
また、ブロードキャストチャネルは、トランスポートチャネル（トランスポートチャネル信号３７０６）における、「ＢＣＨ」、「ＤＬ−ＳＣＨの一部」、「ＰＣＨ」、「ＭＣＨ」が該当することになる。
【０５３０】
そして、ブロードキャストチャネルは、論理チャネル（論理チャネル信号３７０４）における、「ＢＣＣＨ」、「ＣＣＣＨ」、「ＭＣＣＨ」、「ＤＴＣＨの一部」、「ＭＴＣＨ」が該当することになる。
【０５３１】
なお、図２５の２５０１−１−１のストリーム１−１データシンボル（１）、および、２５０１−１−２のストリーム１−１データシンボル（２）、および、２５０１−１−３のストリーム１−１データシンボル（３）の特徴については、これまでに説明した実施の形態に記載したとおりである。
【０５３２】
例えば、図３１、図３２の２５０１−１−Ｍのストリーム１−１データシンボル（Ｍ）、および、２５０１−１−（Ｍ＋１）のストリーム１−１データシンボル（Ｍ＋１）、および、２５０１−１−（Ｍ＋２）のストリーム１−１データシンボル（Ｍ＋２）、および、３１０１−１のストリーム１−２データシンボル（１）、および、３１０１−２のストリーム１−２データシンボル（２）、３１０１−３のストリーム１−２データシンボル（３）が、ブロードキャストチャネル（つまり、基地局が複数の端末とデータ通信を行うために、基地局が複数の端末に対してブロードキャスト送信を行う制御情報）であってもよい。なお、制御情報とは、例えば、基地局と端末がデータ通信を実現するために必要となる制御情報であるものとする。
【０５３３】
なお、ブロードキャストチャネルは、物理チャネル（物理チャネル信号３７０８）における、「ＰＢＣＨ」、「ＰＭＣＨ」、および、「ＰＤ−ＳＣＨの一部」が該当することになる。
【０５３４】
また、ブロードキャストチャネルは、トランスポートチャネル（トランスポートチャネル信号３７０６）における、「ＢＣＨ」、「ＤＬ−ＳＣＨの一部」、「ＰＣＨ」、「ＭＣＨ」が該当することになる。
【０５３５】
そして、ブロードキャストチャネルは、論理チャネル（論理チャネル信号３７０４）における、「ＢＣＣＨ」、「ＣＣＣＨ」、「ＭＣＣＨ」、「ＤＴＣＨの一部」、「ＭＴＣＨ」が該当することになる。
【０５３６】
なお、図３１、図３２の２５０１−１−Ｍのストリーム１−１データシンボル（Ｍ）、および、２５０１−１−（Ｍ＋１）のストリーム１−１データシンボル（Ｍ＋１）、および、２５０１−１−（Ｍ＋２）のストリーム１−１データシンボル（Ｍ＋２）、および、３１０１−１のストリーム１−２データシンボル（１）、および、３１０１−２のストリーム１−２データシンボル（２）、３１０１−３のストリーム１−２データシンボル（３）の特徴については、これまでに説明した実施の形態に記載したとおりである。
【０５３７】
例えば、図３５において、２５０１−１−Ｍのストリーム１−１データシンボル（Ｍ）、および、２５０１−１−（Ｍ＋１）のストリーム１−１データシンボル（Ｍ＋１）、２５０１−１−（Ｍ＋２）のストリーム１−１データシンボル（Ｍ＋２）、および、３１０１−Ｎのストリーム１−２データシンボル（Ｎ）、および、３１０１−（Ｎ＋１）のストリーム１−２データシンボル（Ｎ＋１）、および、３１０１−（Ｎ＋２）のストリーム１−２データシンボル（Ｎ＋２）が、ブロードキャストチャネル（つまり、基地局が複数の端末とデータ通信を行うために、基地局が複数の端末に対してブロードキャスト送信を行う制御情報）であってもよい。なお、制御情報とは、例えば、基地局と端末がデータ通信を実現するために必要となる制御情報であるものとする。
【０５３８】
なお、ブロードキャストチャネルは、物理チャネル（物理チャネル信号３７０８）における、「ＰＢＣＨ」、「ＰＭＣＨ」、および、「ＰＤ−ＳＣＨの一部」が該当することになる。
【０５３９】
また、ブロードキャストチャネルは、トランスポートチャネル（トランスポートチャネル信号３７０６）における、「ＢＣＨ」、「ＤＬ−ＳＣＨの一部」、「ＰＣＨ」、「ＭＣＨ」が該当することになる。
【０５４０】
そして、ブロードキャストチャネルは、論理チャネル（論理チャネル信号３７０４）における、「ＢＣＣＨ」、「ＣＣＣＨ」、「ＭＣＣＨ」、「ＤＴＣＨの一部」、「ＭＴＣＨ」が該当することになる。
【０５４１】
例えば、図３５の３５０１−１のストリーム２−１データシンボル（１）、および、３５０１−２のストリーム２−１データシンボル（２）、および、３５０１−３のストリーム２−１データシンボル（３）が、ブロードキャストチャネル（つまり、基地局が複数の端末とデータ通信を行うために、基地局が複数の端末に対してブロードキャスト送信を行う制御情報）であってもよい。なお、制御情報とは、例えば、基地局と端末がデータ通信を実現するために必要となる制御情報であるものとする。
【０５４２】
なお、ブロードキャストチャネルは、物理チャネル（物理チャネル信号３７０８）における、「ＰＢＣＨ」、「ＰＭＣＨ」、および、「ＰＤ−ＳＣＨの一部」が該当することになる。
【０５４３】
また、ブロードキャストチャネルは、トランスポートチャネル（トランスポートチャネル信号３７０６）における、「ＢＣＨ」、「ＤＬ−ＳＣＨの一部」、「ＰＣＨ」、「ＭＣＨ」が該当することになる。
【０５４４】
そして、ブロードキャストチャネルは、論理チャネル（論理チャネル信号３７０４）における、「ＢＣＣＨ」、「ＣＣＣＨ」、「ＭＣＣＨ」、「ＤＴＣＨの一部」、「ＭＴＣＨ」が該当することになる。
【０５４５】
なお、図３５において、２５０１−１−Ｍのストリーム１−１データシンボル（Ｍ）、および、２５０１−１−（Ｍ＋１）のストリーム１−１データシンボル（Ｍ＋１）、２５０１−１−（Ｍ＋２）のストリーム１−１データシンボル（Ｍ＋２）、および、３１０１−Ｎのストリーム１−２データシンボル（Ｎ）、および、３１０１−（Ｎ＋１）のストリーム１−２データシンボル（Ｎ＋１）、および、３１０１−（Ｎ＋２）のストリーム１−２データシンボル（Ｎ＋２）の特徴については、これまでに説明した実施の形態に記載したとおりであり、図３５の３５０１−１のストリーム２−１データシンボル（１）、および、３５０１−２のストリーム２−１データシンボル（２）、および、３５０１−３のストリーム２−１データシンボル（３）の特徴については、これまでに説明した実施の形態に記載したとおりである。
【０５４６】
図９、図１４、図２５、図３１、図３２、図３５において、各データシンボルを送信する際、シングルキャリアの伝送方法を用いてもよいし、ＯＦＤＭなどのマルチキャリアの伝送方式を用いてもよい。また、データシンボルの時間的な位置は、図９、図１４、図２５、図３１、図３２、図３５に限ったものではない。
【０５４７】
また、図２５、図３１、図３２、図３５において、横軸を時間として説明しているが、横軸を周波数（キャリア）としても、同様に実施することが可能である。なお、横軸を周波数（キャリア）としたとき、基地局は、各データシンボルを、１つ以上のキャリア、または、サブキャリアを用いて、送信することになる。
【０５４８】
なお、図９のストリーム１のシンボル群において、端末個別に送信するデータ（ユニキャスト用のデータ）（または、シンボル）が含まれることがあってもよい。同様に、図９のストリーム２のシンボル群において、端末個別に送信するデータ（ユニキャスト用のデータ）（または、シンボル）が含まれることがあってもよい。
【０５４９】
図１４のストリーム１のシンボル群において、端末個別に送信するデータ（ユニキャスト用のデータ）（または、シンボル）が含まれることがあってもよい。同様に、図１４のストリーム２のシンボル群において、端末個別に送信するデータ（ユニキャスト用のデータ）（または、シンボル）が含まれることがあってもよい。
【０５５０】
また、図２５のストリーム１−１のシンボルに、端末個別に送信するデータ（ユニキャスト用のデータ）（または、シンボル）が含まれることがあってもよい。図３１、図３２のストリーム１−１のシンボル、ストリーム１−２のシンボルに、端末個別に送信するデータ（ユニキャスト用のデータ）（または、シンボル）が含まれることがあってもよい。
【０５５１】
そして、ＰＢＣＨは、例えば、「ＵＥがセルサーチ後の最初に読むべき最低限の情報（システム帯域幅、システムフレーム番号、送信アンテナ数など）を送信するために使用される」という構成としてもよい。
【０５５２】
ＰＭＣＨは、例えば、「ＭＢＳＦＮ（Multicast-broadcast single-frequency network）の運用に使用される」という構成としてもよい。
【０５５３】
ＰＤＳＣＨは、例えば、「下りリンクのユーザデータを送信するための共有データチャネルであり、C（control）-plane/U（User）-planeに関係なくすべてのデータを集約して送信される」という構成としてもよい。
【０５５４】
ＰＤＣＣＨは、例えば、「eNodeB（gNodeB）（基地局）がスケジューリングにより選択したユーザに対して、無線リソースの割り当て情報を通知するために使用される」という構成としてもよい。
【０５５５】
以上のように実施することで、マルチキャスト・ブロードキャストデータ伝送において、基地局が、データシンボル、制御情報シンボルを複数の送信ビームを用いて送信し、端末は、複数の送信ビームから、品質のよいビームを選択的に受信し、これに基づき、端末は、データシンボルの受信を行うことで、端末は高いデータの受信品質を得ることができるという効果を得ることができる。
【０５５６】
（実施の形態５）
本実施の形態では、基地局（７００）が送信する図９のストリーム１のシンボル群とストリーム２のシンボル群の構成について補足説明を行う。
【０５５７】
図３８は、基地局（７００）が送信するストリーム１のフレーム構成の一例を示しており、図３８におけるフレーム構成において、横軸は時間であり、縦軸は周波数であり、時刻１から時刻１０、キャリア１からキャリア４０までのフレーム構成を示している。したがって、図３８は、ＯＦＤＭ（Orthogonal Frequency Division Multiplexing）方法のようなマルチキャリア伝送方式のフレーム構成となる。
【０５５８】
図３８におけるストリーム１のシンボル領域３８０１＿１は、時刻１から時刻１０、キャリア１からキャリア９に存在しているものとする。
【０５５９】
ストリーム１のシンボル群＃ｉ（３８００＿ｉ）は、時刻１から時刻１０、キャリア１０からキャリア２０に存在しているものとする。なお、ストリーム１のシンボル群＃ｉ（３８００＿ｉ）は図９のストリーム１のシンボル群＃ｉ（９０１−ｉ）に相当するものとする。
【０５６０】
ストリーム１のシンボル領域３８０１＿２は、時刻１から時刻１０、キャリア２１からキャリア４０に存在しているものとする。
【０５６１】
このとき、例えば、実施の形態４などで説明したように、基地局が、１つ以上の端末に対し、個別のデータを伝送する（ユニキャストする）場合に、図３８のストリーム１のシンボル領域３８０１＿１、３８０１＿２を使用することができる。
【０５６２】
そして、図３８のストリーム１のシンボル群＃ｉ（３８００＿ｉ）は、実施の形態１、実施の形態４などで説明したように、基地局が、マルチキャスト用のデータを伝送するために使用することになる。
【０５６３】
図３９は、基地局（７００）が送信するストリーム２のフレーム構成の一例を示しており、図３９におけるフレーム構成において、横軸は時間であり、縦軸は周波数であり、時刻１から時刻１０、キャリア１からキャリア４０までのフレーム構成を示している。したがって、図３９はＯＦＤＭ方式のようなマルチキャリア伝送方式のフレームとなる。
【０５６４】
図３９におけるストリーム２のシンボル領域３９０１＿１は、時刻１から時刻１０、キャリア１からキャリア９に存在しているものとする。
【０５６５】
ストリーム２のシンボル群＃ｉ（３９００＿ｉ）は、時刻１から時刻１０、キャリア１０からキャリア２０に存在しているものとする。なお、ストリーム２のシンボル群＃ｉ（３９００＿ｉ）は図９のストリーム２のシンボル群＃ｉ（９０２−ｉ）に相当するものとする。
【０５６６】
ストリーム２のシンボル領域３９０１＿２は、時刻１から時刻１０、キャリア２１からキャリア４０に存在しているものとする。
【０５６７】
このとき、例えば、実施の形態４などで説明したように、基地局が、１つ以上の端末に対し、個別のデータ伝送する（ユニキャストする）場合に、図３９のストリーム２のシンボル領域３９０１＿１、３９０１＿２を使用することができる。
【０５６８】
そして、図３９のストリーム２のシンボル群＃ｉ（３９００＿ｉ）は、実施の形態１、実施の形態４などで説明したように、基地局が、マルチキャスト用のデータを伝送するために使用することになる。
【０５６９】
なお、基地局は、図３８における時刻Ｘ（図３８の場合、Ｘは１以上１０以下の整数）、キャリアＹ（図３８の場合Ｙは１以上４０以下の整数）のシンボルと図３９の時刻Ｘ、キャリアＹのシンボルを同一周波数、同一時刻を用いて送信することになる。
【０５７０】
そして、図９の９０１−１のストリーム１のシンボル群＃１、および、９０１−２のストリーム１のシンボル群＃２、および、９０１−３のストリーム１のシンボル群＃３の特徴については、これまでに説明した実施の形態に記載したとおりである。つまり、図３８のストリーム１のシンボル群＃ｉの特徴については、図９のストリーム１のシンボル群と同様であり、これまでに説明した実施の形態に記載したとおりである。
【０５７１】
また、図９の９０２−１のストリーム２のシンボル群＃１、および、９０２−２のストリーム２のシンボル群＃２、および、９０２−３のストリーム２のシンボル群＃３の特徴については、これまでに説明した実施の形態に記載したとおりである。つまり、図３９のストリーム２のシンボル群＃ｉの特徴については、図９のストリーム２のシンボル群と同様であり、これまでに説明した実施の形態に記載したとおりである。
【０５７２】
なお、図３８、図３９のフレーム構成のキャリア１０からキャリア２０における時刻１１以降にシンボルが存在した場合、マルチキャスト伝送用に使用してもよいし、個別データ伝送（ユニキャスト伝送）に使用してもよい。
【０５７３】
また、基地局が、図３８、図３９のフレーム構成で、図９のようなフレームを送信した場合、実施の形態１、実施の形態４で説明した実施を同様に行ってもよい。
【０５７４】
以上のように実施することで、マルチキャスト・ブロードキャストデータ伝送において、基地局が、データシンボル、制御情報シンボルを複数の送信ビームを用いて送信し、端末は、複数の送信ビームから、品質のよいビームを選択的に受信し、これに基づき、端末は、データシンボルの受信を行うことで、端末は高いデータの受信品質を得ることができるという効果を得ることができる。
【０５７５】
（実施の形態６）
本実施の形態では、基地局（７００）が送信する図１４の変調信号１のシンボル群と変調信号２のシンボル群の構成について補足説明を行う。
【０５７６】
図４０は、基地局（７００）が送信する変調信号１のフレーム構成の一例を示しており、図４０におけるフレーム構成において、横軸は時間であり、縦軸は周波数であり、時刻１から時刻１０、キャリア１からキャリア４０までのフレーム構成を示している。したがって、図４０は、ＯＦＤＭ（Orthogonal Frequency Division Multiplexing）方法のようなマルチキャリア伝送方式のフレーム構成となる。
【０５７７】
図４０における変調信号１のシンボル領域４００１＿１は、時刻１から時刻１０、キャリア１からキャリア９に存在しているものとする。
【０５７８】
変調信号１のシンボル群＃ｉ（４０００＿ｉ）は、時刻１から時刻１０、キャリア１０からキャリア２０に存在しているものとする。なお、変調信号１のシンボル群＃ｉ（４０００＿ｉ）は図１４の変調信号１のシンボル群＃ｉ（１４０１−ｉ）に相当するものとする。
【０５７９】
変調信号１のシンボル領域４００１＿２は、時刻１から時刻１０、キャリア２１からキャリア４０に存在しているものとする。
【０５８０】
このとき、例えば、実施の形態４などで説明したように、基地局が、１つ以上の端末に対し、個別のデータを伝送する（ユニキャストする）場合に、図４０のストリーム１のシンボル領域４００１＿１、４００１＿２を使用することができる。
【０５８１】
そして、図４０の変調信号１のシンボル群＃ｉ（４０００＿ｉ）は、実施の形態１、実施の形態４などで説明したように、基地局が、マルチキャスト用のデータを伝送するために使用することになる。
【０５８２】
図４１は、基地局（７００）が送信する変調信号２のフレーム構成の一例を示しており、図４１におけるフレーム構成において、横軸は時間であり、縦軸は周波数であり、時刻１から時刻１０、キャリア１からキャリア４０までのフレーム構成を示している。したがって、図４１はＯＦＤＭ方式のようなマルチキャリア伝送方式のフレームとなる。
【０５８３】
図４１における変調信号２のシンボル領域４１０１＿１は、時刻１から時刻１０、キャリア１からキャリア９に存在しているものとする。
【０５８４】
変調信号２のシンボル群＃ｉ（４１００＿ｉ）は、時刻１から時刻１０、キャリア１０からキャリア２０に存在しているものとする。なお、変調信号２のシンボル群＃ｉ（４１００＿ｉ）は図１４の変調信号２のシンボル群＃ｉ（１４０２−ｉ）に相当するものとする。
【０５８５】
変調信号２のシンボル領域４１０１＿２は、時刻１から時刻１０、キャリア２１からキャリア４０に存在しているものとする。
【０５８６】
このとき、例えば、実施の形態４などで説明したように、基地局が、１つ以上の端末に対し、個別のデータ伝送する（ユニキャストする）場合に、図４１の変調信号２のシンボル領域４１０１＿１、４１０１＿２を使用することができる。
【０５８７】
そして、図４１の変調信号２のシンボル群＃ｉ（４１００＿ｉ）は、実施の形態１、実施の形態４などで説明したように、基地局が、マルチキャスト用のデータを伝送するために使用することになる。
【０５８８】
なお、基地局は、図４０における時刻Ｘ（図４０の場合、Ｘは１以上１０以下の整数）、キャリアＹ（図４０の場合Ｙは１以上４０以下の整数）のシンボルと、図４１の時刻Ｘ、キャリアＹのシンボルを同一周波数、同一時刻を用いて送信することになる。
【０５８９】
そして、図１４の１４０１＿１のストリーム１のシンボル群＃１、および、１４０１＿２の変調信号１のシンボル群＃２、および、１４０１＿３の変調信号１のシンボル群＃３の特徴については、これまでに説明した実施の形態に記載したとおりである。つまり、図４０の変調信号１のシンボル群＃ｉの特徴については、図１４の変調信号１のシンボル群と同様であり、これまでに説明した実施の形態に記載したとおりである。
【０５９０】
また、図１４の１４０２＿１の変調信号２のシンボル群＃１、および、１４０２＿２の変調信号２のシンボル群＃２、および、１４０２＿３の変調信号２のシンボル群＃３の特徴については、これまでに説明した実施の形態に記載したとおりである。つまり、図４１の変調信号２のシンボル群＃ｉの特徴については、図１４の変調信号２のシンボル群と同様であり、これまでに説明した実施の形態に記載したとおりである。
【０５９１】
なお、図４０、図４１のフレーム構成のキャリア１０からキャリア２０における時刻１１以降にシンボルが存在した場合、マルチキャスト伝送用に使用してもよいし、個別データ伝送（ユニキャスト伝送）に使用してもよい。
【０５９２】
また、基地局が、図４０、図４１のフレーム構成で、図１４のようなフレームを送信した場合、実施の形態１、実施の形態４で説明した実施を同様に行ってもよい。
【０５９３】
上述の説明における図３８のストリーム１のシンボル領域３８０１＿１、３８０１＿２、図３９のストリーム２のシンボル領域３９０１＿１、３９０１＿２、図４０の変調信号１のシンボル領域４００１＿１、４００１＿２、図４１の変調信号２のシンボル領域４１０１＿１、４１０２＿２の使用方法の例について説明する。
【０５９４】
図４２は、「図３８のストリーム１のシンボル領域３８０１＿１、３８０１＿２、図３９のストリーム２のシンボル領域３９０１＿１、３９０１＿２、図４０の変調信号１のシンボル領域４００１＿１、４００１＿２、図４１の変調信号２のシンボル領域４１０１＿１、４１０２＿２」の端末への割り当ての一例を示している。なお、図４２において、横軸は時間であり、縦軸は周波数（キャリア）である。
【０５９５】
図４２に示すように、例えば、「図３８のストリーム１のシンボル領域３８０１＿１、３８０１＿２、図３９のストリーム２のシンボル領域３９０１＿１、３９０１＿２、図４０の変調信号１のシンボル領域４００１＿１、４００１＿２、図４１の変調信号２のシンボル領域４１０１＿１、４１０２＿２」を周波数分割し、端末に対し割り当てを行う。そして、４２０１＿１は端末＃１用に割り当てられたシンボル群であり、４２０１＿２は端末＃２用に割り当てられたシンボル群であり、４２０１＿３は端末＃３用に割り当てられたシンボル群である。
【０５９６】
例えば、基地局（７００）は、端末＃１、端末＃２、端末＃３と通信を行っており、基地局が端末＃１に対してデータを伝送する場合、図４２の「端末＃１用に割り当てられたシンボル群４２０１＿１」を用いて、基地局は端末＃１にデータを伝送することになる。そして、基地局が端末＃２に対してデータを伝送する場合、図４２の「端末＃２用に割り当てられたシンボル群４２０１＿２」を用いて、基地局は端末＃２にデータを伝送することになる。基地局が端末＃３に対してデータを伝送する場合、図４２の「端末＃３用に割り当てられたシンボル群４２０１＿３」を用いて、基地局は端末＃３にデータを伝送することになる。
【０５９７】
なお、端末への割り当て方法は、図４２に限ったものではなく、周波数帯域（キャリア数）は時間により変化してもよいし、また、どのように設定してもよい。そして、時間とともに端末への割り当て方法を変更してもよい。
【０５９８】
図４３は、「図３８のストリーム１のシンボル領域３８０１＿１、３８０１＿２、図３９のストリーム２のシンボル領域３９０１＿１、３９０１＿２、図４０の変調信号１のシンボル領域４００１＿１、４００１＿２、図４１の変調信号２のシンボル領域４１０１＿１、４１０２＿２」の端末への割り当ての図４２とは異なる例である。なお、図４３において、横軸は時間であり縦軸は周波数（キャリア）である。
【０５９９】
図４３に示すように、例えば、「図３８のストリーム１のシンボル領域３８０１＿１、３８０１＿２、図３９のストリーム２のシンボル領域３９０１＿１、３９０１＿２、図４０の変調信号１のシンボル領域４００１＿１、４００１＿２、図４１の変調信号２のシンボル領域４１０１＿１、４１０２＿２」を時間、周波数分割を行い、端末に対し割り当てを行う。そして、４３０１＿１は端末＃１用に割り当てられたシンボル群であり、４３０１＿２は端末＃２用に割り当てられたシンボル群であり、４３０１＿３は端末＃３用に割り当てられたシンボル群であり、４３０１＿４は端末＃４用に割り当てられたシンボル群であり、４３０１＿５は端末＃５用に割り当てられたシンボル群であり、４３０１＿６は端末＃６用に割り当てられたシンボル群である。
【０６００】
例えば、基地局（７００）は、端末＃１、端末＃２、端末＃３、端末＃４、端末＃５、端末＃６と通信を行っており、基地局が端末＃１に対してデータを伝送する場合、図４３の「端末＃１用に割り当てられたシンボル群４３０１＿１」を用いて、基地局は端末＃１にデータを伝送することになる。そして、基地局が端末＃２に対してデータを伝送する場合、図４３の「端末＃２用に割り当てられたシンボル群４３０１＿２」を用いて、基地局は端末＃２にデータを伝送することになる。基地局が端末＃３に対してデータを伝送する場合、図４３の「端末＃３用に割り当てられたシンボル群４３０１＿３」を用いて、基地局は端末＃３にデータを伝送することになる。基地局が端末＃４に対してデータを伝送する場合、図４３の「端末＃４用に割り当てられたシンボル群４３０１＿４」を用いて、基地局は端末＃４にデータを伝送することになる。基地局が端末＃５に対してデータを伝送する場合、図４３の「端末＃５用に割り当てられたシンボル群４３０１＿５」を用いて、基地局は端末＃５にデータを伝送することになる。基地局が端末＃６に対してデータを伝送する場合、図４３の「端末＃６用に割り当てられたシンボル群４３０１＿６」を用いて、基地局は端末＃６にデータを伝送することになる。
【０６０１】
なお、端末への割り当て方法は、図４３に限ったものではなく、周波数帯域（キャリア数）、時間幅は変化してもよいし、また、どのように設定してもよい。そして、時間とともに端末への割り当て方法を変更してもよい。
【０６０２】
また、図３８、図３９、図４０、図４１におけるストリーム１のシンボル領域、ストリーム２のシンボル領域、変調信号１のシンボル領域、変調信号２のシンボル領域では、キャリアごとに異なる重み付け合成を行ってもよいし、複数のキャリアを単位として、重み付け合成方法を決定してもよい。また、図４３、図４４のように割り当てた端末ごとに重み付け合成のパラメータを設定してもよい。キャリアにおける重み付け合成の方法の設定は、これらの例に限ったものではない。
【０６０３】
以上のように実施することで、マルチキャスト・ブロードキャストデータ伝送において、基地局が、データシンボル、制御情報シンボルを複数の送信ビームを用いて送信し、端末は、複数の送信ビームから、品質のよいビームを選択的に受信し、これに基づき、端末は、データシンボルの受信を行うことで、端末は高いデータの受信品質を得ることができるという効果を得ることができる。
【０６０４】
（実施の形態７）
本明細書において、図７、図１２、図１７、図１８、図１９、図２０、図２２における基地局７００、他の実施の形態で説明した基地局の構成として、図４４のような構成であってもよい。
【０６０５】
以下では、図４４の基地局の動作について説明を行う。図４４において、図１、図３と同様に動作するものについては、同一番号を付しており、説明を省略する。
【０６０６】
重み付け合成部３０１は、信号処理後の信号１０３＿１、１０３＿２、・・・、１０３＿Ｍ、および、制御信号１５９を入力とし、制御信号１５９に基づき、重み付け合成を行い、重み付け合成信号４４０１＿１、４４０１＿２、・・・、４４０１＿Ｋを出力する。なお、Ｍは２以上の整数とし、Ｋは２以上の整数とする。
【０６０７】
例えば、信号処理後の信号１０３＿ｉ（ｉは１以上Ｍ以下の整数）をｕｉ（ｔ）（ｔは時間）、重み付け合成後の信号４４０１＿ｇ（ｇは１以上Ｋ以下の整数）をｖｇ（ｔ）とあらわすと、ｖｇ（ｔ）は次式であらわすことができる。
【０６０８】
【数７】
2020067242.tif 000009
【０６０９】
無線部１０４＿ｇは、重み付け合成後の信号４４０１＿ｇ、制御信号１５９を入力とし、制御信号１５９に基づいて、所定の処理を行い、送信信号１０５＿ｇを生成し、出力する。そして、送信信号１０５＿ｇはアンテナ３０３＿１から送信される。
【０６１０】
なお、基地局が対応している送信方法は、ＯＦＤＭなどのマルチキャリア方式であってもよいし、シングルキャリア方式であってもよい。また、基地局は、マルチキャリア方式、シングルキャリア方式の両者に対応していてもよい。このときシングルキャリア方式の変調信号を生成する方法は、複数あり、いずれの方式の場合についても実施が可能である。例えば、シングルキャリア方式の例として、「DFT（Discrete Fourier Transform）-Spread OFDM（Orthogonal Frequency Division Multiplexing）」、「Trajectory Constrained DFT-Spread OFDM」、「OFDM based SC（Single Carrier）」、「SC（Single Carrier）-FDMA（Frequency Division Multiple Access）」、「Guard interval DFT-Spread OFDM」などがある。
【０６１１】
式（７）では、時間の関数で記載しているが、ＯＦＤＭ方式などのマルチキャリア方式の場合、時間に加え周波数の関数であってもよい。
【０６１２】
例えば、ＯＦＤＭ方式において、キャリアごとに異なる重み付け合成を行ってもよいし、複数のキャリアを単位として、重み付け合成方法を決定してもよい。キャリアにおける重み付け合成の方法の設定は、これらの例に限ったものではない。
【０６１３】
（補足６）
当然であるが、本明細書において説明した実施の形態、補足などのその他の内容を複数組み合わせて、実施してもよい。
【０６１４】
そして、基地局の構成として、例として、図１、図３に限ったものではなく、複数の送信アンテナを持ち、複数の送信ビーム（送信指向性ビーム）を生成し、送信する基地局であれば、本開示を実施することが可能である。
【０６１５】
また、各実施の形態については、あくまでも例であり、例えば、「変調方式、誤り訂正符号化方式（使用する誤り訂正符号、符号長、符号化率等）、制御情報など」を例示していても、別の「変調方式、誤り訂正符号化方式（使用する誤り訂正符号、符号長、符号化率等）、制御情報など」を適用した場合でも同様の構成で実施することが可能である。
【０６１６】
変調方式については、本明細書で記載している変調方式以外の変調方式を使用しても、本明細書において説明した実施の形態、その他の内容を実施することが可能である。例えば、ＡＰＳＫ（例えば、16APSK, 64APSK, 128APSK, 256APSK, 1024APSK, 4096APSKなど）、ＰＡＭ（例えば、4PAM, 8PAM, 16PAM, 64PAM, 128PAM, 256PAM, 1024PAM, 4096PAMなど）、ＰＳＫ（例えば、BPSK, QPSK, 8PSK, 16PSK, 64PSK, 128PSK, 256PSK, 1024PSK, 4096PSKなど）、ＱＡＭ（例えば、4QAM, 8QAM, 16QAM, 64QAM, 128QAM, 256QAM, 1024QAM, 4096QAMなど）などを適用してもよいし、各変調方式において、均一マッピング、非均一マッピングとしてもよい。また、Ｉ−Ｑ平面における２個、４個、８個、１６個、６４個、１２８個、２５６個、１０２４個等の信号点の配置方法（２個、４個、８個、１６個、６４個、１２８個、２５６個、１０２４個等の信号点をもつ変調方式）は、本明細書で示した変調方式の信号点配置方法に限ったものではない。
【０６１７】
本明細書において、送信装置を具備しているのは、例えば、放送局、基地局、アクセスポイント、端末、携帯電話（ｍｏｂｉｌｅ  ｐｈｏｎｅ）等の通信・放送機器であることが考えられ、このとき、受信装置を具備しているのは、テレビ、ラジオ、端末、パーソナルコンピュータ、携帯電話、アクセスポイント、基地局等の通信機器であることが考えられる。また、本開示における送信装置、受信装置は、通信機能を有している機器であって、その機器が、テレビ、ラジオ、パーソナルコンピュータ、携帯電話等のアプリケーションを実行するための装置に何らかのインターフェースを解して接続できるような形態であることも考えられる。また、本実施の形態では、データシンボル以外のシンボル、例えば、パイロットシンボル（プリアンブル、ユニークワード、ポストアンブル、リファレンスシンボル等）、制御情報用のシンボルなどが、フレームにどのように配置されていてもよい。そして、ここでは、パイロットシンボル、制御情報用のシンボルと名付けているが、どのような名付け方を行ってもよく、機能自身が重要となっている。
【０６１８】
パイロットシンボルは、例えば、送受信機において、ＰＳＫ変調を用いて変調した既知のシンボルであればよく、受信機は、このシンボルを用いて、周波数同期、時間同期、各変調信号のチャネル推定（ＣＳＩ（Channel State Information）の推定）、信号の検出等を行う。または、パイロットシンボルは、受信機が同期することによって、受信機は、送信機が送信したシンボルを知ることができてもよい。
【０６１９】
また、制御情報用のシンボルは、データ（アプリケーション等のデータ）以外の通信を実現するための、通信相手に伝送する必要がある情報（例えば、通信に用いている変調方式、誤り訂正符号化方式、誤り訂正符号化方式の符号化率、上位レイヤーでの設定情報等）を伝送するためのシンボルである。
【０６２０】
なお、本開示は各実施の形態に限定されず、種々変更して実施することが可能である。例えば、各実施の形態では、通信装置として行う場合について説明しているが、これに限られるものではなく、この通信方法をソフトウェアとして行うことも可能である。
【０６２１】
なお、例えば、上記通信方法を実行するプログラムを予めＲＯＭに格納しておき、そのプログラムをＣＰＵによって動作させるようにしても良い。
【０６２２】
また、上記通信方法を実行するプログラムをコンピュータで読み取り可能な記憶媒体に格納し、記憶媒体に格納されたプログラムをコンピュータのＲＡＭに記録して、コンピュータをそのプログラムにしたがって動作させるようにしても良い。
【０６２３】
そして、上記の各実施の形態などの各構成は、典型的には、入力端子及び出力端子を有する集積回路であるＬＳＩとして実現されてもよい。これらは、個別に１チップ化されてもよいし、各実施の形態の全ての構成または一部の構成を含むように１チップ化されてもよい。ここでは、ＬＳＩとしたが、集積度の違いにより、ＩＣ、システムＬＳＩ、スーパーＬＳＩ、ウルトラＬＳＩと呼称されることもある。また、集積回路化の手法はＬＳＩに限られるものではなく、専用回路または汎用プロセッサで実現しても良い。ＬＳＩ製造後に、プログラムすることが可能なＦＰＧＡや、ＬＳＩ内部の回路セルの接続や設定を再構成可能なリコンフィギュラブル・プロセッサを利用しても良い。さらに、半導体技術の進歩又は派生する別技術によりＬＳＩに置き換わる集積回路化の技術が登場すれば、当然、その技術を用いて機能ブロックの集積化を行っても良い。バイオ技術の適応等が可能性としてあり得る。
【０６２４】
本明細書において、種々のフレーム構成について説明した。本明細書で説明したフレーム構成の変調信号を、図１の送信装置を具備する例えば基地局（ＡＰ）が、ＯＦＤＭ方式などのマルチキャリア方式を用いて送信する。このとき、基地局（ＡＰ）と通信を行っている端末（ユーザー）が変調信号を送信する際、端末が送信する変調信号はシングルキャリアの方式であるという適用方法を考えることができる（基地局（ＡＰ）はＯＦＤＭ方式を用いることで、複数の端末に対し、同時にデータシンボル群を送信することができ、また、端末はシングルキャリア方式を用いることにより、消費電力を低減することが可能となる。）。
【０６２５】
また、基地局（ＡＰ）が送信する変調信号が使用する周波数帯域の一部を用いて、端末は変調方式を送信するＴＤＤ（Time Division Duplex）方式を適用してもよい。
【０６２６】
図１のアンテナ部１０６−１、１０６−２、・・・、１０６−Ｍの構成は、実施の形態において説明した構成に限ったものではない。例えば、アンテナ部１０６−１、１０６−２、・・・、１０６−Ｍが、複数のアンテナで構成されていなくてもよく、また、アンテナ部１０６−１、１０６−２、・・・、１０６−Ｍは、信号１５９を入力としなくてもよい。
【０６２７】
図４のアンテナ部４０１−１、４０１−２、・・・、４０１−Ｎの構成は、実施の形態において説明した構成に限ったものではない。例えば、アンテナ部４０１−１、４０１−２、・・・、４０１−Ｎが、複数のアンテナで構成されていなくてもよく、また、アンテナ部４０１−１、４０１−２、・・・、４０１−Ｎは、信号４１０を入力としなくてもよい。
【０６２８】
なお、基地局、端末が対応している送信方法は、ＯＦＤＭなどのマルチキャリア方式であってもよいし、シングルキャリア方式であってもよい。また、基地局は、マルチキャリア方式、シングルキャリア方式の両者に対応していてもよい。このときシングルキャリア方式の変調信号を生成する方法は、複数あり、いずれの方式の場合についても実施が可能である。例えば、シングルキャリア方式の例として、「DFT（Discrete Fourier Transform）-Spread OFDM（Orthogonal Frequency Division Multiplexing）」、「Trajectory Constrained DFT-Spread OFDM」、「OFDM based SC（Single Carrier）」、「SC（Single Carrier）-FDMA（Frequency Division Multiple Access）」、「Guard interval DFT-Spread OFDM」などがある。
【０６２９】
また、図１、図３、図４４における情報＃１（１０１＿１）、情報＃２（１０１＿２）、・・・、情報＃Ｍ（１０１＿Ｍ）の中に、少なくともマルチキャスト（ブロードキャスト）のデータが存在することになる。例えば、図１において、情報＃１（１０１＿１）がマルチキャスト用のデータの場合、このデータを含んだ、複数のストリーム、または、変調信号を信号処理部１０２により生成し、アンテナから出力することになる。
【０６３０】
図３において、情報＃１（１０１＿１）がマルチキャスト用のデータの場合、このデータを含んだ、複数のストリーム、または、変調信号を信号処理部１０２、および／または、重み付け合成部３０１で生成し、アンテナから出力することになる。
【０６３１】
図４４において、情報＃１（１０１＿１）がマルチキャスト用のデータの場合、このデータを含んだ、複数のストリーム、または、変調信号を信号処理部１０２、および／または、重み付け合成部３０１で生成し、アンテナから出力することになる。
【０６３２】
なお、複数ストリームまたは変調信号の様子については、図７、図９、図１２、図１４、図１７、図１８、図１９を用いて説明したとおりである。
【０６３３】
さらに、図１、図３、図４４における情報＃１（１０１＿１）、情報＃２（１０１＿２）、・・・、情報＃Ｍ（１０１＿Ｍ）の中に、個別端末宛のデータを含んでいてもよい。この点については、本明細書の実施の形態で説明したとおりである。
【０６３４】
なお、ＦＰＧＡ（Field Programmable Gate Array）およびＣＰＵ（Central Processing Unit）の少なくとも一方が、本開示において説明した通信方法を実現するために必要なソフトウェアの全部あるいは一部を無線通信または有線通信によりダウンロードできるような構成であってもよい。さらに、更新のためのソフトウェアの全部あるいは一部を無線通信または有線通信によりダウンロードできるような構成であってもよい。そして、ダウンロードしたソフトウェアを記憶部に格納し、格納されたソフトウェアに基づいてＦＰＧＡおよびＣＰＵの少なくとも一方を動作させることにより、本開示において説明したデジタル信号処理を実行するようにしてもよい。
【０６３５】
このとき、ＦＰＧＡおよびＣＰＵの少なくとも一方を具備する機器は、通信モデムと無線または有線で接続し、この機器と通信モデムにより、本開示において説明した通信方法を実現してもよい。
【０６３６】
例えば、本明細書で記載した基地局、ＡＰ、端末などの通信装置が、ＦＰＧＡおよび、ＣＰＵのうち、少なくとも一方を具備しており、ＦＰＧＡ及びＣＰＵの少なくとも一方を動作させるためのソフトウェアを外部から入手するためのインターフェースを通信装置が具備していてもよい。さらに、通信装置が外部から入手したソフトウェアを格納するための記憶部を具備し、格納されたソフトウェアに基づいて、ＦＰＧＡ、ＣＰＵを動作させることで、本開示において説明した信号処理を実現するようにしてもよい。
【０６３７】
（実施の形態Ａ１）
本実施の形態では、本実施の形態に係る通信システムによるネットワークの構築方法について説明する。
【０６３８】
図４５は、ネットワークとゲートウェイの接続の一例を示す図である。図４５を参照しながら、本実施の形態の通信システムについて説明する。
【０６３９】
図４５に示されるように、通信システムは、屋外ゲートウェイ４５０１と、屋内ゲートウェイ４５０２と、屋外ネットワーク４５０３と、屋内ネットワーク４５０４とを備える。
【０６４０】
屋外ゲートウェイ４５０１は、屋外ネットワーク４５０３と通信可能に接続するゲートウェイ装置である。屋外ゲートウェイ４５０１は、通信ＩＦ（インタフェース）４５０１ａと、通信ＩＦ４５０１ｂと、無線受電部４５０１ｃとを備える。屋外ゲートウェイ４５０１は、例えば、コンピュータにより実現され得る。ただし、コンピュータによる構成でなくてもよい。屋外ゲートウェイ４５０１は、第一通信装置に相当する。なお、屋外ゲートウェイ４５０１は、屋外ネットワーク４５０３を構成する１つのノードであってもよい。
【０６４１】
通信ＩＦ４５０１ａは、屋外ネットワーク４５０３に通信可能に接続される通信インタフェース装置である。
【０６４２】
通信ＩＦ４５０１ｂは、屋内ゲートウェイ４５０２に通信可能に接続される通信インタフェース装置である。
【０６４３】
無線受電部４５０１ｃは、屋内ゲートウェイ４５０２から無線で電力の供給を受ける受電装置である。電力の供給は、電磁誘導を用いた方式、無線電力伝送方式、ワイヤレス給電方式を採用することができ、より具体的には、例えばＱｉ規格を採用し得る。ただし、適用可能な電力伝送の方式は、これに限ったものではない。
【０６４４】
屋外ゲートウェイ４５０１は、通信ＩＦ４５０１ａ及び４５０１ｂによって周囲の通信装置から通信フレームを受信し、他の適切な通信装置に伝送する。また、屋外ゲートウェイ４５０１は、通信ＩＦ４５０１ａ及び４５０１ｂによって周囲の通信装置と経路情報の交換を行うことでどのフレームをどの通信ＩＦにより送信するかを制御する。
【０６４５】
屋内ゲートウェイ４５０２は、屋内ネットワーク４５０４と通信可能に接続するゲートウェイ装置である。屋内ゲートウェイ４５０２は、通信ＩＦ４５０２ａと、通信ＩＦ４５０２ｂと、受電部４５０２ｃと、無線給電部（無線送電部）４５０２ｄとを備える。屋内ゲートウェイ４５０２は、例えば、コンピュータにより実現され得る。ただし、コンピュータによる構成でなくてもよい。屋内ゲートウェイ４５０２は、第二通信装置に相当する。なお、屋内ゲートウェイ４５０２は、屋内ネットワーク４５０４を構成する１つのノードであってもよい。
【０６４６】
通信ＩＦ４５０２ａは、屋内ネットワーク４５０４に通信可能に接続される通信インタフェース装置である。
【０６４７】
通信ＩＦ４５０２ｂは、屋外ゲートウェイ４５０１に通信可能に接続される通信インタフェース装置である。
【０６４８】
受電部４５０２ｃは、屋内に配置された給電端子である、例えば、コンセント、ＵＳＢ（Universal Serial Bus）コネクタから、屋内ゲートウェイ４５０２の駆動のための電力の供給を受ける受電部である。受電部４５０２ｃは、電源コードによってコンセントに接続され、例えばＡＣ１００Ｖの電力の供給を受ける、または、ＵＳＢ（Universal Serial Bus）コネクタに接続され、電力の供給を受ける。
【０６４９】
無線給電部（無線送電部）４５０２ｄは、屋外ゲートウェイ４５０１へ無線で電力を供給する給電装置（送電装置）である。無線給電部４５０２ｄが供給する電力は、受電部４５０２ｃがコンセントから受けた電力の一部である。電力の供給については、無線受電部４５０１ｃと同様である。
【０６５０】
屋内ゲートウェイ４５０２は、通信ＩＦ４５０２ａ及び４５０２ｂによって周囲の通信装置から通信フレームを受信し、他の適切な通信装置に伝送する。また、屋内ゲートウェイ４５０２は、通信ＩＦ４５０２ａ及び４５０２ｂによって周囲の通信装置と経路情報の交換を行うことでどのフレームをどの通信ＩＦにより送信するかを制御する。
【０６５１】
屋外ネットワーク４５０３は、例えば、屋外の空間（第一空間ともいう）に設置されたネットワークである。屋外ネットワーク４５０３は、無線ネットワーク（第一ネットワークともいう）であり、具体的には、例えば、ＩＥＥＥ  ８０２．１１ａｄ、ＩＥＥＥ  ８０２．１１ａｙの通信規格に準拠したネットワークである。ただし、このネットワークは、この規格以外の通信方法を用いてもよい（例えば、ＩＥＥＥ  ８０２．１１ａ規格、ＩＥＥＥ  ８０２．１１ｇ規格、ＩＥＥＥ  ８０２．１１ｎ規格、ＩＥＥＥ  ８０２．１１ａｃ規格、ＩＥＥＥ  ８０２．１１ａｘ規格、セルラー規格を用いてもよい。）。
【０６５２】
屋外ネットワーク４５０３は、光ファイバなどを用いて構成される有線ネットワークに接続されていてもよい。この場合、屋外ネットワーク４５０３は、屋内ネットワーク４５０４と上記有線ネットワークとを接続する役割を有する。なお、屋外ネットワーク４５０３は、上記有線ネットワークに接続されない、クローズなネットワークでもよい。
【０６５３】
屋内ネットワーク４５０４は、屋内の空間（第二空間ともいう）に設置されたネットワークである。屋内ネットワーク４５０４は、無線ネットワーク（第二ネットワークともいう）であり、具体的には、例えば、ＩＥＥＥ  ８０２．１１ａｄ、ＩＥＥＥ  ８０２．１１ａｙの通信規格に準拠したネットワークである。ただし、このネットワークは、この規格以外の通信方法を用いてもよい（例えば、ＩＥＥＥ  ８０２．１１ａ規格、ＩＥＥＥ  ８０２．１１ｇ規格、ＩＥＥＥ  ８０２．１１ｎ規格、ＩＥＥＥ  ８０２．１１ａｃ規格、ＩＥＥＥ  ８０２．１１ａｘ規格、セルラー規格を用いてもよい。）。
【０６５４】
なお、屋外ゲートウェイ４５０１又は屋内ゲートウェイ４５０２は、例えば、図１（または、図３、または、図４４）の構成を具備するものとする。なお、図１（または、図３、または、図４４）の各部の動作、および、図４の各部の動作については、すでに説明を行っているので、説明を省略する。
【０６５５】
なお、屋内の空間と、屋外の空間とは、板体などで隔てられている。この場合、通信ＩＦ４５０１ｂと通信ＩＦ４５０２ｂとは、この板体を介した電波による無線通信で接続される。板体は、例えば、外壁（例えばビル又は住宅の外壁）、ガラス板（例えばビル又は住宅の開口部に設置されるガラス板）などである。
【０６５６】
なお、屋外ネットワーク４５０３が無線ネットワークである場合には、通信ＩＦ４５０１ａは、無線通信インタフェースである。また、屋内ネットワーク４５０４が無線ネットワークである場合には、通信ＩＦ４５０２ａは、無線通信インタフェースである。
【０６５７】
また、通信ＩＦ４５０１ａは、例えば、ＴＤＭＡ（Time Division Multiple Access）方式で通信する。また、通信ＩＦ４５０２ａは、例えば、ＣＳＭＡ（Carrier Sense Multiple Access）方式で通信する。ただし、通信ＩＦ４５０１ａは、ＴＤＭＡ以外の方式で通信を行ってもよいし、通信ＩＦ４５０２ａは、ＣＳＭＡ以外の方式で通信を行ってもよい。
【０６５８】
また、屋外ネットワーク４５０３と屋内ネットワーク４５０４は、それぞれ、無線マルチホップネットワーク（無線によるメッシュネットワーク）でもよい。この場合、通信ＩＦ４５０１ａは、無線マルチホップネットワーク（無線によるメッシュネットワーク）で構成される屋外ネットワーク４５０３に接続され、通信ＩＦ４５０２ａは、無線マルチホップネットワーク（無線によるメッシュネットワーク）で構成される屋内ネットワーク４５０４に接続される。
【０６５９】
また、通信システムの制御方法は、屋外ゲートウェイ４５０１によって屋外ネットワーク４５０３に接続するステップと、屋外ゲートウェイ４５０１によって無線通信をするステップと、屋内ゲートウェイ４５０２によって屋内ネットワーク４５０４に接続するステップと、屋内ゲートウェイ４５０２によって屋外ゲートウェイ４５０１と無線通信により接続されるステップとを含む。
【０６６０】
図４６は、通信システムの構成の一例を示す図である。より具体的には、図４６は、無線信号の中継器（単に「中継器」ともいう）を用いた屋外ネットワーク４５０３であるメッシュネットワークの構成の一例を示す模式図である。
【０６６１】
複数の中継器は、所定のエリアの複数の地点にそれぞれ配置され、メッシュ型の無線バックホールを構成する。例えば、中継器４８００Ｂは、中継器４８００Ａから受信した信号を、中継器４８００Ｃへ送信する。また、中継器４８００Ｂは、中継器４８００Ａから受信した信号を、当該中継器４８００Ｂに接続されているエッジノード（または、ノード）４８１０へ送信する。エッジノード（または、ノード）４８１０は住宅に設置されているゲートウェイ装置である。また、中継器４８００Ｂは、当該中継器４８００Ｂに接続されているエッジノード（または、ノード）４８１０から受信した信号を、別の中継器４８００Ｃへ送信する。
【０６６２】
このように、中継器４８００Ｂから住宅に無線で接続する形態は、ＷＴＴＨ（Wireless To The Home）と呼ぶ。ただし、呼び方は、これに限ったものではない。
【０６６３】
また、エッジノード（または、ノード）は、ビルディング内のネットワークに設置されているゲートウェイ装置であってよい。このように、中継機からビルディングに無線で接続する形態は、ＷＴＴＢ（Wireless To The building）と呼ぶ。ただし、呼び方は、これに限ったものではない。
【０６６４】
また、エッジノード（または、ノード）は、例えば、Ｗｉ−Ｆｉのアクセスポイントであってもよい。
【０６６５】
このように、屋外ネットワーク４５０３においてエッジノード（または、ノード）を無線で接続するユースケースは、まとめて、ＷＴＴＸ（Wireless to the X）と呼ばれる。
【０６６６】
図４７は、屋内ネットワーク４５０４の構成の一例を示す図である。
【０６６７】
図４７に示される屋内ネットワーク４５０４は、メッシュネットワーク（マルチホップネットワーク）を構成しており、ＭＰ（Mesh Point）＊１、ＭＰ＊２、ＭＰ＊３、ＭＰ＊４、ＭＰ＊５、ＭＰ＊６、ＭＰ＊７及びＭＰ＊８（「ＭＰ＊１等」ともいう）と、ＭＡＰ（Mesh Access Point）＃１、ＭＡＰ＃２、ＭＡＰ＃３及びＭＡＰ＃４（「ＭＡＰ＃１等」ともいう）とを備える。なお、ここでは、屋内ゲートウェイ４５０２もメッシュネットワークを構成する１つのノードであるとして説明する。なお、ＭＰ＊１等又はＭＡＰ＃１等は、例えば、図１（または、図３、または、図４４）の構成を具備するものとする。なお、図１（または、図３、または、図４４）の各部の動作、および、図４の各部の動作については、すでに説明を行っているので、説明を省略する。
【０６６８】
また、ＭＰ又はＭＡＰを結ぶ「破線」は、当該破線で結ばれたＭＰ又はＭＡＰ同士が通信可能であることを意味し、ＭＰ又はＭＡＰを結ぶ「実線」は、これらを結ぶ通信リンクがメッシュネットワークにおける通信経路に選ばれていることを意味している。
【０６６９】
例えば、実線で結ばれている屋内ゲートウェイ４５０２とＭＰ＊１とは、通信可能な状態であり、かつ、屋内ゲートウェイ４５０２とＭＰ＊１とを結ぶ通信リンクが通信経路に選ばれていることを意味している。また、破線で結ばれているＭＰ＊３とＭＰ＊４とは、通信可能な状態であるが、ＭＰ＊３とＭＰ＊４と結ぶ通信リンクが通信経路に選ばれていないことを意味している。また、実線でも破線でも結ばれていないＭＰ＊３とＭＡＰ＃３とは、通信が不可能であることを意味している。
【０６７０】
ＭＰ＊１等のそれぞれは、メッシュネットワークを構成するノードである。ＭＰ＊１等のそれぞれは、経路表を有し、経路表に従ってパケットを伝送することでメッシュネットワークに接続された端末と他の通信装置の通信を可能とする。経路表は、静的に設定されたもの（スタティックルーティングテーブル）であってもよいし、ＭＰ＊１等がルーティングプロトコルによって、互いに、情報を交換することで動的に設定されたもの（ダイナミックルーティングテーブル）であってもよい。
【０６７１】
ＭＡＰ＃１等のそれぞれは、例えば、メッシュネットワークを構成するノードであって、屋内に存在する端末に無線アクセスを提供する基地局（アクセスポイント）としての機能をさらに有するノードである。ＭＡＰ＃１等のそれぞれがメッシュネットワークを構成する機能については、ＭＰ＊１等と同様である。また、ＭＡＰ＃１等のそれぞれの基地局としての機能は、一般的な基地局と同様である。ＭＡＰ＃１等は、例えば２．４ＧＨｚ帯、５ＧＨｚ帯、６０ＧＨｚ帯などの無線ＬＡＮ（Local Area Network）の基地局（アクセスポイント）としての機能を有している。
【０６７２】
ＭＰ＊１等とＭＡＰ＃１等とは、（１）メッシュネットワークを構成するための初期動作、（２）メッシュネットワークを構成する動作（具体的には、通信経路の決定処理など）、及び、（３）ＭＰ＊１等とＭＡＰ＃１等とによるパケットの転送の動作を行うことによって、ＭＡＰ＃１等に接続された端末が、メッシュネットワークを介して屋内ゲートウェイ４５０２と通信可能となる。
【０６７３】
以降において、上記（１）〜（３）の動作について詳しく説明する。
【０６７４】
（１）メッシュネットワークを構成するための初期動作について
屋内ゲートウェイ４５０２、ＭＰ＊１等、ＭＡＰ＃１等のそれぞれは、隣接のノードの探索を行う。なお、ノードとは、屋内ゲートウェイ４５０２、ＭＰ＊１等、ＭＡＰ＃１等のいずれかである。これにより、例えばＭＰ＊３は、ＭＰ＊１、ＭＰ＊２、ＭＰ＊４及びＭＰ＊６と通信可能であることを知ることになる。このとき、例えばＭＰ＊３は、あわせて、ビームフォーミングのトレーニングを行ってもよい。
【０６７５】
なお、屋内ゲートウェイは、屋外に設置されている装置（例えば、屋外ゲートウェイ、屋外ＭＰ、屋外ＭＡＰ。いずれも不図示）の探索は行わない。
【０６７６】
具体的には、屋内ゲートウェイ４５０２、ＭＰ＊１等、ＭＡＰ＃１等は、それぞれ、屋内ネットワークに属していることを周囲のノードにフレーム送信によって通知する。同様に、屋外ゲートウェイ４５０１、屋外ＭＰ及び屋外ＭＡＰは、屋外のネットワークに属していることを周囲のノードにフレーム送信によって通知する。
【０６７７】
したがって、各ノードが属するネットワークに関する情報が、送信フレームに含まれることになる。また、上記送信フレームには、当該フレームに含まれる情報が「ブロードキャスト（マルチキャスト）の情報であるか」、又は、「ユニキャスト用の情報であるか」の制御情報を含んでいるものとする。さらに、上記送信フレームには、送信元の各ノードが、ゲートウェイ（具体的には屋内ゲートウェイ４５０２又は屋外ゲートウェイ４５０１）、ＭＰ（具体的には屋内ＭＰ＊１等又は屋外ＭＰ）、又は、ＭＡＰ（具体的には屋内ＭＡＰ＃１又は屋外ＭＡＰ）のいずれであるかを示す情報が含まれる。
【０６７８】
次に、各ノードは、接続情報を共有する。ここで、接続情報は、周囲にブロードキャスト（マルチキャスト）される。屋内ゲートウェイ４５０２、ＭＰ＃１等、ＭＡＰ＊１等は、周囲のノード接続情報を得ることになる。
【０６７９】
例えば、ＭＰ＊３は、ＭＰ＊１と通信が可能であることを認識する。すると、ＭＰ＊３は、「ＭＰ＊３がＭＰ＊１と通信可能である」ということを、他のノード（屋内ゲートウェイ４５０２、屋内ＭＰ＃１、及び、屋内ＭＡＰ＊１に伝送する。
【０６８０】
したがって、例えば、ＭＰ＊３は、「ＭＰ＊３がＭＰ＊１と通信可能である」という情報をＭＰ＊１、ＭＰ＊２、ＭＰ＊４、ＭＰ＊６及びＭＡＰ＃４に送信することになる。ＭＰ＊６は、「ＭＰ＊３がＭＰ＊１と通信可能である」という情報を、ＭＰ＊７、ＭＰ＊５、ＭＡＰ＃２に送信する。ＭＰ＊１、ＭＰ＊２、ＭＰ＊４、及び、ＭＡＰ＃４のそれぞれも、ＭＰ＊３がＭＰ＊１と通信可能である」という情報を送信することになる。
【０６８１】
ここで、屋内ゲートウェイ４５０２、ＭＰ＊１等、及び、ＭＡＰ＃１の各ノードは、過去に受信したデータと同じデータを受信したら、そのデータをブロードキャスト（マルチキャスト）しない（送信しない）機能が必要である。
【０６８２】
例えば、ＭＡＰ＃４は、「ＭＰ＊３がＭＰ＊１と通信可能である」という情報をはじめに、ＭＰ＊３から受ける。そして、ＭＡＰ＃４は、「ＭＰ＊３がＭＰ＊１と通信可能である」という情報を、ＭＰ＊１等、及び、ＭＡＰ＃１等に送信する。次に、ＭＡＰ＃４は、「ＭＰ＊３は、ＭＰ＊１と通信可能である」という情報をＭＡＰ＃４から受ける。このとき、ＭＡＰ＃４は、「ＭＰ＊３がＭＰ＊１と通信可能である」という情報をＭＰ＊１等、及び、ＭＡＰ＃１等に送信しない。ただし、ブロードキャスト（マルチキャスト）は、屋内ネットワークのみで行われる。
【０６８３】
上記の動作の際、各ノードは、例えば、「ビームフォーミングのためのシンボル」、「制御情報シンボル」、「データシンボル」などを含むフレームを送信する。このフレームの一例を図４８に示す。図４８は、横軸を時間として上記フレームの構成を示す図である。以下では、図４８に示される構成のフレームを、第１のノードが送信する場合を例として説明する。
【０６８４】
ビームフォーミングのためのシンボルは、第１のノードが、通信相手のノードと通信を行う際の、送信ビームフォーミングの信号処理方法、および、受信ビームフォーミングの信号処理方法を決定するためのシンボルである。なお、通信相手のノードは、複数のノードであってもよい。
【０６８５】
制御情報シンボルは、「ネットワーク属性情報シンボル」、「ノード情報シンボル」、及び、「装置識別情報シンボル」の少なくとも一つ以上のシンボルを含んでいる。
【０６８６】
ネットワーク属性情報シンボルは、第１のノードが属するネットワークに関する情報である。ネットワーク属性情報シンボルは、例えば、「第１のノードが屋内ネットワークに属する」、及び、「第１のノードが屋外ネットワークに属する」のいずれかを通知するためのシンボルである。
【０６８７】
ノード情報シンボルは、第１のノードが属するノードに関する情報である。例えば、「第１のノードはゲートウェイである」、「第１のノードはＭＰである」、及び、「第１のノードはＭＡＰである」のいずれかを通知するためのシンボルである。
【０６８８】
装置識別情報シンボルは、第１のノードの装置識別のための固有番号を、他のノードに通知するためのシンボルである。
【０６８９】
図４９及び図５０を参照しながら、メッシュネットワークを構成するための初期動作について説明する。図４９は、第１のノードが（１）の動作時にフレームを送信した以後の他のノードとの通信の流れを示す図である。
【０６９０】
図４９に示されるように、まず、第１のノードは、動作（１）におけるフレームを第２のノード及び第３のノードそれぞれに送信する。このフレーム送信は、１回以上なされてもよい。そして、第２のノード及び第３のノードそれぞれは、フレームを受信したことに応じて、第１のノードへの返答のためにフレームを送信する。
【０６９１】
図５０は、第１のノードが他のノードと接続情報を送信するのに用いるフレームのフレーム構成を示す図である。図５０において横軸を時間として示している。
【０６９２】
図５０に示されるように、このフレームは、プリアンブルと、制御情報シンボルと、データシンボルとを含む。
【０６９３】
プリアンブルは、第１のノードが、通信相手との間で、時間同期、フレーム同期、及び、周波数同期などを行うためのシンボルである。例えば、制御情報シンボルは、「データ宛先情報シンボル」及び「送信方法情報シンボル」を含んでいる。
【０６９４】
データ宛先情報シンボルは、第１のノードが送信するフレームの宛先に関する情報である。例えば、第１ノードがこのフレームを第２のノードに送信する場合、データ宛先情報シンボルは、「第２のノードに送信しているフレームである」という情報である。
【０６９５】
送信方法情報シンボルは、第１のノードが送信するフレームの送信方法に関する情報を送信するためのシンボルである。このフレームは、ブロードキャスト（マルチキャスト）用のフレームであるため「マルチキャスト用のフレームである」という情報を送信方法情報シンボルは含んでいるものとする。なお、送信するフレームが、ユニキャスト用のフレームの場合、「ユニキャスト用のフレームである」という情報を含んでいてもよい。また、データシンボルを生成するために使用した、誤り訂正符号の方法・変調方式の情報、送信するストリーム数などの送信方法に関する情報を含んでいてもよい。
【０６９６】
データシンボルは、このフレームによって運ばれるデータを含むシンボルである。例えば、データシンボルは、「接続情報シンボル」を含んでいる。
【０６９７】
接続情報シンボルは、第１のノードが接続するノードに関する情報を送信するためのシンボルである。例えば、第１のノードが第２のノード及び第３のノードと接続しているので、「接続情報シンボル」は、「第１のノードが第２のノードと接続」、「第１のノードが第３のノードと接続」という情報を含んでいる。なお、このシンボルに、第１のノードの識別固有情報、第２のノードの識別固有情報、及び、第３のノードの識別固有情報を含んでいてもよい。
【０６９８】
なお、上述の例では、ブロードキャスト（マルチキャスト）用のフレームの例を説明している。したがって、このフレームを受信した第２のノードは、他のノードに対して、接続情報シンボルを送信することになる。また、第３のノードも、他のノードに対して、接続情報シンボルを送信することになる。
【０６９９】
つまり、接続情報シンボルを受信したノードは、接続情報シンボルを含むフレームを送信することになる。ただし、前にも記載したように、接続情報シンボルを一度受信し、接続情報シンボルを含むフレームを送信したノードが、再度、接続情報シンボルを受信した場合、接続情報シンボルを含むフレームを送信することはないものとする。
【０７００】
このようにして、各ノードは、メッシュネットワークの構成を知ることができる。
【０７０１】
（２）メッシュネットワークを構成するための処理
メッシュネットワークを構成するための処理について、２つの方法を説明する。第１の方法は、屋内ゲートウェイ４５０２が各ＭＡＰに対するルートマップを作成する方法である。第２の方法は、屋内ゲートウェイ４５０２が各ＭＡＰに対するルートマップを作成するが、マップを共有しない方法である。これらについて詳しく説明する。
【０７０２】
（２−１）第１の方法
第１の方法では、屋内ゲートウェイ４５０２は、各ＭＡＰに対するルートマップを作成する。なお、ルートマップを作成した結果、形成されたメッシュネットワークが、例えば、図５１に示されるものである。
【０７０３】
屋内ゲートウェイ４５０２は、ＭＡＰ＃１に対するルートマップを作成する。このルートマップは、例えば、（ａ）屋内ゲートウェイ４５０２がＭＰ＊４にデータを伝送し、ＭＰ＊４がＭＰ＊５にデータを伝送し、ＭＰ＊５がＭＰ＊６にデータを伝送し、ＭＰ＊６がＭＰ＊７にデータを伝送し、ＭＰ＊７がＭＡＰ＃１にデータを伝送することで、屋内ゲートウェイ４５０２がＭＡＰ＃１にデータを伝送することができることを示すものである。また、さらに、（ｂ）ＭＡＰ＃１がＭＰ＊７にデータを伝送し、ＭＰ＊７がＭＰ＊６にデータを伝送し、ＭＰ＊６がＭＰ＊５にデータを伝送し、ＭＰ＊５がＭＰ＊４にデータを伝送し、ＭＰ＊４が屋内ゲートウェイ４５０２にデータを伝送することで、ＭＡＰ＃１が屋内ゲートウェイ４５０２にデータを伝送することができることを示すものである。
【０７０４】
そして、屋内ゲートウェイ４５０２は、このルートマップをＭＡＰ＃１と共有するために、このルートマップの情報を含めたフレームをＭＡＰ＃１に送信する。ルートマップの情報を含めたフレームには、ノードの経由に関する情報が制御情報として含まれる。このフレームを伝送する各ノードは、フレームに含まれるこの制御情報を参照して、フレームを伝送する宛先を知ることができる。
【０７０５】
（３）パケットの伝送の動作
以降、屋内ゲートウェイ４５０２がＭＡＰ＃１に情報を伝送する場合、このルートマップに基づいてデータの送信が行われる。つまり、屋内ゲートウェイ４５０２は、ルートマップに基づいてノードの経由に関する制御情報を送信する。各ノードは、送信された制御情報に基づいて、順次にフレームの送信を行う。
【０７０６】
また、ＭＡＰ＃１が屋内ゲートウェイ４５０２に情報を伝送する場合、このルートマップに基づいてデータの送信が行われる。つまり、ＭＡＰ＃１は、ルートマップに基づいてノードの経由に関する制御情報を送信する。各ノードは、送信された制御情報に基づいて、順次にフレームの送信を行う。
【０７０７】
図５２は、フレーム構成の一例を示す図である。図５２は、例えば、屋内ゲートウェイ４５０２がＭＡＰ＃１に情報を伝送する場合のフレーム構成の一例を示している。図５２において、横軸は時間である。
【０７０８】
例えば、屋内ゲートウェイ４５０２は、プリアンブルを送信する。なお、プリアンブルは、ＭＰ＊４がこのフレームの変調信号を受信する際の、例えば、時間同期、フレーム同期、及び、周波数同期などを行うためのシンボルである（信号検出に用いてもよい。）。
【０７０９】
制御情報シンボルは、「ノードの経由情報シンボル」、及び、「送信方法情報シンボル」を含んでいる。データシンボルは、屋内ゲートウェイ４５０２がＭＡＰ＃１に伝送するためのデータを含むシンボルである。
【０７１０】
ノードの経由情報シンボルは、「屋内ゲートウェイ４５０２がこのフレームをＭＰ＊４に伝送する際のルートマップ」に関する情報を伝送するためのシンボルである。
【０７１１】
送信方法情報シンボルは、屋内ゲートウェイ４５０２が送信するフレームの送信方法に関する情報を送信するためのシンボルである。送信方法情報シンボルは、例えば、「ブロードキャストのデータか、または、ユニキャストのデータか」という情報、及び、データシンボルの変調信号を生成するために使用した、誤り訂正符号化方法・変調方式の情報、送信するストリーム数などの送信方法に関する情報を含んでいてもよい。
【０７１２】
データシンボルは、屋内ゲートウェイがＭＡＰ＃１に伝送するためのデータを含むシンボルであり、また、屋内ゲートウェイがＭＰ＊４に送信するシンボルである。
【０７１３】
ＭＰ＊４がＭＰ＊５に対し変調信号を送信する際、ＭＰ＊５がＭＰ＊６に対し変調信号を送信する際、ＭＰ＊６がＭＰ＊７に対し変調信号を送信する際、ＭＰ＊７がＭＡＰ＃１に対し変調信号を送信する際についても、同様のフレーム構成とすることで、屋内ゲートウェイ４５０２が送信したデータをＭＡＰ＃１に伝送することができることになる。
【０７１４】
なお、このフレーム構成は、ＭＡＰ＃１が、屋内ゲートウェイ４５０２に情報を伝送する場合のフレームと考えてもよい。
【０７１５】
例えば、ＭＡＰ＃１は、プリアンブルを送信する。なお、プリアンブルは、ＭＰ＊７が、このフレームの変調信号を受信する際の、例えば、時間同期、フレーム同期、及び、周波数同期などを行うためのシンボルである（信号検出に用いてもよい。）。
【０７１６】
制御情報シンボルは、「ノードの経由情報シンボル」、及び、「送信方法情報シンボル」を含んでいる。データシンボルは、ＭＡＰ＃１が、屋内ゲートウェイ４５０２に伝送するためのデータを含むシンボルである。
【０７１７】
ノードの経由情報シンボルは、「ＭＡＰ＃１がこのフレームをＭＰ＊７に伝送する際のルートマップ」に関する情報を伝送するためのシンボルである。
【０７１８】
送信方法情報シンボルは、ＭＡＰ＃１が送信するフレームの送信方法に関する情報を送信するためのシンボルである。送信方法情報シンボルは、例えば、「ブロードキャストのデータか、または、ユニキャストのデータか」という情報、及び、データシンボルの変調信号を生成するために使用した、誤り訂正符号化方法・変調方式の情報、送信するストリーム数などの送信方法に関する情報を含んでいてもよい。
【０７１９】
データシンボルは、ＭＡＰ＃１が屋内ゲートウェイ４５０２に伝送するためのデータを含むシンボルであり、また、ＭＡＰ＃１がＭＰ＊７に送信するシンボルである。
【０７２０】
ＭＰ＊７がＭＰ＊６に対し変調信号を送信する際、ＭＰ＊６がＭＰ＊５に対し変調信号を送信する際、ＭＰ＊５がＭＰ＊４に対し変調信号を送信する際、ＭＰ＊４が屋内ゲートウェイに対し変調信号を送信する際についても、同様のフレーム構成とすることで、ＭＡＰ＃１が送信したデータを屋内ゲートウェイ４５０２に伝送することができることになる。
【０７２１】
（２−２）第２の方法
第２の方法では、屋内ゲートウェイ４５０２は、各ＭＡＰに対するルートマップを作成するが、マップを共有しない。
【０７２２】
図５３は、屋内ネットワークの構成の一例を示す図である。なお、ルートマップを作成した結果、形成されたメッシュネットワークが例えば図５３に示されるものである。
【０７２３】
屋内ゲートウェイ４５０２は、ＭＡＰ＃１に対するルートマップを作成する。このルートマップは、例えば、（ａ）屋内ゲートウェイ４５０２がＭＰ＊４にデータを伝送し、ＭＰ＊４がＭＰ＊５にデータを伝送し、ＭＰ＊５がＭＰ＊６にデータを伝送し、ＭＰ＊６がＭＰ＊７にデータを伝送し、ＭＰ＊７がＭＡＰ＃１にデータを伝送することで、屋内ゲートウェイ４５０２がＭＡＰ＃１にデータを伝送することができることを示すものである。また、さらに、（ｂ）ＭＡＰ＃１がＭＰ＊７にデータを伝送し、ＭＰ＊７がＭＰ＊６にデータを伝送し、ＭＰ＊６がＭＰ＊５にデータを伝送し、ＭＰ＊５がＭＰ＊４にデータを伝送し、ＭＰ＊４が屋内ゲートウェイにデータを伝送することで、ＭＡＰ＃１が屋内ゲートウェイ４５０２にデータを伝送することができることを示すものである。
【０７２４】
（３）パケットの伝送の動作
屋内ゲートウェイ４５０２は、このルートマップの情報に基づいて情報を送信する。この情報を送信する際、屋内ゲートウェイ４５０２は、ノードの経由に関する情報を含む制御情報も送信する。したがって、各ノードは、送信された制御情報に基づいて、フレームを送信する宛先を知ることになる。
【０７２５】
同様に、ＭＡＰ＃１は、屋内ゲートウェイ４５０２に対するルートマップを作成する。そして、ＭＡＰ＃１は、このルートマップの情報に基づいて情報を送信する。この情報を送信する際、ＭＡＰ＃１は、ノードの経由に関する情報を含む制御情報も送信する。したがって、各ノードは、送信された制御情報に基づいて、フレームを送信する宛先を知ることになる。
【０７２６】
フレーム構成、及び、動作例については、図５２における説明と同様である。
【０７２７】
以上のように、屋内ゲートウェイ４５０２から端末までの通信を、無線により実現することができ、これにより、屋内にデータ伝送のための配線が少ない環境を提供することができるという効果を得ることができる。また、屋内のネットワークと屋外のネットワークとの接続についても、無線によるデータ通信で実現することも可能であり、データ伝送のための配線が少ない環境を提供できるという効果を得ることができる。
【０７２８】
次に、上記（１）の動作を実行するタイミングについて２つのケース、具体的にはケース１及びケース２を説明する（図５４参照）。ケース１は、ある時間間隔で（１）及び（２）の動作が実行されるケースである。ケース２は、屋内ネットワークにおいてＭＰまたはＭＡＰの追加をするときに（１）の動作が再度、実施されるケースである。
【０７２９】
ケース１については、すでに説明済みである。以下では、ケース２について説明を行う。
【０７３０】
ここでは、図５５に示されるネットワーク構成から、図５６に示されるネットワーク構成に変化する場合を考える。なお、図５５のネットワーク構成については、すでに説明済みのため、説明を省略する。図５６に示されるネットワーク構成は、図５５に示されるネットワーク構成から、ＭＰ＊１００が追加されている。また、ＭＰ＊１００が追加された後の屋内ネットワーク４５０４の構成が図５７に示されている。
【０７３１】
ＭＰ＊１００が屋内ネットワーク４５０４に追加されるときの処理について図５８を参照しながら説明する。
【０７３２】
まず、ＭＰ＊１００は、屋内ネットワーク４５０４に参加することを屋内ネットワーク４５０４内のノードに通知する。このとき、「屋内ネットワークに参加する通知」がブロードキャスト（マルチキャスト）送信される。
【０７３３】
実際には、上記の通知は、ＭＰ＊１００の隣接ノードにのみ通知されることになる。図５７のように、ＭＰ＊１００の隣接ノードは、屋内ゲートウェイとＭＰ＊６とであるので、上記通知は、屋内ゲートウェイ４５０２とＭＰ＊６とが受信することになる。
【０７３４】
あわせて、ＭＰ＊１００は、「屋内ネットワーク構成のリセット要求」をブロードキャスト（マルチキャスト）送信する。「屋内ネットワーク構成のリセット要求」は、上述と同様、屋内ゲートウェイとＭＰ＊６とが受信する。
【０７３５】
次に、屋内ゲートウェイ４５０２およびＭＰ＊６は、「屋内ネットワークに参加する通知」及び「屋内ネットワーク構成のリセット要求」をブロードキャスト（マルチキャスト）送信する。以降、他のノードも、「屋内ネットワークに参加する通知」及び「屋内ネットワーク構成のリセット要求」をブロードキャスト（マルチキャスト）送信することになるが、ブロードキャスト（マルチキャスト）送信の規則の例については、すでに説明したとおりとなる。
【０７３６】
なお、上述の例では、ＭＰが屋内ネットワーク４５０４に追加される例を説明したが、ＭＡＰが追加されてもよい。このとき、上述のＭＰの動作の説明をＭＡＰの動作に置き換えて動作すれば、同様に実施することができる。
【０７３７】
その後、（１）及び（２）の動作が行われ、（３）の動作が可能となる。
【０７３８】
以上のように、屋内ネットワーク４５０４において、新たにＭＰ又はＭＡＰが追加されることが可能なネットワークを構成することで、屋内の通信環境を改善することができる。これにより、データの伝送品質の向上、および、データの伝送速度の向上という効果が得られる。
【０７３９】
なお、上述の説明で、「屋内ネットワーク」と記載したが、屋内ゲートウェイ４５０２、ＭＰ＊１等及びＭＡＰ＃１等は屋外に設置されてもよい。つまり、屋内ゲートウェイ４５０２、ＭＰ＊１等及びＭＡＰ＃１等の設置場所は屋内に限ったものではない。
【０７４０】
また、ＭＰ＊１等は、中継機能（データ転送機能）を有しているが、ＭＰ＊１等が端末と通信を行うためのアクセスポイントの機能を有していてもよい。同様に、屋内ゲートウェイ４５０２が、端末と通信を行うためのアクセスポイントの機能を有していてもよい。
【０７４１】
また、屋内ゲートウェイ４５０２、ＭＰ＊１等及びＭＡＰ＃１等が、カメラ又はセンサなどのデータを発生する装置を具備していてもよい。また、屋内ゲートウェイ４５０２、ＭＰ＊１等及びＭＡＰ＃１等が、カメラ又はセンサなどのデータを発生する装置と接続するインタフェースを具備しており、これらの装置が発生させたデータを、端末や屋内ゲートウェイ４５０２に伝送するために、本実施の形態で説明した中継機能（データ転送機能）を使用してもよい。
【０７４２】
（補足Ａ１）
図４５において、屋内ゲートウェイ４５０２は、受電部４５０２ｃによりＡＣ（Alternating Current）電源またはＤＣ（Direct Current）電源から例えば有線により電力を受ける。これにより、屋内ゲートウェイ４５０２に、より安定した電力が供給されるという効果を得ることができる。
【０７４３】
一方で、屋外ゲートウェイ４５０１は、ＡＣ電源またはＤＣ電源から有線により電力を受ける受電部を具備せず、図面に示したように、無線給電により電力の供給を屋内ゲートウェイ４５０２から受ける構成が考えられる。より具体的には、屋内ゲートウェイ４５０２の無線給電部４５０２ｄから、屋外ゲートウェイ４５０１の無線受電部４５０１ｃに無線で給電（送電）がなされる。このような構成とすると、降雨又は降雪などによる「ＡＣ電源またはＤＣ電源から有線により電力を受ける受電部」における短絡の可能性を低くすることができ、これにより、防水、防滴が容易になるという効果を得ることができる。
【０７４４】
図４５、図４６又は図４７における屋内ゲートウェイ４５０２および屋外ゲートウェイ４５０１、図４６におけるＷｉ−Ｆｉ  ＡＰおよび中継器、図４７におけるＭＰおよびＭＡＰは、一つの周波数帯における無線通信機能を具備していてもよいし、二つ以上の周波数帯における無線通信機能を具備していてもよい。
【０７４５】
ここで、「一つの周波数帯における無線通信機能を具備している」とは、例えば、「６０ＧＨｚ帯の無線通信機能のみ具備している」ことであってもよい。
【０７４６】
また、「二つ以上の周波数帯における無線通信機能を具備している」とは、例えば、「２．４ＧＨｚ帯の無線通信機能、および、６０ＧＨｚ帯の無線通信機能を具備している」ことであってもよいし、「５ＧＨｚ帯の無線通信機能、および、６０ＧＨｚ帯の無線通信機能を具備している」ことであってもよいし、「２．４ＧＨｚ帯の無線通信機能、および、５ＧＨｚ帯の無線通信機能、および、６０ＧＨｚ帯の無線通信機能を具備している」ことであってもよい。
【０７４７】
なお、「二つ以上の周波数帯における無線通信機能を具備している」ことは上記に限られない。例えば、「Ａ（Ｈｚ：ヘルツ）の周波数帯の無線通信機能、および、Ｂ（Ｈｚ）の周波数帯の無線通信機能を具備している。ただし、Ａは０以上の実数であり、Ｂは０以上の実数であり、Ａ≠Ｂが成立する」ことであってもよい。
【０７４８】
また、これとは別に、「Ａ（Ｈｚ）の周波数帯の無線通信機能、および、Ｂ（Ｈｚ）の周波数帯の無線通信機能、および、Ｃ（Ｈｚ）の周波数帯の無線通信機能を具備している。ただし、Ａは０以上の実数であり、Ｂは０以上の実数であり、Ｃは０以上の実数であり、Ａ≠Ｂ、および、Ａ≠Ｃ、および、Ｂ≠Ｃが成立する」ことであってもよい。
【０７４９】
図４５、図４６又は図４７における屋内ゲートウェイ４５０２および屋外ゲートウェイ４５０１、図４６におけるＷｉ−Ｆｉ  ＡＰおよび中継器、図４７におけるＭＰおよびＭＡＰは、光通信機能を具備していてもよく、光通信による本明細書で説明したメッシュネットワーク（マルチホップネットワーク）を構成し、フレームの中継をすることができる。この方法でも、上記で説明した効果と同様の効果を得ることができる。
【０７５０】
また、図４５の屋内ゲートウェイ４５０２と屋外ゲートウェイ４５０１との間に、ガラス窓のような光を透過する物体（例えば、ガラス板）が存在しているとき、屋内ゲートウェイ４５０２と屋外ゲートウェイ４５０１との通信に光通信を利用することができる。
【０７５１】
例えば、屋外ゲートウェイ４５０１を用いて形成されるＷＴＴＨネットワークは、電波による無線通信で形成され、屋内ゲートウェイ４５０２を用いて形成される屋内ネットワーク４５０４も電波による無線通信で形成されるものとする。このとき、屋内ゲートウェイ４５０２と屋外ゲートウェイ４５０１との通信は、光通信であってもよいし、電波による無線通信であってもよいし、光通信と電波による無線通信とを通信状況などによって切り替える通信であってもよい。また、光通信と電波による無線通信とを、屋内ゲートウェイと屋外ゲートウェイとの間の素材により切り替える通信であってもよい。
【０７５２】
（実施の形態Ａ２）
図５９は、図４７におけるノード（つまり、屋内ゲートウェイ４５０２、ＭＰ＊１等、及び、ＭＡＰ＃１等）の構成の一例を示している。図５９に示される構成は、ノードが有する機能のうちフレームの送受信に関する機能を示すものである。
【０７５３】
第１の送受信装置１５０５は、Ａ（Ｈｚ）の周波数帯の第１の無線通信方式のための送受信装置である。第２の送受信装置１５１４は、Ｂ（Ｈｚ）の周波数帯の第２の無線通信方式のための送受信装置である。ここで、Ａは０以上の実数、Ｂは０以上の実数、Ａ＞Ｂであるものとする。例えば、第１の無線通信方式は６０ＧＨｚ（Ａ＝６０Ｇ）の周波数帯を使用しており、第２の無線通信方式は２．４ＧＨｚ（Ｂ＝２．４Ｇ）の周波数帯を使用しているものとする。
【０７５４】
なお、図５９では、２つの周波数帯を使用しているノードの構成の例を示しているが、ノードが３つ以上の周波数帯を使用していてもよい。この場合、ノードは、３つ以上の周波数帯での通信に必要な送受信装置を備える。
【０７５５】
第１の送受信装置１５０５は、アンテナ１５０１で受信した受信信号１５０２を入力とし、復調、誤り訂正復号などの処理を行い、受信データ１５０６を出力する。なお、受信信号１５０２は、Ａ（Ｈｚ）の周波数帯の第１の無線通信方式の信号である。
【０７５６】
また、第１の送受信装置１５０５は、受信信号１５０２を入力とし、通信環境の推定を行い、受信状態信号１５９９を出力する。
【０７５７】
第１の送受信装置１５０５は、送信データ１５０７を入力とし、誤り訂正符号化、マッピング、周波数変換などの処理を行い、送信信号１５０４を生成し、出力する。そして、アンテナ１５０３は、送信信号１５０４を電波として出力する。なお、送信信号１５０４は、Ａ（Ｈｚ）の周波数帯の第１の無線通信方式の信号である。
【０７５８】
共有情報生成部１５０８は、受信データ１５０６、および、受信状態信号１５９９を入力とし、共有するための情報１５０９を生成し、出力する。なお、この点については後で説明を行う。
【０７５９】
第２の送受信装置１５１４は、アンテナ１５１０で受信した受信信号１５１１を入力とし、復調、誤り訂正復号などの処理を行い、受信データ１５１５を出力する。なお、受信信号１５１１は、Ｂ（Ｈｚ）の周波数帯の第２の無線通信方式の信号である。
【０７６０】
第２の送受信装置１５１４は、送信データ１５１６、共有するための情報１５０９を入力とし、誤り訂正符号化、マッピング、周波数変換などの処理を行い、送信信号１５１３を生成し、出力する。そして、アンテナ１５１２は、送信信号１５１３を電波として出力する。なお、送信信号１５１３は、Ｂ（Ｈｚ）の周波数帯の第２の無線通信方式の信号である。
【０７６１】
図６０は、図４７におけるＭＰ＊３とＭＰ＊４との通信の例を示している。なお、ＭＰ＊３とＭＰ＊４とは、図５９に示される構成を有する装置であるものとする。
【０７６２】
図６０において、グラフ１６５１は、ＭＰ＊３の第１の送受信装置１５０５の通信の流れを示している。グラフ１６５２は、ＭＰ＊３の第２の送受信装置１５１４の通信の流れを示している。グラフ１６６１は、ＭＰ＊４の第１の送受信装置１５０５の通信の流れを示している。グラフ１６６２は、ＭＰ＊４の第２の送受信装置１５１４の通信の流れを示している。なお、グラフ１６５１、１６５２、１６６１及び１６６２において、横軸は時間である。
【０７６３】
図６０に示すように、まず、ＭＰ＊３の第１の送受信装置１５０５は、フレーム１６０１を送信する。なお、フレーム１６０１の構成の一例については、図４８に示したとおりである。また、フレーム１６０１は、「Ａ（Ｈｚ）の周波数帯の第１の無線通信方式」のフレームである。
【０７６４】
そして、例えば、ＭＰ＊４の第１の送受信装置１５０５は、フレーム１６０１を受信する。フレーム１６０１を受信後、ＭＰ＊４の第１の送受信装置１５０５は、ＭＰ＊３の第１の送受信装置１５０５が変調信号を送信したときの受信状態の推定を行う。また、ＭＰ＊４の第１の送受信装置１５０５は、装置識別情報シンボルから装置識別情報を得ることによって、変調信号を送信したのがＭＰ＊３であることを知ることになる。
【０７６５】
すると、ＭＰ＊４の第２の送受信装置１５１４は、フレーム１６０２を送信する。なお、フレーム１６０２は「Ｂ（Ｈｚ）の周波数帯の第２の無線通信方式」のフレームである。
【０７６６】
フレーム１６０２の構成の例を図６１に示す。なお、横軸は時間とする。例えば、フレーム１６０２は、プリアンブル、制御情報シンボル、及び、データシンボルを備えて構成されるものとする。
【０７６７】
図６１におけるプリアンブルは、通信相手が、例えば、時間同期及び周波数同期などを行うシンボルである。（信号検出を行ってもよい。）なお、ここでの説明では、通信相手は、１つ以上、または、２つ以上の装置であるものとする。ここで、装置は、屋内ゲートウェイ４５０２、ＭＰ＃１等、ＭＡＰ＊１等である。
【０７６８】
図６１における制御情報シンボルには、送信方法情報シンボルが含まれている。送信方法情報シンボルは、「フレーム１６０２がブロードキャスト（マルチキャスト）用のフレームであるか、又は、ユニキャスト用のフレームであるか」を示す情報を含んでいる。なお、フレーム１６０２は、ブロードキャスト（マルチキャスト）用のフレームである。また、データシンボルを生成するために使用した、誤り訂正符号の方法・変調方式の情報、送信するストリーム数などの送信方法に関する情報を含んでいてもよい。
【０７６９】
図６１におけるデータシンボルには、共有するための情報シンボルが含まれている。図６０のような通信を行っている場合、共有するための情報シンボルは、「ＭＰ＊３の第１の送受信装置１５０５が変調信号を送信したときの受信状態の推定」情報、および、「変調信号を送信したのがＭＰ＊３であること」の情報が含まれているものとする。
【０７７０】
そして、ＭＰ＊４の第２の送受信装置１５１４が送信したフレーム１６０２を、１つ以上、または、２つ以上の装置が受信し、これらの装置は、「ＭＰ＊３の第１の送受信装置１５０５が変調信号を送信したときの受信状態の推定」情報、および、「変調信号を送信したのがＭＰ＊３であること」の情報を得ることになる。なお、図４７では、フレーム１６０２を、屋内ゲートウェイ４５０２、ＭＰ＊１、ＭＰ＊２、ＭＰ＊３、ＭＰ＊５、ＭＰ＊６、ＭＰ＊７、ＭＰ＊８、ＭＡＰ＃１、ＭＡＰ＃２、ＭＡＰ＃３及びＭＡＰ＃４が受信することになる。
【０７７１】
これは、Ａ＞Ｂであることにより実現が容易となる。なぜなら、比較的低い周波数の電波の通信可能距離が、より長いからである。
【０７７２】
これにより、ＭＰ＊３とＭＰ＊４との通信状況を、１つ以上、または、２つ以上の装置が容易にもつことができるという効果を得ることができる。これにより、各ノードのメッシュネットワークの構成が容易にわかり、また、メッシュネットワークにおけるルートマップを用意に作成することができるという効果を得ることができる。
【０７７３】
なお、ここでの説明は、ＭＰ＊３とＭＰ＊４との通信状況の装置への共有方法について説明したが、「ＭＰ＊３とＭＰ＊４との通信状況」以外の装置間の通信状況の装置への共有についても、同様に実施することが可能である。
【０７７４】
また、例えば、第１の無線通信方式は６０ＧＨｚ（Ａ＝６０Ｇ）の周波数帯を使用しており、第２の無線通信方式は５ＧＨｚ（Ｂ＝５Ｇ）の周波数帯を使用しているとしてもよい。ただし、この例に限ったものではない。
【０７７５】
また、本説明では、屋内を例に説明しているがこれに限ったものではない。例えば、図４７における屋内ゲートウェイ４５０２を屋外ゲートウェイ４５０１として、これまで説明したものを実施しても、同様に実施することができるとともに、同様の効果を得ることができる。
【０７７６】
なお、共有するための情報シンボルが含む共有するための情報は、本実施の形態で説明した例に限ったものではない。例えば、メッシュネットワーク（マルチホップネットワーク）を構成する上で共有する必要がある情報を共有するための情報シンボルが含んでいるという構成が考えられる。
【０７７７】
（実施の形態Ａ３）
図６２は、図４７における屋内ゲートウェイ４５０２、ＭＰ＊１等及びＭＡＰ＃１等の構成の一例を示している。第１の送受信装置１５０５は、光通信のための第１の無線通信方式のための送受信装置であり、第２の送受信装置１５１４は、Ｂ（Ｈｚ）の周波数帯の第２の無線通信方式のための送受信装置であり、Ｂは０以上の実数であるものとする。なお、図６２では、２つの送受信装置を具備している例を示しているが、３つ以上の送受信装置を具備している構成であってもよい。
【０７７８】
第１の送受信装置１５０５は、受光部１８０１で受信した受信信号１５０２を入力とし、復調、誤り訂正復号などの処理を行い、受信データ１５０６を出力する。なお、受光部１８０１は、例えば、フォトダイオード、ＣＭＯＳ（Complementary Metal Oxide Semiconductor）イメージセンサー、有機ＣＭＯＳイメージセンサーなどで実現することができる。
【０７７９】
また、第１の送受信装置１５０５は、受信信号１５０２を入力とし、通信環境の推定を行い、受信状態信号１５９９を出力する。
【０７８０】
第１の送受信装置１５０５は、送信データ１５０７を入力とし、誤り訂正符号化、マッピング、周波数変換などの処理を行い、送信信号１５０４を生成し、出力する。そして、発光部１８０３は、送信信号１５０４を電波として出力する。なお、発光部１８０３は、例えば、ＬＥＤ（Light Emitting Diode）などで実現することができる。
【０７８１】
共有情報生成部１５０８は、受信データ１５０６、および、受信状態信号１５９９を入力とし、共有するための情報１５０９を生成し、出力する。なお、この点については後で説明を行う。
【０７８２】
第２の送受信装置１５１４は、アンテナ１５１０で受信した受信信号１５１１を入力とし、復調、誤り訂正復号などの処理を行い、受信データ１５１５を出力する。なお、受信信号１５１１は、Ｂ（Ｈｚ）の周波数帯の第２の無線通信方式の信号である。
【０７８３】
第２の送受信装置１５１４は、送信データ１５１６、共有するための情報１５０９を入力とし、誤り訂正符号化、マッピング、周波数変換などの処理を行い、送信信号１５１３を生成し、出力する。そして、アンテナ１５１２は、送信信号１５１３を電波として出力する。なお、送信信号１５１３は、Ｂ（Ｈｚ）の周波数帯の第２の無線通信方式の信号である。
【０７８４】
図６０は、図４７におけるＭＰ＊３とＭＰ＊４との通信の例を示している。なお、ＭＰ＊３とＭＰ＊４とは、図６２の構成の装置であるものとする。
【０７８５】
図６０において、グラフ１６５１は、ＭＰ＊３の第１の送受信装置１５０５の通信の流れを示している。グラフ１６５２は、ＭＰ＊３の第２の送受信装置１５１４の通信の流れを示している。グラフ１６６１は、ＭＰ＊４の第１の送受信装置１５０５の通信の流れを示している。グラフ１６６２は、ＭＰ＊４の第２の送受信装置１５１４の通信の流れを示している。なお、グラフ１６５１、１６５２、１６６１及び１６６２において、横軸は時間である。
【０７８６】
図６０に示すように、まず、ＭＰ＊３の第１の送受信装置１５０５は、フレーム１６０１を送信する。なお、フレーム１６０１の構成の一例については、図４８に示したとおりである。また、フレーム１６０１は、光通信方式のフレームである。
【０７８７】
そして、例えば、ＭＰ＊４の第１の送受信装置１５０５は、フレーム１６０１を受信する。フレーム１６０１を受信後、ＭＰ＊４の第１の送受信装置１５０５は、「ＭＰ＊３の第１の送受信装置１５０５が変調信号を送信したときの受信状態の推定」を行う。また、ＭＰ＊４の第１の送受信装置１５０５は、装置識別情報シンボルから装置識別情報を得ることによって、変調信号を送信したのがＭＰ＊３であることを知ることになる。
【０７８８】
すると、ＭＰ＊４の第２の送受信装置１５１４は、フレーム１６０２を送信する。なお、フレーム１６０２は「Ｂ（Ｈｚ）の周波数帯の第２の無線通信方式」のフレームとなる。
【０７８９】
フレーム１６０２の構成の例を図６１に示す。なお、横軸は時間とする。例えば、フレーム１６０２は、プリアンブル、制御情報シンボル、及び、データシンボルを備えて構成されるものとする。
【０７９０】
図６１におけるプリアンブルは、通信相手が時間同期及び周波数同期などを行うシンボルである。なお、ここでの説明では、通信相手は、１つ以上、または、２つ以上の装置であるものとする。このとき、装置は、屋内ゲートウェイ４５０２、ＭＰ＃１等、ＭＡＰ＊１等である。
【０７９１】
図６１における制御情報シンボルには、送信方法情報シンボルが含まれている。送信方法情報シンボルは、「フレーム１６０２がブロードキャスト（マルチキャスト）用のフレームであるか、又は、ユニキャスト用のフレームであるか」を示す情報を含んでいる。なお、フレーム１６０２は、ブロードキャスト（マルチキャスト）用のフレームである。また、データシンボルを生成するために使用した、誤り訂正符号の方法・変調方式の情報、送信するストリーム数などの送信方法に関する情報を含んでいてもよい。
【０７９２】
図６１におけるデータシンボルには、共有するための情報シンボルが含まれている。図６０のような通信を行っている場合、共有するための情報シンボルは、「ＭＰ＊３の第１の送受信装置１５０５が変調信号を送信したときの受信状態の推定」情報、および、「変調信号を送信したのがＭＰ＊３であること」の情報が含まれているものとする。
【０７９３】
そして、ＭＰ＊４の第２の送受信装置１５１４が送信したフレーム１６０２を、１つ以上、または、２つ以上の装置が受信し、これらの装置は、「ＭＰ＊３の第１の送受信装置１５０５が変調信号を送信したときの受信状態の推定」情報、および、「変調信号を送信したのがＭＰ＊３であること」の情報を得ることになる。なお、図４７では、フレーム１６０２を、屋内ゲートウェイ４５０２、ＭＰ＊１、ＭＰ＊２、ＭＰ＊３、ＭＰ＊５、ＭＰ＊６、ＭＰ＊７、ＭＰ＊８、ＭＡＰ＃１、ＭＡＰ＃２、ＭＡＰ＃３及びＭＡＰ＃４が受信することになる。
【０７９４】
このとき、「Ｂ（Ｈｚ）の周波数帯の第２の無線通信方式」を電波による無線通信方式とすると、実現が容易となる。なぜなら、光通信は、光の直進性を考慮すると、通信可能な範囲が限定的であるからである。
【０７９５】
これにより、ＭＰ＊３とＭＰ＊４との通信状況を、１つ以上、または、２つ以上の装置が容易にもつことができるという効果を得ることができる。これにより、各ノードのメッシュネットワークの構成が容易にわかり、また、メッシュネットワーク（マルチホップネットワーク）におけるルートマップを用意に作成することができるという効果を得ることができる。
【０７９６】
なお、ここでの説明は、ＭＰ＊３とＭＰ＊４との通信状況の装置への共有方法について説明したが、「ＭＰ＊３とＭＰ＊４との通信状況」以外の装置間の通信状況の装置への共有についても、同様に実施することが可能である。
【０７９７】
また、本説明では、屋内を例に説明しているがこれに限ったものではない。例えば、図４７における屋内ゲートウェイ４５０２を屋外ゲートウェイ４５０１として、これまで説明したものを実施しても、同様に実施することができるとともに、同様の効果を得ることができる。
【０７９８】
なお、共有するための情報シンボルが含む共有するための情報は、本実施の形態で説明した例に限ったものではない。例えば、メッシュネットワーク（マルチホップネットワーク）を構成する上で共有する必要がある情報を共有するための情報シンボルが含んでいるという構成が考えられる。
【０７９９】
（実施の形態Ａ４）
実施の形態Ａ２において、図５９は、図４７におけるノード（つまり、屋内ゲートウェイ４５０２、ＭＰ＊１等、及び、ＭＡＰ＃１等）の構成であり、第１の送受信装置１５０５は、Ａ（Ｈｚ）の周波数帯の第１の無線通信方式のための送受信装置であり、第２の送受信装置１５１４は、Ｂ（Ｈｚ）の周波数帯の第２の無線通信方式のための送受信装置であり、Ａは０以上の実数、Ｂは０以上の実数、Ａ＞Ｂであるものとした。
【０８００】
このとき、第１の送受信装置１５０５の通信方式と、第２の送受信装置１５１４の通信方式とについて説明する。
【０８０１】
多重化方式として、例えば、時間分割多重（TDM：Time Division Multiplexing）、周波数分割多重（FDM：Frequency Division Multiplexing）、ＣＳＭＡ（Carrier Sense Multiple Access）、及び、ＣＳＭＡ／ＣＡ（Carrier Sense Multiple Access with Collision Avoidance）がある。
【０８０２】
図６３は、ＴＤＭを実施しているときの時間資源の割り当ての例を示している。なお、図６３において、横軸は時間である。
【０８０３】
図６３に示すように、第１の時間では、第１の通信装置による変調信号の送信１９０１がなされている。第２の時間では、第２の通信装置による変調信号の送信１９０２がなされている。第３の時間では、第３の通信装置による変調信号の送信１９０３がなされている。第４の時間では、第１の通信装置による変調信号の送信１９０４がなされている。
【０８０４】
このように、時間スロットによって、変調信号（フレーム）の送信者が切り替えられることになる。特に、時間を変えることによって、複数の通信装置との通信を行う方式をＴＤＭＡ（Time Division Multiple Access）と呼ぶ。
【０８０５】
図６４は、ＦＤＭを実施しているときの周波数資源の割り当ての例を示している。なお、図６４において、横軸は周波数である。
【０８０６】
図６４に示すように、第１の周波数帯では、第１の通信装置による変調信号の送信２００１がなされている。第２の周波数帯では、第２の通信装置による変調信号の送信２００２がなされている。第３の時間では、第３の通信装置による変調信号の送信２００３がなされている。第４の時間では、第１の通信装置による変調信号の送信２００４がなされている。
【０８０７】
このように、周波数スロットによって、変調信号（フレーム）を切り替えることになる。特に、周波数を変えることによって、複数の通信装置との通信を行う方式をＦＤＭＡ（Frequency Division Multiple Access）と呼ぶ。
【０８０８】
図６５はＣＳＭＡを実施しているときの時間軸におけるフレームの例を示している。なお、図６５において、横軸は時間である。
【０８０９】
図６５に示すように、電波が存在していない区間があるものとする。第１の通信装置は、この電波が存在していない区間を確認し、変調信号の送信２１０１をする。
【０８１０】
このように、通信を開始しようとする通信装置が、通信を開始する前に、周囲の通信装置が電波を出していないかどうかを確認してから通信を開始することになる。特に、衝突回避機能を持つＣＳＭＡをＣＳＭＡ／ＣＡ（Carrier Sense Multiple Access with Collision Avoidance）と呼び、衝突を回避するために、周辺の通信装置が電波を出していれば、ある一定期間だけ待って、再び周囲が電波を出していなければあるランダムな時間後に電波を送信する方式である。
【０８１１】
実施の形態Ａ２において説明したように、ＭＰ＊４は、図５４に示されるフレーム１６０２を、複数の通信装置に対し送信している。このような場合、フレーム１６０２は、ＣＳＭＡ、または、ＣＳＭＡ／ＣＡのフレームであるとよい。なぜなら、フレーム１６０２が送信されるタイミングが一定周期でないこと、及び、フレーム１６０２がブロードキャスト（マルチキャスト）のフレームであることを考慮すると、ＣＳＭＡまたはＣＳＭＡ／ＣＡによりフレーム１６０２が送信されることで、複数の通信装置が的確にフレーム１６０２を受信することができるという効果を得ることができるからである。また、ＦＤＭ若しくはＦＤＭＡ、または、ＴＤＭ若しくはＴＤＭＡを制御するための通信装置が不要となるという効果を得ることができる。
【０８１２】
一方、メッシュネットワーク（マルチホップネットワーク）による通信は、ＦＤＭ若しくはＦＤＭＡ、ＴＤＭ若しくはＴＤＭＡ、ＣＳＭＡ、または、ＣＳＭＡ／ＣＡのいずれの方式であってもよい。メッシュネットワークによる通信において、ＦＤＭ若しくはＦＤＭＡ、または、ＴＤＭ若しくはＴＤＭＡを用いた場合、断続的にデータを伝送することができるという効果が得られる。例えば、変調信号を断続的に中継する場合に、これらの方式を使用することが好適である。
【０８１３】
メッシュネットワーク（マルチホップネットワーク）による通信において、ＣＳＭＡまたはＣＳＭＡ／ＣＡを用いた場合、各通信装置は、消費電力を低減することができるという効果を得ることができる。なぜなら、データ伝送が必要なときだけ、変調信号を送信すればよいからである。
【０８１４】
したがって、例えば、図４７のメッシュネットワークにおいて、第１の無線通信方式においてＦＤＭ若しくはＦＤＭＡ、または、ＴＤＭ若しくはＴＤＭＡを使用し、第２の無線通信方式において、ＣＳＭＡまたはＣＳＭＡ／ＣＡを使用するとする（つまり、フレーム１６０２をＣＳＭＡ、または、ＣＳＭＡ／ＣＡの方式で送信する）ことで、上記の効果を得ることができる。
【０８１５】
また、別の方法として、例えば、図４７のメッシュネットワークにおいて、第１の無線通信方式および第２の無線通信方式のいずれもＣＳＭＡ、または、ＣＳＭＡ／ＣＡとしてもよい。
【０８１６】
さらに、例えば、図４７のメッシュネットワーク（マルチホップネットワーク）において、第１の無線通信方式として「ＦＤＭ若しくはＦＤＭＡ、または、ＴＤＭ若しくはＴＤＭＡ」と「ＣＳＭＡ、または、ＣＳＭＡ／ＣＡ」とを通信状況、伝播環境又は通信形態などの状況によって、好適なほうを選択して使用し、第２の無線通信方式として、ＣＳＭＡ、または、ＣＳＭＡ／ＣＡを使用するとする（つまり、フレーム１６０２をＣＳＭＡ、または、ＣＳＭＡ／ＣＡの方式で送信する）ことで、上記の効果を得ることができる。特に、第１の無線通信方式において、「ＦＤＭ若しくはＦＤＭＡ、または、ＴＤＭ若しくはＴＤＭＡ」と「ＣＳＭＡ、または、ＣＳＭＡ／ＣＡ」を通信状況、伝播環境又は通信形態などの状況によって、好適なほうを選択して使用することで、通信環境に応じて、好適なメッシュネットワーク（マルチホップネットワーク）を構築することができるという効果を得ることができる。
【０８１７】
なお、図６０のフレーム１６０２の送信において、ＦＤＭ若しくはＦＤＭＡ、または、ＴＤＭ若しくはＴＤＭＡを制御するための通信装置が存在している場合、ＦＤＭ若しくはＦＤＭＡ、または、ＴＤＭ若しくはＴＤＭＡで送信してもよい。
【０８１８】
また、本説明では、屋内を例に説明しているがこれに限ったものではない。例えば、図４７における屋内ゲートウェイ４５０２を屋外ゲートウェイ４５０１として、これまで説明したものを実施しても、同様に実施することができるとともに、同様の効果を得ることができる。
【０８１９】
（実施の形態Ａ５）
実施の形態Ａ３のように、第１の無線通信方式を光通信方式とし、第２の無線通信方式をＢ（Ｈｚ）の周波数帯の電波を用いた通信方式としてもよい。
【０８２０】
このとき、図４７のメッシュネットワーク（マルチホップネットワーク）において、第２の無線通信方式において、ＣＳＭＡまたはＣＳＭＡ／ＣＡを使用するとする（つまり、フレーム１６０２をＣＳＭＡ、または、ＣＳＭＡ／ＣＡの方式で送信する）ことで、各通信装置は、消費電力を低減することができるという効果を得ることができる。
【０８２１】
なお、図６０のフレーム１６０２の送信において、ＦＤＭ若しくはＦＤＭＡ、または、ＴＤＭ若しくはＴＤＭＡを制御するための通信装置が存在している場合、ＦＤＭ若しくはＦＤＭＡ、または、ＴＤＭ若しくはＴＤＭＡで送信してもよい。
【０８２２】
また、本説明では、屋内を例に説明しているがこれに限ったものではない。例えば、図４７における屋内ゲートウェイ４５０２を屋外ゲートウェイ４５０１として、これまで説明したものを実施しても、同様に実施することができるとともに、同様の効果を得ることができる。
【０８２３】
（補足Ａ２）
本明細書において、特に、電波による無線通信を行う場合、変調信号を送信するアンテナは１本であってもよいし、２本以上であってもよい。同様に、変調信号を受信するアンテナは１本であってもよいし、２本以上あってもよい。そして、変調信号を送信するアンテナが２本以上存在する場合、複数の変調信号を複数のアンテナを用いて送信する、ＭＩＭＯ（Multiple-Input Multiple-Output）方式を適用してもよい。したがって、本明細書の各実施の形態において、ＭＩＭＯ方式を適用しても、同様に実施することができ、また、同様の効果を得ることができる。
【０８２４】
（実施の形態Ａ６）
本実施の形態では、本明細書で説明したネットワークを利用したアクセス制御方法について説明する。
【０８２５】
図６６はシステム構成を示している。図６６において、第１ネットワーク２２１３と第２ネットワーク２２１６の関係について、第１の方法、または、第２の方法であるものとする。
【０８２６】
第１の方法：
第１ネットワーク２２１３は、Ａ（Ｈｚ）の周波数帯の電波を用いたネットワークであるものとする。そして、第２ネットワーク２２１６は、Ｂ（Ｈｚ）の周波数帯の電波を用いたネットワークであるものとする。このとき、Ａ＞Ｂであるものとする。
【０８２７】
例えば、第１ネットワーク２２１３は６０ＧＨｚ（Ａ＝６０Ｇ）の周波数帯を用いたネットワークとし、第２ネットワーク２２１６は２．４ＧＨｚ（Ｂ＝２．４Ｇ）の周波数帯を用いたネットワークとする。また、第１ネットワークで用いる無線通信における最大データ伝送速度が第２ネットワークで用いる無線通信における最大データ伝送速度より大きいことを満たしていてもよい。
【０８２８】
なお、第１ネットワーク２２１３は、図４７、図５１、図５３、図５５、図５６、図５７などのメッシュネットワーク、マルチホップネットワークを構成している。（ただし、第１ネットワーク２２１３は、メッシュネットワーク、マルチホップネットワークを構成していなくてもよい。）
【０８２９】
第２ネットワーク２２１６は、「メッシュネットワーク、マルチホップネットワーク」の構成であってもよいし、「メッシュネットワーク、マルチホップネットワーク」でない構成であってもよい。
【０８３０】
第２の方法：
第１ネットワーク２２１３は、光通信を用いたネットワークであるものとする。そして、第２ネットワーク２２１６はＢ（Ｈｚ）の周波数帯の電波を用いたネットワークであるものとする。
【０８３１】
なお、第１ネットワーク２２１３は、図４７、図５１、図５３、図５５、図５６、図５７などのメッシュネットワーク、マルチホップネットワークを構成している。（ただし、第１ネットワーク２２１３は、メッシュネットワーク、マルチホップネットワークを構成していなくてもよい。）
【０８３２】
第２ネットワーク２２１６は、「メッシュネットワーク、マルチホップネットワーク」の構成であってもよいし、「メッシュネットワーク、マルチホップネットワーク」でない構成であってもよい。
【０８３３】
図６６において、装置２２０８は、第１ネットワーク２２１３介し、屋内ゲートウェイ２２１１と通信を行っている。また、装置２２０８は、第２ネットワーク２２１６を介し、屋内ゲートウェイ２２１１と通信を行っている。
【０８３４】
屋内ゲートウェイ２２１１は、屋外ゲートウェイ２２０９と通信を行っている。
【０８３５】
屋外ゲートウェイ２２０９は、２２０７のネットワーク＃Ａを介し、サーバー２２０５と通信を行っている。
【０８３６】
屋外ゲートウェイ２２０９は、２２０３のネットワーク＃Ｂを介して、端末２２０１と通信を行っている。
【０８３７】
サーバー２２０５は２２０３のネットワーク＃Ｂを開始、端末２２０１と通信を行っている。
【０８３８】
なお、図６６のシステムの詳細の動作については、後で説明する。
【０８３９】
図６７は、図６６のシステムと異なるシステム構成を示している。図６７が図６６と異なる点は、ゲートウェイを一つとしている点である。図６７において、第１ネットワーク２２１３と第２ネットワーク２２１６の関係について、第１の方法、または、第２の方法であるものとする。なお、第１の方法、第２の方法についてはすでに記載したとおりである。
【０８４０】
図６７において、装置２２０８は、第１ネットワーク２２１３介し、ゲートウェイ２３００と通信を行っている。また、装置２２０８は、第２ネットワーク２２１６を介し、ゲートウェイ２３００と通信を行っている。
【０８４１】
ゲートウェイ２３００は、２２０７のネットワーク＃Ａを介し、サーバー２２０５と通信を行っている。
【０８４２】
ゲートウェイ２３００は、２２０３のネットワーク＃Ｂを介して、端末２２０１と通信を行っている。
【０８４３】
サーバー２２０５は２２０３のネットワーク＃Ｂを開始、端末２２０１と通信を行っている。
【０８４４】
なお、図６７のシステムの詳細の動作については、後で説明する。
【０８４５】
図６８は、図６６、図６７における装置２２０８の構成の一例である。なお、図６８において、図１５と同様に動作するものについては、同一番号を付している。
【０８４６】
第１の送受信装置１５０５は、図６６、アンテナ（光通信の場合、受光部となる）１５０１が受信した図６７の２２１４＿１に相当する受信信号１５０２を入力とし、復調、誤り訂正符号の復号などの処理を行い、受信データ１５０６を出力する。
【０８４７】
第１の送受信装置１５０５は、送信データ１５０７を入力とし、誤り訂正符号化、マッピングなどの処理を行い、送信信号１５０４を出力し、送信信号１５０４は、アンテナ１５０３から電波として出力される。（光通信の場合、送信信号１５０４は、照明部１５０３から照射される。）
【０８４８】
なお、第１の送受信装置１５０５は、図６６、図６７における第１ネットワーク２２１３のための送受信装置である。
【０８４９】
第２の送受信装置１５１４は、アンテナ１５１０が受信した図６６、図６７の２２１７＿１に相当する受信信号１５１１を入力とし、復調、誤り訂正符号の復号などの処理を行い、受信データ１５１５を出力する。
【０８５０】
第２の送受信装置１５１４は、送信データ１５１６を入力とし、誤り訂正符号化、マッピングなどの処理を行い、送信信号１５１３を出力し、送信信号１５１３は、アンテナ１５１２から電波として出力される。したがって、送信信号１５１３は、図６６、図６７の２２１７＿２に相当する。
【０８５１】
したがって、第２の送受信装置１５１４は、図６６、図６７における第２ネットワーク２２１６のための送受信装置である。
【０８５２】
データ生成部２４０２は、受信データ１５０６、受信データ１５１５、情報２４０１を入力とし、情報２４０１に相当する送信データ１５０７、および／または、送信信号１５１６を出力する。
【０８５３】
図６９は、図６６、図６７における端末２２０１の構成の一例を示している。
【０８５４】
図６９の送受信装置２５０５は、アンテナ２５０１で受信した受信信号２５０２を入力とし、復調、誤り訂正符号の復号などの処理を行い、受信データ２５０６を出力する。このとき、受信信号２５０２は、図６６、図６７における２２０２＿２に相当する。
【０８５５】
また、送受信装置２５０５は、送信データ２５０７を入力とし、誤り訂正符号化、マッピングなどの処理を行い、送信信号２５０４を出力し、送信信号２５０４は、アンテナ２５０３から電波として出力される。このとき、送信信号２５０４は、図６６、図６７における２２０２＿１に相当する。
【０８５６】
データ生成部２５０８は、情報２５０９、受信データ２５０６を入力とし、情報２５０９に相当する送信データ２５０７を出力する。
【０８５７】
図７０は、図６６のシステム、図６７のシステムの動作例を示している。
【０８５８】
はじめに、図６６のシステムにおける図７０の動作について説明する。なお図７０において、縦軸は時間となる。
【０８５９】
図６８の構成を持つ図６６、図６７における装置２２０８の第２の送受信装置１５１４は、アクセス要求の情報を送信する（２６０１）。
【０８６０】
そして、屋内ゲートウェイ２２１１は、このアクセス要求の情報を、第２ネットワーク２２１６を介し、受信する（２６０２）。屋内ゲートウェイ２２１１は、アクセス要求に伴い、装置２２０８が接続するための時刻Ｍの第２アドレス（例えば、ＩＰ（Internet Protocol）アドレス）の情報を送信し（２６０５）、装置２２０８は、時刻Ｍの第２アドレスの情報を、第２ネットワーク２２１６を介して、受信し、時刻Ｍの第２アドレスの情報を得ることになる（２６０６）。ただし、時刻Ｍの第２アドレスの発行は、屋内ゲートウェイ２２１１が行ってもよいし、または、屋外ゲートウェイ２２０９が行ってもよいし、または、他の装置が行ってもよい。（時刻Ｍの第２アドレスは、第２ネットワーク２２１６を介して接続するためのアドレスである。）
【０８６１】
そして、装置２２０８は、時刻Ｍの第２アドレスの情報を送信する。そして、サーバー２２０５は、例えば、第２ネットワーク２２１６、屋内ゲートウェイ２２１１、屋外ネットワーク２２０９、２２０７のネットワーク＃Ａを介し、時刻Ｍの第２アドレスの情報を得る（２６０６）。
【０８６２】
図６８の構成を持つ図６６、図６７における装置２２０８の第２の送受信装置１５１４は、アクセス要求の情報を送信する（２６０７）。
【０８６３】
そして、屋内ゲートウェイ２２１１は、このアクセス要求の情報を、第２ネットワーク２２１６を介し、受信する（２６０８）。
【０８６４】
屋内ゲートウェイ２２１１は、アクセス要求に伴い、装置２２０８が接続するための時刻Ｎの第２アドレス（例えば、ＩＰアドレス）の情報を送信し（２６０８）、装置２２０８は、時刻Ｎの第２アドレスの情報を、第２ネットワーク２２１６を介して、受信し、時刻Ｍの第２アドレスの情報を得ることになる（２６０９）。ただし、時刻Ｎの第２アドレスの発行は、屋内ゲートウェイ２２１１が行ってもよいし、または、屋外ゲートウェイ２２０９が行ってもよいし、または、他の装置が行ってもよい。（時刻Ｎの第２アドレスは、第２ネットワーク２２１６を介して接続するためのアドレスである。）
【０８６５】
そして、装置２２０８は、時刻Ｎの第２アドレスの情報を送信する。そして、サーバー２２０５は、例えば、第２ネットワーク２２１６、屋内ゲートウェイ２２１１、屋外ネットワーク２２０９、２２０７のネットワーク＃Ａを介し、時刻Ｎの第２アドレスの情報を得る（２６１１）。
【０８６６】
なお、装置２２０８がサーバー２２０５にアクセスするために、サーバー２２０５において、装置２２０８がアクセスしてもよいかの認証が行われてもよい。なお、認証のための鍵の情報は、装置２２０８と端末２２０１が保有することになる。
【０８６７】
次に、端末２２０１は、「第１ネットワーク経由での装置２２０８への接続の要求」をサーバー２２０５に対して行う。したがって、端末２２０１は、「第１ネットワーク経由での装置２２０８への接続の要求」情報を送信する（２６１２）。
【０８６８】
サーバー２２０５は、２２０３のネットワーク＃Ｂを介して、「第１ネットワーク経由での装置２２０８への接続の要求」情報を受信する（２６１３）。
【０８６９】
これに伴い、サーバー２２０５は、「第１ネットワーク経由での装置２２０８への接続の要求」の情報を送信する（２６１４）。
【０８７０】
装置２２０８は、「第１ネットワーク経由での装置２２０８への接続の要求」の情報を、２２０７のネットワーク＃Ａ、屋外ゲートウェイ２２０９、屋内ゲートウェイ２２１１、第２ネットワーク２２１６を介して受信することになる（２６１５）。なお、これは、「すでに、サーバー２２０５が、第２ネットワーク２２１６を介して装置２２０８にアクセスするための時刻Ｎの第２アドレスを入手済みである」ので可能となる。
【０８７１】
そして、装置２２０８は、「第１ネットワーク２２１３経由でのアクセス要求」を行う（２６１６）。したがって、装置２２０８は、「第１ネットワーク２２１３経由でのアクセス要求」の情報を送信する。
【０８７２】
屋内ゲートウェイ２２１１は、このアクセス要求の情報を第１ネットワークを介して、受信する（２６１７）。
【０８７３】
屋内ゲートウェイ２２１１は、アクセス要求に伴い、装置２２０８が接続するための時刻Ｘの第１アドレス（例えば、ＩＰアドレス）の情報を送信し（２６１８）、装置２２０８は、時刻Ｘの第１アドレスの情報を、第１ネットワーク２２１３を介して、受信し、時刻Ｘの第１アドレスの情報を得ることになる（２６１９）。ただし、時刻Ｘの第１アドレスの発行は、屋内ゲートウェイ２２１１が行ってもよいし、または、屋外ゲートウェイ２２０９が行ってもよいし、または、他の装置が行ってもよい。（時刻Ｘの第１アドレスは、第１ネットワーク２２１６を介して接続するためのアドレスである。）
【０８７４】
そして、装置２２０８は、時刻Ｘの第１アドレスの情報を送信する（２６２０）。そして、サーバー２２０５は、例えば、第１ネットワーク２２１３、屋内ゲートウェイ２２１１、屋外ゲートウェイ２２０９、２２０７のネットワーク＃Ａを介し、時刻Ｘの第１アドレスの情報を得る（２６２１）。
【０８７５】
なお、装置２２０８がサーバー２２０５にアクセスするために、サーバー２２０５において、装置２２０８がアクセスしてもよいかの認証が行われてもよい。なお、認証のための鍵の情報は、装置２２０８と端末２２０１が保有することになる。
【０８７６】
サーバー２２０５は、時刻Ｘの第１アドレスの情報を送信する（２６２２）。そして、端末２２０１は、２２０３のネットワーク＃Ｂを介し、時刻Ｘの第１アドレスの情報を得る（２６２３）。
【０８７７】
そして、端末は、時刻Ｘの第１アドレスの情報に基づいて、２２０３のネットワーク＃Ｂ、屋外ゲートウェイ２２０９、屋内ゲートウェイ２２１１、第１ネットワーク２２１３を介して、装置２２０８にアクセスすることになる（２６２５）。
【０８７８】
すると、装置２２０８はデータを送信し（２６２６）、端末２２０８は、例えば、第１ネットワーク２２１３、屋内ゲートウェイ２２１１、屋外ゲートウェイ２２０９、２２０３のネットワーク＃Ｂを介して、このデータを得ることになる（２６２７）。
【０８７９】
次に、図６７のシステムにおける図７０の動作について説明する。なお、図７０において、縦軸は時間となる。
【０８８０】
図６８の構成を持つ図６６、図６７における装置２２０８の第２の送受信装置１５１４は、アクセス要求の情報を送信する（２６０１）。
【０８８１】
そして、ゲートウェイ２３００は、このアクセス要求の情報を、第２ネットワーク２２１６を介し、受信する（２６０２）。ゲートウェイ２３００は、アクセス要求に伴い、装置２２０８が接続するための時刻Ｍの第２アドレス（例えば、ＩＰ（Internet Protocol）アドレス）の情報を送信し（２６０５）、装置２２０８は、時刻Ｍの第２アドレスの情報を、第２ネットワーク２２１６を介して、受信し、時刻Ｍの第２アドレスの情報を得ることになる（２６０６）。ただし、時刻Ｍの第２アドレスの発行は、他の装置が行ってもよい。（時刻Ｍの第２アドレスは、第２ネットワーク２２１６を介して接続するためのアドレスである。）
【０８８２】
そして、装置２２０８は、時刻Ｍの第２アドレスの情報を送信する。そして、サーバー２２０５は、例えば、第２ネットワーク２２１６、ゲートウェイ２３００、２２０７のネットワーク＃Ａを介し、時刻Ｍの第２アドレスの情報を得る（２６０６）。
【０８８３】
図６８の構成を持つ図６６、図６７における装置２２０８の第２の送受信装置１５１４は、アクセス要求の情報を送信する（２６０７）。
【０８８４】
そして、屋内ゲートウェイ２２１１は、このアクセス要求の情報を、第２ネットワーク２２１６を介し、受信する（２６０８）。
【０８８５】
ゲートウェイ２３００は、アクセス要求に伴い、装置２２０８が接続するための時刻Ｎの第２アドレス（例えば、ＩＰアドレス）の情報を送信し（２６０８）、装置２２０８は、時刻Ｎの第２アドレスの情報を、第２ネットワーク２２１６を介して、受信し、時刻Ｍの第２アドレスの情報を得ることになる（２６０９）。ただし、時刻Ｎの第２アドレスの発行は、他の装置が行ってもよい。（時刻Ｎの第２アドレスは、第２ネットワーク２２１６を介して接続するためのアドレスである。）
【０８８６】
そして、装置２２０８は、時刻Ｎの第２アドレスの情報を送信する。そして、サーバー２２０５は、例えば、第２ネットワーク２２１６、ゲートウェイ２３００、２２０７のネットワーク＃Ａを介し、時刻Ｎの第２アドレスの情報を得る（２６１１）。
【０８８７】
なお、装置２２０８がサーバー２２０５にアクセスするために、サーバー２２０５において、装置２２０８がアクセスしてもよいかの認証が行われてもよい。なお、認証のための鍵の情報は、装置２２０８と端末２２０１が保有することになる。
【０８８８】
次に、端末２２０１は、「第１ネットワーク経由での装置２２０８への接続の要求」をサーバー２２０５に対して行う。したがって、端末２２０１は、「第１ネットワーク経由での装置２２０８への接続の要求」情報を送信する（２６１２）。
【０８８９】
サーバー２２０５は、２２０３のネットワーク＃Ｂを介して、「第１ネットワーク経由での装置２２０８への接続の要求」情報を受信する（２６１３）。
【０８９０】
これに伴い、サーバー２２０５は、「第１ネットワーク経由での装置２２０８への接続の要求」の情報を送信する（２６１４）。
【０８９１】
装置２２０８は、「第１ネットワーク経由での装置２２０８への接続の要求」の情報を、２２０７のネットワーク＃Ａ、ゲートウェイ２３００、第２ネットワーク２２１６を介して受信することになる（２６１５）。なお、これは、「すでに、サーバー２２０５が、第２ネットワーク２２１６を介して装置２２０８にアクセスするための時刻Ｎの第２アドレスを入手済みである」ので可能となる。
【０８９２】
そして、装置２２０８は、「第１ネットワーク２２１３経由でのアクセス要求」を行う（２６１６）。したがって、装置２２０８は、「第１ネットワーク２２１３経由でのアクセス要求」の情報を送信する。
【０８９３】
ゲートウェイ２３００は、このアクセス要求の情報を第１ネットワークを介して、受信する（２６１７）。
【０８９４】
ゲートウェイ２３００は、アクセス要求に伴い、装置２２０８が接続するための時刻Ｘの第１アドレス（例えば、ＩＰアドレス）の情報を送信し（２６１８）、装置２２０８は、時刻Ｘの第１アドレスの情報を、第１ネットワーク２２１３を介して、受信し、時刻Ｘの第１アドレスの情報を得ることになる（２６１９）。ただし、時刻Ｘの第１アドレスの発行は、他の装置が行ってもよい。（時刻Ｘの第１アドレスは、第１ネットワーク２２１６を介して接続するためのアドレスである。）
【０８９５】
そして、装置２２０８は、時刻Ｘの第１アドレスの情報を送信する（２６２０）。そして、サーバー２２０５は、例えば、第１ネットワーク２２１３、ゲートウェイ２３００、２２０７のネットワーク＃Ａを介し、時刻Ｘの第１アドレスの情報を得る（２６２１）。
【０８９６】
なお、装置２２０８がサーバー２２０５にアクセスするために、サーバー２２０５において、装置２２０８がアクセスしてもよいかの認証が行われてもよい。なお、認証のための鍵の情報は、装置２２０８と端末２２０１が保有することになる。
【０８９７】
サーバー２２０５は、時刻Ｘの第１アドレスの情報を送信する（２６２２）。そして、端末２２０１は、２２０３のネットワーク＃Ｂを介し、時刻Ｘの第１アドレスの情報を得る（２６２３）。
【０８９８】
そして、端末は、時刻Ｘの第１アドレスの情報に基づいて、２２０３のネットワーク＃Ｂ、ゲートウェイ２３００、第１ネットワーク２２１３を介して、装置２２０８にアクセスすることになる（２６２５）。
【０８９９】
すると、装置２２０８はデータを送信し（２６２６）、端末２２０８は、例えば、第１ネットワーク２２１３、ゲートウェイ２３００、２２０３のネットワーク＃Ｂを介して、このデータを得ることになる（２６２７）。
【０９００】
図７１は、図６６のシステム、図６７のシステムの動作例を示している。
【０９０１】
図６６のシステムにおける図７１の動作について説明する。なお図７１において、縦軸は時間となる。また、図７１において、図７０と動作が同じとなるものについては、同一番号を付している。したがって、図７１において、図７０と動作の異なる点について説明する。図７１において、図７０と異なる点は、２６０１から２６１１の部分となる。
【０９０２】
図６８の構成を持つ図６６、図６７における装置２２０８の第２の送受信装置１５１４は、アクセス要求の情報を送信する（２６０１）。
【０９０３】
そして、屋内ゲートウェイ２２１１は、このアクセス要求の情報を、第２ネットワーク２２１６を介し、受信する（２６０２）。屋内ゲートウェイ２２１１は、アクセス要求に伴い、装置２２０８が接続するための時刻Ｍの第２アドレス（例えば、ＩＰアドレス）の情報を送信し（２６０５）、装置２２０８は、時刻Ｍの第２アドレスの情報を、第２ネットワーク２２１６を介して、受信し、時刻Ｍの第２アドレスの情報を得ることになる（２６０６）。ただし、時刻Ｍの第２アドレスの発行は、屋内ゲートウェイ２２１１が行ってもよいし、または、屋外ゲートウェイ２２０９が行ってもよいし、または、他の装置が行ってもよい。（時刻Ｍの第２アドレスは、第２ネットワーク２２１６を介して接続するためのアドレスである。）
【０９０４】
そして、装置２２０８は、時刻Ｍの第２アドレスの情報を送信する。そして、サーバー２２０５は、例えば、第２ネットワーク２２１６、屋内ゲートウェイ２２１１、屋外ネットワーク２２０９、２２０７のネットワーク＃Ａを介し、時刻Ｍの第２アドレスの情報を得る（２６０６）。
【０９０５】
そして、屋内ゲートウェイ２２１１は、定期的、または、不定期的に第２アドレスを装置２２０８に提供することになる。
【０９０６】
屋内ゲートウェイ２２１１は、装置２２０８が接続するための時刻Ｎの第２アドレス（例えば、ＩＰアドレス）の情報を送信し（２６０８）、装置２２０８は、時刻Ｎの第２アドレスの情報を、第２ネットワーク２２１６を介して、受信し、時刻Ｍの第２アドレスの情報を得ることになる（２６０９）。ただし、時刻Ｎの第２アドレスの発行は、屋内ゲートウェイ２２１１が行ってもよいし、または、屋外ゲートウェイ２２０９が行ってもよいし、または、他の装置が行ってもよい。（時刻Ｎの第２アドレスは、第２ネットワーク２２１６を介して接続するためのアドレスである。）
【０９０７】
そして、装置２２０８は、時刻Ｎの第２アドレスの情報を送信する。そして、サーバー２２０５は、例えば、第２ネットワーク２２１６、屋内ゲートウェイ２２１１、屋外ネットワーク２２０９、２２０７のネットワーク＃Ａを介し、時刻Ｎの第２アドレスの情報を得る（２６１１）。
【０９０８】
なお、装置２２０８がサーバー２２０５にアクセスするために、サーバー２２０５において、装置２２０８がアクセスしてもよいかの認証が行われてもよい。なお、認証のための鍵の情報は、装置２２０８と端末２２０１が保有することになる。
【０９０９】
以降の動作については、図７０を説明した際に説明を行っているため、説明を省略する。
【０９１０】
次に、図６７のシステムにおける図７１の動作について説明する。なお、図７１において、縦軸は時間となる。図７１において、図７０と動作が同じとものについては、同一番号を付している。したがって、図７１において、図７０と動作の異なる点について説明する。図７１において、図７０と異なる点は、２６０１から２６１１の部分となる。
【０９１１】
図６８の構成を持つ図６６、図６７における装置２２０８の第２の送受信装置１５１４は、アクセス要求の情報を送信する（２６０１）。
【０９１２】
そして、ゲートウェイ２３００は、このアクセス要求の情報を、第２ネットワーク２２１６を介し、受信する（２６０２）。ゲートウェイ２３００は、アクセス要求に伴い、装置２２０８が接続するための時刻Ｍの第２アドレス（例えば、ＩＰアドレス）の情報を送信し（２６０５）、装置２２０８は、時刻Ｍの第２アドレスの情報を、第２ネットワーク２２１６を介して、受信し、時刻Ｍの第２アドレスの情報を得ることになる（２６０６）。ただし、時刻Ｍの第２アドレスの発行は、他の装置が行ってもよい。（時刻Ｍの第２アドレスは、第２ネットワーク２２１６を介して接続するためのアドレスである。）
【０９１３】
そして、装置２２０８は、時刻Ｍの第２アドレスの情報を送信する。そして、サーバー２２０５は、例えば、第２ネットワーク２２１６、ゲートウェイ２３００、２２０７のネットワーク＃Ａを介し、時刻Ｍの第２アドレスの情報を得る（２６０６）。
【０９１４】
そして、ゲートウェイ２３００は、定期的、または、不定期的に第２アドレスを装置２２０８に提供する。したがって、ゲートウェイ２３００は、装置２２０８が接続するための時刻Ｎの第２アドレス（例えば、ＩＰアドレス）の情報を送信し（２６０８）、装置２２０８は、時刻Ｎの第２アドレスの情報を、第２ネットワーク２２１６を介して、受信し、時刻Ｍの第２アドレスの情報を得る（２６０９）。ただし、時刻Ｎの第２アドレスの発行は、他の装置が行ってもよい。（時刻Ｎの第２アドレスは、第２ネットワーク２２１６を介して接続するためのアドレスである。）
【０９１５】
そして、装置２２０８は、時刻Ｎの第２アドレスの情報を送信する。そして、サーバー２２０５は、例えば、第２ネットワーク２２１６、ゲートウェイ２３００、２２０７のネットワーク＃Ａを介し、時刻Ｎの第２アドレスの情報を得る（２６１１）。
【０９１６】
なお、装置２２０８がサーバー２２０５にアクセスするために、サーバー２２０５において、装置２２０８がアクセスしてもよいかの認証が行われてもよい。なお、認証のための鍵の情報は、装置２２０８と端末２２０１が保有することになる。
【０９１７】
以降の動作については、図７０を説明した際に説明を行っているため、説明を省略する。
【０９１８】
図７０、図７１のような動作の利点について説明する。
【０９１９】
第１の方法を適用した場合、周波数の関係上、第１ネットワーク２２１３における無線通信の通信距離が短くなる可能性がある。また、これを克服するために、メッシュネットワーク、マルチホップネットワークが導入される可能性がある。これらの要因などにより、装置２２０８は、第２ネットワーク２２１６のほうを優先的に使用するほうが通信が安定する可能性がある。そして、装置２２０８は必要となるときに、第１ネットワークと接続することで、より安定的な通信を行うことが可能であり、これにより、端末２２０１の通信も安定するという効果を得ることができる。さらに、第１ネットワークにおいて、データ伝送速度のはやい無線通信を行うことができる可能性があり、この場合、高速なデータ伝送の恩恵を、通信装置２２０８、端末２２０１が得ることができる効果を得ることができる。
【０９２０】
第２の方法を適用した場合、第２ネットワークのほうが通信距離を長くすることができる可能性がある。また、このために、第１ネットワークにおいて、メッシュネットワーク、マルチホップネットワークが導入される可能性がある。これらの要因などにより、装置２２０８は、第２ネットワーク２２１６のほうを優先的に使用するほうが通信が安定する可能性がある。そして、装置２２０８は必要となるときに、第１ネットワークと接続することで、より安定的な通信を行うことが可能であり、これにより、端末２２０１の通信も安定するという効果を得ることができる。さらに、第１ネットワークにおいて、データ伝送速度のはやい無線通信を行うことができる可能性があり、この場合、高速なデータ伝送の恩恵を、通信装置２２０８、端末２２０１が得ることができる効果を得ることができる。
【０９２１】
図７０、図７１では、装置２２０８が、第１ネットワークを使用し、端末２２０１が第１ネットワークを利用してアクセスする場合について説明した。図７２、図７３では、装置２２０８が、第２ネットワークを使用し、端末２２０１が第２ネットワークを利用してアクセスする場合について説明する。
【０９２２】
図７２は、図６６のシステム、図６７のシステムの動作例を示している。
【０９２３】
まず、図６６のシステムにおける図７２の動作について説明する。なお、図７２において、縦軸は時間となる。図７２において、図７０と動作が同じとなるものについては、同一番号を付している。したがって、図７２において、図７０、図７１と動作の異なる点について説明する。よって、２６０１から２６１１については説明を省略する。
【０９２４】
端末２２０１は、「第２ネットワーク経由での装置２２０８への接続の要求」をサーバー２２０５に対して行う。したがって、端末２２０１は、「第２ネットワーク経由での装置２２０８への接続の要求」情報を送信する（２８０１）。
【０９２５】
サーバー２２０５は、２２０３のネットワーク＃Ｂを介して、「第２ネットワーク経由での装置２２０８への接続の要求」情報を受信する（２８０２）。
【０９２６】
サーバー２２０５は、すでに時刻Ｎの第２アドレスを入手済みであるため、時刻Ｎの第２アドレスを送信する（２８０３）。そして、端末２２０１は、２２０３のネットワーク＃Ｂを介し、時刻Ｎの第２アドレスを情報を得る（２８０４）。
【０９２７】
そして、端末は、時刻Ｎの第２アドレスの情報に基づいて、２２０３のネットワーク＃Ｂ、屋外ゲートウェイ２２０９、屋内ゲートウェイ２２１１、第２ネットワーク２２１６を介して、装置２２０８にアクセスすることになる（２８０６）。
【０９２８】
すると、装置２２０８はデータを送信し（２８０７）、端末２２０８は、例えば、第２ネットワーク２２１６、屋内ゲートウェイ２２１１、屋外ゲートウェイ２２０９、２２０３のネットワーク＃Ｂを介して、このデータを得ることになる（２８０８）。
【０９２９】
なお、装置２２０８がサーバー２２０５にアクセスするために、サーバー２２０５において、装置２２０８がアクセスしてもよいかの認証が行われてもよい。なお、認証のための鍵の情報は、装置２２０８と端末２２０１が保有することになる。
【０９３０】
次に、図６７のシステムにおける図７２の動作について説明する。なお、図７２において、縦軸は時間となる。図７２において、図７０と動作が同じとなるものについては、同一番号を付している。したがって、図７２において、図７０、図７１と動作の異なる点について説明する。よって、２６０１から２６１１については説明を省略する。
【０９３１】
端末２２０１は、「第２ネットワーク経由での装置２２０８への接続の要求」をサーバー２２０５に対して行う。したがって、端末２２０１は、「第２ネットワーク経由での装置２２０８への接続の要求」情報を送信する（２８０１）。
【０９３２】
サーバー２２０５は、２２０３のネットワーク＃Ｂを介して、「第２ネットワーク経由での装置２２０８への接続の要求」情報を受信する（２８０２）。
【０９３３】
サーバー２２０５は、すでに時刻Ｎの第２アドレスを入手済みであるため、時刻Ｎの第２アドレスを送信する（２８０３）。そして、端末２２０１は、２２０３のネットワーク＃Ｂを介し、時刻Ｎの第２アドレスを情報を得る（２８０４）。
【０９３４】
そして、端末は、時刻Ｎの第２アドレスの情報に基づいて、２２０３のネットワーク＃Ｂ、ゲートウェイ２３００、第２ネットワーク２２１６を介して、装置２２０８にアクセスすることになる（２８０６）。
【０９３５】
すると、装置２２０８はデータを送信し（２８０７）、端末２２０８は、例えば、第２ネットワーク２２１３、ゲートウェイ２３００、２２０３のネットワーク＃Ｂを介して、このデータを得ることになる（２８０８）。
【０９３６】
なお、装置２２０８がサーバー２２０５にアクセスするために、サーバー２２０５において、装置２２０８がアクセスしてもよいかの認証が行われてもよい。なお、認証のための鍵の情報は、装置２２０８と端末２２０１が保有することになる。
【０９３７】
次に、図７３の動作について説明する。図７３は、図６６のシステム、図６７のシステムの動作例を示している。
【０９３８】
まず、図６６のシステムにおける図７３の動作について説明する。なお、図７３において、縦軸は時間となる。図７３において、図７０と動作が同じとなるものについては、同一番号を付している。したがって、図７３において、図７０、図７１と動作の異なる点について説明する。よって、２６０１から２６１１については、説明を省略する。
【０９３９】
端末２２０１は、「第２ネットワーク経由での装置２２０８への接続の要求」をサーバー２２０５に対して行う。したがって、端末２２０１は、「第２ネットワーク経由での装置２２０８への接続の要求」情報を送信する（２８０１）。
【０９４０】
サーバー２２０５は、２２０３のネットワーク＃Ｂを介して、「第２ネットワーク経由での装置２２０８への接続の要求」情報を受信する（２８０２）。
【０９４１】
サーバー２２０５は、すでに時刻Ｎの第２アドレスを入手済みであるため、時刻Ｎの第２アドレスを送信する（２８０３）。そして、端末２２０１は、２２０３のネットワーク＃Ｂを介し、時刻Ｎの第２アドレスを情報を得る（２８０４）。
【０９４２】
そして、端末は、時刻Ｎの第２アドレスの情報に基づいて、２２０３のネットワーク＃Ｂ、屋外ゲートウェイ２２０９、屋内ゲートウェイ２２１１、第２ネットワーク２２１６を介して、装置２２０８にアクセスすることになる（２８０６）。
【０９４３】
すると、装置２２０８はデータを送信し（２８０７）、端末２２０８は、例えば、第２ネットワーク２２１６、屋内ゲートウェイ２２１１、屋外ゲートウェイ２２０９、２２０３のネットワーク＃Ｂを介して、このデータを得ることになる（２８０８）。
【０９４４】
なお、装置２２０８がサーバー２２０５にアクセスするために、サーバー２２０５において、装置２２０８がアクセスしてもよいかの認証が行われてもよい。なお、認証のための鍵の情報は、装置２２０８と端末２２０１が保有することになる。
【０９４５】
次に、図６７のシステムにおける図７３の動作について説明する。なお、図７３において、縦軸は時間となる。図７３において、図７０と動作が同じとなるものについては、同一番号を付している。したがって、図７３において、図７０、図７１と動作の異なる点について説明する。よって、２６０１から２６１１については説明を省略する。
【０９４６】
端末２２０１は、「第２ネットワーク経由での装置２２０８への接続の要求」をサーバー２２０５に対して行う。したがって、端末２２０１は、「第２ネットワーク経由での装置２２０８への接続の要求」情報を送信する（２８０１）。
【０９４７】
サーバー２２０５は、２２０３のネットワーク＃Ｂを介して、「第２ネットワーク経由での装置２２０８への接続の要求」情報を受信する（２８０２）。
【０９４８】
サーバー２２０５は、すでに時刻Ｎの第２アドレスを入手済みであるため、時刻Ｎの第２アドレスを送信する（２８０３）。そして、端末２２０１は、２２０３のネットワーク＃Ｂを介し、時刻Ｎの第２アドレスを情報を得る（２８０４）。
【０９４９】
そして、端末は、時刻Ｎの第２アドレスの情報に基づいて、２２０３のネットワーク＃Ｂ、ゲートウェイ２３００、第２ネットワーク２２１６を介して、装置２２０８にアクセスすることになる（２８０６）。
【０９５０】
すると、装置２２０８はデータを送信し（２８０７）、端末２２０８は、例えば、第２ネットワーク２２１３、ゲートウェイ２３００、２２０３のネットワーク＃Ｂを介して、このデータを得ることになる（２８０８）。
【０９５１】
なお、装置２２０８がサーバー２２０５にアクセスするために、サーバー２２０５において、装置２２０８がアクセスしてもよいかの認証が行われてもよい。なお、認証のための鍵の情報は、装置２２０８と端末２２０１が保有することになる。
【０９５２】
図７２、図７３のように動作させることで、通信の安定した第２ネットワークを用いて、装置２２０８を行うことになるという効果を得ることができる。
【０９５３】
なお、「図６６、または、図６７のシステムが、システムの状況により、「図７０または図７１の動作」と「図７２または図７３の動作」」を切り替えてもよい。
【０９５４】
つまり、端末２２０１が、装置２２０８からデータを受けることになるが、「図７０または図７１のように、端末２２０１が、第１ネットワーク経由で、データを受信する場合」と「図７２または図７３のように、端末２２０１が、第２ネットワーク経由で、データを受信する場合」をシステムの状況により切り替えてもよい。
【０９５５】
例としては、端末２２０１が、「図７０または図７１の２６１２のように第１ネットワーク経由での装置２２０８への接続要求する」場合と、「図７２または図７３の２８０１のように第２ネットワーク経由での装置２２０８への接続要求」を状況によって切り替えることで、実現することができる。
【０９５６】
また、サーバー２２０５がアドレスを提供する際に、状況により、第１アドレスの提供と第２アドレスの提供を切り替えて、端末２２０１に提供することでも実現することができる。
【０９５７】
このように実施することで、通信品質の向上とデータ伝送速度の向上の両立を図ることができるという効果を得ることができる。
【０９５８】
（補足Ａ３）
本明細書において、端末の送受信に関連する処理に関するアプリケーションが、例えば、サーバーなどが提供し、端末は、このアプリケーションをインストールをすることで、本明細書で記載した送受信に関連する処理、または、処理の一部を実現してもよい。なお、アプリケーションは、端末がネットワークを介しサーバーと接続することによって、端末に提供されてもよいし、アプリケーションは、端末が具備する別の通信機能、または、端末が接続している他の通信機能がネットワークを介しサーバーと接続することによって、端末に提供されてもよい。
【０９５９】
本明細書において、「メッシュネットワーク」、「マルチホップネットワーク」と呼んでいるが他の呼び方をしてもよい。なお、メッシュネットワークは、端末同士が直接接続し、送信されたデータが複数の端末を順に経由することにより所望の宛先に送付されるようなマルチホップのネットワークと考えることができる。また、メッシュネットワークに関する実施の形態をマルチホップネットワークとして実施しても同様に実施することができる。
【０９６０】
（実施の形態Ａ７）
本実施の形態では、実施の形態Ａ６における図６６、図６７の端末２２０１、装置２２０８、サーバー２２０５の動作について説明する。
【０９６１】
はじめに、図６６、図６７における装置２２０８の動作について説明する。装置２２０８の構成は図６８に示したとおりである。
【０９６２】
図７４は、図７０から図７３において、装置２２０８が第２ネットワークを経由して第２のアドレスを得る（例えば、２６０４、２６０９）際の装置２２０８の送信情報、受信情報の様子を示している。
【０９６３】
図７４において、３００１は図６８の第１の送受信装置１５０５の送信信号１５０４の様子を示しており、３００２は図６８の第１の送受信装置１５０５の受信信号１５０２の様子を示している。なお、いずれも横軸は時間である。
【０９６４】
そして、３００３は図６８の第２の送受信装置１５１４の送信信号１５１３の様子を示しており、３００４は図６８の第２の送受信装置１５１４の受信信号１５１１の様子を示している。なお、いずれも横軸は時間である。
【０９６５】
図７４に示すように、図６８の第２の送受信装置１５１４は、第２ネットワーク２２１６を介し、屋内ゲートウェイ２２１１、または、ゲートウェイ２３００に対し、アクセス要求３０１１の情報を含む送信信号１５１３を送信する。したがって、このとき、図６８のデータ生成部２４０２は、情報２４０１に基づき、アクセス要求の情報を送信データ１５１６として出力する。そして、第２の送受信装置１５１４は、アクセス要求の情報を含む送信データ１５１６を入力とし、誤り訂正符号化、マッピングなどの処理を行い、送信信号１５１３を出力し、送信信号１５１３はアンテナから電波として出力する。
【０９６６】
図６６の屋内ゲートウェイ２２１１、または、図６７のゲートウェイ２３００は、図７４のアクセス要求３０１１の情報を含む変調信号を受信することになる。そして、図６６の屋内ゲートウェイ２２１１、または、図６７のゲートウェイ２３００は、アクセス要求３０１１の情報を受け、第２ネットワーク２２１６を介して接続するための第２アドレス情報を含む変調信号を送信する。したがって、図７４の３００４に示すように、図６８の第２の送受信装置１５１４は、第２アドレスの情報３０１２を含む信号を受信することになる。
【０９６７】
このときの、「図６６の屋内ゲートウェイ２２１１、または、図６７のゲートウェイ２３００」、および、「装置２２０８」の動作を説明する。
【０９６８】
図７７は、「図６６の屋内ゲートウェイ２２１１、図６７のゲートウェイ２３００」の構成の一例を示している。なお、図７７において、図１５、図６８と同様に動作するものについては、同一番号を付しており、説明を省略する。なお、１５０１、１５０３をアンテナとしているが、他の実施の形態で説明したように、光通信を用いている場合、１５０１は受光部となり、アンテナ１５０３は発光部となる。
【０９６９】
図７７において、第３の送受信装置３３０３は、図６６において、屋外ゲートウェイ２２０９と通信を行うための送受信装置である。
【０９７０】
そして、第３の送受信装置３３０３は、図６７の２２０７のネットワーク＃Ａを介し、サーバー２２０５と通信を行う送受信装置であり、また、第３の送受信装置３３０３は２２０３のネットワーク＃Ｂを介して、サーバ２２０５、端末２２０１などと通信を行う送受信装置である。
【０９７１】
第３の送受信装置３３０３は、受信信号３３０１を入力とし、復調、誤り訂正符号の復号などの処理を行い、受信データ３３０４を出力する。また、第３の送受信装置３３０３は、送信データ３３０５を入力とし、誤り訂正符号化、マッピングなどの処理を行い、送信信号３３０２を出力する。
【０９７２】
図７７において、図７４のように、装置２２０８が送信した「アクセス要求３０１１」の情報を含む変調信号（受信信号１５１１）をアンテナ１５１０で受信し、第２の送受信装置１５１４は、受信信号１５１１を入力とし、復調、誤り訂正符号の復号などの処理を行い、「アクセス要求３０１１」の情報を含む受信データ１５１５を出力する。
【０９７３】
データ生成部２４０２は、「アクセス要求３０１１」の情報を含む受信データ１５１５を入力とし、第２アドレスを発行し、「第２アドレスの情報３０１２」を含む送信データ１５１６を出力する。
【０９７４】
そして、第２の送受信装置１５１４は、「第２アドレスの情報３０１２」を含む送信データ１５１６を入力とし、誤り訂正符号化、マッピングなどの処理を行い、送信信号１５１３を出力とし、送信信号１５１３はアンテナ１５１２から電波として出力される。
【０９７５】
これにより、図６６、図６７における装置２２０８は、第２アドレスの情報を得ることで、第２ネットワークを介した、屋内ゲートウェイ２２１１、または、ゲートウェイ２３００との通信が可能となる。
【０９７６】
ただし、第２アドレスを発行するのは、図６６の屋内ゲートウェイ２２１１、図６７のゲートウェイ２３００でなくてもよく、この場合、第２アドレスを発行した装置から、図６６の屋内ゲートウェイ２２１１、図６７のゲートウェイ２３００は、第２アドレスの情報を得て、例えば、上記の動作を行うことになる。
【０９７７】
図７５は、図７０、図７１において、装置２２０８が、例えば第２ネットワークを経由して第１のアドレスを得る（２６２３）際の装置２２０８の送信情報、受信情報の様子を示している。
【０９７８】
図３１において、３００１は図６８の第１の送受信装置１５０５の送信信号１５０４の様子を示しており、３００２は図６８の第１の送受信装置１５０５の受信信号１５０２の様子を示している。なお、いずれも横軸は時間である。
【０９７９】
そして、３００３は図６８の第２の送受信装置１５１４の送信信号１５１３の様子を示しており、３００４は図６８の第２の送受信装置１５１４の受信信号１５１１の様子を示している。なお、いずれも横軸は時間である。
【０９８０】
図７５に示すように、図６６の屋内ゲートウェイ２２１１、または、図６７のゲートウェイ２３００は、サーバ２２０５送信した「第１ネットワークへの接続要求３１１１」の情報を含む変調信号を、２２０７のネットワーク＃Ａを介し、受信する。なお、それ以前の過程については、図７０、図７１を用いて説明したとおりである。
【０９８１】
したがって、図６８の装置２２０８の第２の送受信装置１５１４は、サーバが送信した「第１ネットワークへの接続要求３１１１」の情報を含む変調信号を受信することになる。したがって、第２の送受信装置１５１４は、アンテナ１５１０で受信した受信信号１５１１を入力とし、復調、誤り訂正符号の復号などの処理を行い、「第１ネットワークへの接続要求３１１１」の情報を含む受信データ１５１５を出力する。
【０９８２】
これに伴い、図７５に示すように、装置２２０８は、第１ネットワーク２２１３を介しての接続要求を、図６６の屋内ゲートウェイ２２１１、または、図６７のゲートウェイ２３００に対して行うことになる。
【０９８３】
したがって、図６８のデータ生成部２４０２は、「第１ネットワークへの接続要求３１１１」の情報を含む受信データ１５１５を入力とし、第１ネットワーク２２１３を介した接続を行うと判断する。そして、データ生成部２４０２は、第１ネットワーク２２１３を介した「アクセス要求３１１２」の情報を含む送信データ１５０７を出力する。
【０９８４】
図６８の装置２２０８の第１の送受信装置１５０５は、「アクセス要求３１１２」の情報を含む送信データ１５０７を入力とし、誤り訂正符号化、マッピングなどの処理を行い、送信信号１５０４を生成、出力し、送信信号１５０４はアンテナ（または、発光部）１５０３から出力される。
【０９８５】
これに伴い、図６６の屋内ゲートウェイ２２１１、または、図６７のゲートウェイ２３００は、装置２２０８が送信した変調信号を受信し、装置２２０８が第１ネットワーク２２１３を介して通信を行うための「第１アドレス情報３１１３」を含む変調信号を送信する。
【０９８６】
したがって、図７７の、「図６６の屋内ゲートウェイ２２１１、または、図６７のゲートウェイ２３００」は、装置２２０８が送信した「アクセス要求３１１２」の情報を含む変調信号をアンテナ（または、受光部）１５０１で受信する。よって、第１の送受信装置１５０５は、アンテナ（または、受光部）１５０１で受信した受信信号１５０２を入力とし、復調、誤り訂正符号の復号などの処理を行い、「アクセス要求３１１２」情報を含む受信データ１５０６を出力する。
【０９８７】
すると、図７７の、「図６６の屋内ゲートウェイ２２１１、または、図６７のゲートウェイ２３００」のデータ生成部２４０２は、「アクセス要求３１１２」情報を含む受信データ１５０６を入力とし、第１アドレスを発行し、「第１アドレス情報３１１３」を含む送信データ１５０７を出力する。
【０９８８】
そして、第１の送信装置１５０５は、「第１アドレス情報３１１３」を含む送信データ１５０７を入力とし、誤り訂正符号化、マッピングなどの処理を行い、送信信号１５０４を出力し、送信信号１５０４は、アンテナ（または、発光部）１５０３から、例えば、電波（または、光）として出力される。
【０９８９】
ただし、第１アドレスを発行するのは、図６６の屋内ゲートウェイ２２１１、図６７のゲートウェイ２３００でなくてもよく、この場合、第１アドレスを発行した装置から、図６６の屋内ゲートウェイ２２１１、図６７のゲートウェイ２３００は、第１アドレスの情報を得て、例えば、上記の動作を行うことになる。
【０９９０】
すると、図６８の装置２２０８の第１の送受信装置１５０５は、「図６６の屋内ゲートウェイ２２１１、または、図６７のゲートウェイ２３００」が送信した、「第１アドレス情報３１１３」を含む変調信号を受信する。したがって、図６８の装置２２０８の第１の送受信装置１５０５は、アンテナ（または、受光部）１５０１で受信した受信信号１５０２を入力とし、復調、誤り訂正符号の復号などの処理を行い、第１のアドレス情報３１１３を含む受信データ１５０６を出力する。
【０９９１】
すると、図６８の装置２２０８の第１の送受信装置１５０５は、「図６６の屋内ゲートウェイ２２１１、または、図６７のゲートウェイ２３００」が送信した、「第１アドレス情報３１１３」を含む変調信号を受信する。したがって、図６８の装置２２０８の第１の送受信装置１５０５は、アンテナ（または、受光部）１５０１で受信した受信信号１５０２を入力とし、復調、誤り訂正符号の復号などの処理を行い、第１のアドレス情報３１１３を含む受信データ１５０６を出力する。
【０９９２】
図６８の装置２２０８のデータ生成部２４０２は、第１のアドレス情報３１１３を含む受信データ１５０６を入力とし、第１アドレスの情報をサーバー２２０５に伝送するために、「第１アドレス情報３１１４」を含む送信データ１５０７を出力する。
【０９９３】
図６８の装置２２０８の第１の送受信装置１５０５は、「第１アドレス情報３１１４」を含む送信データ１５０７を入力とし、誤り訂正符号化、マッピングなどの処理を施し、送信信号１５０４を生成し、出力する。そして、送信信号１５０４は、例えば、電波（または、光）として、アンテナ（または、発光部）１５０３から出力される。
【０９９４】
なお、この送信信号１５０４に相当する信号が、「図６６の場合、屋内ゲートウェイ２２１１、屋外ゲートウェイ２２０９、２２０７のネットワーク＃Ａを介して、サーバ２２０５に伝送されることになり」、「図６７の場合、ゲートウェイ２３００、２２０７のネットワーク＃Ａを介して、サーバに伝送されることになる。」
【０９９５】
図７６は、図７０、図７１において、装置２２０８が、例えば第２ネットワークを経由して第１のアドレスを得る（２６２３）際の装置２２０８の送信情報、受信情報の様子の図７５とは異なる例を示している。
【０９９６】
図７６において、３００１は図６８の第１の送受信装置１５０５の送信信号１５０４の様子を示しており、３００２は図６８の第１の送受信装置１５０５の受信信号１５０２の様子を示している。なお、いずれも横軸は時間である。
【０９９７】
そして、３００３は図６８の第２の送受信装置１５１４の送信信号１５１３の様子を示しており、３００４は図６８の第２の送受信装置１５１４の受信信号１５１１の様子を示している。なお、いずれも横軸は時間である。
【０９９８】
図７６に示すように、図６６の屋内ゲートウェイ２２１１、または、図６７のゲートウェイ２３００は、サーバ２２０５送信した「第１ネットワークへの接続要求３１１１」の情報を含む変調信号を、２２０７のネットワーク＃Ａを介し、受信する。なお、それ以前の過程については、図７０、図７１を用いて説明したとおりである。
【０９９９】
したがって、図６８の装置２２０８の第２の送受信装置１５１４は、サーバが送信した「第１ネットワークへの接続要求３１１１」の情報を含む変調信号を受信することになる。したがって、第２の送受信装置１５１４は、アンテナ１５１０で受信した受信信号１５１１を入力とし、復調、誤り訂正符号の復号などの処理を行い、「第１ネットワークへの接続要求３１１１」の情報を含む受信データ１５１５を出力する。
【１０００】
これに伴い、図７５に示すように、装置２２０８は、第１ネットワーク２２１３を介しての接続要求を、図６６の屋内ゲートウェイ２２１１、または、図６７のゲートウェイ２３００に対して行うことになる。
【１００１】
したがって、図６８のデータ生成部２４０２は、「第１ネットワークへの接続要求３１１１」の情報を含む受信データ１５１５を入力とし、第１ネットワーク２２１３を介した接続を行うと判断する。そして、データ生成部２４０２は、第１ネットワーク２２１３を介した「アクセス要求３１１２」の情報を含む送信データ１５０７を出力する。
【１００２】
図６８の装置２２０８の第１の送受信装置１５０５は、「アクセス要求３１１２」の情報を含む送信データ１５０７を入力とし、誤り訂正符号化、マッピングなどの処理を行い、送信信号１５０４を生成、出力し、送信信号１５０４はアンテナ（または、発光部）１５０３から出力される。
【１００３】
これに伴い、図６６の屋内ゲートウェイ２２１１、または、図６７のゲートウェイ２３００は、装置２２０８が送信した変調信号を受信し、装置２２０８が第１ネットワーク２２１３を介して通信を行うための「第１アドレス情報３１１３」を含む変調信号を送信する。
【１００４】
したがって、図７７の、「図６６の屋内ゲートウェイ２２１１、または、図６７のゲートウェイ２３００」は、装置２２０８が送信した「アクセス要求３１１２」の情報を含む変調信号をアンテナ１５０１で受信する。よって、第１の送受信装置１５０５は、アンテナ（または、受光部）１５０１で受信した受信信号１５０２を入力とし、復調、誤り訂正符号の復号などの処理を行い、「アクセス要求３１１２」情報を含む受信データ１５０６を出力する。
【１００５】
すると、図７７の、「図６６の屋内ゲートウェイ２２１１、または、図６７のゲートウェイ２３００」のデータ生成部２４０２は、「アクセス要求３１１２」情報を含む受信データ１５０６を入力とし、第１アドレスを発行し、「第１アドレス情報３１１３」を含む送信データ１５１６を出力する。
【１００６】
そして、第２の送信装置１５１４は、「第１アドレス情報３１１３」を含む送信データ１５１６を入力とし、誤り訂正符号化、マッピングなどの処理を行い、送信信号１５１３を出力し、送信信号１５１３は、アンテナ１５１２から、例えば、電波として出力される。
【１００７】
ただし、第１アドレスを発行するのは、図６６の屋内ゲートウェイ２２１１、図６７のゲートウェイ２３００でなくてもよく、この場合、第１アドレスを発行した装置から、図６６の屋内ゲートウェイ２２１１、図６７のゲートウェイ２３００は、第１アドレスの情報を得て、例えば、上記の動作を行うことになる。
【１００８】
すると、図６８の装置２２０８の第２の送受信装置１５１４は、「図６６の屋内ゲートウェイ２２１１、または、図６７のゲートウェイ２３００」が送信した、「第１アドレス情報３１１３」を含む変調信号を受信する。したがって、図６８の装置２２０８の第２の送受信装置１５１４は、アンテナ１５１０で受信した受信信号１５１１を入力とし、復調、誤り訂正符号の復号などの処理を行い、第１のアドレス情報３１１３を含む受信データ１５１５を出力する。
【１００９】
図７６、図７７の例では、図６８の装置２２０８において、「第１アドレス情報」を、第１の送受信装置１５０５、または、第２の送受信装置１５１４が送信する場合を説明したが、これに限ったものではなく、装置２２０８が、別の送信装置を具備している場合、その送信装置が、第１アドレスの情報を含む送信信号を送信し、サーバー２２０５に対し、「第１アドレス情報」を伝送してもよい。
【１０１０】
なお、実施の形態Ａ６で説明したように、装置２２０８が、サーバー２２０５に対し、第１アドレスの情報、または、第２アドレスの情報を送信する際、あわせて、認証情報を送信してもよい。したがって、例えば、装置２２０８の構成が図６８の構成のとき、情報２４０１に認証の情報を含んでいてもよい。このとき、認証情報は、送信データ１５０７、および／または、送信データ１５１６に含まれていることになる。そして、サーバー２２０５は、この情報を得、「第１アドレスの情報、第２アドレスの情報が有効な情報であるか、無効な情報であるか」を判断し、有効な情報と判断した場合、第１アドレスの情報、第２アドレスの情報を記憶する記憶することになる。端末２２０１も同様に、認証の情報をサーバー２２０５に対して送信し、認証が成功した場合、端末２２０１は、サーバー２２０５から第１アドレスの情報、第２アドレスの情報を得ることになる。
【１０１１】
以上のように、装置２２０８、屋内ゲートウェイ２２１１、ゲートウェイ２３００が動作することにより、実施の形態Ａ６で述べた効果を得ることができる。
【１０１２】
次に、「図７０のような通信、および／または、図７１のような通信」、および／または、「図７２のような通信、および／または、図７３のような通信」を実施した際の、図６６、図６７の端末２２０１、サーバー２２０５、装置２２０８の動作について説明する。
【１０１３】
図７９は、サーバ２２０５の構成の一例を示している。３５０１は送受信装置群であり、例えば、送受信装置群３５０１はＮ個の送受信装置で構成されているものとする。なおＮは１以上の整数とする。
【１０１４】
送受信装置群３５０１は、受信信号を入力とし、各送受信装置において、復調、誤り訂正符号の復号などの処理を行い、Ｎ個の送受信装置に対応する受信データ群３５０２を出力する。
【１０１５】
また、送受信装置群３５０１は、送信データ群３５０３を入力とし、各送受信装置において、誤り訂正符号化、マッピングなどの処理を行い、Ｎ個の送受信装置に対応する送信変調群を送信することになる。
【１０１６】
記憶部３５０４は、受信データ群３５０５、情報３５０６を入力とし、「受信データ群３５０５、または、情報３５０６のデータ（の一部）」を記憶してもよい。また、記憶部３５０４は、受信データ群３５０５、情報３５０６を入力とし、「受信データ群３５０５、または、情報３５０６のデータ（の一部）」に基づいて、記憶しているデータ３５０５を出力する。
【１０１７】
データ生成部３５０７は、記憶しているデータ３５０５、情報３５０６、受信データ群３５０２を入力とし、これらのデータに基づいて、送信データ群３５０３を生成し、出力する。
【１０１８】
図７８に基づいて、端末２２０１、サーバー２２０５、装置２２０８の動作について説明する。
【１０１９】
図７８において、３４０１は端末２２０１の通信の様子を示しており、３４０２はサーバー２２０５の通信の様子を示しており、３４０３は装置２２０８の通信の様子を示している。なお、図７８において、横軸は時間であるものとする。
【１０２０】
図７８に示すように端末３４１１は、装置２２０８に対する接続要求を行うために「接続要求３４１１」の情報を送信する。なお、「接続要求３４１１」の情報には、「第１のネットワーク２２１３を経由して接続するか」、または、「第２のネットワーク２２１６を経由して接続するか」の情報を含んでいるものとする。このとき、「第１のネットワーク２２１３を経由して接続するか」「第２のネットワーク２２１６を経由して接続するか」の直接的な情報でなくてもよい。
【１０２１】
例えば、「要求する伝送速度の情報」、「通信の安定的なネットワークを希望するという情報」などの間接的な情報であってもよい。（このとき、「第１のネットワーク２２１３を経由して接続するか」、または、「第２のネットワーク２２１６を経由して接続するか」の選択はサーバー２２０５が行ってもよい。）
【１０２２】
なお、端末３４１１は「接続要求３４１１」の情報を送信する以前に、装置２２０８にアクセスするための第１アドレスの情報、および、第２アドレスの情報を保持していないものとする。また、サーバー２２０５は、少なくとも、第２ネットワーク２２１６を経由し、装置２２０８と通信を行うための第２アドレスの情報を入手済みであるものとする。なお、この点については、すでに説明したとおりである。
【１０２３】
「接続要求３４１１」の情報を送信に対する端末２２０１の動作について説明する。端末２２０１の構成は図６９のとおりである。データ生成部２５０８は情報２５０９を入力とし、「接続要求３４１１」の情報を含む送信データ２５０７を出力する。
【１０２４】
送受信装置２５０５は、「接続要求３４１１」の情報を含む送信データ２５０７を入力とし、誤り訂正符号化、マッピングなどの処理を行い、「接続要求３４１１」の情報を含む送信信号２５０４を出力し、「接続要求３４１１」の情報を含む送信信号２５０４はアンテナ２５０３から電波として出力される。
【１０２５】
そして、サーバー２２０５は、２２０３のネットワーク＃Ｂを介して、「接続要求３４１１」の情報を含む送信信号２５０４またはこれに相当する信号を得ることになる。
【１０２６】
したがって、図７９の構成をもつサーバー２２０５は、「接続要求３４１１」の情報を含む受信信号を入力とし、復調、誤り訂正符号の復号などの処理を行い、「接続要求３４１１」の情報を得、「接続要求３４１１」の情報を含む受信データ群３５０２を出力する。なお、受信データ群３５０２を構成する信号すべてが受信データを出力しなくてもよい。
【１０２７】
「接続要求３４１１」の情報を得たサーバー２２０５の動作は、「端末２２０１が第１ネットワーク２２１３を経由して装置２２０８と接続する場合」と「端末２２０１が第２ネットワーク２２１６を経由して装置２２０８と接続する場合」で動作が異なる。以下では、「端末２２０１が第１ネットワーク２２１３を経由して装置２２０８と接続する場合」のサーバー２２０５の動作と「端末２２０１が第２ネットワーク２２１６を経由して装置２２０８と接続する場合」のサーバー２２０５の動作を別々に説明する。
【１０２８】
「端末２２０１が第１ネットワーク２２１３を経由して装置２２０８と接続する場合」：
図７０、図７１、図７５、図７６を用いて説明したように、「接続要求３４１１」の情報を得たサーバー２２０５は、装置２２０８の第１ネットワーク２２１３を介した通信を実施するために装置の第１アドレスの情報を得る必要がある。
【１０２９】
したがって、図７９のサーバー２２０５において、送受信装置群３５０１が、受信信号群を得、復調、誤り訂正符号の復号などの処理を行い、「接続要求３４１１」の情報を含む受信データ群３５０２を出力する。
【１０３０】
データ生成部３５０７は、「接続要求３４１１」の情報を含む受信データ群３５０２を入力とし、「接続要求３４１１」の情報に「端末２２０１が第１ネットワーク２２１３を経由して装置２２０８と接続する」要求が含まれている場合、「接続要求３４１１」の情報に「端末２２０１が第１ネットワーク２２１３を経由して装置２２０８と接続する」要求の情報を含む送信データ群３５０３を出力する。
【１０３１】
送受信装置群３５０１は、「端末２２０１が第１ネットワーク２２１３を経由して装置２２０８と接続する」要求の情報を含む送信データ群３５０３に対し、誤り訂正符号化、マッピングなどの処理を行い、送信信号群を出力する。
【１０３２】
そして、図６６の場合、送信信号群に含まれる「端末２２０１が第１ネットワーク２２１３を経由して装置２２０８と接続する」要求の情報を含むデータは、２２０７のネットワーク＃Ａ、屋外ゲートウェイ２２０９、屋内ゲートウェイ２２１１、第２ネットワーク２２１６を介し、装置２２０８に届けられることになる。図６７の場合、送信信号群に含まれる「端末２２０１が第１ネットワーク２２１３を経由して装置２２０８と接続する」要求の情報を含むデータは、２２０７のネットワーク＃Ａ、ゲートウェイ２３００、第２ネットワーク２２１６を介し、装置２２０８に届けられることになる。
【１０３３】
すると、装置２２０８は、第１アドレスの情報を得、第１アドレスの情報を含むデータをサーバー２２０５に届けることになるが、その手続きについては、すでに説明を行ったため、説明を省略する。
【１０３４】
そして、図７８のように、「アドレス情報３４１２」を含む変調信号をサーバー２２０５は送信することになる。したがって、図７９のサーバ２２０５において、送受信装置群３５０１は、受信信号群を得、復調、誤り訂正符号の復号などの処理を行い、「第１アドレスの情報」を含んだ受信データ群３５０２を出力する。
【１０３５】
データ生成部３５０７は、「第１アドレスの情報」を含んだ受信データ群３５０２を入力とし、「第１アドレスの情報」を含んだ送信データ群３５０３を出力する。
【１０３６】
送受信装置群３５０１は、「第１アドレスの情報」を含んだ送信データ群３５０３を入力とし、誤り訂正符号化、マッピングなどの処理を施し、送信信号群を生成し、出力する。なお、「第１アドレスの情報」を含んだ送信信号群が図７８の「アドレス情報３４１２」に相当する。
【１０３７】
図６９の構成をもつ端末２２０１は、サーバー２２０５が送信した「第１アドレスの情報」を含んだ送信信号群に相当する信号を受信する。送受信装置２５０５は、アンテナ２５０１で受信した受信信号を入力とし、復調、誤り訂正符号の復号などの処理を行い、「第１アドレスの情報」を含む受信データ２５０６を出力する。
【１０３８】
データ生成部２５０８は、情報２５０９、「第１アドレスの情報」を含む受信データ２５０６を入力とし、第１アドレスの情報を得ているため、装置２２０８に対しての接続を行うための、第１アドレスへのアクセスするための制御情報を含む「接続要求３４１３」のデータを含む送信データ２５０７を出力する。
【１０３９】
送受信装置２５０５は、第１アドレスへのアクセスするための制御情報を含む「接続要求３４１３」のデータを含む送信データ２５０７を入力とし、誤り訂正符号化、マッピングなどの処理を行い、送信信号２５０４を生成し、出力する。そして、送信信号２５０４は、アンテナ２５０３から、電波として出力される。
【１０４０】
そして、送信信号２５０４に相当する信号は、例えば、２２０３のネットワーク＃Ｂ、「屋外ゲートウェイ２２０９、屋内ゲートウェイ２２１１（または、ゲートウェイ２３００）」、第１ネットワーク２２１３、を介して、装置２２０８に届けられることになる。
【１０４１】
図６８の構成をもつ装置２２０８の第１の送受信装置１５０５は、アンテナ（または、受光部）１５０１で受信した受信信号１５０２を入力とし、復調、誤り訂正符号の復号などの処理を行い、「接続要求３４１３」の情報を含む受信データ１５０６を出力する。データ生成部２４０２は、「接続要求３４１３」の情報を含む受信データ１５０６、情報２４０１を入力とし、「接続要求３４１３」の情報を含む受信データ１５０６に基づき、送信データ１５０７を生成し、出力する。
【１０４２】
第１の送受信装置１５０５は、送信データ１５０７を入力とし、誤り訂正符号化、マッピングなどの処理を行い、送信信号１５０４を出力し、送信信号１５０４は、アンテナ（または、発光部）１５０３から例えば電波として出力する（光通信の場合、発光することになる）。このとき、送信データ１５０７を含む送信信号１５０４が図７８のデータ３４１４に相当する。
【１０４３】
そして、第１送受信装置１５０５が送信した送信信号１５０４に相当する信号を第１ネットワーク２２１３などを介し、端末２２０１は受信し、データ３４１４を得ることになる。
【１０４４】
「端末２２０１が第２ネットワーク２２１６を経由して装置２２０８と接続する場合」:
図７０、図７１、図７５、図７６を用いて説明したように、「接続要求３４１１」の情報をサーバ２２０５が得ている時点で、サーバー２２０５は、端末２２０１が第２ネットワーク２２１６を経由して装置２２０８と接続するための第２アドレスの情報を得ている。
【１０４５】
したがって、図７９の構成をもつサーバー２２０５の送受信装置群３５０１は、「第２ドレスの情報」を含んだ送信データ群３５０３を入力とし、誤り訂正符号化、マッピングなどの処理を施し、送信信号群を生成し、出力する。なお、「第２アドレス情報」を含んだ送信信号群が図７８の「アドレス情報３４１２」に相当する。
【１０４６】
図６９の構成をもつ端末２２０１は、サーバー２２０５が送信した「第２アドレスの情報」を含んだ送信信号群に相当する信号を受信する。送受信装置２５０５は、アンテナ２５０１で受信した受信信号を入力とし、復調、誤り訂正符号の復号などの処理を行い、「第２アドレスの情報」を含む受信データ２５０６を出力する。
【１０４７】
データ生成部２５０８は、情報２５０９、「第２アドレスの情報」を含む受信データ２５０６を入力とし、第２アドレスの情報を得ているため、装置２２０８に対しての接続を行うための、第２アドレスへのアクセスするための制御情報を含む「接続要求３４１３」のデータを含む送信データ２５０７を出力する。
【１０４８】
送受信装置２５０５は、第２アドレスへのアクセスするための制御情報を含む「接続要求３４１３」のデータを含む送信データ２５０７を入力とし、誤り訂正符号化、マッピングなどの処理を行い、送信信号２５０４を生成し、出力する。そして、送信信号２５０４は、アンテナ２５０３から、電波として出力される。
【１０４９】
そして、送信信号２５０４に相当する信号は、例えば、２２０３のネットワーク＃Ｂ、「屋外ゲートウェイ２２０９、屋内ゲートウェイ２２１１（または、ゲートウェイ２３００）」、第２ネットワーク２２１６、を介して、装置２２０８に届けられることになる。
【１０５０】
図６８の構成をもつ装置２２０８の第２の送受信装置１５１４は、アンテナ１５１０で受信した受信信号１５１１を入力とし、復調、誤り訂正符号の復号などの処理を行い、「接続要求３４１３」の情報を含む受信データ１５１５を出力する。データ生成部２４０２は、「接続要求３４１３」の情報を含む受信データ１５１５、情報２４０１を入力とし、「接続要求３４１３」の情報を含む受信データ１５１５に基づき、送信データ１５１６を生成し、出力する。
【１０５１】
第２の送受信装置１５１４は、送信データ１５１６を入力とし、誤り訂正符号化、マッピングなどの処理を行い、送信信号１５１３を出力し、送信信号１５１３は、アンテナ１５１２から例えば電波として出力する。このとき、送信データ１５２６を含む送信信号１５２４が図７８のデータ３４１４に相当する。
【１０５２】
そして、第２送受信装置１５１４が送信した送信信号１５１６に相当する信号を第２ネットワーク２２１６などを介し、端末２２０１は受信し、データ３４１４を得ることになる。
【１０５３】
なお、実施の形態Ａ６で説明したように、図７８の３４１１ように、端末２２０１が、サーバー２２０５に対し、接続要求（３４１１）を行う際、あわせて、認証情報を送信してもよい。したがって、例えば、端末２２０１の構成が図６９の構成のとき、情報２５０９に認証の情報を含んでいてもよい。このとき、認証情報は、送信データ２５０７に含まれていることになる。そして、サーバー２２０５は、この情報を得、「接続要求が有効な情報であるか、無効な情報であるか」を判断し、有効な情報と判断した場合、接続要求を許可することになる。
【１０５４】
以上のように、本実施の形態を実施することで、実施の形態Ａ６で説明した効果を得ることができる。つまり、通信の品質の向上とデータ伝送速度の向上の両立を図ることができるという効果を得ることができる。
【１０５５】
なお、装置２２０８が、端末２２０１に対し、第１アドレス、第２アドレスを通知する方法は、本実施の形態の方法に限ったものではなく、どのようネットワークを使用して、通知してもよい。
【１０５６】
（補足Ａ４）
本明細書において、送受信装置、送受信装置群は、送信のための信号処理の機能、および、受信のための信号処理機能を有していることになる。
【１０５７】
このとき、「送信のための信号処理の機能」における信号処理として、「誤り訂正符号化、マッピング」と記載しているが、これ以外の信号処理を行ってもよい。例えば、多重化、直交変調、周波数変換、帯域制限、増幅などの処理が行われてもよい。ただし、送信のための信号処理は、これらに限ったものではない。
【１０５８】
また、「受信のための信号処理の機能」における信号処理として、「復調、誤り訂正符号の復号」と記載しているが、これ以外の信号処理を行ってもよい。例えば、逆多重化、周波数変換、直交復調、周波数同期、時間同期、チャネル推定、歪み推定などの処理が行われてもよい。ただし、受信のための信号処理は、これらに限ったものではない。
【１０５９】
（実施の形態Ａ８）
本実施の形態では、本明細書で説明している「メッシュネットワーク、マルチホップ通信」の構成方法において、サーバーを用いた「メッシュネットワーク、マルチホップ通信」の構成方法について説明する。
【１０６０】
図８０は、「端末３６００」、「ＭＡＰ（Mesh Access Point）（３６０１＿１、３６０１＿２、３６０１＿３、３６０１＿４、３６０１＿５）」、「第１ネットワーク用のゲートウェイ３６０２＿１、および、第２ネットワーク用ゲートウェイ３６０２＿２を具備するゲートウェイ３６０２」、「サーバ３６０３」で構成されるネットワークの様子を示している。
【１０６１】
なお、第１ネットワークと第２ネットワークの関係については、実施の形態Ａ６ですでに詳しく説明しているので説明を省略する。また、図８１（および、図８２）では、ＭＡＰと記載しているが、ＭＰ（Mesh Point）であってもよいし、ＡＰ（Access Point）が存在していてもよい。そして、ＭＡＰは、いずれも、第１ネットワークを介する通信、第２ネットワークを介する通信が可能であるものとする。
【１０６２】
他の実施の形態で説明したように、３６０１＿１のＭＡＰ＃１、３６０１＿２のＭＡＰ＃２、３６０１＿３のＭＡＰ＃３、３６０１＿４のＭＡＰ＃４、３６０１＿５のＭＡＰ＃５は、第１ネットワークにおいて、「接続可能なＭＡＰの探索、および、接続可能なＭＡＰとの第１ネットワークによる接続の状況など」の「第１ネットワークにおけるメッシュネットワークに関する情報」を生成することになる。
【１０６３】
そして、図８０に示すように、３６０１＿１のＭＡＰ＃１、３６０１＿２のＭＡＰ＃２、３６０１＿３のＭＡＰ＃３、３６０１＿４のＭＡＰ＃４、３６０１＿５のＭＡＰ＃５は、第２ネットワークを用いて、第２ネットワーク用ゲートウェイ３６０２＿２に対し、「第１ネットワークにおけるメッシュネットワーク構成に関する情報」を送信する。
【１０６４】
第２ネットワーク用ゲートウェイ３６０２＿２は、３６０１＿１のＭＡＰ＃１、３６０１＿２のＭＡＰ＃２、３６０１＿３のＭＡＰ＃３、３６０１＿４のＭＡＰ＃４、３６０１＿５のＭＡＰ＃５から得た「第１ネットワークにおけるメッシュネットワーク構成に関する情報３６５１」をサーバー３６０３に送信する。
【１０６５】
そして、図８１に示すように、サーバー３６０３は、「第１ネットワークにおけるメッシュネットワーク構成に関する情報３６５１」に基づいて、具体的な「第１ネットワークにおけるメッシュネットワーク接続方法」を決定し、第２ネットワーク用ゲートウェイ３６０２＿２に、「第１ネットワークにおけるメッシュネットワーク接続に関する指示情報３６５２」を送信する。
【１０６６】
第２ネットワーク用ゲートウェイ３６０２＿２は、「第１ネットワークにおけるメッシュネットワーク接続に関する指示情報３６５２」を入力とし、「第１ネットワークにおけるメッシュネットワーク接続に関する指示情報３６５２」を含む送信信号を３６０１＿１のＭＡＰ＃１、３６０１＿２のＭＡＰ＃２、３６０１＿３のＭＡＰ＃３、３６０１＿４のＭＡＰ＃４、３６０１＿５のＭＡＰ＃５に送信する。
【１０６７】
なお、「第１ネットワークにおけるメッシュネットワーク接続方法」は、「例えば、図８１に場合、端末３６００が、第１ネットワーク用ゲートウェイ３６０２＿１に対して、変調信号を送信する場合、３６０１＿２のＭＡＰ＃２、３６０１＿３のＭＡＰ＃３、３６０１＿４のＭＡＰ＃４を経由することになり、この経路に関する情報」であるものとする。
【１０６８】
また、サーバー３６０３は、「第１ネットワークにおけるメッシュネットワーク接続方法」を決定するが、「第１ネットワークにおけるメッシュネットワーク接続方法」を決定するための処理方法を変更するための入力信号、つまり、「アルゴリズム変更、機能追加によるプログラムの書き換えのための信号３６５３」が存在していてもよい。なお、「アルゴリズム変更、機能追加によるプログラムの書き換えのための信号３６５３」により、サーバー３６０３に、新しい機能を追加してもよい。この点については、後で図８２を用いて説明する。
【１０６９】
そして、図８１の場合、３６０１＿２のＭＡＰ＃２と３６０１＿３のＭＡＰ＃３は通信を確立し、３６０１＿３のＭＡＰ＃３と３６０１＿４のＭＡＰ＃４は通信を確立し、３６０１＿４ＭＡＰ＃４と第１ネットワーク用ゲートウェイ３６０２＿１が通信を確立する。
【１０７０】
端末３６００は、第１ネットワークに対し、アクセス要求を行う。図８１では、端末３６００は、第１ネットワークへのアクセス要求の情報を含む変調信号を３６０１＿２のＭＡＰ＃２に送信することになる。すると、この変調信号に相当する信号は、３６０１＿２のＭＡＰ＃２、３６０１＿３のＭＡＰ＃３、３６０１＿４のＭＡＰ＃４を介し、第１ネットワーク用のゲートウェイに届けられる。
【１０７１】
そして、端末３６００、および、第１ネットワーク用ゲートウェイ３６０２＿１は、３６０１＿２のＭＡＰ＃２、３６０１＿３のＭＡＰ＃３、３６０１＿４のＭＡＰ＃４を介して通信を行うことになる。なお、第１ネットワーク用のゲートウェイ３６０２＿１は、端末３６００が送信した変調信号に含まれる情報、または、その一部を、他の装置に対し伝送してもよい。
【１０７２】
図８２は、図８０、図８１におけるサーバー３６０３の構成の一例を示している。
【１０７３】
サーバー３６０３は、処理を行うためのＡＰＩ（Application Programming Interface）として、３８０１＿１の認識層ＡＰＩ、３８０１＿２の分析層ＡＰＩ、３８０１＿３学習層ＡＰＩ、３８０１＿４の通信ネットワーク層ＡＰＩなどを具備しており、これらのＡＰＩは、３８０２のアプリケーション接続のＡＰＩと接続されており、それぞれのＡＰＩで処理を行い、「第１ネットワークにおけるメッシュネットワーク接続方法」を決定することになる。そして、３８０２のアプリケーション接続のためのＡＰＩは、ネットワークと接続しており、処理結果を、出力することになる。
【１０７４】
以上のように、ＭＡＰがサーバーに第１ネットワークの接続状態を通知し、サーバーが第１ネットワークにおけるメッシュネットワーク構成を決定することで、端末が、容易に第１ネットワークによる通信が可能となるという効果を得ることができる。また、ＭＡＰが、第２ネットワークを用いて、第１ネットワークの接続状態をサーバーに提供することで、メッシュネットワークを構成せずに、サーバーは第１ネットワークの接続状態を得ることができる可能性があり、処理の簡略化が可能である可能性がある。
【１０７５】
次に、上述のサーバーを用いた「メッシュネットワーク、マルチホップ通信」の構成方法とは、別の構成方法について説明する。
【１０７６】
図８０は、「端末３６００」、「ＭＡＰ（Mesh Access Point）（３６０１＿１、３６０１＿２、３６０１＿３、３６０１＿４、３６０１＿５）」、「第１ネットワーク用のゲートウェイ３６０２＿１、および、第２ネットワーク用ゲートウェイ３６０２＿２を具備するゲートウェイ３６０２」、「サーバ３６０３」で構成されるネットワークの様子を示している。
【１０７７】
なお、第１ネットワークと第２ネットワークの関係については、実施の形態６ですでに詳しく説明しているので説明を省略する。また、図８１（および、図８２）では、ＭＡＰと記載しているが、ＭＰ（Mesh Point）であってもよいし、ＡＰ（Access Point）が存在していてもよい。そして、ＭＡＰは、いずれも、第１ネットワークを介する通信、第２ネットワークを介する通信が可能であるものとする。
【１０７８】
他の実施の形態で説明したように、３６０１＿１のＭＡＰ＃１、３６０１＿２のＭＡＰ＃２、３６０１＿３のＭＡＰ＃３、３６０１＿４のＭＡＰ＃４、３６０１＿５のＭＡＰ＃５は、第１ネットワークにおいて、「接続可能なＭＡＰの探索、および、接続可能なＭＡＰとの第１ネットワークによる接続の状況など」の「第１ネットワークにおけるメッシュネットワークに関する情報」を生成することになる。
【１０７９】
そして、図８０に示すように、３６０１＿１のＭＡＰ＃１、３６０１＿２のＭＡＰ＃２、３６０１＿３のＭＡＰ＃３、３６０１＿４のＭＡＰ＃４、３６０１＿５のＭＡＰ＃５は、第２ネットワークを用いて、第２ネットワーク用ゲートウェイ３６０２＿２に対し、「第１ネットワークにおけるメッシュネットワーク構成に関する情報」を送信する。
【１０８０】
第２ネットワーク用ゲートウェイ３６０２＿２は、３６０１＿１のＭＡＰ＃１、３６０１＿２のＭＡＰ＃２、３６０１＿３のＭＡＰ＃３、３６０１＿４のＭＡＰ＃４、３６０１＿５のＭＡＰ＃５から得た「第１ネットワークにおけるメッシュネットワーク構成に関する情報３６５１」をサーバー３６０３に送信する。
【１０８１】
そして、図８３に示すように、サーバー３６０３は、「第１ネットワークにおけるメッシュネットワーク構成に関する情報３６５１」に基づいて、具体的な「第１ネットワークにおけるメッシュネットワーク接続方法」を決定し、第１ネットワーク用ゲートウェイ３６０２＿１に、「第１ネットワークにおけるメッシュネットワーク接続に関する指示情報３６５２」を送信する。
【１０８２】
第１ネットワーク用ゲートウェイ３６０２＿１は、「第１ネットワークにおけるメッシュネットワーク接続に関する指示情報３６５２」を入力とし、「第１ネットワークにおけるメッシュネットワーク接続に関する指示情報３６５２」を含む送信信号を、例えば、３６０１＿４のＭＡＰ＃４に送信する。
【１０８３】
なお、「第１ネットワークにおけるメッシュネットワーク接続方法」は、「例えば、図８１に場合、端末３６００が、第１ネットワーク用ゲートウェイ３６０２＿１に対して、変調信号を送信する場合、３６０１＿２のＭＡＰ＃２、３６０１＿３のＭＡＰ＃３、３６０１＿４のＭＡＰ＃４を経由することになり、この経路に関する情報」であるものとする。
【１０８４】
なお、サーバー３６０３の動作については、図８１、図８２を用いて説明したので説明を省略する。
【１０８５】
そして、図８３の場合、３６０１＿２のＭＡＰ＃２と３６０１＿３のＭＡＰ＃３は通信を確立し、３６０１＿３のＭＡＰ＃３と３６０１＿４のＭＡＰ＃４は通信を確立し、３６０１＿４ＭＡＰ＃４と第１ネットワーク用ゲートウェイ３６０２＿１が通信を確立する。このとき、第１ネットワーク用ゲートウェイ３６０２＿１は、「第１ネットワークにおけるメッシュネットワーク接続に関する指示情報３６５２」を含む送信信号を３６０１＿４のＭＡＰ＃４に送信し、これを受信した３６０１＿４のＭＡＰ＃４は、「第１ネットワークにおけるメッシュネットワーク接続に関する指示情報３６５２」を含む送信信号を３６０１＿３のＭＡＰ＃３に送信し、これを受信した３６０１＿３のＭＡＰ＃３は、「第１ネットワークにおけるメッシュネットワーク接続に関する指示情報３６５２」を含む送信信号を３６０１＿２のＭＡＰ＃２に送信する、とすることで、「第１ネットワークにおけるメッシュネットワーク接続に関する指示情報３６５２」を３６０１＿４のＭＡＰ＃４、３６０１＿３のＭＡＰ＃３、３６０１＿２のＭＡＰ＃２と共有することができる。
【１０８６】
端末３６００は、第１ネットワークに対し、アクセス要求を行う。図８３では、端末３６００は、第１ネットワークへのアクセス要求の情報を含む変調信号を３６０１＿２のＭＡＰ＃２に送信することになる。すると、この変調信号に相当する信号は、３６０１＿２のＭＡＰ＃２、３６０１＿３のＭＡＰ＃３、３６０１＿４のＭＡＰ＃４を介し、第１ネットワーク用のゲートウェイに届けられる。
【１０８７】
そして、端末３６００、および、第１ネットワーク用ゲートウェイ３６０２＿１は、３６０１＿２のＭＡＰ＃２、３６０１＿３のＭＡＰ＃３、３６０１＿４のＭＡＰ＃４を介して通信を行うことになる。なお、第１ネットワーク用のゲートウェイ３６０２＿１は、端末３６００が送信した変調信号に含まれる情報、または、その一部を、他の装置に対し伝送してもよい。
【１０８８】
以上のように、ＭＡＰがサーバーに第１ネットワークの接続状態を通知し、サーバーが第１ネットワークにおけるメッシュネットワーク構成を決定することで、端末が、容易に第１ネットワークによる通信が可能となるという効果を得ることができる。
【１０８９】
上述の説明では、「第１ネットワークにおけるメッシュネットワーク接続に関する指示情報３６５２」をサーバー３６０３が、第１ネットワーク、または、第２ネットワークを介して、ＭＡＰに伝送する方法を記載しているが、これに限ったものではなく、サーバー３６０３は、第１ネットワーク、第２ネットワーク以外のネットワークを介し、「第１ネットワークにおけるメッシュネットワーク接続に関する指示情報３６５２」をＭＡＰに伝送してもよい。
【１０９０】
（補足Ａ５）
本明細書において、「メッシュネットワーク」という語句を用いて説明しているが、「メッシュネットワーク」という語句を「アドホックネットワーク」という語句に置き換えて、各実施の形態を実施してもよい。
【１０９１】
本明細書において、端末、ゲートウェイ、ＭＡＰ、ＭＰ、ＡＰ、サーバーと名づけて、各実施の形態を説明しているが、装置の呼び名は、これに限ったものではなく、装置、通信装置、基地局、無線装置、無線局などの呼び方をしてもよい。
【１０９２】
（実施の形態Ｂ１）
本実施の形態において、通信システムＢＳについて図８４を参照しながら説明する。
【１０９３】
図８４に示されるように、通信システムＢＳは、アクセスポイントＢ１０１と、中継器＃１のＢ１０２＿１（第１の中継器、又は、第１の通信装置ともいう）と、中継器＃２のＢ１０２＿２（第２の中継器、又は、第２の通信装置ともいう）とを備える。なお、本明細書における「中継器」を「通信装置」ともいう。また、通信システムＢＳを１つの仮想的なアクセスポイント（バーチャルアクセスポイント）として見ることもできる。言い換えれば、アクセスポイントＢ１０１と、中継器＃１のＢ１０２＿１と、中継器＃２のＢ１０２＿２とを、１つの仮想的なアクセスポイント（バーチャルアクセスポイント）として見ることもできる。
【１０９４】
アクセスポイントＢ１０１は、第１の周波数帯に含まれる少なくとも第１のチャネルで中継器＃１のＢ１０２＿１と無線通信し、かつ、第１の周波数帯とは異なる第２の周波数帯に含まれる少なくとも第２のチャネルで中継器＃２のＢ１０２＿２と無線通信し、中継器＃１のＢ１０２＿１は、第２の周波数帯に含まれる少なくとも第３のチャネルで端末Ｂ１０３と無線通信し、中継器＃２Ｂの１０２＿２は、第１の周波数帯に含まれる少なくとも第４のチャネルで端末Ｂ１０３と無線通信する。ここで、周波数帯とは、ある通信規格または通信方式による通信に用いられ得る周波数の帯域を示す概念であり、１以上のチャネルを含む。周波数帯は、例えば５ＧＨｚ帯又は６ＧＨｚ帯である。また、チャネルとは、ある通信規格または通信方式による一の通信に用いられる、例えば、「周波数を示す概念」、または、「周波数帯における周波数の単位」であり、例えば５．２ＧＨｚを中心とする２０ＭＨｚ程度の帯域である。チャネルは、一般に、「チャネル４０」というように、チャネルに割り当てられる番号により特定されることもある。また、複数の隣接するチャネルを同時に使用するチャネルボンディングという方法を用いることもできてもよい。
【１０９５】
ここで、第３のチャネルは、第２のチャネルと同じチャネルであり、第４のチャネルは、第１のチャネルと同じチャネルであってもよい。
【１０９６】
また、第１の中継器と第２の中継器とは、一の筐体内に配置されていてもよい。
【１０９７】
また、アクセスポイントは、ＯＦＤＭＡによる多重アクセスを用いて、第１の中継器及び第２の中継器と通信してもよい。
【１０９８】
また、端末は、複数の端末を含み、第１の中継器及び第２の中継器の少なくとも一方は、ＯＦＤＭＡによる多重アクセスを用いて、複数の端末と通信してもよい。
【１０９９】
また、アクセスポイントは、一のデータを、第１の中継器及び第２の中継器それぞれに送信し、第１の中継器は、上記一のデータを受信した場合に、「受信した上記一のデータ」、または、「受信した上記一のデータの少なくとも一部を含むデータ」を端末に送信し、第２の中継器は、上記一のデータを受信した場合に、「受信した上記一のデータ」、または、「受信した上記一のデータの少なくとも一部を含むデータ」を端末に送信してもよい。
【１１００】
また、通信システムＢＳと無線通信する端末Ｂ１０３は、第１の周波数帯に含まれる少なくとも第３のチャネルで第１の中継器と無線通信し、第２の周波数帯に含まれる少なくとも第４のチャネルで第２の中継器と無線通信する。
【１１０１】
以降において、通信システムＢＳについてより具体的に説明する。
【１１０２】
図８４のようにアクセスポイントＢ１０１は、データを入力とし、このデータＢ１００から変調信号を生成し、Ｂ１０２＿１の中継器＃１、および／または、Ｂ１０２＿２の中継器＃２に送信する。
【１１０３】
そして、Ｂ１０２＿１の中継器＃１は、アクセスポイントＢ１０１が送信した変調信号を受信し、受信した変調信号に基づいて、端末Ｂ１０３宛の変調信号を生成し、生成した変調信号を端末Ｂ１０３に対し送信する。
【１１０４】
同様に、Ｂ１０２＿２の中継器＃２は、アクセスポイントＢ１０１が送信した変調信号を受信し、受信した変調信号に基づいて、端末Ｂ１０３宛の変調信号を生成し、生成した変調信号を端末Ｂ１０３に対し送信する。
【１１０５】
なお、アクセスポイントＢ１０１の入力となるデータは１系統（Ｂ１００）としているが、これに限ったものではなく、アクセスポイントＢ１０１は、複数系統のデータを入力する構成であってもよい。
【１１０６】
なお、データＢ１００を「一のデータ」ともいう。アクセスポイントＢ１０１は、データＢ１００を２つに複製して、一方をＢ１０２＿１の中継器＃１を経由して端末に送信し、他方をＢ１０２＿２の中継器＃２を経由して端末に送信するようにしてもよい。また、アクセスポイントＢ１０１は、データＢ１００のうちの一部をＢ１０２＿１の中継器＃１を経由して端末に送信し、データＢ１００のうちの上記一部を除く残部をＢ１０２＿２の中継器＃２を経由して端末に送信するようにしてもよい。
【１１０７】
なお、中継器＃１のＢ１０２＿１と、中継器＃２のＢ１０２＿２とは、アクセスポイントの機能を有するものであってもよい。また、アクセスポイントが中継器＃１のＢ１０２＿１又は中継器＃２のＢ１０２＿２として動作する機能を有しており、そのようなアクセスポイントが中継器＃１Ｂの１０２＿１又は中継器＃２のＢ１０２＿２として動作してもよい。
【１１０８】
また、アクセスポイントＢ１０１は、Ｂ１０２＿１の中継器＃１に対し、一つ以上の変調信号を送信するものとする。そして、アクセスポイントＢ１０１は、Ｂ１０２＿２の中継器＃２に対し、一つ以上の変調信号を送信するものとする。なお、複数の変調信号を送信する際、ＭＩＭＯ（Multiple-Input Multiple-Output）の伝送を行ってもよい。
【１１０９】
そして、Ｂ１０２＿１の中継器＃１は、受信した変調信号に基づいて、端末Ｂ１０３宛の変調信号を生成することになるが、このとき、一つ以上の変調信号を生成し、送信することになる。また、Ｂ１０２＿２の中継器＃２は、受信した変調信号に基づいて、端末Ｂ１０３宛の変調信号を生成することになるが、このとき、一つ以上の変調信号を生成し、送信することになる。なお、複数の変調信号を送信する際、ＭＩＭＯの伝送を行ってもよい。
【１１１０】
図８５、図８６、図８７は、このときのアクセスポイントＢ１０１が送信する、Ｂ１０２＿１の中継器＃１宛の変調信号、および、Ｂ１０２＿２の中継器＃２宛の変調信号のフレーム構成の例を示している。図８５、図８６、図８７、いずれも、横軸は時間であるものとする。
【１１１１】
図８５、図８６、図８７に示すように、Ｂ１０２＿１の中継器＃１宛の変調信号は、プリアンブルＢ２０１＿１、制御情報シンボルＢ２０２＿１、データシンボルＢ２０３＿１で構成されているものとする。同様に、Ｂ１０２＿２の中継器＃２宛の変調信号は、プリアンブルＢ２０１＿２、制御情報シンボルＢ２０２＿２、データシンボルＢ２０３＿２で構成されているものとする。なお、Ｂ１０２＿１の中継器＃１宛の変調信号は一つ以上であってもよく、また、Ｂ１０２＿２の中継器＃２宛の変調信号は一つ以上であってもよい。複数の変調信号を送信する際、ＭＩＭＯの伝送を行ってもよい。
【１１１２】
なお、プリアンブルは、例えば、通信相手にとって既知の変調信号であり、通信相手が、信号検出、周波数オフセットの推定、時間同期、周波数同期などを行うためのシンボルである。そして、制御情報シンボルは、データシンボルを生成するために使用した変調信号、誤り訂正符号化方法（例えば、誤り訂正符号の種類、誤り訂正符号の符号長、ブロック長）、送信方法（例えば、ＭＣＳ：Ｍｏｄｕｌａｔｉｏｎ  ａｎｄ  Ｃｏｄｉｎｇ  Ｓｃｈｅｍｅ）などの情報を含んでいるものとする。また、データシンボルは、データを伝送するためのシンボルであるものとする。
【１１１３】
図８５の例では、第１時間にプリアンブルＢ２０１＿１が存在し、同様に、第１時間にプリアンブルＢ２０１＿２が存在する。そして、第２時間に制御情報シンボルＢ２０２＿１が存在し、同様に、第２時間に制御情報シンボルＢ２０２＿２が存在する。また、第３時間にデータシンボルＢ２０３＿１が存在し、同様に、第３時間にデータシンボルＢ２０３＿２が存在する。
【１１１４】
このとき、プリアンブルＢ２０１＿１、制御情報シンボルＢ２０２＿１、データシンボルＢ２０３＿１で構成されているＢ１０２＿１の中継器＃１宛の変調信号は、例えば第１の周波数帯（例えば、５ＧＨｚ帯）を用いて、アクセスポイントＢ１０１から送信される。そして、プリアンブルＢ２０１＿２、制御情報シンボルＢ２０２＿２、データシンボルＢ２０３＿２で構成されているＢ１０２＿２の中継器＃２宛の変調信号は、例えば第２の周波数帯（例えば、６ＧＨｚ帯）を用いて、アクセスポイントＢ１０１から送信される。なお、第１の周波数帯と第２の周波数帯は異なるものとする。
【１１１５】
なお、「変調信号が第１の周波数帯を用いて送信される」という場合、「変調信号が第１の周波数帯に含まれるチャネルを用いて送信される」ということも意味していていてもよい。類似の表現についても同様である。
【１１１６】
図８６は、図８５とは異なる、「Ｂ１０２＿１の中継器＃１宛の変調信号およびＢ１０２＿２の中継器＃２宛の変調信号のフレーム構成」を示している。なお、図８５と同様に動作するものについては、同一番号を付しており、詳細の説明は省略する。ただし、Ｂ１０２＿１の中継器＃１宛の変調信号は一つ以上であってもよく、また、Ｂ１０２＿２の中継器＃２宛の変調信号は一つ以上であってもよい。複数の変調信号を送信する際、ＭＩＭＯの伝送を行ってもよい。
【１１１７】
図８６に示すように、プリアンブルＢ２０１＿１は第１時間に存在し、制御情報シンボルＢ２０２＿１は第２時間に存在し、データシンボルＢ２０３＿１は第３時間に存在する。そして、プリアンブルＢ２０１＿２は第４時間に存在し、制御情報シンボルＢ２０２＿２は第５時間に存在し、データシンボルＢ２０３＿２は第６時間に存在する。
【１１１８】
そして、図８６の例が図８５の例と異なる点は、「図８６の例では、プリアンブルＢ２０１＿１、制御情報シンボルＢ２０２＿１、データシンボルＢ２０３＿１で構成されているＢ１０２＿１の中継器＃１宛の変調信号が存在している時間区間とプリアンブルＢ２０１＿２、制御情報シンボルＢ２０２＿２、データシンボルＢ２０３＿２で構成されているＢ１０２＿２の中継器＃２宛の変調信号が存在している時間区間の一部が時間的に重なっている」ことである。
【１１１９】
例えば、図８６では、プリアンブルＢ２０１＿２が存在する第４時間には、データシンボルＢ２０３＿１の一部が存在する。また、制御情報シンボルＢ２０２＿２が存在する第５時間には、データシンボルＢ２０３＿１の一部が存在する。データシンボルＢ２０３＿２が存在する第６時間の一部とデータシンボルＢ２０３＿１が存在する第３時間の一部が時間的に重なっている。
【１１２０】
なお、図８６はあくまでも例であり、フレーム構成は、この例に限ったものではなく、前述の条件を満たしていればよい。
【１１２１】
そして、プリアンブルＢ２０１＿１、制御情報シンボルＢ２０２＿１、データシンボルＢ２０３＿１で構成されているＢ１０２＿１の中継器＃１宛の変調信号は、例えば第１の周波数帯（例えば、５ＧＨｚ帯）を用いて、アクセスポイントＢ１０１から送信される。そして、プリアンブルＢ２０１＿２、制御情報シンボルＢ２０２＿２、データシンボルＢ２０３＿２で構成されているＢ１０２＿２の中継器＃２宛の変調信号は、例えば第２の周波数帯（例えば、６ＧＨｚ帯）を用いて、アクセスポイントＢ１０１から送信される。なお、第１の周波数帯と第２の周波数帯は異なるものとする。
【１１２２】
図８７は、図８５、図８６とは異なる「Ｂ１０２＿１の中継器＃１宛の変調信号およびＢ１０２＿２の中継器＃２宛の変調信号のフレーム構成」を示している。なお、図８５と同様に動作するものについては、同一番号を付しており、詳細の説明は省略する。ただし、Ｂ１０２＿１の中継器＃１宛の変調信号は一つ以上であってもよく、また、Ｂ１０２＿２の中継器＃２宛の変調信号は一つ以上であってもよい。複数の変調信号を送信する際、ＭＩＭＯの伝送を行ってもよい。
【１１２３】
図８７に示すように、プリアンブルＢ２０１＿１は第１時間に存在し、制御情報シンボルＢ２０２＿１は第２時間に存在し、データシンボルＢ２０３＿１は第３時間に存在する。そして、プリアンブルＢ２０１＿２は第４時間に存在し、制御情報シンボルＢ２０２＿２は第５時間に存在し、データシンボルＢ２０３＿２は第６時間に存在する。
【１１２４】
そして、図８７の例が、図８５、図８６の例とは異なる点は、「図８７の例では、プリアンブルＢ２０１＿１、制御情報シンボルＢ２０２＿１、データシンボルＢ２０３＿１で構成されているＢ１０２＿１の中継器＃１宛の変調信号が存在している時間区間とプリアンブルＢ２０１＿２、制御情報シンボルＢ２０２＿２、データシンボルＢ２０３＿２で構成されているＢ１０２＿２の中継器＃２宛の変調信号が存在している時間区間が時間的に重なっていない」ことである。
【１１２５】
したがって、プルアンブルＢ２０１＿１が存在している第１時間に、Ｂ１０２＿２の中継器＃２宛の変調信号は存在していない。同様に、制御情報シンボルＢ２０２＿１が存在している第２時間に、Ｂ１０２＿２の中継器＃２宛の変調信号は存在していない。そして、データシンボルＢ２０３＿１が存在している第３時間に、Ｂ１０２＿２の中継器＃２宛の変調信号は存在していない。
【１１２６】
また、プリアンブルＢ２０１＿２が存在している第４時間に、Ｂ１０２＿１の中継器＃１宛の変調信号は存在していない。同様に、制御情報シンボルＢ２０２＿２が存在している第５時間に、Ｂ１０２＿１の中継器＃１宛の変調信号は存在していない。そして、データシンボルＢ２０３＿２が存在している第６時間にＢ１０２＿１の中継器＃１宛の変調信号は存在していない。
【１１２７】
なお、図８７はあくまでも例であり、フレーム構成は、この例に限ったものではなく、前述の条件を満たしていればよい。
【１１２８】
そして、プリアンブルＢ２０１＿１、制御情報シンボルＢ２０２＿１、データシンボルＢ２０３＿１で構成されているＢ１０２＿１の中継器＃１宛の変調信号は、例えば第１の周波数帯（例えば、５ＧＨｚ帯）を用いて、アクセスポイントＢ１０１から送信される。そして、プリアンブルＢ２０１＿２、制御情報シンボルＢ２０２＿２、データシンボルＢ２０３＿２で構成されているＢ１０２＿２の中継器＃２宛の変調信号は、例えば第２の周波数帯（例えば、６ＧＨｚ帯）を用いて、アクセスポイントＢ１０１から送信される。なお、第１の周波数帯と第２の周波数帯は異なるものとする。
【１１２９】
図８８、図８９、図９０は、Ｂ１０２＿１の中継器＃１およびＢ１０２＿２の中継器＃２が送信する変調信号のフレーム構成の例を示している。図８８、図８９、図９０いずれも、横軸は時間であるものとする。
【１１３０】
図８８、図８９、図９０に示すように、Ｂ１０２＿１の中継器＃１が送信する変調信号は、プリアンブルＢ５０１＿１、制御情報シンボルＢ５０２＿１、データシンボルＢ５０３＿１で構成されているものとする。同様に、Ｂ１０２＿２の中継器＃２が送信する変調信号は、プリアンブルＢ５０１＿２、制御情報シンボルＢ５０２＿２、データシンボルＢ５０３＿２で構成されているものとする。ただし、Ｂ１０２＿１の中継器＃１が送信する変調信号は一つ以上であってもよく、また、Ｂ１０２＿２の中継器＃２が送信する変調信号は一つ以上であってもよい。複数の変調信号を送信する際、ＭＩＭＯの伝送を行ってもよい。
【１１３１】
なお、プリアンブルは、例えば、通信相手にとって既知の変調信号であり、通信相手が、信号検出、周波数オフセットの推定、時間同期、周波数同期などを行うためのシンボルである。そして、制御情報シンボルは、データシンボルを生成するために使用した変調信号、誤り訂正符号化方法（例えば、誤り訂正符号の種類、誤り訂正符号の符号長、ブロック長）、送信方法（例えば、ＭＣＳ：Modulation and Coding Scheme）などの情報を含んでいるものとする。また、データシンボルは、データを伝送するためのシンボルであるものとする。
【１１３２】
図８８の例では、第Ｘ１時間にプリアンブルＢ５０１＿１が存在し、同様に、第Ｘ１時間にプリアンブルＢ５０１＿２が存在する。そして、第Ｘ２時間に制御情報シンボルＢ５０２＿１が存在し、同様に、第Ｘ２時間に制御情報シンボルＢ５０２＿２が存在する。また、第Ｘ３時間にデータシンボルＢ５０３＿１が存在し、同様に、第Ｘ３時間にデータシンボルＢ５０３＿２が存在する。
【１１３３】
なお、「第Ｘ１時間」の語は、「時間Ｘ１」の語に言い換えることもできる。類似の表現についても同様である。
【１１３４】
このとき、プリアンブルＢ５０１＿１、制御情報シンボルＢ５０２＿１、データシンボルＢ５０３＿１で構成されているＢ１０２＿１の中継器＃１が送信する変調信号は、第２の周波数帯（６ＧＨｚ帯）を用いていることになる。そして、プリアンブルＢ５０１＿２、制御情報シンボルＢ５０２＿２、データシンボルＢ５０３＿２で構成されているＢ１０２＿２の中継器＃２が送信する変調信号は、第１の周波数帯（５ＧＨｚ）を用いていることになる。
【１１３５】
図８９は、図８８とは異なる、「Ｂ１０２＿１の中継器＃１が送信する変調信号およびＢ１０２＿２の中継器＃２が送信する変調信号のフレーム構成」を示している。なお、図８８と同様に動作するものについては、同一番号を付しており、説明を省略する。ただし、Ｂ１０２＿１の中継器＃１が送信する変調信号は一つ以上であってもよく、また、Ｂ１０２＿２の中継器＃２が送信する変調信号は一つ以上であってもよい。複数の変調信号を送信する際、ＭＩＭＯの伝送を行ってもよい。
【１１３６】
図８９に示すように、プリアンブルＢ５０１＿１は第Ｘ１時間に存在し、制御情報シンボルＢ５０２＿１は第Ｘ２時間に存在し、データシンボルＢ５０３＿１は第Ｘ３時間に存在する。そして、プリアンブルＢ５０１＿２は第Ｘ４時間に存在し、制御情報シンボルＢ５０２＿２は第Ｘ５時間に存在し、データシンボルＢ５０３＿２は第Ｘ６時間に存在する。
【１１３７】
そして、図８９の例が図８８の例と異なる点は、「図８９の例では、プリアンブルＢ５０１＿１、制御情報シンボルＢ５０２＿１、データシンボルＢ５０３＿１で構成されているＢ１０２＿１の中継器＃１が送信する変調信号が存在している時間区間とプリアンブルＢ５０１＿２、制御情報シンボルＢ５０２＿２、データシンボルＢ５０３＿２で構成されているＢ１０２＿２の中継器＃２が送信する変調信号が存在している時間区間の一部が時間的に重なっている」ことである。
【１１３８】
例えば、図８９では、プリアンブルＢ５０１＿２が存在する第Ｘ４時間には、データシンボルＢ５０３＿１の一部が存在する。また、制御情報シンボルＢ５０２＿２が存在する第Ｘ５時間には、データシンボルＢ５０３＿１の一部が存在する。データシンボルＢ５０３＿２が存在する第Ｘ６時間の一部とデータシンボルＢ５０３＿１が存在する第Ｘ３時間の一部が時間的に重なっている。
【１１３９】
なお、図８９はあくまでも例であり、フレーム構成は、この例に限ったものではなく、前述の条件を満たしていればよい。
【１１４０】
そして、プリアンブルＢ５０１＿１、制御情報シンボルＢ５０２＿１、データシンボルＢ５０３＿１で構成されているＢ１０２＿１の中継器＃１が送信する変調信号は、第２の周波数帯（６ＧＨｚ帯）を用いていることになる。そして、プリアンブルＢ５０１＿２、制御情報シンボルＢ５０２＿２、データシンボルＢ５０３＿２で構成されているＢ１０２＿２の中継器＃２が送信する変調信号は、第１の周波数帯（５ＧＨｚ）を用いていることになる。
【１１４１】
図９０は、図８８、図８９とは異なる「Ｂ１０２＿１の中継器＃１が送信する変調信号およびＢ１０２＿２の中継器＃２が送信する変調信号のフレーム構成」を示している。なお、図８８と同様に動作するものについては、同一番号を付しており、詳細の説明は省略する。ただし、Ｂ１０２＿１の中継器＃１が送信する変調信号は一つ以上であってもよく、また、Ｂ１０２＿２の中継器＃２が送信する変調信号は一つ以上であってもよい。複数の変調信号を送信する際、ＭＩＭＯの伝送を行ってもよい。
【１１４２】
図９０に示すように、プリアンブルＢ５０１＿１は第Ｘ１時間に存在し、制御情報シンボルＢ５０２＿１は第Ｘ２時間に存在し、データシンボルＢ５０３＿１は第３時間に存在する。そして、プリアンブルＢ５０２＿２は第Ｘ４時間に存在し、制御情報シンボルＢ５０２＿２は第Ｘ５時間に存在し、データシンボルＢ５０３＿２は第Ｘ６時間に存在する。
【１１４３】
そして、図９０の例は、図８８、図８９と異なる点は、「図９０の例では、プリアンブルＢ５０１＿１、制御情報シンボルＢ５０２＿１、データシンボルＢ５０３＿１で構成されているＢ１０２＿１の中継器＃１が送信する変調信号が存在している時間区間とプリアンブルＢ５０１＿２、制御情報シンボルＢ５０２＿２、データシンボルＢ５０３＿２で構成されているＢ１０２＿２の中継器＃２が送信する変調信号が存在している時間区間が時間的に重なり合っていない」ことである。
【１１４４】
したがって、プリアンブルＢ５０１＿１が存在している第Ｘ１時間に、Ｂ１０２＿２の中継器＃２が送信する変調信号は存在していない。同様に、制御情報シンボルＢ５０２＿１が存在している第Ｘ２時間に、Ｂ１０２＿２の中継器＃２が送信する変調信号は存在していない。そして、データシンボルＢ５０３＿１が存在している第Ｘ３時間に、Ｂ１０２＿２の中継器＃２が送信する変調信号は存在していない。
【１１４５】
また、プリアンブルＢ５０１＿２が存在している第Ｘ４時間に、Ｂ１０２＿１の中継器＃１が送信する変調信号は存在していない。同様に、制御情報シンボルＢ５０２＿２が存在している第Ｘ５時間に、Ｂ１０２＿１の中継器＃１が送信する変調信号は存在していない。そして、データシンボルＢ５０３＿２が存在している第Ｘ６時間にＢ１０２＿１の中継＃１が送信する変調信号は存在していない。
【１１４６】
なお、図９０はあくまでも例である、フレーム構成は、この例に限ったものではなく、前述の条件を満たしていればよい。
【１１４７】
そして、プリアンブルＢ５０１＿１、制御情報シンボルＢ５０２＿１、データシンボルＢ５０３＿１で構成されているＢ１０２＿１の中継器＃１が送信する変調信号は、第２の周波数帯（６ＧＨｚ帯）を用いていることになる。そして、プリアンブルＢ５０１＿２、制御情報シンボルＢ５０２＿２、データシンボルＢ５０３＿２で構成されているＢ１０２＿２の中継器＃２が送信する変調信号は、第１の周波数帯（５ＧＨｚ）を用いていることになる。
【１１４８】
なお、アクセスポイントＢ１０１がＢ１０２＿１の中継器＃１宛の変調信号の送信に用いるチャネルが、第１のチャネルに相当する。アクセスポイントＢ１０１がＢ１０２＿２の中継器＃２宛の変調信号の送信に用いるチャネルが、第２のチャネルに相当する。Ｂ１０２＿１の中継器＃１が端末宛の変調信号の送信に用いるチャネルが、第３のチャネルに相当する。Ｂ１０２＿２の中継器＃２が端末宛の変調信号の送信に用いるチャネルが、第４のチャネルに相当する。
【１１４９】
これまで説明したアクセスポイント、中継器、端末で構成したシステムの各装置の動作について説明する。
【１１５０】
図９１は、図８４のアクセスポイントＢ１０１の構成の一例を示している。
【１１５１】
第１の周波数帯用送信装置Ｂ８０２は、データＢ８０１を入力とし、誤り訂正符号化、変調（マッピング）、周波数変換などの処理を行い、第１の周波数帯の送信信号Ｂ８０３を生成、出力し、第１の周波数帯の送信信号Ｂ８０３はアンテナＢ８０４から電波として送信される。なお、すでに説明したように、第１の周波数帯の送信信号Ｂ８０３は、複数の変調信号であってもよい。そして、複数の変調信号であったとき、複数の変調信号は複数のアンテナ（Ｂ８０４）から送信されることになる。このとき、ＭＩＭＯ、ＭＩＳＯ（Multiple-Input Single-Output）伝送が用いられてもよい。したがって、アンテナＢ８０４は一つ以上のアンテナで構成されることになる。
【１１５２】
第１の周波数帯用受信装置Ｂ８０７は、アンテナＢ８０５で受信した、第１の周波数帯の受信信号Ｂ８０６を入力とし、復調、誤り訂正復号などの処理を行い、受信データＢ８０８を出力する。なお、すでに説明したように、アンテナＢ８０５は、一つ以上のアンテナで構成されていることになる。したがって、アンテナが複数の場合、第１の周波数帯の受信信号Ｂ８０６は、複数の変調信号で構成されていてもよい。
【１１５３】
第２の周波数帯用送信装置Ｂ８１２は、データＢ８１１を入力とし、誤り訂正符号化、変調（マッピング）、周波数変換などの処理を行い、第２の周波数帯の送信信号Ｂ８１３を生成、出力し、第２の周波数帯の送信信号Ｂ８１３はアンテナＢ８１４から電波として出力される。なお、すでに説明したように、第２の周波数帯の送信信号Ｂ８１３は、複数の変調信号であってもよい。そして、複数の変調信号であったとき、複数の変調信号は複数のアンテナ（Ｂ８１４）から送信されることになる、このとき、ＭＩＭＯ、ＭＩＳＯ伝送が用いたれてもよい。したがって、アンテナＢ８１４は一つ以上のアンテナで構成されることになる。
【１１５４】
第２の周波数帯用受信装置Ｂ８１７は、アンテナＢ８１５で受信した、第２の周波数帯の受信信号Ｂ８１６を入力とし、復調、誤り訂正復号などの処理を行い、受信データＢ８１８を出力する。なお、すでに説明したように、アンテナＢ８１５は、一つ以上のアンテナで構成されていることになる。したがって、アンテナが複数の場合、第２の周波数帯の受信信号Ｂ８１６は、複数の変調信号で構成されていてもよい。
【１１５５】
その他の通信装置Ｂ８９９は、有線の通信装置、および／または、無線の通信装置であり、これにより、通信を行うことが可能である。ただし、アクセスポイントＢ１０１は、その他の通信装置Ｂ８９９を具備していなくてもよい。
【１１５６】
図８４で説明したように、アクセスポイントＢ１０１とＢ１０２＿１の中継器＃１の通信は第１の周波数帯を用いて通信を行っている。したがって、ここでは、第１の周波数帯の送信信号Ｂ８０３は、Ｂ１０２＿１の中継器＃１宛の信号となる。そして、アクセスポイントＢ１０１とＢ１０２＿２の中継器＃２の通信は第２の周波数帯を用いて通信を行っている。したがって、ここでは、第２の周波数帯の送信信号Ｂ８１３は、Ｂ１０２＿２の中継器＃２宛の信号となる。なお、各送信信号のフレーム構成については、すでに説明したとおりである。
【１１５７】
図９２は、図８４のＢ１０２＿１の中継器＃１、Ｂ１０２＿２の中継器＃２の構成の例を示している。
【１１５８】
図９２において、例えば、アンテナ９０１は、図８４のアクセスポイントＢ１０１と通信を行うためのアンテナ、アンテナ９０５は、図８４の端末Ｂ１０３と通信を行うためのアンテナとなる。
【１１５９】
したがって、中継器９０３は、アンテナ９０１を用いて、図８４のアクセスポイントＢ１０１と通信を行うことになる、同様に、アンテナ９０５を用いて図８４の端末Ｂ１０３と通信を行うことになる。
【１１６０】
図９３は、図９２の中継器の構成の一例を示している。図９３において、アンテナＢ１００１、Ｂ１０１７は、図８４のアクセスポイントＢ１０１と通信を行うためのアンテナであり、アンテナＢ１００７、Ｂ１０１１は、図８４の端末と通信を行うためのアンテナである。
【１１６１】
第Ａの周波数帯用受信装置Ｂ１００３は、アンテナＢ１００１で受信した受信信号Ｂ１００２を入力とする。なお、受信信号Ｂ１００２は、図８４のアクセスポイントＢ１０１が送信した変調信号に相当する。そして、第Ａの周波数帯用受信装置Ｂ１００３は、受信信号Ｂ１００２に対し、信号処理を行うとともに、復調、誤り訂正符号の復号などの処理を行い、データＢ１００４を出力する。
【１１６２】
なお、「第Ａの周波数帯用」の語は、「周波数帯Ａ用」の語に言い換えることもできる。類似の表現についても同様である。
【１１６３】
なお、本実施の形態では、Ｂ１０２＿１の中継器＃１の場合、第Ａの周波数帯用受信装置Ｂ１００３は、「第１の周波数帯（例えば、５ＧＨｚ帯）用受信装置」となる。したがって、受信信号Ｂ１００２は第１の周波数帯の受信信号となる。また、Ｂ１０２＿２の中継器＃２の場合、第Ａの周波数帯用受信装置Ｂ１００３は、「第２の周波数帯（例えば、６ＧＨｚ帯）用受信装置」となる。したがって、受信信号Ｂ１００２は第２の周波数帯の受信信号となる。
【１１６４】
第Ｂの周波数帯用送信装置Ｂ１００５は、データＢ１００４を入力とする。ただし、第２データＢ１０００を、第Ｂの周波数帯用送信装置Ｂ１００５の入力としてあってもよい。第Ｂの周波数帯用送信装置Ｂ１００５は、「データＢ１００４」、または、「データＢ１００４、および、第２データＢ１０００」の全部、または一部に対し、誤り訂正符号化、変調（マッピング）、周波数変換等の処理を施し、送信信号Ｂ１００６を生成、出力し、送信信号Ｂ１００６は、アンテナＢ１００７から出力する。
【１１６５】
なお、本実施の形態では、Ｂ１０２＿１の中継器＃１の場合、第Ｂの周波数帯用送信装置Ｂ１００５は、「第２の周波数帯（例えば、６ＧＨｚ帯）用送信装置」となる。したがって、送信信号Ｂ１００６は、第２の周波数帯の送信信号となる。また、Ｂ１００２＿２の中継器＃２の場合、第Ｂの周波数帯用送信装置Ｂ１００５は、「第１の周波数帯（例えば、５ＧＨｚ帯）用送信装置」となる。したがって、送信信号Ｂ１００６は、第１の周波数帯の送信信号となる。
【１１６６】
図９３のアンテナＢ１００１は一つ以上のアンテナで構成されていてもよい、したがって、受信信号Ｂ１００２は一つ以上の変調信号で構成されていてもよい。よって、第Ａの周波数帯用の受信装置Ｂ１００３が、ＭＩＭＯ伝送のための受信信号処理を行ってもよい。当然であるが、第Ａの周波数帯用の受信装置Ｂ１００３は、シングルストリーム伝送のための受信信号処理を行ってもよい。
【１１６７】
また、図９３のアンテナＢ１００７は一つ以上のアンテナで構成されていてもよい。したがって、送信信号Ｂ１００６は一つ以上の変調信号で構成されていてもよい。よって、第Ｂの周波数帯用の送信装置Ｂ１００５が、ＭＩＭＯ伝送のための複数の変調信号を生成し、送信信号Ｂ１００６としてもよい。当然であるが、第Ｂの周波数帯用の送信装置Ｂ１００５は、シングルストリーム用の変調信号を送信信号Ｂ１００６と出力してもよい。
【１１６８】
アンテナＢ１０１１は、図８４の端末Ｂ１０３が送信した変調信号を受信するためのアンテナである。第Ｂの周波数帯用受信装置Ｂ１０１３は、端末Ｂ１０３が送信した変調信号を復調するための装置である。第Ａの周波数帯用送信装置Ｂ１０１５は、図８４のアクセスポイントＢ１０１に対し送信する変調信号を生成する装置である。そして、アンテナＢ１０１７は、アクセスポイントＢ１０１に対し、変調信号を送信するためのアンテナである。ただし、アンテナＢ１０１１からアンテナＢ１０１７までの動作についての説明はここでは省略する。
【１１６９】
なお、受信用であるアンテナＢ１００１と、送信用であるアンテナＢ１０１７とは共用されてもよい。つまり、物理的に１つのアンテナが、アンテナＢ１００１及びＢ１０１７として利用されてもよい。また、送信用であるアンテナＢ１００７と、受信用であるアンテナＢ１０１１とは共用されてもよい。つまり、物理的に１つのアンテナが、アンテナＢ１００７及びＢ１０１１として利用されてもよい。
【１１７０】
このときの図８４の端末Ｂ１０３の構成例が図９１となる。なお、図９１において、各部の動作についてはすでに説明を行っているので説明を省略する。アンテナＢ８０５は、Ｂ１０２＿２の中継器＃２が送信した第１の周波数帯（例えば、５ＧＨｚ帯）の変調信号を受信することになる。第１の周波数帯用の受信装置Ｂ８０７は、アンテナＢ８０５で受信した受信信号Ｂ８０６を入力とし、復調、誤り訂正符号の復号などの処理を行い、受信データＢ８０８を出力する。
【１１７１】
そして、アンテナＢ８１５は、Ｂ１０２＿１の中継器＃１が送信した第２の周波数帯（例えば、６ＧＨｚ帯）の変調信号を受信することになる。第２の周波数帯用の受信装置Ｂ８１７は、アンテナＢ８１５で受信した受信信号Ｂ８１６を入力とし、復調、誤り訂正符号の復号などの処理を行い、受信データＢ８１８を出力する。
【１１７２】
なお、アンテナＢ８０５は一つ以上のアンテナで構成されていてもよい、したがって、受信信号Ｂ８０６は一つ以上の変調信号で構成されていてもよい。よって、第１の周波数帯用の受信装置Ｂ８０７がＭＩＭＯ伝送のための受信信号処理を行ってもよい。当然であるが、第１の周波数帯用の受信装置Ｂ８０７はシングルストリーム伝送のための受信信号処理を行ってもよい。
【１１７３】
また、アンテナＢ８１５は一つ以上のアンテナで構成されていてもよい、したがって、受信信号Ｂ８１６は一つ以上の変調信号で構成されていてもよい。よって、第２の周波数帯用の受信装置Ｂ８１７がＭＩＭＯ伝送のための受信信号処理を行ってもよい。当然であるが、第２の周波数帯用の受信装置Ｂ８１７はシングルストリーム伝送のための受信信号処理を行ってもよい。
【１１７４】
以上のように実施することで、図８４の端末Ｂ１０３は、第１の周波数帯の変調信号と第２の周波数帯の変調信号を得るというように、複数の周波数帯の変調信号を得ることができるため、端末Ｂ１０３が得るデータの伝送量を多くすることができるという効果を得ることができる。また、第１の中継器は、「アクセスポイントＢ１０１が送信した第１の周波数帯の変調信号を受信し、第２の周波数帯の変調信号を生成し、端末Ｂ１０３に送信する」、第２の中継器は、「アクセスポイントＢ１０１が送信した第２の周波数帯の変調信号を受信し、第１の周波数帯の変調信号を生成し、端末に送信する」という構成とすることで、前述の効果が大きくなることになる。以下ではこの点について説明を行う。
【１１７５】
図９４は、図８４のＢ１０２＿１、Ｂ１０２＿２の中継器の、これまでに説明した構成とは異なる中継器の構成である。なお、図９２と同様に動作するものについては、同一番号を付している。
【１１７６】
アンテナＢ９０１は、図８４のアクセスポイントＢ１０１が送信した変調信号を受信する。このとき、図８４のアクセスポイントＢ１０１は、第Ａの周波数帯の変調信号を送信したものとする。
【１１７７】
中継器Ｂ９０３は、アンテナＢ９０１で受信した受信信号９０２を入力とする。そして、中継器Ｂ９０３は、復調、誤り訂正符号の復号などを行い、受信データを得る。中継器Ｂ９０３はこの受信データに基づいて、図８４の端末Ｂ１０３に送信する変調信号９０４を生成する。変調信号９０４は、アンテナＢ９０５から電波として出力される。このとき、変調信号９０４は、同様に、第Ａの周波数帯の信号であるものとする。
【１１７８】
つまり、中継器Ｂ９０３が受信する変調信号、送信する変調信号、いずれも、同一周波数帯の信号であるものとする。
【１１７９】
このときのフレームの送信の例を、図９５を用いて説明する。図９５は、中継器Ｂ９０３の受信時のフレームと送信時のフレームの例を示しており、横軸を時間とする。
【１１８０】
図９５に示すように、中継器Ｂ９０３は第１時間にアクセスポイントＢ１０１が送信したフレームを受信することになる、つまり、第１時間に受信フレームＢ１２０１＿１が存在することになる。
【１１８１】
そして、中継器Ｂ９０３は、受信フレームＢ１２０１＿１を得て、送信フレームを生成することになるが、このとき、中継器Ｂ９０３において、送信、受信では、同一の周波数帯を使用しているので、受信フレームＢ１２０１＿１と送信フレームＢ１２０２＿１の時間を一部でも重ねることは困難となる。なぜなら、送信フレームと受信フレームが時間的に重なってしまった場合、中継器Ｂ９０３は、受信フレームを受信している際に、送信フレームもあわせて受信することになってしまう、つまり、送信フレームが干渉となり、受信フレームの受信品質が低下することになるからである。したがって、図９５のように、受信フレームＢ１２０１＿１と時間的に重なりが発生しないように第２時間に送信フレームＢ１２０２＿１を配置することになる。つまり、時間分割を行うことになる。
【１１８２】
したがって、図８４のＢ１０２＿１、Ｂ１０２＿２の中継器を図９２のように構成した場合、時間分割を行っているため、システムのデータの伝送速度が低下することになる。
【１１８３】
一方で、本実施の形態の発明となる中継器の構成は、例えば、図９３のような構成となる。つまり、図８４のＢ１０２＿１、Ｂ１０２＿２の中継器は、受信する変調信号と送信する変調信号の周波数帯が異なることになる。
【１１８４】
したがって、図８４のＢ１０２＿１、Ｂ１０２＿２の中継器は、例えば、図９６のようなフレームの送信を行うことができる。なお、図９６において、横軸は時間であるものとする。
【１１８５】
図９６に示すように、第１時間に、図８４のアクセスポイントＢ１０１が送信した変調信号に相当する、中継器にとっての受信フレームＢ１２０１＿１が存在するものとする。そして、第３時間に、図８４のアクセスポイントＢ１０１が送信した変調信号に相当する、中継器にとっての受信フレームＢ１２０１＿２が存在するものとする。
【１１８６】
そして、例えば、中継器が送信する変調信号に相当する送信フレームＢ１２０２＿１を第２時間に配置し、中継器が送信する変調信号に相当する送信フレームＢ１２０２＿２を第４時間に配置するものとする。
【１１８７】
このとき、特徴的な点は、受信フレームと送信フレームが時間的に重ねることができる点である、例えば、図９６では、受信フレームＢ１２０１＿１と送信フレームＢ１２０２＿１において、時間的な重なりが存在している。また、受信フレームＢ１２０１＿２と送信フレームＢ１２０２＿１において時間的な重なりが存在しており、受信フレームＢ１２０１＿２と送信フレームＢ１２０２＿２も重なりが存在している。つまり、図８４のＢ１０２＿１、Ｂ１０２＿２の中継器は、送信フレームと受信フレームを時間的に重ねてもよい。なぜなら、送信フレームが使用している周波数帯と、受信フレームが使用している周波数が異なっているため、中継器が受信フレームを受信している際、送信フレームが存在していても、送信フレームが、中継器における受信において、干渉とならず、受信フレームの受信品質の低下が発生しづらいからである。したがって、送信フレームと受信フレームは時間分割する必要がないため、これにより、システムのデータ伝送速度の低下を抑えることができる。
【１１８８】
前にも述べたように、「図８４の端末Ｂ１０３は、第１の周波数帯の変調信号と第２の周波数帯の変調信号を得るというように、複数の周波数帯の変調信号を得ることができるため、端末Ｂ１０３が得るデータの伝送量を多くすることができるという効果を得ることができる」のであるが、さらに、前述のように実施することで、送信フレームと受信フレームの時間分割を行う必要がなくなるため、システム全体のデータ伝送速度が向上するという効果を得ることができる。
【１１８９】
なお、本実施の形態はあくまでも一例であり、例えば、アクセスポイントＢ１０１を端末とし、端末Ｂ１０３をアクセスポイントとして実施しても同様に実施することができる。本実施の形態では、アクセスポイント、中継器、端末と名づけて説明しているが、アクセスポイントを、基地局、通信装置、端末、放送局、ノードなどと呼んで実施してもよく、また、中継器を、通信装置、アクセスポイント、ノード、端末、基地局などと呼んで実施してもよく、さらに、端末を、通信装置、アクセスポイント、ノード、基地局などと呼んで実施してもよい。また、図８５、図８６、図８７、図８８、図８９、図９０において、フレーム構成の一例を記載しているが、フレーム構成は、この例に限ったものではなく、これらの図に記載されているシンボル以外のシンボルが含まれていてもよい。例えば、リファレンスシンボル、パイロットシンボル、ミッドアンブルなどのチャネル推定、位相雑音の推定、周波数・時間同期、周波数オフセット推定のためのシンボルなどが含まれていてもよい。
【１１９０】
（補足Ｂ１）
当然であるが、本明細書において説明した実施の形態、補足などのその他の内容を複数組み合わせて、実施してもよい。
【１１９１】
そしてアクセスポイント、中継器、端末の構成として、各周波数帯に対し、一つ以上、または、複数の送信アンテナを持ち、各周波数帯で、一つ以上、または、複数の変調信号を生成し、送信する構成であれば、本開示を実施することが可能である。また、アクセスポイント、中継器、端末の構成として、各周波数帯に対し、一つ以上、または、複数の受信アンテナを持ち、変調信号を受信する構成であれば、本開示を実施することが可能である。
【１１９２】
また、各実施の形態については、あくまでも例であり、例えば、「変調方式、誤り訂正符号化方式（使用する誤り訂正符号、符号長、符号化率等）、制御情報など」を例示していても、別の「変調方式、誤り訂正符号化方式（使用する誤り訂正符号、符号長、符号化率等）、制御情報など」を適用した場合でも同様の構成で実施することが可能である。
【１１９３】
変調方式については、本明細書で記載している変調方式以外の変調方式を使用しても、本明細書において説明した実施の形態、その他の内容を実施することが可能である。例えば、ＡＰＳＫ（Amplitude Phase Shift Keying）（例えば、16APSK, 64APSK, 128APSK, 256APSK, 1024APSK, 4096APSKなど）、ＰＡＭ（Pulse Amplitude Modulation）（例えば、4PAM, 8PAM, 16PAM, 64PAM, 128PAM, 256PAM, 1024PAM, 4096PAMなど）、ＰＳＫ（Phase Shift Keying）（例えば、BPSK, QPSK, 8PSK, 16PSK, 64PSK, 128PSK, 256PSK, 1024PSK, 4096PSKなど）、ＱＡＭ（Quadrature Amplitude Modulation）（例えば、4QAM, 8QAM, 16QAM, 64QAM, 128QAM, 256QAM, 1024QAM, 4096QAMなど）などを適用してもよいし、各変調方式において、均一マッピング、非均一マッピングとしてもよい。また、Ｉ−Ｑ平面における２個、４個、８個、１６個、６４個、１２８個、２５６個、１０２４個等の信号点の配置方法（２個、４個、８個、１６個、６４個、１２８個、２５６個、１０２４個等の信号点をもつ変調方式）は、本明細書で示している変調方式の信号点配置方法に限ったものではない。
【１１９４】
本明細書において、送信装置、受信装置、通信装置を具備しているのは、例えば、放送局、基地局、アクセスポイント、端末、携帯電話（ｍｏｂｉｌｅ  ｐｈｏｎｅ）等の通信・放送機器、テレビ、ラジオ、パーソナルコンピュータ等、中継器、中継局、ノードの通信機器、衛星、衛星の中継器、地球局であることが考えられる。また、本開示における送信装置、受信装置は、通信機能を有している機器であって、その機器が、テレビ、ラジオ、パーソナルコンピュータ、携帯電話等のアプリケーションを実行するための装置に何らかのインターフェースを解して接続できるような形態であることも考えられる。また、本実施の形態では、データシンボル以外のシンボル、例えば、パイロットシンボル（プリアンブル、ユニークワード、ポストアンブル、リファレンスシンボル、ミッドアンブル等）、制御情報用のシンボル、ヌルシンボルなどが、フレームにどのように配置されていてもよい。そして、ここでは、パイロットシンボル、制御情報用のシンボルと名付けているが、どのような名付け方を行ってもよく、機能自身が重要となっている。
【１１９５】
パイロットシンボルは、例えば、送受信機において、ＰＳＫ変調を用いて変調した既知のシンボルであればよく、受信機は、このシンボルを用いて、周波数同期、時間同期、各変調信号のチャネル推定（ＣＳＩ（Channel State Information）の推定）、信号の検出等を行う。または、パイロットシンボルは、受信機が同期することによって、受信機は、送信機が送信したシンボルを知ることができてもよい。
【１１９６】
また、制御情報用のシンボルは、データ（アプリケーション等のデータ）以外の通信を実現するための、通信相手に伝送する必要がある情報（例えば、通信に用いている変調方式、誤り訂正符号化方式、誤り訂正符号化方式の符号化率、上位レイヤーでの設定情報等）を伝送するためのシンボルであってもよい。
【１１９７】
なお、本開示は各実施の形態に限定されず、種々変更して実施することが可能である。例えば、各実施の形態では、通信装置として行う場合について説明しているが、これに限られるものではなく、この通信方法をソフトウェアとして行うことも可能である。
【１１９８】
なお、例えば、上記通信方法を実行するプログラムを予めＲＯＭ（Read Only Memory）に格納しておき、そのプログラムをＣＰＵ（Central Processing Unit）によって動作させるようにしても良い。
【１１９９】
また、上記通信方法を実行するプログラムをコンピュータで読み取り可能な記憶媒体に格納し、記憶媒体に格納されたプログラムをコンピュータのＲＡＭに記録して、コンピュータをそのプログラムにしたがって動作させるようにしても良い。
【１２００】
そして、上記の各実施の形態などの各構成は、典型的には、入力端子及び出力端子を有する集積回路であるＬＳＩ（Large Scale Integration）として実現されてもよい。これらは、個別に１チップ化されてもよいし、各実施の形態の全ての構成または一部の構成を含むように１チップ化されてもよい。ここでは、ＬＳＩとしたが、集積度の違いにより、ＩＣ（Integrated Circuit）、システムＬＳＩ、スーパーＬＳＩ、ウルトラＬＳＩと呼称されることもある。また、集積回路化の手法はＬＳＩに限られるものではなく、専用回路または汎用プロセッサで実現しても良い。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用しても良い。さらに、半導体技術の進歩又は派生する別技術によりＬＳＩに置き換わる集積回路化の技術が登場すれば、当然、その技術を用いて機能ブロックの集積化を行っても良い。バイオ技術の適応等が可能性としてあり得る。
【１２０１】
なお、アクセスポイント、端末、中継器が対応している送信方法は、ＯＦＤＭ（Orthogonal Frequency Division Multiplexing）などのマルチキャリア方式であってもよいし、シングルキャリア方式であってもよい。また、アクセスポイント、端末、中継器は、マルチキャリア方式、シングルキャリア方式の両者に対応していてもよい。このときシングルキャリア方式の変調信号を生成する方法は、複数あり、いずれの方式の場合についても実施が可能である。例えば、シングルキャリア方式の例として、「DFT（Discrete Fourier Transform）-Spread OFDM（Orthogonal Frequency Division Multiplexing）」、「Trajectory Constrained DFT-Spread OFDM」、「OFDM based SC（Single Carrier）」、「SC（Single Carrier）-FDMA（Frequency Division Multiple Access）」、「Guard interval DFT-Spread OFDM」などがある。
【１２０２】
また、ＦＰＧＡおよびＣＰＵの少なくとも一方が、本開示において説明した通信方法を実現するために必要なソフトウェアの全部あるいは一部を無線通信または有線通信によりダウンロードできるような構成であってもよい。さらに、更新のためのソフトウェアの全部あるいは一部を無線通信または有線通信によりダウンロードできるような構成であってもよい。そして、ダウンロードしたソフトウェアを記憶部に格納し、格納されたソフトウェアに基づいてＦＰＧＡおよびＣＰＵの少なくとも一方を動作させることにより、本開示において説明したデジタル信号処理を実行するようにしてもよい。
【１２０３】
このとき、ＦＰＧＡおよびＣＰＵの少なくとも一方を具備する機器は、通信モデムと無線または有線で接続し、この機器と通信モデムにより、本開示において説明した通信方法を実現してもよい。
【１２０４】
例えば、本明細書で記載したアクセスポイント、中継器、端末などの送信装置、受信装置、通信装置が、ＦＰＧＡ、および、ＣＰＵのうち、少なくとも一方を具備しており、ＦＰＧＡ及びＣＰＵの少なくとも一方を動作させるためのソフトウェアを外部から入手するためのインターフェースを通信装置が具備していてもよい。さらに、通信装置が外部から入手したソフトウェアを格納するための記憶部を具備し、格納されたソフトウェアに基づいて、ＦＰＧＡ、ＣＰＵを動作させることで、本開示において説明した信号処理を実現するようにしてもよい。
【１２０５】
本明細書において、アクセスポイントに関して説明している部分、動作が、基地局、中継器、端末、通信装置、パーソナルコンピュータ、携帯電話（ｍｏｂｉｌｅ  ｐｈｏｎｅ）などの部分、動作であってもよい。そして、本明細書において、端末に関して説明している部分、動作が、アクセスポイント、基地局、中継器、通信装置、パーソナルコンピュータ、携帯電話（ｍｏｂｉｌｅ  ｐｈｏｎｅ）などの部分、動作であってもよい。
【１２０６】
（実施の形態Ｂ２）
本実施の形態では、実施の形態Ｂ１の変形例について説明する。
【１２０７】
図９７のようにアクセスポイントＢ１０１は、データを入力とし、このデータＢ１００から変調信号を生成し、Ｂ１０２＿１の中継器♯１、および／または、端末Ｂ１０３に送信する。
【１２０８】
そして、Ｂ１０２＿１の中継器＃１は、アクセスポイントＢ１０１が送信した変調信号を受信し、受信した変調信号に基づいて、端末Ｂ１０３宛の変調信号を生成し、生成した変調信号を端末Ｂ１０３に対し送信する。
【１２０９】
なお、アクセスポイントＢ１０１の入力となるデータは１系統（Ｂ１００）としているが、これに限ったものではなく、アクセスポイントＢ１０１は、複数系統のデータを入力する構成であってもよい。
【１２１０】
また、アクセスポイントＢ１０１は、Ｂ１０２＿１の中継器＃１に対し、一つ以上の変調信号を送信するものとする。なお、複数の変調信号を送信する際、ＭＩＭＯ（Ｍｕｌｔｉｐｌｅ−Ｉｎｐｕｔ  Ｍｕｌｔｉｐｌｅ−Ｏｕｔｐｕｔ）の伝送を行ってもよい。
【１２１１】
そして、Ｂ１０２＿１の中継器＃１は、受信した変調信号に基づいて、端末Ｂ１０３宛の変調信号を生成することになるが、このとき、一つ以上の変調信号を生成し、送信することになる。なお、複数の変調信号を送信する際、ＭＩＭＯの伝送を行ってもよい。
【１２１２】
図９８、図９９、図１００は、このときのアクセスポイントＢ１０１が送信する、Ｂ１０２＿１の中継器＃１宛の変調信号、および、端末Ｂ１０３宛の変調信号のフレーム構成の例を示している。図９８、図９９、図１００、いずれも、横軸は時間であるものとする。また、図９８、図９９、図１００において、図８５と同様に動作するものについては、同一番号を付している。
【１２１３】
図９８、図９９、図１００に示すように、Ｂ１０２＿１の中継器＃１宛の変調信号は、プリアンブルＢ２０１＿１、制御情報シンボル２０２＿１、データシンボルＢ２０３＿１で構成されているものとする。また、端末Ｂ１０３宛の変調信号は、プリアンブルＢ１５０１＿２、制御情報シンボルＢ１５０２＿２、データシンボルＢ１５０３＿２で構成されているものとする。
【１２１４】
なお、Ｂ１０２＿１の中継器＃１宛の変調信号は一つ以上であってもよく、また、端末Ｂ１０３宛の変調信号は一つ以上であってもよい。複数の変調信号を送信する際、ＭＩＭＯの伝送を行ってもよい。
【１２１５】
なお、プリアンブルは、例えば、通信相手にとって既知の変調信号であり、通信相手が、信号検出、周波数オフセットの推定、時間同期、周波数同期などを行うためのシンボルである。そして、制御情報シンボルは、データシンボルを生成するために使用した変調信号、誤り訂正符号化方法（例えば、誤り訂正符号の種類、誤り訂正符号の符号長、ブロック長）、送信方法（例えば、ＭＣＳ：Modulation and Coding Scheme）などの情報を含んでいるものとする。また、データシンボルは、データを伝送するためのシンボルであるものとする。
【１２１６】
図９８の例では、第１時間にプリアンブルＢ２０１＿１が存在し、同様に、第１時間にプリアンブルＢ１５０１＿２が存在する。そして、第２時間に制御情報シンボルＢ２０２＿１が存在し、同様に、第２時間に制御情報シンボルＢ１５０２＿２が存在する。また、第３時間にデータシンボルＢ２０３＿１が存在し、同様に、第３時間にデータシンボルＢ１５０３＿２が存在する。
【１２１７】
このとき、プリアンブルＢ２０１＿１、制御情報シンボルＢ２０２＿１、データシンボルＢ２０３＿１で構成されているＢ１０２＿１の中継器＃１宛の変調信号は、例えば第１の周波数帯（例えば、５ＧＨｚ帯）を用いて、アクセスポイントＢ１０１から送信される。そして、プリアンブルＢ１５０１＿２、制御情報シンボルＢ１５０２＿２、データシンボルＢ１５０３＿２で構成されている端末Ｂ１０３宛の変調信号は、例えば第３の周波数帯（例えば、２．４ＧＨｚ帯）を用いて、アクセスポイントＢ１０１から送信される。なお、第１の周波数帯と第３の周波数帯は異なるものとする。
【１２１８】
図９９は、図９８とは異なる、「Ｂ１０２＿１の中継器＃１宛の変調信号および端末Ｂ１０３宛の変調信号のフレーム構成」を示している。なお、図８５、図９８と同様に動作するものについては、同一番号を付しており、詳細の説明は省略する。ただし、Ｂ１０２＿１の中継器＃１宛の変調信号は一つ以上であってもよく、また、端末Ｂ１０３宛の変調信号は一つ以上であってもよい。複数の変調信号を送信する際、ＭＩＭＯの伝送を行ってもよい。
【１２１９】
図９９に示すように、プリアンブルＢ２０１＿１は第１時間に存在し、制御情報シンボルＢ２０２＿１は第２時間に存在し、データシンボルＢ２０３＿１は第３時間に存在する。そして、プリアンブルＢ１５０１＿２は第４時間に存在し、制御情報シンボルＢ１５０２＿２は第５時間に存在し、データシンボルＢ１５０３＿２は第６時間に存在する。
【１２２０】
そして、図９９の例が図９８の例と異なる点は、「図９９の例では、プリアンブルＢ２０１＿１、制御情報シンボルＢ２０２＿１、データシンボルＢ２０３＿１で構成されているＢ１０２＿１の中継器＃１宛の変調信号が存在している時間区間とプリアンブルＢ１５０１＿２、制御情報シンボルＢ１５０２＿２、データシンボルＢ１５０３＿２で構成されている端末Ｂ１０３宛の変調信号が存在している時間区間の一部が時間的に重なっている」ことである。
【１２２１】
例えば、図９９では、プリアンブルＢ１５０１＿２が存在する第４時間には、データシンボルＢ２０３＿１の一部が存在する。また、制御情報シンボルＢ１５０２＿２が存在する第５時間には、データシンボルＢ２０３＿１の一部が存在する。データシンボルＢ１５０３＿２が存在する第６時間の一部とデータシンボルＢ２０３＿１が存在する第３時間の一部が時間的に重なっている。
【１２２２】
なお、図９９はあくまでも例であり、フレーム構成は、この例に限ったものではなく、前述の条件を満たしていればよい。
【１２２３】
そして、プリアンブルＢ２０１＿１、制御情報シンボルＢ２０２＿１、データシンボルＢ２０３＿１で構成されているＢ１０２＿１の中継器＃１宛の変調信号は、例えば第１の周波数帯（例えば、５ＧＨｚ帯）を用いて、アクセスポイントＢ１０１から送信される。そして、プリアンブルＢ１５０１＿２、制御情報シンボルＢ１５０２＿２、データシンボルＢ１５０３＿２で構成されている端末Ｂ１０３宛の変調信号は、例えば第３の周波数帯（例えば、２．４ＧＨｚ帯）を用いて、アクセスポイントＢ１０１から送信される。なお、第１の周波数帯と第３の周波数帯は異なるものとする。
【１２２４】
図１００は、図９８、図９９とは異なる「Ｂ１０２＿１の中継器＃１宛の変調信号および端末Ｂ１０３宛の変調信号のフレーム構成」を示している。なお、図８５、図９８と同様に動作するものについては、同一番号を付しており、詳細の説明は省略する。ただし、Ｂ１０２＿１の中継器＃１宛の変調信号は一つ以上であってもよく、また、端末Ｂ１０３宛の変調信号は一つ以上であってもよい。複数の変調信号を送信する際、ＭＩＭＯの伝送を行ってもよい。
【１２２５】
図１００に示すように、プリアンブルＢ２０１＿１は第１時間に存在し、制御情報シンボルＢ２０２＿１は第２時間に存在し、データシンボルＢ２０３＿１は第３時間に存在する。そして、プリアンブルＢ１５０１＿２は第４時間に存在し、制御情報シンボルＢ１５０２＿２は第５時間に存在し、データシンボルＢ１５０３＿２は第６時間に存在する。
【１２２６】
そして、図１００の例が、図９８、図９９の例とは異なる点は、「図１００の例では、プリアンブルＢ２０１＿１、制御情報シンボルＢ２０２＿１、データシンボルＢ２０３＿１で構成されているＢ１０２＿１の中継器＃１宛の変調信号が存在している時間区間とプリアンブルＢ１５０１＿２、制御情報シンボルＢ１５０２＿２、データシンボルＢ１５０３＿２で構成されているＢ１５０２＿２の端末Ｂ１０３宛の変調信号が存在している時間区間が時間的に重なっていない」ことである。
【１２２７】
したがって、プルアンブルＢ２０１＿１が存在している第１時間に、端末Ｂ１０３宛の変調信号は存在していない。同様に、制御情報シンボルＢ２０２＿１が存在している第２時間に、端末Ｂ１０３宛の変調信号は存在していない。そして、データシンボルＢ２０３＿１が存在している第３時間に、端末Ｂ１０３宛の変調信号は存在していない。
【１２２８】
また、プリアンブルＢ１５０１＿２が存在している第４時間に、Ｂ１０２＿１の中継器＃１宛の変調信号は存在していない。同様に、制御情報シンボルＢ１５０２＿２が存在している第５時間に、Ｂ１０２＿１の中継器＃１宛の変調信号は存在していない。そして、データシンボルＢ１５０３＿２が存在している第６時間にＢ１０２＿１の中継器＃１宛の変調信号は存在していない。
【１２２９】
なお、図１００はあくまでも例であり、フレーム構成は、この例に限ったものではなく、前述の条件を満たしていればよい。
【１２３０】
そして、プリアンブルＢ２０１＿１、制御情報シンボルＢ２０２＿１、データシンボルＢ２０３＿１で構成されているＢ１０２＿１の中継器＃１宛の変調信号は、例えば第１の周波数帯（例えば、５ＧＨｚ帯）を用いて、アクセスポイントＢ１０１から送信される。そして、プリアンブルＢ１５０１＿２、制御情報シンボルＢ１５０２＿２、データシンボルＢ１５０３＿２で構成されている端末Ｂ１０３宛の変調信号は、例えば第３の周波数帯（例えば、２．４ＧＨｚ帯）を用いて、アクセスポイントＢ１０１から送信される。なお、第１の周波数帯と第３の周波数帯は異なるものとする。
【１２３１】
図１０１は、Ｂ１０２＿１の中継器＃１およびＢ１０２＿２の中継器＃２が送信する変調信号のフレーム構成の例を示している。図１０１、いずれも、横軸は時間であるものとする。
【１２３２】
図１０１に示すように、Ｂ１０２＿１の中継器＃１が送信する変調信号は、プリアンブルＢ５０１＿１、制御情報シンボルＢ５０２＿１、データシンボルＢ５０３＿１で構成されているものとする。ただし、Ｂ１０２＿１の中継器＃１が送信する変調信号は一つ以上であってもよい。複数の変調信号を送信する際、ＭＩＭＯの伝送を行ってもよい。
【１２３３】
なお、プリアンブルは、例えば、通信相手にとって既知の変調信号であり、通信相手が、信号検出、周波数オフセットの推定、時間同期、周波数同期などを行うためのシンボルである。そして、制御情報シンボルは、データシンボルを生成するために使用した変調信号、誤り訂正符号化方法（例えば、誤り訂正符号の種類、誤り訂正符号の符号長、ブロック長）、送信方法（例えば、ＭＣＳ：Ｍｏｄｕｌａｔｉｏｎ  ａｎｄ  Ｃｏｄｉｎｇ  Ｓｃｈｅｍｅ）などの情報を含んでいるものとする。また、データシンボルは、データを伝送するためのシンボルであるものとする。
【１２３４】
図１０１の例では、第Ｘ１時間にプリアンブルＢ５０１＿１が存在し、第Ｘ２時間に制御情報シンボルＢ５０２＿１が存在し、第Ｘ３時間にデータシンボルＢ５０３＿１が存在する。
【１２３５】
このとき、プリアンブルＢ５０１＿１、制御情報シンボルＢ５０２＿１、データシンボルＢ５０３＿１で構成されているＢ１０２＿１の中継器＃１が送信する変調信号は、第２の周波数帯（６ＧＨｚ帯）を用いていることになる。
【１２３６】
これまで説明したアクセスポイント、中継器、端末で構成したシステムの各装置の動作について説明する。
【１２３７】
図９１は、図９７のアクセスポイントＢ１０１の構成の一例を示している。なお、図９１については、すでに説明を行っているので、説明の一部を省略する。
【１２３８】
その他の通信装置Ｂ８９９は、有線の通信装置、および／または、無線の通信装置であり、これにより、通信を行うことが可能である。ここでは、その他の通信装置Ｂ８９９は、第３の周波数帯の変調信号の送信、変調信号の受信を行うための通信装置を少なくとも具備しているものとする。
【１２３９】
なお、第３の周波数帯の送信信号は、複数の変調信号であってもよい。そして、複数の変調信号であったとき、複数の変調信号は複数のアンテナから送信されることになる。このとき、ＭＩＭＯ、ＭＩＳＯ伝送が用いられてもよい。したがって、一つ以上のアンテナで構成されることになる。
【１２４０】
図９７で説明したように、アクセスポイントＢ１０１とＢ１０２＿１の中継器＃１の通信は第１の周波数帯を用いて通信を行っている。したがって、ここでは、第１の周波数帯の送信信号Ｂ８０３は、Ｂ１０２＿１の中継器＃１宛の信号となる。そして、アクセスポイントＢ１０１と端末Ｂ１０３の通信は第３の周波数帯を用いて通信を行っている。したがって、ここでは図９１のその他の通信装置Ｂ８９９が、端末Ｂ１０３宛の変調信号を生成し、送信することになる。なお、各送信信号のフレーム構成については、すでに説明したとおりである。
【１２４１】
図１０２は、図９１とは異なる図９７のアクセスポイントＢ１０１の構成の一例を示している。なお、図１０２において、図９１と同様に動作するものについては同一番号を付しており、すでに説明を行っているものについては説明を省略する。
【１２４２】
第３の周波数帯用送信装置Ｂ１９１２は、データＢ１９１１を入力とし、誤り訂正符号の符号化、変調方式に基づいたマッピングなどの処理を行い、第３の周波数帯を用いた変調信号Ｂ１９１３を生成し、出力する。そして、アンテナＢ１９１４は、第３の周波数帯を用いた変調信号Ｂ１９１３を電波として出力する。なお、第３の周波数帯を用いた変調信号Ｂ１９１３は、図９７の端末Ｂ１０３宛の変調信号となる。
【１２４３】
第３の周波数帯用受信装置Ｂ１９１７は、アンテナＢ１９１５で受信した、受信信号Ｂ１９１６を入力とし、第３の周波数帯の変調信号の復調、誤り訂正符号の復号などの処理を行い、データＢ１９１８を出力する。
【１２４４】
なお、第３の周波数帯の変調信号Ｂ１９１３は、複数の変調信号であってもよい。そして、複数の変調信号であったとき、複数の変調信号は複数のアンテナから送信されることになる。このとき、ＭＩＭＯ、ＭＩＳＯ伝送が用いられてもよい。したがって、一つ以上のアンテナで構成されることになる。また、アンテナＢ１９１５は複数のアンテナで構成されていてもよく、このとき、複数の変調信号をアンテナＢ１９１５により、得ることになる。
【１２４５】
その他の通信装置Ｂ８９９は、有線の通信装置、および／または、無線の通信装置であり、これにより、通信を行うことが可能である。ただし、その他の通信装置Ｂ８９９を、アクセスポイントＢ１０１は具備していなくてもよい。
【１２４６】
図９７で説明したように、アクセスポイントＢ１０１とＢ１０２＿１の中継器＃１の通信は第１の周波数帯を用いて通信を行っている。したがって、ここでは、第１の周波数帯の送信信号Ｂ８０３は、Ｂ１０２＿１の中継器＃１宛の信号となる。そして、アクセスポイントＢ１０１と端末Ｂ１０３の通信は第３の周波数帯を用いて通信を行っている。したがって、ここでは図１０２の第３の周波数帯用送信装置Ｂ１９１２が、端末Ｂ１０３宛の変調信号を生成し、送信することになる。なお、各送信信号のフレーム構成については、すでに説明したとおりである。
【１２４７】
図９２は、図９７のＢ１０２＿１の中継器＃１の構成の例を示している。
【１２４８】
図９２において、例えば、アンテナ９０１は、図９７のアクセスポイントＢ１０１と通信を行うためのアンテナ、アンテナ９０５は、図９７の端末Ｂ１０３と通信を行うためのアンテナとなる。
【１２４９】
したがって、中継器９０３は、アンテナ９０１を用いて、図９７のアクセスポイントＢ１０１と通信を行うことになる、同様に、アンテナ９０５を用いて図９７の端末Ｂ１０３と通信を行うことになる。
【１２５０】
図９３は、図９２の中継器の構成の一例を示している。図９３において、アンテナＢ１００１、Ｂ１０１７は、図９７のアクセスポイントＢ１０１と通信を行うためのアンテナであり、アンテナＢ１００７、Ｂ１０１１は、図９７の端末と通信を行うためのアンテナである。
【１２５１】
第Ａの周波数帯用受信装置Ｂ１００３は、アンテナＢ１００１で受信した受信信号Ｂ１００２を入力とする。なお、受信信号Ｂ１００２は、図９７のアクセスポイントＢ１０１が送信した変調信号に相当する。そして、第Ａの周波数帯用受信装置Ｂ１００３は、受信信号Ｂ１００２に対し、信号処理を行うとともに、復調、誤り訂正符号の復号などの処理を行い、データＢ１００４を出力する。
【１２５２】
なお、本実施の形態では、Ｂ１０２＿１の中継器＃１の場合、第Ａの周波数帯用受信装置Ｂ１００３は、「第１の周波数帯（例えば、５ＧＨｚ帯）用受信装置」となる。したがって、受信信号Ｂ１００２は第１の周波数帯の受信信号となる。
【１２５３】
第Ｂの周波数帯用送信装置Ｂ１００５は、データＢ１００４を入力とする。ただし、第２データＢ１０００を、第Ｂの周波数帯用送信装置Ｂ１００５の入力としてあってもよい。第Ｂの周波数帯用送信装置Ｂ１００５は、「データＢ１００４」、または、「データＢ１００４、および、第２データＢ１０００」の全部、または一部に対し、誤り訂正符号化、変調（マッピング）、周波数変換等の処理を施し、送信信号Ｂ１００６を生成、出力し、送信信号Ｂ１００６は、アンテナＢ１００７から出力する。
【１２５４】
なお、本実施の形態では、Ｂ１０２＿１の中継器＃１の場合、第Ｂの周波数帯用送信装置Ｂ１００５は、「第２の周波数帯（例えば、６ＧＨｚ帯）用送信装置」となる。したがって、送信信号Ｂ１００６は、第２の周波数帯の送信信号となる。
【１２５５】
図９３のアンテナＢ１００１は一つ以上のアンテナで構成されていてもよい、したがって、受信信号Ｂ１００２は一つ以上の変調信号で構成されていてもよい。よって、第Ａの周波数帯用の受信装置Ｂ１００３が、ＭＩＭＯ伝送のための受信信号処理を行ってもよい。当然であるが、第Ａの周波数帯用の受信装置Ｂ１００３は、シングルストリーム伝送のための受信信号処理を行ってもよい。
【１２５６】
また、図９３のアンテナＢ１００７は一つ以上のアンテナで構成されていてもよい。したがって、送信信号Ｂ１００６は一つ以上の変調信号で構成されていてもよい。よって、第Ｂの周波数帯用の送信装置Ｂ１００５が、ＭＩＭＯ伝送のための複数の変調信号を生成し、送信信号Ｂ１００６としてもよい。当然であるが、第Ｂの周波数帯用の送信装置Ｂ１００５は、シングルストリーム用の変調信号を送信信号Ｂ１００６と出力してもよい。
【１２５７】
アンテナＢ１０１１は、図９７の端末Ｂ１０３が送信した変調信号を受信するためのアンテナである。第Ｂの周波数帯用受信装置Ｂ１０１３は、端末Ｂ１０３が送信した変調信号を復調するための装置である。第Ａの周波数帯用送信装置Ｂ１０１５は、図９７のアクセスポイントＢ１０１に対し送信する変調信号を生成する装置である。そして、アンテナＢ１０１７は、アクセスポイントＢ１０１に対し、変調信号を送信するためのアンテナである。ただし、アンテナＢ１０１１からアンテナＢ１０１７までの動作についての説明はここでは省略する。
【１２５８】
このときの図９７の端末Ｂ１０３の構成例が図９１となる。なお、図９１において、各部の動作についてはすでに説明を行っているので説明を省略する。
【１２５９】
アンテナＢ８１５は、Ｂ１０２＿１の中継器＃１が送信した第２の周波数帯（例えば、６ＧＨｚ帯）の変調信号を受信することになる。第２の周波数帯用の受信装置Ｂ８１７は、アンテナＢ８１５で受信した受信信号Ｂ８１６を入力とし、復調、誤り訂正符号の復号などの処理を行い、受信データＢ８１８を出力する。
【１２６０】
なお、アンテナＢ８１５は一つ以上のアンテナで構成されていてもよい、したがって、受信信号Ｂ８１６は一つ以上の変調信号で構成されていてもよい。よって、第２の周波数帯用の受信装置Ｂ８１７がＭＩＭＯ伝送のための受信信号処理を行ってもよい。当然であるが、第２の周波数帯用の受信装置Ｂ８１７はシングルストリーム伝送のための受信信号処理を行ってもよい。
【１２６１】
その他の通信装置Ｂ８９９は、図９７のアクセスポイントＢ１０１が送信した、第３の周波数帯の変調信号を受信し、復調、誤り訂正符号の復号などの処理を行い、データを得ることになる。
【１２６２】
なお、その他の通信装置Ｂ８９９は一つ以上のアンテナを具備していてもよい、したがって、受信信号は一つ以上の変調信号で構成されていてもよい。よって、その他の通信装置Ｂ８９９が具備する第３の周波数帯用の受信装置がＭＩＭＯ伝送のための受信信号処理を行ってもよい。当然であるが、第３の周波数帯用の受信装置はシングルストリーム伝送のための受信信号処理を行ってもよい。
【１２６３】
図９７の端末Ｂ１０３の図９１とは異なる構成例が図１０３となる。なお、図１０３において、図９１、図１０２と同様の動作するものについては、同一番号を付しており、説明の一部を省略する。
【１２６４】
アンテナＢ８１５は、Ｂ１０２＿１の中継器＃１が送信した第２の周波数帯（例えば、６ＧＨｚ帯）の変調信号を受信することになる。第２の周波数帯用の受信装置Ｂ８１７は、アンテナＢ８１５で受信した受信信号Ｂ８１６を入力とし、復調、誤り訂正符号の復号などの処理を行い、受信データＢ８１８を出力する。
【１２６５】
なお、アンテナＢ８１５は一つ以上のアンテナで構成されていてもよい、したがって、受信信号Ｂ８１６は一つ以上の変調信号で構成されていてもよい。よって、第２の周波数帯用の受信装置Ｂ８１７がＭＩＭＯ伝送のための受信信号処理を行ってもよい。当然であるが、第２の周波数帯用の受信装置Ｂ８１７はシングルストリーム伝送のための受信信号処理を行ってもよい。
【１２６６】
アンテナＢ１９１４は、図９７のアクセスポイントＢ１０１が送信した第３の周波数帯の変調信号を含む受信信号を受信することになる。そして、第３の周波数帯用受信装置Ｂ１９１７は、アンテナＢ１９１５で受信した受信信号Ｂ１９１６を入力とし、復調、誤り訂正符号の復号などの処理を施し、データＢ１９１８を出力することになる。
【１２６７】
なお、アンテナＢ１９１５は一つ以上のアンテナで構成されていてもよい、したがって、受信信号Ｂ１９１６は一つ以上の変調信号で構成されていてもよい。よって、第３の周波数帯用の受信装置Ｂ１９１７がＭＩＭＯ伝送のための受信信号処理を行ってもよい。当然であるが、第３の周波数帯用の受信装置Ｂ１９１７はシングルストリーム伝送のための受信信号処理を行ってもよい。
【１２６８】
また、端末Ｂ１０３は、その他の通信装置Ｂ８９９を具備していてもよいし、具備していなくてもよい。
【１２６９】
以上のように実施することで、図９７の端末Ｂ１０３は、第１の周波数帯の変調信号と第３の周波数帯の変調信号を得るというように、複数の周波数帯の変調信号を得ることができるため、端末Ｂ１０３が得るデータの伝送量を多くすることができるという効果を得ることができる。また、第１の中継器は、「アクセスポイントＢ１０１が送信した第１の周波数帯の変調信号を受信し、第２の周波数帯の変調信号を生成し、端末Ｂ１０３に送信する」という構成とすることで、前述の効果が大きくなることになる。この点については、実施の形態Ｂ１で説明したとおりである。
【１２７０】
また、例えば、中継器の構成を図９３のような構成にすることができることを述べたが、このときの利点として、「例えば、第Ａの周波数帯の送信装置、受信装置を複数持つ必要がなく、また、第Ｂの周波数帯の送信装置、受信装置を複数持つ必要がなく、中継器の小型化、回路規模を抑圧することができる」、と考えることもできる。
【１２７１】
なお、本実施の形態はあくまでも一例であり、例えば、アクセスポイントＢ１０１を端末とし、端末Ｂ１０３をアクセスポイントとして実施しても同様に実施することができる。本実施の形態では、アクセスポイント、中継器、端末と名づけて説明しているが、アクセスポイントを、基地局、通信装置、端末、放送局、ノードなどと呼んで実施してもよく、また、中継器を、通信装置、アクセスポイント、ノード、端末、基地局などと呼んで実施してもよく、さらに、端末を、通信装置、アクセスポイント、ノード、基地局などと呼んで実施してもよい。
【１２７２】
また、図９８、図９９、図１００、図１０１において、フレーム構成の一例を記載しているが、フレーム構成は、この例に限ったものではなく、これらの図に記載されているシンボル以外のシンボルが含まれていてもよい。例えば、リファレンスシンボル、パイロットシンボル、ミッドアンブルなどのチャネル推定、位相雑音の推定、周波数・時間同期、周波数オフセット推定のためのシンボルなどが含まれていてもよい。
【１２７３】
（実施の形態Ｂ３）
本実施の形態では、実施の形態Ｂ１、実施の形態Ｂ２の変形例について説明する。
【１２７４】
実施の形態Ｂ１、実施の形態Ｂ２では、アクセスポイントは、端末に対し直接変調信号を送信する、または、端末は、１台の中継器を介し、アクセスポイントからデータを得る場合について説明した。
【１２７５】
実施方法は、実施の形態Ｂ１、実施の形態Ｂ２に限ったものではなく、端末は２台以上の中継器を介し、アクセスポイントからデータを得てもよい。本実施の形態では、端末は２台以上の中継器を介し、アクセスポイントからデータを得る場合の例を説明する。
【１２７６】
図１０４のように、アクセスポイントＢ１０１はデータＢ１００を入力とし、変調信号を生成し、Ｂ１０２＿１の中継器＃１に送信する。Ｂ１０２＿１の中継器＃１は、アクセスポイントＢ１０１が送信した変調信号を受信し、この変調信号に基づいて、第１の変調信号を生成し、端末Ｂ１０３に送信する。
【１２７７】
また、アクセスポイントＢ１０１はデータＢ１００を入力とし、変調信号を生成し、Ｂ１０２＿２の中継器＃２に送信する。Ｂ１０２＿２の中継器＃２は、アクセスポイントＢ１０１が送信した変調信号を受信し、この変調信号に基づいて、変調信号を生成し、Ｂ２１０２＿３の中継器＃３に送信する。
【１２７８】
そして、Ｂ２１０２＿３の中継器＃３は、Ｂ１０２＿２の中継器＃２が送信した変調信号を受信し、この変調信号に基づいて、第２の変調信号を生成し、端末Ｂ１０３に送信する。
【１２７９】
このとき、Ｂ１０２＿１の中継器＃１の動作については、実施の形態Ｂ１で説明したとおりであるものとする。
【１２８０】
そして、Ｂ１０２＿２の中継器＃２は、アクセスポイントＢ１０１が送信した第Ａの周波数帯の変調信号を得て、この変調信号に基づいて、第Ｂの周波数帯の変調信号を生成、送信するものとする。なお、第Ａの周波数帯と第Ｂの周波数帯は異なる周波数帯であるものとする。
【１２８１】
Ｂ２１０２＿３の中継器＃３は、Ｂ１０２＿２の中継器＃２が送信した第Ｂの周波数帯の変調信号を得て、この変調信号に基づいて、第Ｃの周波数帯の変調信号を生成、送信するものとする。なお、第Ｂの周波数帯と第Ｃの周波数帯は異なる周波数帯であるものとする。
【１２８２】
したがって、端末Ｂ１０３は、Ｂ１０２＿１の中継器＃１が送信した第２の変調信号、および、Ｂ２１０２＿３の中継器＃３が送信した第Ｃの周波数帯の変調信号を受信し、データを得ることになる。
【１２８３】
このときの特徴は、以下となる。
・第２の変調信号が使用している周波数帯と第Ｃの周波数帯が異なるものとする。
・中継器が受信する変調信号が使用している周波数帯と中継器が送信する変調信号が使用している周波数帯が異なるものとする。
・アクセスポイントは、複数の周波数帯を使用した変調信号を送信する。
【１２８４】
このようにすることで、実施の形態Ｂ１、実施の形態Ｂ２で説明した効果と同様の効果を得ることができる。
【１２８５】
図１０５は、図１０４とは異なるシステム例である。図１０５において、図８４、図１０４と同様に動作するものについては、同一番号を付している。
【１２８６】
Ｂ１０２＿２の中継器＃２、および、Ｂ２１０２＿３の中継器＃３の動作については、図１０４の説明で行っているため、説明を省略する。
【１２８７】
Ｂ１０２＿１の中継器＃１は、アクセスポイントＢ１０１が送信した第Ｄの周波数帯の変調信号を得て、この変調信号に基づいて、第Ｅの周波数帯の変調信号を生成、送信するものとする。なお、第Ｄの周波数帯と第Ｅの周波数帯は異なる周波数帯であるものとする。
【１２８８】
Ｂ２２０２＿４の中継器＃４は、Ｂ１０２＿１の中継器＃１が送信した第Ｅの周波数帯の変調信号を得て、この変調信号に基づいて、第Ｆの周波数帯の変調信号を生成、送信するものとする。なお、第Ｅの周波数帯と第Ｆの周波数帯は異なる周波数帯であるものとする。
【１２８９】
Ｂ２２０２＿５の中継器＃５は、Ｂ２２０２＿４の中継器＃４が送信した第Ｆの周波数帯の変調信号を得て、この変調信号に基づいて、第Ｇの周波数帯の変調信号を生成、送信するものとする。なお、第Ｆの周波数帯と第Ｇの周波数帯は異なる周波数帯であるものとする。
【１２９０】
したがって、端末Ｂ１０３は、Ｂ２２０２＿５の中継器＃５が送信した第Ｇの周波数帯の変調信号、および、Ｂ２１０２＿３の中継器＃３が送信した第Ｃの周波数帯の変調信号を受信し、データを得ることになる。
【１２９１】
このときの特徴は、以下となる。
・第２の変調信号が使用している周波数帯と第Ｃの周波数帯が異なるものとする。
・中継器が受信する変調信号が使用している周波数帯と中継器が送信する変調信号が使用している周波数帯が異なるものとする。
・アクセスポイントは、複数の周波数帯を使用した変調信号を送信する。
【１２９２】
このようにすることで、実施の形態Ｂ１、実施の形態Ｂ２で説明した効果と同様の効果を得ることができる。
【１２９３】
なお、アクセスポイント、中継器、端末の関係は図１０４、図１０５に限ったものではなく、例えば、上記３つの特徴を満たすことで、同様に実施することが可能である。
【１２９４】
また、本実施の形態はあくまでも一例であり、例えば、アクセスポイントＢ１０１を端末とし、端末Ｂ１０３をアクセスポイントとして実施しても同様に実施することができる。本実施の形態では、アクセスポイント、中継器、端末と名づけて説明しているが、アクセスポイントを、基地局、通信装置、端末、放送局、ノードなどと呼んで実施してもよく、また、中継器を、通信装置、アクセスポイント、ノード、端末、基地局などと呼んで実施してもよく、さらに、端末を、通信装置、アクセスポイント、ノード、基地局などと呼んで実施してもよい。
【１２９５】
（実施の形態Ｂ４）
本実施の形態では、実施の形態Ｂ１、実施の形態Ｂ３の説明における「周波数帯」に関する説明を行う。
【１２９６】
図１０６は、第Ｘの周波数帯とチャネルの関係の一例を示している。なお、第Ｘの周波数帯とは、実施の形態Ｂ１、実施の形態Ｂ３などにおける、「第１の周波数帯」、「第２の周波数帯」、「第３の周波数帯」、「第Ａの周波数帯」、「第Ｂの周波数帯」、「第Ｃの周波数帯」、「第Ｄの周波数帯」、「第Ｅの周波数帯」、「第Ｆの周波数帯」、「第Ｇの周波数帯」などに相当する。
【１２９７】
図１０６において、横軸は周波数であり、縦軸は送信パワーであるものとする。第Ｘの周波数帯は、第１チャネルＢ２３０１、第２チャネルＢ２３０２、第３チャネルＢ２３０３、第４チャネルＢ２３０４、第５チャネルＢ２３０５で形成されているものとする。例えば、変調信号のスペクトルが、第１チャネルＢ２３０１に存在しているとき、この変調信号は、第１チャネルＢ２３０１を用いた変調信号となる。同様に、変調信号のスペクトルが、第２チャネルＢ２３０２に素材しているとき、この変調信号は、第２チャネルＢ２３０２を用いた変調信号となる。他のチャネルについても同様である。なお、アクセスポイント、中継器、端末などの装置が変調信号を送信する際、一つ以上のチャネルを使用するものとする。例えば、アクセスポイントは第１チャネルを使用する変調信号を送信してもよいし、アクセスポイントは第１チャネルおよび第２チャネルを使用する変調信号を送信してもよいし、アクセスポイントは第１チャネルおよび第２チャネルおよび第３チャネルおよび第４チャネルを使用する変調信号を送信してもよい。また、他の装置についても同様である。
【１２９８】
次に、実施の形態Ｂ１の例に対して、詳細の説明を行う。
【１２９９】
図８４のアクセスポイントＢ１０１は、第１の周波数帯の変調信号をＢ１０２＿１の中継器＃１に対し送信する。また、Ｂ１０２＿２の中継器＃２は、第１の周波数帯の変調信号を端末Ｂ１０３に対し送信する。
【１３００】
このとき、以下の２つの方法を考えることができる。
【１３０１】
第１の方法：
「アクセスポイントＢ１０１が送信する第１の周波数帯の変調信号が使用するチャネル」と「Ｂ１０２＿２の中継器＃２が送信する第１の周波数帯の変調信号が使用するチャネル」を異なるものとする。
【１３０２】
例えば、「アクセスポイントＢ１０１が送信する第１の周波数帯の変調信号が使用するチャネル」を第１チャネルＢ２３０１とし、「Ｂ１０２＿２の中継器＃２が送信する第１の周波数帯の変調信号が使用するチャネル」を第５チャネルＢ２３０５とする。または、「アクセスポイントＢ１０１が送信する第１の周波数帯の変調信号が使用するチャネル」を第１チャネルＢ２３０１と第２チャネルＢ２３０２とし、「Ｂ１０２＿２の中継器＃２が送信する第１の周波数帯の変調信号が使用するチャネル」を第４チャネルＢ２３０４と第５チャネルＢ２３０５とする。
【１３０３】
第１の方法を用いることで、図８４の場合、端末Ｂ１０３は、Ｂ１０２＿２の中継器＃２が送信した変調信号を受信する際、アクセスポイントＢ１０１が送信した変調信号の干渉を受けないため、高いデータの受信品質が得られるという効果を得ることができる。
【１３０４】
第２の方法：
「アクセスポイントＢ１０１が送信する第１の周波数帯の変調信号が使用するチャネル」と「Ｂ１０２＿２の中継器＃２が送信する第１の周波数帯の変調信号が使用するチャネル」が同じであるものとする。
【１３０５】
例えば、「アクセスポイントＢ１０１が送信する第１の周波数帯の変調信号が使用するチャネル」を第１チャネルＢ２３０１とし、「Ｂ１０２＿２の中継器＃２が送信する第１の周波数帯の変調方式が使用するチャネル」を第１チャネルＢ２３０１とする。または、「アクセスポイントＢ１０１が送信する第１の周波数帯の変調信号が使用するチャネル」を第１チャネルＢ２３０１と第２チャネルＢ２３０２とし、「Ｂ１０２＿２の中継器＃２が送信する第１の周波数帯の変調方式が使用するチャネル」を第１チャネルＢ２３０１と第２チャネルＢ２３０２とする。
【１３０６】
例えば、アクセスポイントＢ１０１が指向性制御を行い、第１の周波数帯の変調信号を送信し、この変調信号が、端末Ｂ１０３に届かない場合、第２の方法を用いても、端末Ｂ１０３は、Ｂ１０２＿２の中継器＃２が送信する第１の周波数帯の変調信号を、干渉を少なく、受信することができるため、高いデータの受信品質を得ることができるという効果を得ることができる。
【１３０７】
第２の方法を用いることで、図８４の場合、端末Ｂ１０３は、Ｂ１０２＿２の中継器＃２が送信した変調信号を受信する際、アクセスポイントＢ１０１が送信した変調信号の干渉を受けないため、高いデータの受信品質が得られるという効果を得ることができる。このとき、図８４のシステムは、効率よく周波数を使用しているため、高い周波数利用効率を得ることができるという効果を得ることができる。
【１３０８】
ただし、アクセスポイントＢ１０１、Ｂ１０２＿１の中継器＃１、Ｂ１０２＿２の中継器＃２、端末Ｂ１０３の空間的な位置関係によっては、アクセスポイントＢ１０１が送信する第１の周波数帯の変調信号とＢ１０２＿２の中継器＃２が送信する第１の周波数帯の変調方式が干渉する可能性がある。
【１３０９】
これを考慮すると、第１の方法と第２の方法の好適なほうを図８４のシステムは選択するとよいことになる。
【１３１０】
また、図８４のアクセスポイントＢ１０１は、第２の周波数帯の変調信号をＢ１０２＿２の中継器＃２に対し送信する。また、Ｂ１０２＿１の中継器＃１は、第２の周波数帯の変調信号を端末Ｂ１０３に対し送信する。
【１３１１】
このとき、以下の２つの方法を考えることができる。
【１３１２】
第３の方法：
「アクセスポイントＢ１０１が送信する第２の周波数帯の変調信号が使用するチャネル」と「Ｂ１０２＿１の中継器＃１が送信する第２の周波数帯の変調信号が使用するチャネル」を異なるものとする。
【１３１３】
例えば、「アクセスポイントＢ１０１が送信する第２の周波数帯の変調信号が使用するチャネル」を第２チャネルＢ２３０２とし、「Ｂ１０２＿１の中継器＃１が送信する第２の周波数帯の変調信号が使用するチャネル」を第４チャネルＢ２３０４とする。または、「アクセスポイントＢ１０１が送信する第２の周波数帯の変調信号が使用するチャネル」を第２チャネルＢ２３０２と第３チャネルＢ２３０３とし、「Ｂ１０２＿１の中継器＃１が送信する第２の周波数帯の変調信号が使用するチャネル」を第４チャネルＢ２３０４と第５チャネルＢ２３０５とする。
【１３１４】
第３の方法を用いることで、図８４の場合、端末Ｂ１０３は、Ｂ１０２＿１の中継器＃１が送信した変調信号を受信する際、アクセスポイントＢ１０１が送信した変調信号の干渉を受けないため、高いデータの受信品質を得ることができるという効果を得ることができる。
【１３１５】
第４の方法：
「アクセスポイントＢ１０１が送信する第２の周波数帯の変調信号が使用するチャネル」と「Ｂ１０２＿１の中継器＃１が送信する第２の周波数帯の変調信号が使用するチャネル」が同じであるものとする。
【１３１６】
例えば、「アクセスポイントＢ１０１が送信する第２の周波数帯の変調信号が使用するチャネル」を第１チャネルＢ２３０１とし、「Ｂ１０２＿１の中継器＃１が送信する第２の周波数帯の変調方式が使用するチャネル」を第１チャネルＢ２３０１とする。または、「アクセスポイントＢ１０１が送信する第２の周波数帯の変調信号が使用するチャネル」を第１チャネルＢ２３０１と第２チャネルＢ２３０２とし、「Ｂ１０２＿１の中継器＃１が送信する第２の周波数帯の変調方式が使用するチャネル」を第１チャネルＢ２３０１と第２チャネルＢ２３０２とする。
【１３１７】
例えば、アクセスポイントＢ１０１が指向性制御を行い、第２の周波数帯の変調信号を送信し、この変調信号が、端末Ｂ１０３に届かない場合、第４の方法を用いても、端末Ｂ１０３は、Ｂ１０２＿１の中継器＃１が送信する第２の周波数帯の変調信号を、干渉を少なく、受信することができるため、高いデータの受信品質を得ることができるという効果を得ることができる。
【１３１８】
第４の方法を用いることで、図８４の場合、端末Ｂ１０３は、Ｂ１０２＿１の中継器＃１が送信した変調信号を受信する際、アクセスポイントＢ１０１が送信した変調信号の干渉を受けないため、高いデータの受信品質が得られるという効果を得ることができる。このとき、図８４のシステムは、効率よく周波数を使用しているため、高い周波数利用効率を得ることができるという効果を得ることができる。
【１３１９】
ただし、アクセスポイントＢ１０１、Ｂ１０２＿１の中継器＃１、Ｂ１０２＿２の中継器＃２、端末Ｂ１０３の空間的な位置関係によっては、アクセスポイントＢ１０１が送信する第２の周波数帯の変調信号とＢ１０２＿１の中継器＃１が送信する第２の周波数帯の変調方式が干渉する可能性がある。
【１３２０】
これを考慮すると、第３の方法と第４の方法の好適なほうを図８４のシステムは選択するとよいことになる。
【１３２１】
次に、実施の形態Ｂ３の例に対して詳細の説明を行う。
【１３２２】
図１０５のように、アクセスポイントＢ１０１が変調信号を送信し、Ｂ１０２＿１の中継器＃１、Ｂ２２０２＿４の中継器＃４、Ｂ２２０２＿５の中継器＃５を介し、端末Ｂ１０３は変調信号を得るものとする。また、アクセスポイントが変調信号を送信し、Ｂ１０２＿２の中継器＃２、Ｂ２１０２＿３の中継器＃３を介し、端末Ｂ１０３は変調信号を得るものとする。
【１３２３】
このとき、実施の形態Ｂ３で説明したように、以下のようになる。
【１３２４】
Ｂ１０２＿２の中継器＃２は、アクセスポイントＢ１０１が送信した第Ａの周波数帯の変調信号を得て、この変調信号に基づいて、第Ｂの周波数帯の変調信号を生成、送信するものとする。なお、第Ａの周波数帯と第Ｂの周波数帯は異なる周波数帯であるものとする。
【１３２５】
Ｂ２１０２＿３の中継器＃３は、Ｂ１０２＿２の中継器＃２が送信した第Ｂの周波数帯の変調信号を得て、この変調信号に基づいて、第Ｃの周波数帯の変調信号を生成、送信するものとする。なお、第Ｂの周波数帯と第Ｃの周波数帯は異なる周波数帯であるものとする。
【１３２６】
Ｂ１０２＿１の中継器＃１は、アクセスポイントＢ１０１が送信した第Ｄの周波数帯の変調信号を得て、この変調信号に基づいて、第Ｅの周波数帯の変調信号を生成、送信するものとする。なお、第Ｄの周波数帯と第Ｅの周波数帯は異なる周波数帯であるものとする。
【１３２７】
Ｂ２２０２＿４の中継器＃４は、Ｂ１０２＿１の中継器＃１が送信した第Ｅの周波数帯の変調信号を得て、この変調信号に基づいて、第Ｆの周波数帯の変調信号を生成、送信するものとする。なお、第Ｅの周波数帯と第Ｆの周波数帯は異なる周波数帯であるものとする。
【１３２８】
Ｂ２２０２＿５の中継器＃５は、Ｂ２２０２＿４の中継器＃４が送信した第Ｆの周波数帯の変調信号を得て、この変調信号に基づいて、第Ｇの周波数帯の変調信号を生成、送信するものとする。なお、第Ｆの周波数帯と第Ｇの周波数帯は異なる周波数帯であるものとする。
【１３２９】
このとき、以下の２つの方法を考えることができる。
【１３３０】
第５の方法：
上述で説明した、第Ａの周波数帯の変調信号、第Ｂの周波数帯の変調信号、第Ｃの周波数帯の変調信号、第Ｄの周波数帯の変調信号、第Ｅの周波数帯の変調信号、第Ｆの周波数帯の変調信号、第Ｇの周波数帯の変調信号のうち、２つ以上の変調信号で第１の周波数帯を用いているものとする。このとき、第１の周波数帯を用いる変調信号を２つ選択する、すべての選択セットを考える。そして、すべての選択セットで、２つの変調信号では異なるチャネルを用いているものとする。
【１３３１】
第５の方法を用いることで、図１０５において、変調信号同士の干渉を軽減することができるため、通信において、高いデータの受信品質が得られるという効果、および、端末は多くのデータを得ることができる効果、を得ることができる。
【１３３２】
第６の方法：
上述で説明した、第Ａの周波数帯の変調信号、第Ｂの周波数帯の変調信号、第Ｃの周波数帯の変調信号、第Ｄの周波数帯の変調信号、第Ｅの周波数帯の変調信号、第Ｆの周波数帯の変調信号、第Ｇの周波数帯の変調信号のうち、２つ以上の変調信号で第１の周波数帯を用いているものとする。そして、第１の周波数帯を用いる変調信号を２つ選択する、すべての選択セットを考える。このとき、２つの変調信号では同一のチャネルを用いている、選択セットが存在する。
【１３３３】
このとき、アクセスポイント、中継器、端末の装置が、互いに干渉が少なくなるように指向性制御を行うことができた場合、各通信において高いデータの受信品質が得られ、また、端末の多くのデータを得ることができる、という効果を得ることができる。
【１３３４】
ただし、アクセスポイント、中継器、端末の空間的な位置関係によっては、アクセスポイントＢ１０１が送信する第１の周波数帯の変調信号とＢ１０２＿２の中継器＃２が送信する第１の周波数帯の変調方式が干渉する可能性がある。
【１３３５】
これを考慮すると、第５の方法と第６の方法の好適なほうを図１０５のシステムは選択するとよいことになる。
【１３３６】
（実施の形態Ｂ５）
本実施の形態では、実施の形態Ｂ１、実施の形態Ｂ２、実施の形態Ｂ３、実施の形態Ｂ４の説明における「周波数帯」に関する説明を行う。
【１３３７】
まず、実施の形態Ｂ１の例に対して、詳細の説明を行う。
【１３３８】
実施の形態Ｂ１において、「図８４のアクセスポイントＢ１０１は、第１の周波数帯の変調信号をＢ１０２＿１の中継器＃１に対し送信する。また、Ｂ１０２＿２の中継器＃２は、第１の周波数帯の変調信号を端末Ｂ１０３に対し送信する。」こと記載し、「図８４のアクセスポイントＢ１０１は、第２の周波数帯の変調信号をＢ１０２＿２の中継器＃２に対し送信する。また、Ｂ１０２＿１の中継器＃１は、第２の周波数帯の変調信号を端末Ｂ１０３に対し送信する。」ことを記載した。この部分を以下のようにして、実施の形態Ｂ１を実施してもよく、このとき、実施の形態Ｂ１で説明した効果と同様の効果を得ることができる。
【１３３９】
「図８４のアクセスポイントＢ１０１は、第Ｌの周波数帯の第Ｍチャネルの変調信号をＢ１０２＿１の中継器＃１に対し送信し、Ｂ１０２＿２の中継器＃２は、第Ｌの周波数帯の第Ｍチャネルの変調信号を端末Ｂ１０３に対し送信する。」そして、「図８４のアクセスポイントＢ１０１は、第Ｌの周波数帯の第Ｎチャネルの変調信号をＢ１０２＿２の中継器＃２に対し送信し、中継器Ｂ１０２＿１の中継器＃１は、第Ｌの周波数帯の第Ｎチャネルの変調信号を端末Ｂ１０３に対し送信する。」ものとする。ただし、第Ｍチャネルと第Ｎチャネルは、異なるチャネルであるものとする。
【１３４０】
なお、「第Ｍチャネル」の語は、「チャネルＭ」の語に言い換えることもできる。類似の表現についても同様である。
【１３４１】
次に、実施の形態Ｂ２の例に対して、詳細の説明を行う。
【１３４２】
実施の形態Ｂ２において、「図９７のアクセスポイントＢ１０１は、第１の周波数帯の変調信号をＢ１０２＿１の中継器＃１に対し送信し、Ｂ１０２＿１の中継器＃１は、第２の周波数帯の変調信号を端末Ｂ１０３に対し送信する。」ことを記載し、「図９７のアクセスポイントＢ１０１は、第３の周波数帯の変調信号を端末Ｂ１０３に対し送信する。」ことを記載した。この部分を以下のようにして、実施の形態Ｂ２を実施してもよく、このとき、実施の形態Ｂ２で説明した効果と同様の効果を得ることができる。
【１３４３】
「図９７のアクセスポイントＢ１０１は、第Ｌの周波数帯の第Ｍチャネルの変調信号をＢ１０２＿１の中継器＃１に対し送信し、Ｂ１０２＿１の中継器＃１は、第Ｌの周波数帯の第Ｎチャネルの変調信号を端末Ｂ１０３に対し送信する。」そして、「図９７のアクセスポイントＢ１０１は、第Ｌの周波数帯の第Ｐチャネルの変調信号を端末Ｂ１０３に対し送信する」ものとする。ただし、第Ｍチャネルと第Ｎチャネルは異なるチャネルであるものとし、第Ｍチャネルと第Ｐチャネルは異なるチャネルであるものとし、第Ｎチャネルと第Ｐチャネルは異なるチャネルであるものとする。
【１３４４】
また、実施の形態Ｂ３の例に対して、詳細の説明を行う。
【１３４５】
実施の形態Ｂ３において、「第Ａの周波数帯の変調信号、第Ｂの周波数帯の変調信号、第Ｃの周波数帯の変調信号、第Ｄの周波数帯の変調信号、第Ｅの周波数帯の変調信号、第Ｆの周波数帯の変調信号、第Ｇの周波数帯の変調信号」と記載した。
【１３４６】
この部分を以下のように考えて、実施の形態Ｂ３を実施してもよく、このとき、実施の形態Ｂ３で説明した効果と同様の効果を得ることができる。
【１３４７】
「第Ａの周波数帯の変調信号を第Ａチャネルの変調信号と考え、第Ｂの周波数帯の変調信号を第Ｂチャネルの変調信号と考え、第Ｃの周波数帯の変調信号を第Ｃチャネルの変調信号と考え、第Ｄの周波数帯の変調信号を第Ｄチャネルの変調信号と考え、第Ｅの周波数帯の変調信号を第Ｅチャネルの変調信号と考え、第Ｆの周波数帯の変調信号を第Ｆチャネルの変調信号と考え、第Ｇの周波数帯の変調信号の第Ｇチャネルの変調信号と考える。」
そして、実施の形態Ｂ４に対し、上述の実施の形態Ｂ１の実施例、実施の形態Ｂ２の実施例、実施の形態Ｂ３の実施例を適用しても、同様に実施することが可能である。
【１３４８】
（補足Ｂ２）
実施の形態Ｂ１から実施の形態Ｂ５において、「第１の周波数帯」、「第２の周波数帯」、「第３の周波数帯」、「第Ａの周波数帯」、「第Ｂの周波数帯」、「第Ｃの周波数帯」、「第Ｄの周波数帯」、「第Ｅの周波数帯」、「第Ｆの周波数帯」、「第Ｇの周波数帯」と記載したが、例えば、２．４ＧＨｚ帯、５ＧＨｚ帯、６ＧＨｚ帯、７ＧＨｚ帯、６０ＧＨｚ帯などを使用する方法を考えることができるが、これらの周波数帯に限ったものではなく、また、可視光などの光の周波数帯を用いてもよい。
【１３４９】
図８４、図９７、図１０４、図１０５のアクセスポイントＢ１０１において、データＢ１００を入力としているが、データＢ１００は、一つ以上のデータ入力によって構成されていてもよい。また、図８４、図１０４、図１０５のアクセスポイントＢ１０１は、Ｂ１０２＿１の中継器＃１宛の変調信号、および、Ｂ１０２＿２の中継器＃２宛の変調信号を送信しているが、「Ｂ１０２＿１の中継器＃１宛の変調信号に含まれているデータ」は、「Ｂ１０２＿２の中継器＃２宛の変調信号に含まれているデータ」を含んでいてもよいし、含まれていなくてもよい。例えば、別の表現を行うと「Ｂ１０２＿１の中継器＃１宛の変調信号に含まれているデータ」を第１のデータとし、「Ｂ１０２＿２の中継器＃２宛の変調信号に含まれているデータ」を第２のデータとしたとき、第１のデータと第２のデータは同一のデータであってもよいし、異なるデータであってもよい。なお、「同一データ」のとき、アクセスポイントＢ１０１が第１の変調信号を複数の中継器に対し、送信していると考えることもできる。ただし、アクセスポイントＢ１０１のデータの送信方法は、この例に限ったものではない。
【１３５０】
そして、図９７のアクセスポイントＢ１０１は、Ｂ１０２＿１の中継器＃１宛の変調信号、および、端末Ｂ１０３宛の変調信号を送信しているが、「Ｂ１０２＿１の中継器＃１宛の変調信号に含まれているデータ」は、「端末Ｂ１０３宛の変調信号に含まれているデータ」を含んでいてもよいし、含まれていなくてもよい。例えば、別の表現を行うと「Ｂ１０２＿１の中継器＃１宛の変調信号に含まれているデータ」を第３のデータとし、「端末Ｂ１０３宛の変調信号に含まれているデータ」を第４のデータとしたとき、第３のデータと第４のデータは同一のデータであってもよいし、異なるデータであってもよい。なお、「同一データ」のとき、アクセスポイントＢ１０１が第１の変調信号を中継器と端末に対し、送信していると考えることもできる。ただし、アクセスポイントＢ１０１のデータの送信方法は、この例に限ったものではない。
【１３５１】
（実施の形態Ｂ６）
本実施の形態では、実施の形態Ｂ１で説明した図８４における、アクセスポイントＢ１０１、Ｂ１０２＿１の中継器＃１、Ｂ１０２＿２の中継器＃２の各装置が送信する変調信号の構成の一例を説明する。
【１３５２】
アクセスポイントＢ１０１が送信する変調信号のフレームの例として、実施の形態Ｂ１において、図８５、図８６、図８７の説明を行っている。
【１３５３】
例えば、図８５、図８６、図８７における、プリアンブルＢ２０１＿１、制御情報シンボルＢ２０２＿１、データシンボルＢ２０３＿１で構成されている、アクセスポイントＢ１０１が送信するＢ１０２＿１の中継器＃１宛の変調信号に関して説明する。
【１３５４】
図１０７は、プリアンブルＢ２０１＿１、制御情報シンボルＢ２０２＿１、データシンボルＢ２０３＿１のいずれかにおいて送信される情報の例を示している。なお、各情報を、アクセスポイントＢ１０１は、時間軸方向に並べて送信してもよいし、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）などのマルチキャリア伝送方式を用いている場合、各情報を、アクセスポイントＢ１０１が、周波数軸方法に並べて送信してもよい。したがって、図１０７では、横軸を「時間または周波数」と記載している。各情報の配置は図１０７の例に限ったものではない。また、図１０７に示している情報を１フレーム内で伝送してもよいし、複数のフレームを利用して伝送してもよい。また、各フレームにおいて、図１０７に示している情報が含まれていてもよい。
【１３５５】
「第１の中継器のＭＡＣ（Ｍｅｄｉａ  Ａｃｃｅｓｓ  Ｃｏｎｔｒｏｌ）アドレスの情報」Ｂ２４０１は、例えば、図８４のＢ１０２＿１の中継器＃１のＭＡＣアドレスの情報であるものとする。なお、ここではＭＡＣアドレスの情報としているが、装置を識別することができる固有番号であれば、ＭＡＣアドレス以外の情報であってもよい。
【１３５６】
「周波数帯およびチャネルの第１の情報」Ｂ２４０２は、「第１の中継器」、ここでは、図８４のＢ１０２＿１の中継器＃１が送信する変調信号が使用する周波数帯およびチャネルの情報となる。したがって、実施の形態Ｂ１の場合、「周波数帯およびチャネルの第１の情報」Ｂ２４０２は「第１の周波数帯の５ＧＨｚ帯の例えば、第１チャネル」という情報となる。なお、「第１チャネル」と記載したが、あくまでもこれは、例である。
【１３５７】
「第２の中継器のＭＡＣアドレスの情報」Ｂ２４０３は、例えば、図８４のＢ１０２＿２の中継器＃２のＭＡＣアドレスの情報であるものとする。なお、ここではＭＡＣアドレスの情報としているが、装置を識別することができる固有番号であれば、ＭＡＣアドレス以外の情報であってもよい。
【１３５８】
「周波数帯およびチャネルの第２の情報」Ｂ２４０４は、「第２の中継器」、ここでは、図８４のＢ１０２＿２の中継器＃２が送信する変調信号が使用する周波数帯およびチャネルの情報となる。したがって、実施の形態Ｂ１の場合、「周波数帯およびチャネルの第２の情報」Ｂ２４０４は「第２の周波数帯の６ＧＨｚ帯の例えば、第３チャネル」という情報となる。なお、「第３チャネル」と記載したが、あくまでもこれは、例である。
【１３５９】
図８４の例では、中継器は２つしか存在していないが、中継器が他に存在していた場合、各中継器のＭＡＣアドレスの情報、および、各中継器が使用する周波数およびチャネルの情報が存在することになる。なお、ここではＭＡＣアドレスの情報としているが、装置を識別することができる固有番号であれば、ＭＡＣアドレス以外の情報であってもよい。
【１３６０】
チャネル数の情報Ｂ２４１０は、送信元、図８４の場合、アクセスポイントＢ１０１が送信するチャネル数の情報となる。実施の形態Ｂ１では、アクセスポイントＢ１０１は、第１の周波数帯の５ＧＨｚ帯の変調信号と第２の周波数帯の６ＧＨｚ帯の変調信号を送信するため、「チャネル数の情報Ｂ２４１０」は「２」という情報となる。
【１３６１】
チャネル数の情報Ｂ２４１０とあわせて、各チャネルに対する、送信する変調信号数の情報を伝送してもよい。例えば、第１の中継器宛の変調信号数を「１」、第２の中継器宛の変調信号数を「２」という情報を伝送することになる。
【１３６２】
伝送方法の情報Ｂ２４１１は、アクセスポイントＢ１０１が送信する変調信号の伝送方法に関する情報である。例えば、「第１の中継器宛の変調信号と第２の中継器宛の変調信号は同一の情報を含んでいる」、または、「第１の中継器宛の変調信号が含む情報と第２の中継器宛の変調信号が含む情報は同一でない（独立している）」のいずれかであるかの情報を伝送方法の情報Ｂ２４１１として含んでいてもよい。また、第１の中継器宛の変調信号の送信方法（例えば、「シングルストリーム伝送または複数の変調信号を送信する方法」、「シングルキャリア伝送または例えばＯＦＤＭのようなマルチキャリア伝送」など）の情報、および第２の中継器宛の変調信号の送信方法に関する情報を伝送方法の情報Ｂ２４１１は含んでいてもよい。なお、アクセスポイントＢ１０１が第１、第２以外の中継器宛に変調信号を送信する場合、その変調信号の送信方法の情報を伝送方法の情報Ｂ２４１１は含んでてもよい。
【１３６３】
送信元のＭＡＣアドレスの情報Ｂ２４１２は、情報元を送信している装置、つまり、図８４の場合、アクセスポイントＢ１０１のＭＡＣアドレスの情報である。
【１３６４】
最終宛先のＭＡＣアドレスの情報Ｂ２４１３は、情報の最終宛先の装置、つまり、図８４の場合、端末Ｂ１０３のＭＡＣアドレスの情報である。なお、ここではＭＡＣアドレスの情報としているが、装置を識別することができる固有番号であれば、ＭＡＣアドレス以外の情報であってもよい。
【１３６５】
送信側の装置のＭＡＣアドレスの情報Ｂ２４１４は、図１０７に示した情報、加えて、データシンボルのデータ（ただし、データシンボルのデータは含まれなくてもよい）を含む変調信号を送信する装置のＭＡＣアドレスの情報となる。上記の説明の場合、アクセスポイントＢ１０１のＭＡＣアドレスの情報となる。なお、ここではＭＡＣアドレスの情報としているが、装置を識別することができる固有番号であれば、ＭＡＣアドレス以外の情報であってもよい。
【１３６６】
受信側の装置のＭＡＣアドレスの情報Ｂ２４１５は、図１０７に示した情報、加えて、データシンボルのデータ（ただし、データシンボルのデータは含まれなくてもよい）を含む変調信号を受信する装置のＭＡＣアドレスの情報となる。上記の説明の場合、Ｂ１０２＿１の中継器＃１のＭＡＣアドレスの情報となる。なお、ここではＭＡＣアドレスの情報としているが、装置を識別することができる固有番号であれば、ＭＡＣアドレス以外の情報であってもよい。
【１３６７】
次に、アクセスポイントＢ１０１が送信するＢ１０２＿２の中継器＃２宛の変調信号に関する説明を行う。
【１３６８】
このとき、図１０７の情報は、例えば、図８５、図８６、図８７のプリアンブルＢ２０１＿２、制御情報シンボルＢ２０２＿２、データシンボルＢ２０３＿２のいずれかにおいて送信される情報の例を示している。
【１３６９】
なお、各情報を、アクセスポイントＢ１０１は、時間軸方向に並べて送信してもよいし、ＯＦＤＭなどのマルチキャリア伝送方式を用いている場合、各情報を、アクセスポイントＢ１０１が、周波数軸方法に並べて送信してもよい。したがって、図１０７では、横軸を「時間または周波数」と記載している。各情報の配置は図１０７の例に限ったものではない。また、図１０７に示している情報を１フレーム内で伝送してもよいし、複数のフレームを利用して伝送してもよい。また、各フレームにおいて、図１０７に示している情報が含まれていてもよい。
【１３７０】
図１０７における、「第１の中継器のＭＡＣアドレスの情報」Ｂ２４０１、「周波数帯およびチャネルの第１の情報」Ｂ２４０２、「第２の中継器のＭＡＣアドレスの情報」Ｂ２４０３、「周波数帯およびチャネルの第２の情報」Ｂ２４０４、「チャネル数の情報Ｂ２４１０」、「伝送方法の情報Ｂ２４１１」、「送信元のＭＡＣアドレスの情報Ｂ２４１２」、「最終宛先のＭＡＣアドレスの情報Ｂ２４１３」は、「アクセスポイントＢ１０１がＢ１０２＿１の中継器＃１宛に送信する変調信号」のときの情報と同様となるため、説明を省略する。
【１３７１】
送信側の装置のＭＡＣアドレスの情報Ｂ２４１４は、図１０７に示した情報、加えて、データシンボルのデータ（ただし、データシンボルのデータは含まれなくてもよい）を含む変調信号を送信する装置のＭＡＣアドレスの情報となる。上記の説明の場合、アクセスポイントＢ１０１のＭＡＣアドレスの情報となる。なお、ここではＭＡＣアドレスの情報としているが、装置を識別することができる固有番号であれば、ＭＡＣアドレス以外の情報であってもよい。
【１３７２】
受信側の装置のＭＡＣアドレスの情報Ｂ２４１５は、図１０７に示した情報、加えて、データシンボルのデータ（ただし、データシンボルのデータは含まれなくてもよい）を含む変調信号を受信する装置のＭＡＣアドレスの情報となる。上記の説明の場合、Ｂ１０２＿２の中継器＃２のＭＡＣアドレスの情報となる。なお、ここではＭＡＣアドレスの情報としているが、装置を識別することができる固有番号であれば、ＭＡＣアドレス以外の情報であってもよい。
【１３７３】
次に、Ｂ１０２＿１の中継器＃１が送信する端末Ｂ１０３宛の変調信号に関する説明を行う。
【１３７４】
このとき、図１０７の情報は、例えば、図８８、図８９、図９０のプリアンブルＢ５０１＿１、制御情報シンボルＢ５０２＿１、データシンボルＢ５０３＿１のいずれかにおいて送信される情報の例を示している。
【１３７５】
なお、各情報を、Ｂ１０２＿１の中継器＃１は、時間軸方向に並べて送信してもよいし、ＯＦＤＭなどのマルチキャリア伝送方式を用いている場合、各情報を、Ｂ１０２＿１の中継器＃１が、周波数軸方法に並べて送信してもよい。したがって、図１０７では、横軸を「時間または周波数」と記載している。各情報の配置は図１０７の例に限ったものではない。また、図１０７に示している情報を１フレーム内で伝送してもよいし、複数のフレームを利用して伝送してもよい。また、各フレームにおいて、図１０７に示している情報が含まれていてもよい。
【１３７６】
図１０７における、「第１の中継器のＭＡＣアドレスの情報」Ｂ２４０１、「周波数帯およびチャネルの第１の情報」Ｂ２４０２、「第２の中継器のＭＡＣアドレスの情報」Ｂ２４０３、「周波数帯およびチャネルの第２の情報」Ｂ２４０４、「チャネル数の情報Ｂ２４１０」、「伝送方法の情報Ｂ２４１１」、「送信元のＭＡＣアドレスの情報Ｂ２４１２」、「最終宛先のＭＡＣアドレスの情報Ｂ２４１３」は、「アクセスポイントＢ１０１がＢ１０２＿１の中継器＃１宛に送信する変調信号」のときの情報と同様となるため、説明を省略する。
【１３７７】
送信側の装置のＭＡＣアドレスの情報Ｂ２４１４は、図１０７に示した情報、加えて、データシンボルのデータ（ただし、データシンボルのデータは含まれなくてもよい）を含む変調信号を送信する装置のＭＡＣアドレスの情報となる。上記の説明の場合、Ｂ１０２＿１の中継器＃１のＭＡＣアドレスの情報となる。なお、ここではＭＡＣアドレスの情報としているが、装置を識別することができる固有番号であれば、ＭＡＣアドレス以外の情報であってもよい。
【１３７８】
受信側の装置のＭＡＣアドレスの情報Ｂ２４１５は、図１０７に示した情報、加えて、データシンボルのデータ（ただし、データシンボルのデータは含まれなくてもよい）を含む変調信号を受信する装置のＭＡＣアドレスの情報となる。上記の説明の場合、端末Ｂ１０３のＭＡＣアドレスの情報となる。なお、ここではＭＡＣアドレスの情報としているが、装置を識別することができる固有番号であれば、ＭＡＣアドレス以外の情報であってもよい。
【１３７９】
次に、Ｂ１０２＿２の中継器＃２が送信する端末Ｂ１０３宛の変調信号に関する説明を行う。
【１３８０】
このとき、図１０７の情報は、例えば、図８８、図８９、図９０のプリアンブルＢ５０１＿２、制御情報シンボルＢ５０２＿２、データシンボルＢ５０３＿２のいずれかにおいて送信される情報の例を示している。
【１３８１】
なお、各情報を、Ｂ１０２＿２の中継器＃２は、時間軸方向に並べて送信してもよいし、ＯＦＤＭなどのマルチキャリア伝送方式を用いている場合、各情報を、Ｂ１０２＿２の中継器＃２が、周波数軸方法に並べて送信してもよい。したがって、図１０７では、横軸を「時間または周波数」と記載している。各情報の配置は図１０７の例に限ったものではない。また、図１０７に示している情報を１フレーム内で伝送してもよいし、複数のフレームを利用して伝送してもよい。また、各フレームにおいて、図１０７に示している情報が含まれていてもよい。
【１３８２】
図１０７における、「第１の中継器のＭＡＣアドレスの情報」Ｂ２４０１、「周波数帯およびチャネルの第１の情報」Ｂ２４０２、「第２の中継器のＭＡＣアドレスの情報」Ｂ２４０３、「周波数帯およびチャネルの第２の情報」Ｂ２４０４、「チャネル数の情報Ｂ２４１０」、「伝送方法の情報Ｂ２４１１」、「送信元のＭＡＣアドレスの情報Ｂ２４１２」、「最終宛先のＭＡＣアドレスの情報Ｂ２４１３」は、「アクセスポイントＢ１０１がＢ１０２＿１の中継器＃１宛に送信する変調信号」のときの情報と同様となるため、説明を省略する。
【１３８３】
送信側の装置のＭＡＣアドレスの情報Ｂ２４１４は、図１０７に示した情報、加えて、データシンボルのデータ（ただし、データシンボルのデータは含まれなくてもよい）を含む変調信号を送信する装置のＭＡＣアドレスの情報となる。上記の説明の場合、Ｂ１０２＿２の中継器＃２のＭＡＣアドレスの情報となる。なお、ここではＭＡＣアドレスの情報としているが、装置を識別することができる固有番号であれば、ＭＡＣアドレス以外の情報であってもよい。
【１３８４】
受信側の装置のＭＡＣアドレスの情報Ｂ２４１５は、図１０７に示した情報、加えて、データシンボルのデータ（ただし、データシンボルのデータは含まれなくてもよい）を含む変調信号を受信する装置のＭＡＣアドレスの情報となる。上記の説明の場合、端末Ｂ１０３のＭＡＣアドレスの情報となる。なお、ここではＭＡＣアドレスの情報としているが、装置を識別することができる固有番号であれば、ＭＡＣアドレス以外の情報であってもよい。
【１３８５】
図１０７のような情報を受信した際の受信装置の動作について、説明を行う。なお、受信装置とは、図８４のＢ１０２＿１の中継器＃１の受信装置、Ｂ１０２＿２の中継器＃２の受信装置、端末Ｂ１０３の受信装置となる。
【１３８６】
図８４のＢ１０２＿１の中継器＃１の受信装置、Ｂ１０２＿２の中継器＃２の受信装置、端末Ｂ１０３の受信装置は、「第１の中継器のＭＡＣアドレスの情報」Ｂ２４０１、「周波数帯およびチャネルの第１の情報」Ｂ２４０２、「第２の中継器のＭＡＣアドレスの情報」Ｂ２４０３、「周波数帯およびチャネルの第２の情報」Ｂ２４０４、「チャネル数の情報Ｂ２４１０」、「伝送方法の情報Ｂ２４１１」、「送信元のＭＡＣアドレスの情報Ｂ２４１２」、「最終宛先のＭＡＣアドレスの情報Ｂ２４１３」を得ることになる。これにより、各受信装置は、「どのように変調信号を送信されているか」を知ることができることになる。
【１３８７】
また、図８４のＢ１０２＿１の中継器＃１の受信装置、Ｂ１０２＿２の中継器＃２の受信装置、端末Ｂ１０３の受信装置は、「受信側の装置のＭＡＣアドレスの情報Ｂ２４１５」を得ることで、自身宛の変調信号であるかの判断を行うことになる。
【１３８８】
そして、図８４のＢ１０２＿１の中継器＃１の受信装置、Ｂ１０２＿２の中継器＃２の受信装置、端末Ｂ１０３の受信装置は、「送信側の装置のＭＡＣアドレスの情報Ｂ２４１４」を得ることで、変調信号を送信した送信相手を知ることになる。
【１３８９】
以上、本実施の形態のように実施することで、アクセスポイント、中継器、端末で構成されたシステムを、安定的に動作させることができ、これにより、システムにおけるデータ伝送速度の向上を図ることができるという効果を得ることができる。
【１３９０】
なお、本実施の形態では、アクセスポイント、中継器、端末で構成された図８４のシステムでの動作を例に説明したが、アクセスポイント、中継器、端末で構成されたシステム構成は、他の実施の形態で例を挙げたように、この構成に限ったものではない。
【１３９１】
また、本実施の形態はあくまでも一例であり、例えば、アクセスポイントＢ１０１を端末とし、端末Ｂ１０３をアクセスポイントとして実施しても同様に実施することができる。本実施の形態では、アクセスポイント、中継器、端末と名づけて説明しているが、アクセスポイントを、基地局、通信装置、端末、放送局、ノードなどと呼んで実施してもよく、また、中継器を、通信装置、アクセスポイント、ノード、端末、基地局などと呼んで実施してもよく、さらに、端末を、通信装置、アクセスポイント、ノード、基地局などと呼んで実施してもよい。
【１３９２】
（実施の形態Ｂ７）
本実施の形態では、実施の形態Ｂ１から実施の形態Ｂ６などで説明したＡＰ（アクセスポイント）、中継器、端末が送信する情報、および、各装置の動作について説明する。
【１３９３】
ＡＰ、中継器、端末は、通信相手とデータ伝送効率のよい通信を実現するために、例えば、図１０８Ａ、図１０８Ｂの情報を送信する。
【１３９４】
例えば、ＡＰ、中継器、端末は、「複数の周波数帯の変調信号による（同時）通信に対応しているか、対応していないか」を通知するための情報を送信するものとする。そのときの様子を図１０８Ａに示す。なお、「（同時）」記載したが、「同時」であってもよいし、同時でなくてもよい。この点については、以降でも同様である。
【１３９５】
図１０８Ａにおいて、横軸は時間であり、例えば、capability fieldを示しているものとする。そして、capability fieldの一部の情報として、「複数周波数帯の変調信号による（同時）通信対応に関する情報」Ｂ２５０１が存在するものとする。なお、「複数周波数帯の変調信号による（同時）通信対応に関する情報」Ｂ２５０１は、「複数の周波数帯の変調信号による（同時）通信に対応しているか、対応していないか」を通知するための情報である。ただし、capability field以外で、「複数周波数帯の変調信号による（同時）通信対応に関する情報」Ｂ２５０１を送信してもよい。
【１３９６】
ここで、capability fieldは、ＭＡＣ（Ｍｅｄｉａ  Ａｃｃｅｓｓ  Ｃｏｎｔｒｏｌ）フレームにおける管理フレーム、制御フレーム、データフレームなどに含まれるフィールドであって、通信に関する能力又は形態（受信能力又は送信能力など）を通信相手に通知するためのフィールドである。
【１３９７】
また、例えば、ＡＰ、中継器、端末は、「複数のチャネルの変調信号による（同時）通信に対応しているか、対応していないか」を通知するための情報を送信するものとする。そのときの様子を図１０８Ｂに示す。
【１３９８】
図１０８Ｂにおいて、横軸は時間であり、例えば、capability fieldを示しているものとする。そして、capability fieldの一部の情報として、「複数チャネルの変調信号による（同時）通信対応に関する情報」Ｂ２５０２が存在するものとする。なお、「複数チャネルの変調信号による（同時）通信対応に関する情報」Ｂ２５０２は、「複数のチャネルの変調信号による（同時）通信に対応しているか、対応していないか」を通知するための情報である。ただし、capability field以外で、「複数チャネルの変調信号による（同時）通信対応に関する情報」Ｂ２５０２を送信してもよい。
【１３９９】
そして、「ＡＰは「複数周波数帯の変調信号による（同時）通信対応に関する情報」Ｂ２５０１を送信する」、「ＡＰは「複数チャネルの変調信号による（同時）通信対応に関する情報」Ｂ２５０２を送信する」、「ＡＰは「複数周波数帯の変調信号による（同時）通信対応に関する情報」Ｂ２５０１および「複数チャネルの変調信号による（同時）通信対応に関する情報」Ｂ２５０２を送信する」のいずれであってもよい。
【１４００】
同様に、「中継器は「複数周波数帯の変調信号による（同時）通信対応に関する情報」Ｂ２５０１を送信する」、「中継器は「複数チャネルの変調信号による（同時）通信対応に関する情報」Ｂ２５０２を送信する」、「中継器は「複数周波数帯の変調信号による（同時）通信対応に関する情報」Ｂ２５０１および「複数チャネルの変調信号による（同時）通信対応に関する情報」Ｂ２５０２を送信する」のいずれであってもよい。
【１４０１】
「端末は「複数周波数帯の変調信号による（同時）通信対応に関する情報」Ｂ２５０１を送信する」、「端末は「複数チャネルの変調信号による（同時）通信対応に関する情報」Ｂ２５０２を送信する」、「端末は「複数周波数帯の変調信号による（同時）通信対応に関する情報」Ｂ２５０１および「複数チャネルの変調信号による（同時）通信対応に関する情報」Ｂ２５０２を送信する」のいずれであってもよい。
【１４０２】
ＡＰは、中継器が送信した「複数周波数帯の変調信号による（同時）通信対応に関する情報」Ｂ２５０１を受信する。そして、ＡＰは、この通信に対応していることを知ると、実施の形態Ｂ１から実施の形態Ｂ６などで記載したように、複数の周波数帯の変調信号の送信を行うことになる。
【１４０３】
ＡＰは、中継器が送信した「複数チャネルの変調信号による（同時）通信対応に関する情報」Ｂ２５０２を受信する。そして、ＡＰは、この通信に対応していることを知ると、実施の形態Ｂ１から実施の形態Ｂ６などで記載したように、複数のチャネルの変調信号の送信を行うことになる。
【１４０４】
中継器は、端末が送信した「複数周波数帯の変調信号による（同時）通信対応に関する情報」Ｂ２５０１を受信する。そして、中継器は、この通信に対応していることを知ると、実施の形態Ｂ１から実施の形態Ｂ６などで記載したように、複数の周波数帯の変調信号が端末に受信できるよう、変調信号の送信を行うことになる。
【１４０５】
中継器は、端末が送信した「複数チャネルの変調信号による（同時）通信対応に関する情報」Ｂ２５０２を受信する。そして、中継器は、この通信に対応していることを知ると、実施の形態Ｂ１から実施の形態Ｂ６などで記載したように、複数のチャネルの変調信号が端末に受信できるよう、変調信号の送信を行うことになる。
【１４０６】
なお、ＡＰと端末が通信を行っている場合もある。この場合、以下のようになる。
【１４０７】
ＡＰは、端末が送信した「複数周波数帯の変調信号による（同時）通信対応に関する情報」Ｂ２５０１を受信する。そして、ＡＰは、この通信に対応していることを知ると、実施の形態Ｂ１から実施の形態Ｂ６などで記載したように、複数の周波数帯の変調信号の送信を行うことになる。
【１４０８】
ＡＰは、端末が送信した「複数チャネルの変調信号による（同時）通信対応に関する情報」Ｂ２５０２を受信する。そして、ＡＰは、この通信に対応していることを知ると、実施の形態Ｂ１から実施の形態Ｂ６などで記載したように、複数のチャネルの変調信号の送信を行うことになる。
【１４０９】
端末は、ＡＰが送信した「複数周波数帯の変調信号による（同時）通信対応に関する情報」Ｂ２５０１を受信する。そして、端末は、この通信に対応していることを知ると、実施の形態Ｂ１から実施の形態Ｂ６などで記載したように、複数の周波数帯の変調信号の送信を行うことになる。
【１４１０】
端末は、ＡＰが送信した「複数チャネルの変調信号による（同時）通信対応に関する情報」Ｂ２５０２を受信する。そして、端末は、この通信に対応していることを知ると、実施の形態Ｂ１から実施の形態Ｂ６などで記載したように、複数のチャネルの変調信号の送信を行うことになる。
【１４１１】
また、以下であってもよい。
【１４１２】
例えば、ＡＰ、中継器、端末は、「複数の周波数帯の変調信号による（同時）受信に対応しているか、対応していないか」を通知するための情報を送信するものとする。そのときの様子を図１０９Ａに示す。
【１４１３】
図１０９Ａにおいて、横軸は時間であり、例えば、capability fieldを示しているものとする。そして、capability fieldの一部の情報として、「複数周波数帯の変調信号による（同時）受信対応に関する情報」Ｂ２６０１が存在するものとする。なお、「複数周波数帯の変調信号による（同時）受信対応に関する情報」Ｂ２６０１は、「複数の周波数帯の変調信号による（同時）受信に対応しているか、対応していないか」を通知するための情報である。ただし、capability field以外で、「複数周波数帯の変調信号による（同時）受信対応に関する情報」Ｂ２６０１を送信してもよい。
【１４１４】
また、例えば、ＡＰ、中継器、端末は、「複数のチャネルの変調信号による（同時）受信に対応しているか、対応していないか」を通知するための情報を送信するものとする。そのときの様子を図１０９Ｂに示す。
【１４１５】
図１０９Ｂにおいて、横軸は時間であり、例えば、capability fieldを示しているものとする。そして、capability fieldの一部の情報として、「複数チャネルの変調信号による（同時）受信対応に関する情報」Ｂ２６０２が存在するものとする。なお、「複数チャネルの変調信号による（同時）受信対応に関する情報」Ｂ２６０２は、「複数のチャネルの変調信号による（同時）受信に対応しているか、対応していないか」を通知するための情報である。ただし、capability field以外で、「複数チャネルの変調信号による（同時）受信対応に関する情報」Ｂ２６０２を送信してもよい。
【１４１６】
そして、例えば、ＡＰ、中継器、端末は、「複数の周波数帯の変調信号による（同時）送信に対応しているか、対応していないか」を通知するための情報を送信するものとする。そのときの様子を図１１０Ａに示す。
【１４１７】
図１１０Ａにおいて、横軸は時間であり、例えば、capability fieldを示しているものとする。そして、capability fieldの一部の情報として、「複数周波数帯の変調信号による（同時）送信対応に関する情報」Ｂ２７０１が存在するものとする。なお、「複数周波数帯の変調信号による（同時）送信対応に関する情報」Ｂ２７０１は、「複数の周波数帯の変調信号による（同時）送信に対応しているか、対応していないか」を通知するための情報である。ただし、capability field以外で、「複数周波数帯の変調信号による（同時）送信対応に関する情報」Ｂ２７０１を送信してもよい。
【１４１８】
また、例えば、ＡＰ、中継器、端末は、「複数のチャネルの変調信号による（同時）送信に対応しているか、対応していないか」を通知するための情報を送信するものとする。そのときの様子を図１１０Ｂに示す。
【１４１９】
図１１０Ｂにおいて、横軸は時間であり、例えば、capability fieldを示しているものとする。そして、capability fieldの一部の情報として、「複数チャネルの変調信号による（同時）送信対応に関する情報」Ｂ２７０２が存在するものとする。なお、「複数チャネルの変調信号による（同時）送信対応に関する情報」Ｂ２７０２は、「複数のチャネルの変調信号による（同時）送信に対応しているか、対応していないか」を通知するための情報である。ただし、capability field以外で、「複数チャネルの変調信号による（同時）送信対応に関する情報」Ｂ２７０２を送信してもよい。
【１４２０】
そして、ＡＰは、「複数周波数帯の変調信号による（同時）受信対応に関する情報」Ｂ２６０１、「複数周波数帯の変調信号による（同時）送信対応に関する情報」Ｂ２７０１を送信するとしてもよい。
【１４２１】
また、ＡＰは、「複数チャネルの変調信号による（同時）受信対応に関する情報」Ｂ２６０２、「複数チャネルの変調信号による（同時）送信対応に関する情報」Ｂ２７０２を送信するとしてもよい。
【１４２２】
また、ＡＰは、「複数周波数帯の変調信号による（同時）受信対応に関する情報」Ｂ２６０１、「複数周波数帯の変調信号による（同時）送信対応に関する情報」Ｂ２７０１、「複数チャネルの変調信号による（同時）受信対応に関する情報」Ｂ２６０２、「複数チャネルの変調信号による（同時）送信対応に関する情報」Ｂ２７０２を送信するとしてもよい。
【１４２３】
中継器は、「複数周波数帯の変調信号による（同時）受信対応に関する情報」Ｂ２６０１、「複数周波数帯の変調信号による（同時）送信対応に関する情報」Ｂ２７０１を送信するとしてもよい。
【１４２４】
また、中継器は、「複数チャネルの変調信号による（同時）受信対応に関する情報」Ｂ２６０２、「複数チャネルの変調信号による（同時）送信対応に関する情報」Ｂ２７０２を送信するとしてもよい。
【１４２５】
また、中継器は、「複数周波数帯の変調信号による（同時）受信対応に関する情報」Ｂ２６０１、「複数周波数帯の変調信号による（同時）送信対応に関する情報」Ｂ２７０１、「複数チャネルの変調信号による（同時）受信対応に関する情報」Ｂ２６０２、「複数チャネルの変調信号による（同時）送信対応に関する情報」Ｂ２７０２を送信するとしてもよい。
【１４２６】
端末は、「複数周波数帯の変調信号による（同時）受信対応に関する情報」Ｂ２６０１、「複数周波数帯の変調信号による（同時）送信対応に関する情報」Ｂ２７０１を送信するとしてもよい。
【１４２７】
また、端末は、「複数チャネルの変調信号による（同時）受信対応に関する情報」Ｂ２６０２、「複数チャネルの変調信号による（同時）送信対応に関する情報」Ｂ２７０２を送信するとしてもよい。
【１４２８】
また、端末は、「複数周波数帯の変調信号による（同時）受信対応に関する情報」Ｂ２６０１、「複数周波数帯の変調信号による（同時）送信対応に関する情報」Ｂ２７０１、「複数チャネルの変調信号による（同時）受信対応に関する情報」Ｂ２６０２、「複数チャネルの変調信号による（同時）送信対応に関する情報」Ｂ２７０２を送信するとしてもよい。
【１４２９】
ＡＰは、中継器が送信した「複数周波数帯の変調信号による（同時）受信対応に関する情報」Ｂ２６０１を受信する。そして、ＡＰは、この受信に対応していることを知ると、実施の形態Ｂ１から実施の形態Ｂ６などで記載したように、複数の周波数帯の変調信号の送信を行うことになる。
【１４３０】
ＡＰは、中継器が送信した「複数チャネルの変調信号による（同時）受信対応に関する情報」Ｂ２６０２を受信する。そして、ＡＰは、この受信に対応していることを知ると、実施の形態Ｂ１から実施の形態Ｂ６などで記載したように、複数のチャネルの変調信号の送信を行うことになる。
【１４３１】
中継器は、端末が送信した「複数周波数帯の変調信号による（同時）受信対応に関する情報」Ｂ２６０１を受信する。そして、中継器は、この受信に対応していることを知ると、実施の形態Ｂ１から実施の形態Ｂ６などで記載したように、複数の周波数帯の変調信号が端末に受信できるよう、変調信号の送信を行うことになる。
【１４３２】
中継器は、端末が送信した「複数チャネルの変調信号による（同時）受信対応に関する情報」Ｂ２６０２を受信する。そして、中継器は、この受信に対応していることを知ると、実施の形態Ｂ１から実施の形態Ｂ６などで記載したように、複数のチャネルの変調信号が端末に受信できるよう、変調信号の送信を行うことになる。
【１４３３】
端末は、中継器が送信した「複数周波数帯の変調信号による（同時）送信対応に関する情報」Ｂ２７０１を受信する。そして、端末は、この送信に対応していることを知ると、実施の形態Ｂ１から実施の形態Ｂ６などで記載したように、複数の周波数帯の変調信号の受信が必要であると判断する。
【１４３４】
端末は、中継器が送信した「複数チャネルの変調信号による（同時）送信対応に関する情報」Ｂ２７０２を受信する。そして、端末は、この送信に対応していることを知ると、実施の形態Ｂ１から実施の形態Ｂ６などで記載したように、複数のチャネルの変調信号の受信が必要であると判断する。
【１４３５】
ＡＰは、中継器が送信した「複数周波数帯の変調信号による（同時）送信対応に関する情報」Ｂ２７０１を受信する。そして、ＡＰは、この送信に対応していることを知ると、実施の形態Ｂ１から実施の形態Ｂ６などで記載したように、複数の周波数帯の変調信号の受信が必要であると判断する。
【１４３６】
ＡＰは、中継器が送信した「複数チャネルの変調信号による（同時）送信対応に関する情報」Ｂ２７０２を受信する。そして、ＡＰは、この送信に対応していることを知ると、実施の形態Ｂ１から実施の形態Ｂ６などで記載したように、複数のチャネルの変調信号の受信が必要であると判断する。
【１４３７】
中継器は、端末が送信した「複数周波数帯の変調信号による（同時）送信対応に関する情報」Ｂ２７０１を受信する。そして、中継器は、この送信に対応していることを知ると、実施の形態Ｂ１から実施の形態Ｂ６などで記載したように、複数の周波数帯の変調信号の受信が必要であると判断する。
【１４３８】
中継器は、端末が送信した「複数チャネルの変調信号による（同時）送信対応に関する情報」Ｂ２７０２を受信する。そして、中継器は、この送信に対応していることを知ると、実施の形態Ｂ１から実施の形態Ｂ６などで記載したように、複数のチャネルの変調信号の受信が必要であると判断する。
【１４３９】
中継器は、ＡＰが送信した「複数周波数帯の変調信号による（同時）送信対応に関する情報」Ｂ２７０１を受信する。そして、中継器は、この送信に対応していることを知ると、実施の形態Ｂ１から実施の形態Ｂ６などで記載したように、複数の周波数帯の変調信号の受信が必要であると判断する。
【１４４０】
中継器は、ＡＰが送信した「複数チャネルの変調信号による（同時）送信対応に関する情報」Ｂ２７０２を受信する。そして、中継器は、この送信に対応していることを知ると、実施の形態Ｂ１から実施の形態Ｂ６などで記載したように、複数のチャネルの変調信号の受信が必要であると判断する。
【１４４１】
なお、ＡＰと端末が通信を行っている場合もある。この場合、以下のようになる。
【１４４２】
ＡＰは、端末が送信した「複数周波数帯の変調信号による（同時）受信対応に関する情報」Ｂ２６０１を受信する。そして、ＡＰは、この受信に対応していることを知ると、実施の形態Ｂ１から実施の形態Ｂ６などで記載したように、複数の周波数帯の変調信号の送信を行うことになる。
【１４４３】
ＡＰは、端末が送信した「複数チャネルの変調信号による（同時）受信対応に関する情報」Ｂ２６０２を受信する。そして、ＡＰは、この受信に対応していることを知ると、実施の形態Ｂ１から実施の形態Ｂ６などで記載したように、複数のチャネルの変調信号の送信を行うことになる。
【１４４４】
端末は、ＡＰが送信した「複数周波数帯の変調信号による（同時）受信対応に関する情報」Ｂ２６０１を受信する。そして、端末は、この受信に対応していることを知ると、実施の形態Ｂ１から実施の形態Ｂ６などで記載したように、複数の周波数帯の変調信号が端末に受信できるよう、変調信号の送信を行うことになる。
【１４４５】
端末は、ＡＰが送信した「複数チャネルの変調信号による（同時）受信対応に関する情報」Ｂ２６０２を受信する。そして、端末は、この受信に対応していることを知ると、実施の形態Ｂ１から実施の形態Ｂ６などで記載したように、複数のチャネルの変調信号が端末に受信できるよう、変調信号の送信を行うことになる。
【１４４６】
なお、中継器による変調信号の中継方法は、実施の形態Ｂ１から実施の形態Ｂ６の方法に限ったものではない。
【１４４７】
例えば、中継器は、第１の変調信号を受信し、第１の変調信号が使用している周波数と同じ周波数を用いて、第１の変調信号に相当する変調信号を送信してもよい。
【１４４８】
ただし、中継器は、第１の変調信号と第２の変調信号を受信し、中継する際、第１の変調信号に相当する第３の変調信号と第２の変調信号に相当する第４の変調信号を送信する際、第３の変調信号が使用する周波数帯と第４の変調信号が使用する周波数帯が異なる、または、第３の変調信号が使用するチャネルと第４の変調信号が使用するチャネルが異なるものとする。
【１４４９】
（実施の形態Ｂ８）
実施の形態Ｂ１では、図８４において、中継器が、一つの端末と通信を行っている場合について説明した。本実施の形態では、中継器が複数の端末に対し、変調信号を送信する場合について説明する。
【１４５０】
図１１１は、本実施の形態におけるＡＰ（アクセスポイント）Ｂ１０１、中継器Ｂ１０２＿１、Ｂ１０２＿２、Ｂ１０３＿１の端末＃１、Ｂ１０３＿２の端末＃２、Ｂ１０３＿３の端末＃３の状態の例を示しており、図１１１において、図８４と同様に動作するものについては、同様の番号を付している。特徴的な点は、端末＃１、Ｂ１０３＿２の端末＃２、Ｂ１０３＿３の端末＃３が存在している点である。
【１４５１】
Ｂ１０１のＡＰの送信フレームの構成例は、図８５、図８６、図８７となる。なお、ＡＰが送信する変調信号の送信の方法については、実施の形態Ｂ１において、説明を行っているため、ここでの説明は省略する。
【１４５２】
Ｂ１０２＿１の中継器＃１およびＢ１０２＿２の中継器＃２の送信フレームの構成例は、図８８、図８９、図９０となる。なお、Ｂ１０２＿１の中継器＃１が送信する変調信号の送信の方法、およびＢ１０２＿２の中継器＃２が送信する変調信号の送信の方法については、実施の形態Ｂ１において、説明を行っているため、ここでの説明は省略する。
【１４５３】
また、ＡＰ（アクセスポイント）Ｂ１０１の構成、「中継器Ｂ１０２＿１、Ｂ１０２＿２」の構成、「Ｂ１０３＿１の端末＃１、Ｂ１０３＿２の端末＃２、Ｂ１０３＿３の端末＃３」の構成については、実施の形態Ｂ１において、説明を行っているため、ここでの説明は省略する。
【１４５４】
そして、周波数帯の使用方法については、実施の形態Ｂ１と同様であり、実施の形態Ｂ１において、詳しく説明を行っているため、説明を省略する。なお、「周波数帯」に代わって「チャネル」と考えてもよい。この点については、実施の形態Ｂ５で詳しく説明を行っているため、説明を省略する。
【１４５５】
本実施の形態において、ＡＰが送信する変調信号において、ＯＦＤＭＡ（Orthogonal Frequency Division Multiple Access）を適用し、中継器＃１が送信する変調信号において、ＯＦＤＭＡを適用し、中継器＃２が送信する変調信号においてＯＦＤＭＡを適用する。
【１４５６】
例：
Ｂ１０１のＡＰは、図８５、図８６、図８７のいずれかのフレームにおいて、変調信号を送信するものとする。このとき、中継器＃１宛のフレームのデータシンボルＢ２０３＿１の時間、周波数におけるフレーム構成が、図１１２Ａであるものとする。
【１４５７】
図１１２Ａにおいて、横軸は時間であり、縦軸は周波数（キャリア）であるものとする。
【１４５８】
Ｂ２９０１＿１はＢ１０３＿１の端末＃１宛のデータシンボルであるものとし、このデータシンボルは一つ以上のキャリアを使用するものとする。そして、Ｂ２９０１＿２はＢ１０３＿２の端末＃２宛のデータシンボルであるものとし、このデータシンボルは一つ以上のキャリアを使用するものとする。また、Ｂ２９０１＿３はＢ１０３＿３の端末＃３宛のデータシンボルであるものとし、このデータシンボルは一つ以上のキャリアを使用するものとする。
【１４５９】
なお、Ｂ１０３＿１の端末＃１宛のデータシンボルＢ２９０１＿１、Ｂ１０３＿２の端末＃２宛のデータシンボルＢ２９０１＿２、Ｂ１０３＿３の端末＃３宛のデータシンボルＢ２９０１＿３の周波数軸における配置方法は、図１１２Ａに限ったものではない。また、図１１２Ａにおいて、ここでは、３つの端末のためのデータシンボル（端末＃１宛、端末＃２宛、端末＃３宛）が存在しているが、２つ以上の端末のためのデータシンボルが存在していればよく、また、マルチキャスト（ブロードキャスト）用のデータシンボルが存在していてもよいし、制御用のシンボルが存在していてもよいし、チャネル推定、位相雑音、周波数オフセット推定用のパイロットシンボル（リファレンスシンボル）、ヌルシンボル（シンボルが存在しない）が存在していてもよい。
【１４６０】
図１１２Ｂは、図８５、図８６、図８７のいずれかのフレームにおける中継器＃２宛のフレームのデータシンボルＢ２０３＿２の時間、周波数におけるフレーム構成の例である。
【１４６１】
図１１２Ｂにおいて、横軸は時間であり、縦軸は周波数（キャリア）であるものとする。
【１４６２】
Ｂ２９０２＿１はＢ１０３＿１の端末＃１宛のデータシンボルであるものとし、このデータシンボルは一つ以上のキャリアを使用するものとする。そして、Ｂ２９０２＿２はＢ１０３＿２の端末＃２宛のデータシンボルであるものとし、このデータシンボルは一つ以上のキャリアを使用するものとする。また、Ｂ２９０２＿３はＢ１０３＿３の端末＃３宛のデータシンボルであるものとし、このデータシンボルは一つ以上のキャリアを使用するものとする。
【１４６３】
なお、Ｂ１０３＿１の端末＃１宛のデータシンボルＢ２９０２＿１、Ｂ１０３＿２の端末＃２宛のデータシンボルＢ２９０２＿２、Ｂ１０３＿３の端末＃３宛のデータシンボルＢ２９０２＿３の周波数軸における配置方法は、図１１２Ｂに限ったものではない。また、図１１２Ｂにおいて、ここでは、３つの端末のためのデータシンボル（端末＃１宛、端末＃２宛、端末＃３宛）が存在しているが、２つ以上の端末のためのデータシンボルが存在していればよく、また、マルチキャスト（ブロードキャスト）用のデータシンボルが存在していてもよいし、制御用のシンボルが存在していてもよいし、チャネル推定、位相雑音、周波数オフセット推定用のパイロットシンボル（リファレンスシンボル）、ヌルシンボル（シンボルが存在しない）が存在していてもよい。
【１４６４】
図１１１において、Ｂ１０２＿１の中継器＃１は、Ｂ１０１のＡＰが送信した変調信号を受信し、この変調信号に基づいて、変調信号を生成し、送信する。このとき、Ｂ１０２＿１の中継器＃１が送信する変調信号のフレームは図８８、図８９、図９０のいずれかとなる。図１１３Ａは、図８８、図８９、図９０におけるＢ１０２＿１の中継器＃１が送信する変調信号の送信フレームにおけるデータシンボルＢ５０３＿１の構成の時間、周波数におけるフレーム構成を示している。
【１４６５】
図１１３Ａにおいて、横軸は時間であり、縦軸は周波数（キャリア）であるものとする。
【１４６６】
Ｂ３００１＿１はＢ１０３＿１の端末＃１宛のデータシンボルであるものとし、このデータシンボルは一つ以上のキャリアを使用するものとする。そして、Ｂ３００１＿２はＢ１０３＿２の端末＃２宛のデータシンボルであるものとし、このデータシンボルは一つ以上のキャリアを使用するものとする。また、Ｂ３００１＿３はＢ１０３＿３の端末＃３宛のデータシンボルであるものとし、このデータシンボルは一つ以上のキャリアを使用するものとする。
【１４６７】
なお、Ｂ１０３＿１の端末＃１宛のデータシンボルＢ３００１＿１、Ｂ１０３＿２の端末＃２宛のデータシンボルＢ３００１＿２、Ｂ１０３＿３の端末＃３宛のデータシンボルＢ３００１＿３の周波数軸における配置方法は、図１１３Ａに限ったものではない。また、図１１３Ａにおいて、ここでは、３つの端末のためのデータシンボル（端末＃１宛、端末＃２宛、端末＃３宛）が存在しているが、２つ以上の端末のためのデータシンボルが存在していればよく、また、マルチキャスト（ブロードキャスト）用のデータシンボルが存在していてもよいし、制御用のシンボルが存在していてもよいし、チャネル推定、位相雑音、周波数オフセット推定用のパイロットシンボル（リファレンスシンボル）、ヌルシンボル（シンボルが存在しない）が存在していてもよい。
【１４６８】
図１１３Ｂは、図８８、図８９、図９０のいずれかのフレームにおけるＢ１０２＿２の中継器＃２が送信する変調信号のフレームのデータシンボルＢ５０３＿２の時間、周波数におけるフレーム構成の例である。
【１４６９】
図１１３Ｂにおいて、横軸は時間であり、縦軸は周波数（キャリア）であるものとする。
【１４７０】
Ｂ３００２＿１はＢ１０３＿１の端末＃１宛のデータシンボルであるものとし、このデータシンボルは一つ以上のキャリアを使用するものとする。そして、Ｂ３００２＿２はＢ１０３＿２の端末＃２宛のデータシンボルであるものとし、このデータシンボルは一つ以上のキャリアを使用するものとする。また、Ｂ３００２＿３はＢ１０３＿３の端末＃３宛のデータシンボルであるものとし、このデータシンボルは一つ以上のキャリアを使用するものとする。
【１４７１】
なお、Ｂ１０３＿１の端末＃１宛のデータシンボルＢ３００２＿１、Ｂ１０３＿２の端末＃２宛のデータシンボルＢ３００２＿２、Ｂ１０３＿３の端末＃３宛のデータシンボルＢ３００２＿３の周波数軸における配置方法は、図１１３Ｂに限ったものではない。また、図１１３Ｂにおいて、ここでは、３つの端末のためのデータシンボル（端末＃１宛、端末＃２宛、端末＃３宛）が存在しているが、２つ以上の端末のためのデータシンボルが存在していればよく、また、マルチキャスト（ブロードキャスト）用のデータシンボルが存在していてもよいし、制御用のシンボルが存在していてもよいし、チャネル推定、位相雑音、周波数オフセット推定用のパイロットシンボル（リファレンスシンボル）、ヌルシンボル（シンボルが存在しない）が存在していてもよい。
【１４７２】
以上のように実施することで、Ｂ１０３＿１の端末＃１、Ｂ１０３＿２の端末＃２、Ｂ１０３＿３の端末＃３は、第１の周波数帯の変調信号と第２の周波数帯の変調信号を得るというように、複数の周波数帯の変調信号を得ることができるため、Ｂ１０３＿１の端末＃１、Ｂ１０３＿２の端末＃２、Ｂ１０３＿３の端末＃３が得るデータの伝送量を多くすることができるという効果を得ることができる、さらに、送信フレームと受信フレームの時間分割を行う必要がなくなるため、システム全体のデータ伝送速度が向上するという効果を得ることができる。
【１４７３】
なお、本実施の形態では、アクセスポイント、中継器、端末と名づけて説明しているが、アクセスポイントを、基地局、通信装置、端末、放送局、ノードなどと呼んで実施してもよく、また、中継器を、通信装置、アクセスポイント、ノード、端末、基地局などと呼んで実施してもよく、さらに、端末を、通信装置、アクセスポイント、ノード、基地局などと呼んで実施してもよい。
【１４７４】
また、図８５、図８６、図８７、図８８、図８９、図９０において、フレーム構成の一例を記載しているが、フレーム構成は、この例に限ったものではなく、これらの図に記載されているシンボル以外のシンボルが含まれていてもよい。例えば、リファレンスシンボル、パイロットシンボル、ミッドアンブルなどのチャネル推定、位相雑音の推定、周波数・時間同期、周波数オフセット推定のためのシンボルなどが含まれていてもよい。
【１４７５】
そして、例えば、図８５、図８６、図８７の制御情報シンボルＢ２０２＿１は、データシンボルＢ２０３＿１の複数端末への割り当てに関する情報（例えば、図１１２Ａのようなデータシンボルの端末への割り当てに関する情報）を含んでいてもよい。また、図８５、図８６、図８７の制御情報シンボルＢ２０２＿２は、データシンボルＢ２０３＿２の複数端末への割り当てに関する情報（例えば、図１１２Ｂのようなデータシンボルの端末への割り当てに関する情報）を含んでいてもよい。
【１４７６】
加えて、例えば、図８８、図８９、図９０の制御情報シンボルＢ５０２＿１は、データシンボルＢ５０３＿１の複数端末への割り当てに関する情報（例えば、図１１３Ａのようなデータシンボルの端末への割り当てに関する情報）を含んでいてもよい。また、図８８、図８９、図９０の制御情報シンボルＢ５０２＿２は、データシンボルＢ５０３＿２の複数端末への割り当てに関する情報（例えば、図１１３Ｂのようなデータシンボルの端末への割り当てに関する情報）を含んでいてもよい。
【１４７７】
さらに、図１１２Ａにおいて、各端末宛のデータシンボルを周波数分割し、配置しているが、時間軸に分割を行い配置してもよい。つまり、図１１２Ａにおいて、横軸を周波数（キャリア）、縦軸を時間としてもよい。
【１４７８】
同様に、図１１２Ｂにおいて、各端末宛のデータシンボルを周波数分割し、配置しているが、時間軸に分割を行い配置してもよい。つまり、図１１２Ｂにおいて、横軸を周波数（キャリア）、縦軸を時間としてもよい。
【１４７９】
また、図１１３Ａにおいて、各端末宛のデータシンボルを周波数分割し、配置しているが、時間軸に分割を行い配置してもよい。つまり、図１１３Ａにおいて、横軸を周波数（キャリア）、縦軸を時間としてもよい。
【１４８０】
同様に、図１１３Ｂにおいて、各端末宛のデータシンボルを周波数分割し、配置しているが、時間軸に分割を行い配置してもよい。つまり、図１１３Ｂにおいて、横軸を周波数（キャリア）、縦軸を時間としてもよい。
【１４８１】
なお、実施の形態Ｂ１から実施の形態Ｂ８に示された通信システムの制御方法は、図１１４に示されるとおりである。
【１４８２】
ステップＳ１０１において、アクセスポイントは、第１の周波数帯に含まれる少なくとも第１チャネルで第１の中継器と無線通信し、かつ、第１の周波数帯とは異なる第２の周波数帯に含まれる少なくとも第２チャネルで第２の中継器と無線通信する。
【１４８３】
ステップＳ１０２において、第１の中継器は、第２の周波数帯に含まれる少なくとも第３チャネルで端末と無線通信する。
【１４８４】
ステップＳ１０３において、第２の中継器は、第１の周波数帯に含まれる少なくとも第４チャネルで端末と無線通信する。
【１４８５】
これにより、通信システムの性能を改善できる。
【１４８６】
また、実施の形態Ｂ１から実施の形態Ｂ８に示された通信システムの制御方法は、図１１５に示されるとおりである。
【１４８７】
ステップＳ１１１において、第２の周波数帯に含まれる少なくとも第３チャネルで第１の中継器と無線通信する。
【１４８８】
ステップＳ１１２において、第１の周波数帯に含まれる少なくとも第４チャネルで第２の中継器と無線通信する。
【１４８９】
これにより、通信システムの性能を改善できる。
【１４９０】
（実施の形態Ｂ９）
実施の形態Ｂ１では、図８４において、中継器が、一つの端末と通信を行っている場合について説明した。本実施の形態では、中継器が複数の端末に対し、変調信号を送信する場合の第２の例について説明する。
【１４９１】
図１１６は、本実施の形態におけるＡＰ（アクセスポイント）Ｂ１０１、中継器Ｂ１０２＿１、Ｂ１０２＿２、Ｂ１０３＿１の端末＃１、Ｂ１０３＿２の端末＃２、Ｂ１０３＿３の端末＃３の状態の例を示しており、図１１６において、図８４と同様に動作するものについては、同様の番号を付している。特徴的な点は、端末＃１、Ｂ１０３＿２の端末＃２、Ｂ１０３＿３の端末＃３が存在している点である。
【１４９２】
Ｂ１０１のＡＰの送信フレームの構成例は、図８５、図８６、図８７となる。なお、ＡＰが送信する変調信号の送信の方法については、実施の形態Ｂ１において、説明を行っているため、ここでの説明は省略する。また、図８５、図８６、図８７のデータシンボルには、「宛先がＢ１０３＿１の端末＃１のシンボル、Ｂ１０３＿２の端末＃２のシンボル、Ｂ１０３＿３の端末＃３のシンボル」のいずれか一つ以上が含まれていることになる。この点については、実施の形態Ｂ８でも同様に考えることができる。
【１４９３】
Ｂ１０２＿１の中継器＃１およびＢ１０２＿２の中継器＃２の送信フレームの構成例は、図８８、図８９、図９０となる。なお、Ｂ１０２＿１の中継器＃１が送信する変調信号の送信の方法、およびＢ１０２＿２の中継器＃２が送信する変調信号の送信の方法については、実施の形態Ｂ１において、説明を行っているため、ここでの説明は省略する。また、図８８、図８９、図９０のデータシンボルには、「宛先がＢ１０３＿１の端末＃１のシンボル、Ｂ１０３＿２の端末＃２のシンボル、Ｂ１０３＿３の端末＃３のシンボル」のいずれか一つ以上が含まれていることになる。この点については、実施の形態Ｂ８でも同様に考えることができる。
【１４９４】
また、ＡＰ（アクセスポイント）Ｂ１０１の構成、「中継器Ｂ１０２＿１、Ｂ１０２＿２」の構成、「Ｂ１０３＿１の端末＃１、Ｂ１０３＿２の端末＃２、Ｂ１０３＿３の端末＃３」の構成については、実施の形態Ｂ１において、説明を行っているため、ここでの説明は省略する。
【１４９５】
そして、周波数帯の使用方法については、実施の形態Ｂ１と同様であり、実施の形態Ｂ１において、詳しく説明を行っているため、説明を省略する。なお、「周波数帯」に代わって「チャネル」と考えてもよい。この点については、実施の形態Ｂ５で詳しく説明を行っているため、説明を省略する。
【１４９６】
本実施の形態の例では、ＡＰが送信する変調信号において、ＯＦＤＭＡを適用し、中継器＃１が送信する変調信号において、ＯＦＤＭを適用し、中継器＃２が送信する変調信号においてＯＦＤＭＡを適用する。
【１４９７】
例：
Ｂ１０１のＡＰは、図８５、図８６、図８７のいずれかのフレームにおいて、変調信号を送信するものとする。このとき、中継器＃１宛のフレームのデータシンボルＢ２０３＿１の時間、周波数におけるフレーム構成が、図１１７であるものとする。
【１４９８】
図１１７において、横軸は時間であり、縦軸は周波数（キャリア）であるものとする。
【１４９９】
１１７０１＿１はＢ１０３＿１の端末＃１宛のデータシンボルであるものとし、このデータシンボルは一つ以上のキャリアを使用するものとする。特徴的な点は、ＯＦＤＭＡを用いていない点である。
【１５００】
なお、マルチキャスト（ブロードキャスト）用のデータシンボルが存在していてもよいし、制御用のシンボルが存在していてもよいし、チャネル推定、位相雑音、周波数オフセット推定用のパイロットシンボル（リファレンスシンボル）、ヌルシンボル（シンボルが存在しない）が存在していてもよい。
【１５０１】
図１１８は、図８５、図８６、図８７のいずれかのフレームにおける中継器＃２宛のフレームのデータシンボルＢ２０３＿２の時間、周波数におけるフレーム構成の例である。
【１５０２】
図１１８において、横軸は時間であり、縦軸は周波数（キャリア）であるものとする。
【１５０３】
１１８０１＿１はＢ１０３＿３の端末＃３宛のデータシンボルであるものとし、このデータシンボルは一つ以上のキャリアを使用するものとする。そして、１１８０１＿２はＢ１０３＿２の端末＃２宛のデータシンボルであるものとし、このデータシンボルは一つ以上のキャリアを使用するものとする。また、１１８０１＿３はＢ１０３＿１の端末＃１宛のデータシンボルであるものとし、このデータシンボルは一つ以上のキャリアを使用するものとする。
【１５０４】
なお、Ｂ１０３＿１の端末＃１宛のデータシンボル１１８０１＿３、Ｂ１０３＿２の端末＃２宛のデータシンボル１８００１＿２、Ｂ１０３＿３の端末＃３宛のデータシンボル１８００１＿１の周波数軸における配置方法は、図１１８に限ったものではない。また、図１１８において、ここでは、３つの端末のためのデータシンボル（端末＃１宛、端末＃２宛、端末＃３宛）が存在しているが、２つ以上の端末のためのデータシンボルが存在していればよく、また、マルチキャスト（ブロードキャスト）用のデータシンボルが存在していてもよいし、制御用のシンボルが存在していてもよいし、チャネル推定、位相雑音、周波数オフセット推定用のパイロットシンボル（リファレンスシンボル）、ヌルシンボル（シンボルが存在しない）が存在していてもよい。
【１５０５】
図１１６において、Ｂ１０２＿１の中継器＃１は、Ｂ１０１のＡＰが送信した変調信号を受信し、この変調信号に基づいて、変調信号を生成し、送信する。このとき、Ｂ１０２＿１の中継器＃１が送信する変調信号のフレームは図８８、図８９、図９０のいずれかとなる。また、図８８、図８９、図９０のデータシンボルには、「宛先がＢ１０３＿１の端末＃１のシンボル、Ｂ１０３＿２の端末＃２のシンボル、Ｂ１０３＿３の端末＃３のシンボル」のいずれか一つ以上が含まれていることになる。この点については、実施の形態Ｂ８でも同様に考えることができる。
【１５０６】
図１１９は、図８８、図８９、図９０におけるＢ１０２＿１の中継器＃１が送信する変調信号の送信フレームにおけるデータシンボルＢ５０３＿１の構成の時間、周波数におけるフレーム構成を示している。
【１５０７】
図１１９において、横軸は時間であり、縦軸は周波数（キャリア）であるものとする。
【１５０８】
１１９０１＿１はＢ１０３＿１の端末＃１宛のデータシンボルであるものとし、このデータシンボルは一つ以上のキャリアを使用するものとする。特徴的な点は、ＯＦＤＭＡを用いていない点である。
【１５０９】
なお、マルチキャスト（ブロードキャスト）用のデータシンボルが存在していてもよいし、制御用のシンボルが存在していてもよいし、チャネル推定、位相雑音、周波数オフセット推定用のパイロットシンボル（リファレンスシンボル）、ヌルシンボル（シンボルが存在しない）が存在していてもよい。
【１５１０】
図１２０は、図８８、図８９、図９０のいずれかのフレームにおけるＢ１０２＿２の中継器＃２が送信する変調信号のフレームのデータシンボルＢ５０３＿２の時間、周波数におけるフレーム構成の例である。なお、図８８、図８９、図９０のデータシンボルには、「宛先がＢ１０３＿１の端末＃１のシンボル、Ｂ１０３＿２の端末＃２のシンボル、Ｂ１０３＿３の端末＃３のシンボル」のいずれか一つ以上が含まれていることになる。この点については、実施の形態Ｂ８でも同様に考えることができる。
【１５１１】
図１２０において、横軸は時間であり、縦軸は周波数（キャリア）であるものとする。
【１５１２】
１２００１＿１はＢ１０３＿３の端末＃３宛のデータシンボルであるものとし、このデータシンボルは一つ以上のキャリアを使用するものとする。そして、１２００１＿２はＢ１０３＿２の端末＃２宛のデータシンボルであるものとし、このデータシンボルは一つ以上のキャリアを使用するものとする。また、１２００１＿３はＢ１０３＿１の端末＃１宛のデータシンボルであるものとし、このデータシンボルは一つ以上のキャリアを使用するものとする。
【１５１３】
なお、Ｂ１０３＿１の端末＃１宛のデータシンボル１２００１＿３、Ｂ１０３＿２の端末＃２宛のデータシンボル１２００１＿２、Ｂ１０３＿３の端末＃３宛のデータシンボル１２００１＿１の周波数軸における配置方法は、図１２０に限ったものではない。また、図１２０において、ここでは、３つの端末のためのデータシンボル（端末＃１宛、端末＃２宛、端末＃３宛）が存在しているが、２つ以上の端末のためのデータシンボルが存在していればよく、また、マルチキャスト（ブロードキャスト）用のデータシンボルが存在していてもよいし、制御用のシンボルが存在していてもよいし、チャネル推定、位相雑音、周波数オフセット推定用のパイロットシンボル（リファレンスシンボル）、ヌルシンボル（シンボルが存在しない）が存在していてもよい。
【１５１４】
以上のように実施することで、Ｂ１０３＿１の端末＃１、Ｂ１０３＿２の端末＃２、Ｂ１０３＿３の端末＃３は、第１の周波数帯の変調信号と第２の周波数帯の変調信号を得るというように、複数の周波数帯の変調信号を得ることができるため、Ｂ１０３＿１の端末＃１、Ｂ１０３＿２の端末＃２、Ｂ１０３＿３の端末＃３が得るデータの伝送量を多くすることができるという効果を得ることができる、さらに、送信フレームと受信フレームの時間分割を行う必要がなくなるため、システム全体のデータ伝送速度が向上するという効果を得ることができる。
【１５１５】
また、ＯＦＤＭとＯＦＤＭＡを併用することで、端末に対し、より柔軟にシンボルを割り当てることが可能となり、各端末に対し、より柔軟なデータの伝送速度を提供することができるという効果を得ることが可能である。
【１５１６】
なお、本実施の形態では、アクセスポイント、中継器、端末と名づけて説明しているが、アクセスポイントを、基地局、通信装置、端末、放送局、ノードなどと呼んで実施してもよく、また、中継器を、通信装置、アクセスポイント、ノード、端末、基地局などと呼んで実施してもよく、さらに、端末を、通信装置、アクセスポイント、ノード、基地局などと呼んで実施してもよい。
【１５１７】
そして、当然であるが、図１１７、図１１８、図１１９、図１２０において、一つ以上の宛先の複数の宛先のデータシンボルで構成されるデータシンボルにおいて、ヌルシンボル（シンボルが存在しない）（データ伝送を行っていないシンボル）が存在していてもよいし、また、リファレンスシンボル、パイロットシンボル、ミッドアンブルなどのチャネル推定、位相雑音の推定、周波数・時間同期、周波数オフセット推定のためのシンボルなどが含まれていてもよい。なお、この点については、図１１２Ａ、図１１２Ｂ、図１１３Ａ、図１１３Ｂについても同様である。
【１５１８】
また、図８５、図８６、図８７、図８８、図８９、図９０において、フレーム構成の一例を記載しているが、フレーム構成は、この例に限ったものではなく、これらの図に記載されているシンボル以外のシンボルが含まれていてもよい。例えば、リファレンスシンボル、パイロットシンボル、ミッドアンブルなどのチャネル推定、位相雑音の推定、周波数・時間同期、周波数オフセット推定のためのシンボルなどが含まれていてもよい。当然であるが、他の実施の形態で記載したように、ヌルシンボル（シンボルが存在しない）（データ伝送を行っていないシンボル）が存在していてもよい。
【１５１９】
そして、例えば、図８５、図８６、図８７の制御情報シンボルＢ２０２＿１は、データシンボルＢ２０３＿１の複数端末への割り当てに関する情報（例えば、図１１２Ａのようなデータシンボルの端末への割り当てに関する情報）を含んでいてもよい。また、図８５、図８６、図８７の制御情報シンボルＢ２０２＿２は、データシンボルＢ２０３＿２の複数端末への割り当てに関する情報（例えば、図１１２Ｂのようなデータシンボルの端末への割り当てに関する情報）を含んでいてもよい。
【１５２０】
加えて、例えば、図８８、図８９、図９０の制御情報シンボルＢ５０２＿１は、データシンボルＢ５０３＿１の複数端末への割り当てに関する情報（例えば、図１１９のようなデータシンボルの端末への割り当てに関する情報）を含んでいてもよい。また、図８８、図８９、図９０の制御情報シンボルＢ５０２＿２は、データシンボルＢ５０３＿２の複数端末への割り当てに関する情報（例えば、図１２０のようなデータシンボルの端末への割り当てに関する情報）を含んでいてもよい。
【１５２１】
図１１８において、各端末宛のデータシンボルを周波数分割し、配置しているが、時間軸に分割を行い配置してもよい。つまり、図１１８において、横軸を周波数（キャリア）、縦軸を時間としてもよい。
【１５２２】
図１２０において、各端末宛のデータシンボルを周波数分割し、配置しているが、時間軸に分割を行い配置してもよい。つまり、図１２０において、横軸を周波数（キャリア）、縦軸を時間としてもよい。
【１５２３】
以上のように、フレームに対し、各端末に伝送するシンボルを好適な周波数資源を割り当てることで、各端末へのデータ伝送速度を好適に割り当てることができるとともに、よりダイバーシチゲインが得られるように、周波数資源を割り当てることができるため、各端末へのデータ伝送の伝送品質を向上させることができるという効果を得ることができる。なお、この効果については、実施の形態Ｂ８についても、同様である。
【１５２４】
なお、各端末に伝送シンボルの割り当て方法は、本実施の形態で説明した、図１１７、図１１８、図１１９、図１２０の割り当て方法に限ったものではなく、別の例として、実施の形態Ｂ８において、図１１２Ａ、図１１２Ｂ、図１１３Ａ、図１１３Ｂの割り当てがある。
【１５２５】
例えば、図１１１、図１１６では、端末数を３としているが、端末数に応じて、「中継器＃１宛の変調信号のデータシンボルの端末割り当て（例：図１１７）、中継器＃２宛の変調信号のデータシンボルの端末割り当て（例：図１１８）、中継器＃１が送信する変調信号のデータシンボルの端末割り当て（例：図１１９）、中継器＃２が送信する変調信号のデータシンボルの端末割り当て（例：図１２０）」を、例えば、変更してもよい。
【１５２６】
さらに、時間に応じて、「中継器＃１宛の変調信号のデータシンボルの端末割り当て（例：図１１７）、中継器＃２宛の変調信号のデータシンボルの端末割り当て（例：図１１８）、中継器＃１が送信する変調信号のデータシンボルの端末割り当て（例：図１１９）、中継器＃２が送信する変調信号のデータシンボルの端末割り当て（例：図１２０）」を、例えば、変更してもよい。
【１５２７】
（補足Ｂ３）
実施の形態Ｂ１において、「なお、中継器＃１のＢ１０２＿１と、中継器＃２のＢ１０２＿２とは、アクセスポイントの機能を有するものであってもよい。また、アクセスポイントが中継器＃１のＢ１０２＿１又は中継器＃２のＢ１０２＿２として動作する機能を有しており、そのようなアクセスポイントが中継器＃１Ｂの１０２＿１又は中継器＃２のＢ１０２＿２として動作してもよい。」と記載している。ここでは、これに対する補足説明を行う。
【１５２８】
「なお、中継器＃１のＢ１０２＿１と、中継器＃２のＢ１０２＿２とは、アクセスポイントの機能を有するものであってもよい。また、アクセスポイントが中継器＃１のＢ１０２＿１又は中継器＃２のＢ１０２＿２として動作する機能を有しており、そのようなアクセスポイントが中継器＃１Ｂの１０２＿１又は中継器＃２のＢ１０２＿２として動作してもよい。」の具体的な例について説明する。
【１５２９】
例１：
上述の具体的な例を、図１２１に示す。図１２１において、他の図面と同様に動作するものについては、同一番号を付している。なお、図１２１は、図９７に基づいている。
【１５３０】
図１２１において、Ｂ１０１のアクセスポイントは、Ｂ１０３＿１の端末＃１、Ｂ１０３＿２の端末＃２、Ｂ１０３＿３の端末＃３のうち一つ以上の端末に対し、変調信号を送信する。これにより、Ｂ１０１のアクセスポイントは、Ｂ１０３＿１の端末＃１、Ｂ１０３＿２の端末＃２、Ｂ１０３＿３の端末＃３のうち一つ以上の端末に対し、所望のデータを伝送することになる。このとき、Ｂ１０２＿１の中継器＃１が送信する変調信号のフレーム構成の詳細の例については、他の実施の形態で説明したとおりであり、ここでは説明を省略する。
【１５３１】
同様に、Ｂ１０２＿１の中継器＃１は、Ｂ１０３＿１の端末＃１、Ｂ１０３＿２の端末＃２、Ｂ１０３＿３の端末＃３のうち一つ以上の端末に対し、変調信号を送信する。これにより、Ｂ１０２＿１の中継器＃１は、Ｂ１０３＿１の端末＃１、Ｂ１０３＿２の端末＃２、Ｂ１０３＿３の端末＃３のうち一つ以上の端末に対し、所望のデータを伝送することになる。このとき、Ｂ１０２＿１の中継器＃１が送信する変調信号のフレーム構成の詳細の例については、他の実施の形態で説明したとおりであり、ここでは説明を省略する。
【１５３２】
よって、アクセスポイントＢ１００は、変調信号を送信する際、例えば、ＯＦＤＭ、または、ＯＦＤＭＡを用いることになる。また、Ｂ１０２＿１の中継器＃１は、変調信号を送信する際、例えば、ＯＦＤＭ、または、ＯＦＤＭＡを用いることになる。
【１５３３】
また、例えば、Ｂ１０２＿１の中継器＃１が、一つ以上の端末に送信するデータは、アクセスポイントＢ１０１から得ることになる。このとき、アクセスポイントＢ１０１、Ｂ１０２＿１の中継器＃１間の通信は、有線通信であってもよいし、無線通信であってもよい。
【１５３４】
本明細書で説明したように、図１２１におけるアクセスポイントＢ１０１を通信装置と呼んでもよいし、コントローラ、制御装置、サーバ、基地局、無線通信装置、コンピュータ、携帯電話、スマートフォン、ノード、メッシュノード、マスターアクセスポイントと呼んでもよい。呼び方はこれに限ったものではない。呼び方の例については、本明細書で記載したとおりである。
【１５３５】
また、Ｂ１０２＿１の中継器＃１を通信装置と呼んでもよいし、アクセスポイント、基地局、無線通信装置、サーバ、コンピュータ、携帯電話、スマートフォン、ノード、メッシュノード、スレーブアクセスポイント、コントローラ、制御装置と呼んでもよい。呼び方はこれに限ったものではない。呼び方の例については、本明細書で記載したとおりである。
【１５３６】
例２：
上述の具体的な例を、図１２２に示す。図１２２において、他の図面と同様に動作するものについては、同一番号を付している。
【１５３７】
図１２２において、アクセスポイントＢ１０１、Ｂ１０２＿１の中継器＃１間の通信は、有線通信であってもよいし、無線通信であってもよい。
【１５３８】
同様に、アクセスポイントＢ１０１、Ｂ１０２＿２の中継器＃２間の通信は、有線通信であってもよいし、無線通信であってもよい。
【１５３９】
Ｂ１０２＿１の中継器＃１は、Ｂ１０３＿１の端末＃１、Ｂ１０３＿２の端末＃２、Ｂ１０３＿３の端末＃３のうち一つ以上の端末に対し、変調信号を送信する。これにより、Ｂ１０２＿１の中継器＃１は、Ｂ１０３＿１の端末＃１、Ｂ１０３＿２の端末＃２、Ｂ１０３＿３の端末＃３のうち一つ以上の端末に対し、所望のデータを伝送することになる。このとき、Ｂ１０２＿１の中継器＃１が送信する変調信号のフレーム構成の詳細の例については、他の実施の形態で説明したとおりであり、ここでは説明を省略する。
【１５４０】
同様に、Ｂ１０２＿２の中継器＃２は、Ｂ１０３＿１の端末＃１、Ｂ１０３＿２の端末＃２、Ｂ１０３＿３の端末＃３のうち一つ以上の端末に対し、変調信号を送信する。これにより、Ｂ１０２＿２の中継器＃２は、Ｂ１０３＿１の端末＃１、Ｂ１０３＿２の端末＃２、Ｂ１０３＿３の端末＃３のうち一つ以上の端末に対し、所望のデータを伝送することになる。このとき、Ｂ１０２＿２の中継器＃２が送信する変調信号のフレーム構成の例については、他の実施の形態で説明したとおりであり、ここでは説明を省略する。
【１５４１】
よって、Ｂ１０２＿１の中継器＃１は、変調信号を送信する際、例えば、ＯＦＤＭ、または、ＯＦＤＭＡを用いることになる。また、Ｂ１０２＿２の中継器＃２は、変調信号を送信する際、例えば、ＯＦＤＭ、または、ＯＦＤＭＡを用いることになる。
【１５４２】
例えば、Ｂ１０２＿１の中継器＃１が、一つ以上の端末に送信するデータは、アクセスポイントＢ１０１から得ることになる。このとき、アクセスポイントＢ１０１、Ｂ１０２＿１の中継器＃１間の通信は、有線通信であってもよいし、無線通信であってもよい。
【１５４３】
また、Ｂ１０２＿２の中継器＃２が、一つ以上の端末に送信するデータは、アクセスポイントＢ１０１から得ることになる。このとき、アクセスポイントＢ１０１、Ｂ１０２＿２の中継器＃２間の通信は、有線通信であってもよいし、無線通信であってもよい。
【１５４４】
本明細書で説明したように、図１２２におけるアクセスポイントＢ１０１を通信装置と呼んでもよいし、コントローラ、制御装置、サーバ、基地局、マスターアクセスポイント、コンピュータ、携帯電話、スマートフォン、ノード、メッシュノードと呼んでもよい。呼び方はこれに限ったものではない。呼び方の例については、本明細書で記載したとおりである。
【１５４５】
また、Ｂ１０２＿１の中継器＃１を通信装置と呼んでもよいし、アクセスポイント、基地局、無線通信装置、サーバ、コンピュータ、携帯電話、スマートフォン、ノード、メッシュノード、スレーブアクセスポイント、コントローラ、制御装置と呼んでもよい。呼び方はこれに限ったものではない。呼び方の例については、本明細書で記載したとおりである。
【１５４６】
そして、Ｂ１０２＿２の中継器＃２を通信装置と呼んでもよいし、アクセスポイント、基地局、無線通信装置、サーバ、コンピュータ、携帯電話、スマートフォン、ノード、メッシュノード、スレーブアクセスポイント、コントローラ、制御装置と呼んでもよい。呼び方はこれに限ったものではない。呼び方の例については、本明細書で記載したとおりである。
【１５４７】
例３：
上述の具体的な例を、図１２３に示す。図１２３において、他の図面と同様に動作するものについては、同一番号を付している。
【１５４８】
図１２３の特徴的な点は、アクセスポイントＢ１０１、Ｂ１０２＿２の中継器＃２で構成された通信装置１２３０１が存在する点である。
【１５４９】
図１２３において、通信装置１２３０１、Ｂ１０２＿１の中継器＃１間の通信は、有線通信であってもよいし、無線通信であってもよい。
【１５５０】
そして、通信装置１２３０１内の、アクセスポイントＢ１０１、Ｂ１０２＿２の中継器＃２間の通信は、有線通信（バス接続、コネクタによる接続などであってもよい）であってもよいし、無線通信であってもよい。
【１５５１】
Ｂ１０２＿１の中継器＃１は、Ｂ１０３＿１の端末＃１、Ｂ１０３＿２の端末＃２、Ｂ１０３＿３の端末＃３のうち一つ以上の端末に対し、変調信号を送信する。これにより、Ｂ１０２＿１の中継器＃１は、Ｂ１０３＿１の端末＃１、Ｂ１０３＿２の端末＃２、Ｂ１０３＿３の端末＃３のうち一つ以上の端末に対し、所望のデータを伝送することになる。このとき、Ｂ１０２＿１の中継器＃１が送信する変調信号のフレーム構成の詳細の例については、他の実施の形態で説明したとおりであり、ここでは説明を省略する。
【１５５２】
同様に、通信装置１２３０１が具備するＢ１０２＿２の中継器＃２は、Ｂ１０３＿１の端末＃１、Ｂ１０３＿２の端末＃２、Ｂ１０３＿３の端末＃３のうち一つ以上の端末に対し、変調信号を送信する。これにより、Ｂ１０２＿２の中継器＃２は、Ｂ１０３＿１の端末＃１、Ｂ１０３＿２の端末＃２、Ｂ１０３＿３の端末＃３のうち一つ以上の端末に対し、所望のデータを伝送することになる。このとき、Ｂ１０２＿２の中継器＃２が送信する変調信号のフレーム構成の例については、他の実施の形態で説明したとおりであり、ここでは説明を省略する。
【１５５３】
よって、Ｂ１０２＿１の中継器＃１は、変調信号を送信する際、例えば、ＯＦＤＭ、または、ＯＦＤＭＡを用いることになる。また、Ｂ１０２＿２の中継器＃２は、変調信号を送信する際、例えば、ＯＦＤＭ、または、ＯＦＤＭＡを用いることになる。
【１５５４】
例えば、Ｂ１０２＿１の中継器＃１が、一つ以上の端末に送信するデータは、通信装置１２３０１が具備するアクセスポイントＢ１０１から得ることになる。このとき、アクセスポイントＢ１０１、Ｂ１０２＿１の中継器＃１間の通信は、有線通信であってもよいし、無線通信であってもよい。
【１５５５】
また、通信装置１２３０１が具備するＢ１０２＿２の中継器＃２が、一つ以上の端末に送信するデータは、通信装置１２３０１が具備するアクセスポイントＢ１０１から得ることになる。このとき、アクセスポイントＢ１０１、Ｂ１０２＿２の中継器＃２間の通信は、有線通信であってもよいし、無線通信であってもよい。
【１５５６】
本明細書で説明したように、図１２３におけるアクセスポイントＢ１０１を通信装置と呼んでもよいし、コントローラ、制御装置、サーバ、コンピュータ、携帯電話、スマートフォン、ノード、メッシュノードと呼んでもよい。呼び方はこれに限ったものではない。呼び方の例については、本明細書で記載したとおりである。
【１５５７】
また、Ｂ１０２＿１の中継器＃１を通信装置と呼んでもよいし、アクセスポイント、基地局、無線通信装置、サーバ、コンピュータ、携帯電話、スマートフォン、ノード、メッシュノード、スレーブアクセスポイント、コントローラ、制御装置と呼んでもよい。呼び方はこれに限ったものではない。呼び方の例については、本明細書で記載したとおりである。
【１５５８】
そして、Ｂ１０２＿２の中継器＃２を通信装置と呼んでもよいし、アクセスポイント、基地局、無線通信装置、サーバ、コンピュータ、携帯電話、スマートフォン、ノード、メッシュノード、コントローラ、制御装置と呼んでもよい。呼び方はこれに限ったものではない。呼び方の例については、本明細書で記載したとおりである。
【１５５９】
通信装置１２３０１を、コントローラ、制御装置、サーバ、基地局、コンピュータ、ノード、メッシュノード、携帯電話、スマートフォン、マスターアクセスポイントと呼んでもよい。呼び方はこれに限ったものではない。
【１５６０】
（実施の形態Ｂ１０）
本実施の形態では、実施の形態Ｂ２の変形例について説明する。
【１５６１】
図９７のようにアクセスポイントＢ１０１は、データを入力とし、このデータＢ１００から変調信号を生成し、Ｂ１０２＿１の中継器＃１、および／または、端末Ｂ１０３に送信する。
【１５６２】
そして、Ｂ１０２＿１の中継器＃１は、アクセスポイントＢ１０１が送信した変調信号を受信し、受信した変調信号に基づいて、端末Ｂ１０３宛の変調信号を生成し、生成した変調信号を端末Ｂ１０３に対し送信する。
【１５６３】
なお、アクセスポイントＢ１０１の入力となるデータは１系統（Ｂ１００）としているが、これに限ったものではなく、アクセスポイントＢ１０１は、複数系統のデータを入力する構成であってもよい。
【１５６４】
また、アクセスポイントＢ１０１は、Ｂ１０２＿１の中継器＃１に対し、一つ以上の変調信号を送信するものとする。なお、複数の変調信号を送信する際、ＭＩＭＯの伝送を行ってもよい。
【１５６５】
そして、Ｂ１０２＿１の中継器＃１は、受信した変調信号に基づいて、端末Ｂ１０３宛の変調信号を生成することになるが、このとき、一つ以上の変調信号を生成し、送信することになる。なお、複数の変調信号を送信する際、ＭＩＭＯの伝送を行ってもよい。
【１５６６】
図９８、図９９、図１００は、このときのアクセスポイントＢ１０１が送信する、Ｂ１０２＿１の中継器＃１宛の変調信号、および、端末Ｂ１０３宛の変調信号のフレーム構成の例を示している。図９８、図９９、図１００、いずれも、横軸は時間であるものとする。また、図９８、図９９、図１００において、図８５と同様に動作するものについては、同一番号を付している。
【１５６７】
図９８、図９９、図１００に示すように、Ｂ１０２＿１の中継器＃１宛の変調信号は、プリアンブルＢ２０１＿１、制御情報シンボル２０２＿１、データシンボルＢ２０３＿１で構成されているものとする。また、端末Ｂ１０３宛の変調信号は、プリアンブルＢ１５０１＿２、制御情報シンボルＢ１５０２＿２、データシンボルＢ１５０３＿２で構成されているものとする。
【１５６８】
なお、Ｂ１０２＿１の中継器＃１宛の変調信号は一つ以上であってもよく、また、端末Ｂ１０３宛の変調信号は一つ以上であってもよい。複数の変調信号を送信する際、ＭＩＭＯの伝送を行ってもよい。
【１５６９】
なお、プリアンブルは、例えば、通信相手にとって既知の変調信号であり、通信相手が、信号検出、周波数オフセットの推定、時間同期、周波数同期などを行うためのシンボルである。そして、制御情報シンボルは、データシンボルを生成するために使用した変調信号、誤り訂正符号化方法（例えば、誤り訂正符号の種類、誤り訂正符号の符号長、ブロック長）、送信方法（例えば、ＭＣＳ：Modulation and Coding Scheme）などの情報を含んでいるものとする。また、データシンボルは、データを伝送するためのシンボルであるものとする。
【１５７０】
図９８の例では、第１時間にプリアンブルＢ２０１＿１が存在し、同様に、第１時間にプリアンブルＢ１５０１＿２が存在する。そして、第２時間に制御情報シンボルＢ２０２＿１が存在し、同様に、第２時間に制御情報シンボルＢ１５０２＿２が存在する。また、第３時間にデータシンボルＢ２０３＿１が存在し、同様に、第３時間にデータシンボルＢ１５０３＿２が存在する。
【１５７１】
このとき、プリアンブルＢ２０１＿１、制御情報シンボルＢ２０２＿１、データシンボルＢ２０３＿１で構成されているＢ１０２＿１の中継器＃１宛の変調信号は、例えば第１の周波数帯を用いて、アクセスポイントＢ１０１から送信される。そして、プリアンブルＢ１５０１＿２、制御情報シンボルＢ１５０２＿２、データシンボルＢ１５０３＿２で構成されている端末Ｂ１０３宛の変調信号は、例えば第３の周波数帯を用いて、アクセスポイントＢ１０１から送信される。
【１５７２】
図９９は、図９８とは異なる、「Ｂ１０２＿１の中継器＃１宛の変調信号および端末Ｂ１０３宛の変調信号のフレーム構成」を示している。なお、図８５、図９８と同様に動作するものについては、同一番号を付しており、詳細の説明は省略する。ただし、Ｂ１０２＿１の中継器＃１宛の変調信号は一つ以上であってもよく、また、端末Ｂ１０３宛の変調信号は一つ以上であってもよい。複数の変調信号を送信する際、ＭＩＭＯの伝送を行ってもよい。
【１５７３】
図９９に示すように、プリアンブルＢ２０１＿１は第１時間に存在し、制御情報シンボルＢ２０２＿１は第２時間に存在し、データシンボルＢ２０３＿１は第３時間に存在する。そして、プリアンブルＢ１５０１＿２は第４時間に存在し、制御情報シンボルＢ１５０２＿２は第５時間に存在し、データシンボルＢ１５０３＿２は第６時間に存在する。
【１５７４】
そして、図９９の例が図９８の例と異なる点は、「図９９の例では、プリアンブルＢ２０１＿１、制御情報シンボルＢ２０２＿１、データシンボルＢ２０３＿１で構成されているＢ１０２＿１の中継器＃１宛の変調信号が存在している時間区間とプリアンブルＢ１５０１＿２、制御情報シンボルＢ１５０２＿２、データシンボルＢ１５０３＿２で構成されている端末Ｂ１０３宛の変調信号が存在している時間区間の一部が時間的に重なっている」ことである。
【１５７５】
例えば、図９９では、プリアンブルＢ１５０１＿２が存在する第４時間には、データシンボルＢ２０３＿１の一部が存在する。また、制御情報シンボルＢ１５０２＿２が存在する第５時間には、データシンボルＢ２０３＿１の一部が存在する。データシンボルＢ１５０３＿２が存在する第６時間の一部とデータシンボルＢ２０３＿１が存在する第３時間の一部が時間的に重なっている。
【１５７６】
なお、図９９はあくまでも例であり、フレーム構成は、この例に限ったものではなく、前述の条件を満たしていればよい。
【１５７７】
そして、プリアンブルＢ２０１＿１、制御情報シンボルＢ２０２＿１、データシンボルＢ２０３＿１で構成されているＢ１０２＿１の中継器＃１宛の変調信号は、例えば第１の周波数帯を用いて、アクセスポイントＢ１０１から送信される。そして、プリアンブルＢ１５０１＿２、制御情報シンボルＢ１５０２＿２、データシンボルＢ１５０３＿２で構成されている端末Ｂ１０３宛の変調信号は、例えば第３の周波数帯を用いて、アクセスポイントＢ１０１から送信される。
【１５７８】
図１００は、図９８、図９９とは異なる「Ｂ１０２＿１の中継器＃１宛の変調信号および端末Ｂ１０３宛の変調信号のフレーム構成」を示している。なお、図８５、図９８と同様に動作するものについては、同一番号を付しており、詳細の説明は省略する。ただし、Ｂ１０２＿１の中継器＃１宛の変調信号は一つ以上であってもよく、また、端末Ｂ１０３宛の変調信号は一つ以上であってもよい。複数の変調信号を送信する際、ＭＩＭＯの伝送を行ってもよい。
【１５７９】
図１００に示すように、プリアンブルＢ２０１＿１は第１時間に存在し、制御情報シンボルＢ２０２＿１は第２時間に存在し、データシンボルＢ２０３＿１は第３時間に存在する。そして、プリアンブルＢ１５０１＿２は第４時間に存在し、制御情報シンボルＢ１５０２＿２は第５時間に存在し、データシンボルＢ１５０３＿２は第６時間に存在する。
【１５８０】
そして、図１００の例が、図９８、図９９の例とは異なる点は、「図１００の例では、プリアンブルＢ２０１＿１、制御情報シンボルＢ２０２＿１、データシンボルＢ２０３＿１で構成されているＢ１０２＿１の中継器＃１宛の変調信号が存在している時間区間とプリアンブルＢ１５０１＿２、制御情報シンボルＢ１５０２＿２、データシンボルＢ１５０３＿２で構成されているＢ１５０２＿２の端末Ｂ１０３宛の変調信号が存在している時間区間が時間的に重なっていない」ことである。
【１５８１】
したがって、プルアンブルＢ２０１＿１が存在している第１時間に、端末Ｂ１０３宛の変調信号は存在していない。同様に、制御情報シンボルＢ２０２＿１が存在している第２時間に、端末Ｂ１０３宛の変調信号は存在していない。そして、データシンボルＢ２０３＿１が存在している第３時間に、端末Ｂ１０３宛の変調信号は存在していない。
【１５８２】
また、プリアンブルＢ１５０１＿２が存在している第４時間に、Ｂ１０２＿１の中継器＃１宛の変調信号は存在していない。同様に、制御情報シンボルＢ１５０２＿２が存在している第５時間に、Ｂ１０２＿１の中継器＃１宛の変調信号は存在していない。そして、データシンボルＢ１５０３＿２が存在している第６時間にＢ１０２＿１の中継器＃１宛の変調信号は存在していない。
【１５８３】
なお、図１００はあくまでも例であり、フレーム構成は、この例に限ったものではなく、前述の条件を満たしていればよい。
【１５８４】
そして、プリアンブルＢ２０１＿１、制御情報シンボルＢ２０２＿１、データシンボルＢ２０３＿１で構成されているＢ１０２＿１の中継器＃１宛の変調信号は、例えば第１の周波数帯を用いて、アクセスポイントＢ１０１から送信される。そして、プリアンブルＢ１５０１＿２、制御情報シンボルＢ１５０２＿２、データシンボルＢ１５０３＿２で構成されている端末Ｂ１０３宛の変調信号は、例えば第３の周波数帯を用いて、アクセスポイントＢ１０１から送信される。
【１５８５】
図１０１は、Ｂ１０２＿１の中継器＃１が送信する変調信号のフレーム構成の例を示している。図１０１、いずれも、横軸は時間であるものとする。
【１５８６】
図１０１に示すように、Ｂ１０２＿１の中継器＃１が送信する変調信号は、プリアンブルＢ５０１＿１、制御情報シンボルＢ５０２＿１、データシンボルＢ５０３＿１で構成されているものとする。ただし、Ｂ１０２＿１の中継器＃１が送信する変調信号は一つ以上であってもよい。複数の変調信号を送信する際、ＭＩＭＯの伝送を行ってもよい。
【１５８７】
なお、プリアンブルは、例えば、通信相手にとって既知の変調信号であり、通信相手が、信号検出、周波数オフセットの推定、時間同期、周波数同期などを行うためのシンボルである。そして、制御情報シンボルは、データシンボルを生成するために使用した変調信号、誤り訂正符号化方法（例えば、誤り訂正符号の種類、誤り訂正符号の符号長、ブロック長）、送信方法（例えば、ＭＣＳ：Ｍｏｄｕｌａｔｉｏｎ  ａｎｄ  Ｃｏｄｉｎｇ  Ｓｃｈｅｍｅ）などの情報を含んでいるものとする。また、データシンボルは、データを伝送するためのシンボルであるものとする。
【１５８８】
図１０１の例では、第Ｘ１時間にプリアンブルＢ５０１＿１が存在し、第Ｘ２時間に制御情報シンボルＢ５０２＿１が存在し、第Ｘ３時間にデータシンボルＢ５０３＿１が存在する。
【１５８９】
このとき、プリアンブルＢ５０１＿１、制御情報シンボルＢ５０２＿１、データシンボルＢ５０３＿１で構成されているＢ１０２＿１の中継器＃１が送信する変調信号は、第２の周波数帯を用いていることになる。
【１５９０】
次に、「図９７のアクセスポイントＢ１０１が送信するＢ１０２＿１の中継器＃１宛の変調信号、および、端末Ｂ１０３宛の変調信号のフレーム構成」が図１００のときの、「アクセスポイントＢ１０１が送信する端末Ｂ１０３宛の変調信号」と「Ｂ１０２＿１の中継器＃１が送信する端末Ｂ１０３宛の変調信号」の関係について説明する。
【１５９１】
図１２４、図１２５、図１２６は、「Ｂ１０２＿１の中継器＃１が送信する端末Ｂ１０３宛の変調信号のフレーム」、および、「アクセスポイントＢ１０１が送信する端末Ｂ１０３宛の変調信号のフレーム」の例を示しており、横軸は時間であるものとする。なお、いずれの図においても、上段が「Ｂ１０２＿１の中継器＃１が送信する端末Ｂ１０３宛の変調信号のフレーム」であり、下段が「アクセスポイントＢ１０１が送信する端末Ｂ１０３宛の変調信号のフレーム」である。
【１５９２】
なお、図１２４、図１２５、図１２６の上段に図示した「Ｂ１０２＿１の中継器＃１が送信する端末Ｂ１０３宛の変調信号のフレーム」は、図１０１に示したＢ１０２＿１の中継器＃１が送信する端末Ｂ１０３宛の変調信号のフレームに相当する。したがって、図１２４、図１２５、図１２６の上段に図示した「Ｂ１０２＿１の中継器＃１が送信する端末Ｂ１０３宛の変調信号のフレーム」は、図１０１に示したＢ１０２＿１の中継器＃１が送信する端末Ｂ１０３宛の変調信号のフレームと同様に動作するものであるため、同一番号を付している。よって、プリアンブルＢ５０１＿１は第Ｘ１時間に存在し、制御情報シンボルＢ５０２＿１は第Ｘ２時間に存在し、データシンボルＢ５０３＿１は第Ｘ３時間に存在する。
【１５９３】
図１２４、図１２５、図１２６の上段に図示した「Ｂ１０２＿１の中継器＃１が送信する端末Ｂ１０３宛の変調信号のフレーム」において、変調信号が一つ以上であってもよく、複数の変調信号が存在する場合、ＭＩＭＯの伝送を行ってもよい。
【１５９４】
また、図１２４、図１２５、図１２６の下段に図示した「アクセスポイントＢ１０１が送信する端末Ｂ１０３宛の変調信号のフレーム」は、図９９、図１００に示したアクセスポイントＢ１０１が送信する端末Ｂ１０３宛の変調信号のフレームに相当する。したがって、図１２４、図１２５、図１２６の下段に図示した「アクセスポイントＢ１０１が送信する端末Ｂ１０３宛の変調信号のフレーム」は、図９９、図１００に示したアクセスポイントＢ１０１が送信する端末Ｂ１０３宛の変調信号のフレームと同様に動作するものであるため、同一番号を付している。よって、プリアンブルＢ１５０１＿２は第４時間に存在し、制御情報シンボルＢ１５０２＿２は第５時間に存在し、データシンボルＢ１５０３＿２は第６時間に存在する。
【１５９５】
図１２４、図１２５、図１２６の下段に図示した「アクセスポイントＢ１０１が送信する端末Ｂ１０３宛の変調信号のフレーム」において、変調信号が一つ以上であってもよく、複数の変調信号が存在する場合、ＭＩＭＯの伝送を行ってもよい。
【１５９６】
図１２４において、第Ｘ１時間と第４時間は同一時間であり、第Ｘ２時間と第５時間は同一時間であり、第Ｘ３時間と第６時間は同一時間であるものとする。したがって、プリアンブルＢ５０１＿１とＢ１５０１＿２は同一のタイミングに存在し、制御情報シンボルＢ５０２＿１、Ｂ１５０２＿２は同一のタイミングに存在し、データシンボルＢ５０３＿１、Ｂ１５０３＿２は同一のタイミングに存在しているものとする。
【１５９７】
図１２５の例が、図１２４の例と異なる点は、「図１２５の例では、プリアンブルＢ５０１＿１、制御情報シンボルＢ５０２＿１、データシンボルＢ５０３＿１で構成されているフレームの時間区間とプリアンブルＢ１５０１＿２、制御情報シンボルＢ１５０２＿２、データシンボルＢ１５０３＿２で構成されているフレームの時間区間の一部が時間的に重なっている」ことである。
【１５９８】
図１２５では、プリアンブルＢ１５０１＿２が存在する第４時間には、データシンボルＢ５０３＿１の一部が存在する。また、制御情報シンボルＢ１５０２＿２が存在する第５時間には、データシンボルＢ５０３＿１の一部が存在する。
【１５９９】
なお、図１２５はあくまでも例であり、フレーム構成はこの例に限ったものではなく、前述の条件を満たしていればよい。
【１６００】
図１２６の例が、図１２４、図１２５と異なる点は、「図１２６の例では、プリアンブルＢ５０１＿１、制御情報シンボルＢ５０２＿１、データシンボルＢ５０３＿１で構成されているフレームの時間区間とプリアンブルＢ１５０１＿２、制御情報シンボルＢ１５０２＿２、データシンボルＢ１５０３＿２で構成されているフレームの時間区間が時間的に重なっていない」ことである。
【１６０１】
なお、図１２６はあくまでも例であり、フレーム構成は、この例に限ったものではなく、前述の条件を満たしていればよい。
【１６０２】
図１２４、図１２５、図１２６におけるフレームはあくまでも例であり、図１２４、図１２５、図１２６の「Ｂ１０２＿１の中継器＃１が送信する端末Ｂ１０３宛の変調信号のフレーム」に示しているシンボル以外のシンボルがフレームに存在してもよく、また、図１２４、図１２５、図１２６の「アクセスポイントＢ１０１が送信する端末Ｂ１０３宛の変調信号のフレーム」に示しているシンボル以外のシンボルがフレームに存在してもよい。
【１６０３】
なお、第１の周波数帯と第２の周波数帯は、同じ周波数帯であってもよいし、異なる周波数帯であってもよい。また、第１の周波数帯と第３の周波数帯は、同じ周波数帯であってもよいし、異なる周波数帯であってもよい。そして、第２の周波数帯と第３の周波数帯は、同じ周波数帯であってもよいし、異なる周波数帯であってもよい。
【１６０４】
これまで説明したアクセスポイント、中継器、端末で構成したシステムの各装置の動作について説明する。
【１６０５】
図９１は、図９７のアクセスポイントＢ１０１の構成の一例を示している。なお、図９１については、すでに説明を行っているので、説明の一部を省略する。
【１６０６】
その他の通信装置Ｂ８９９は、有線の通信装置、および／または、無線の通信装置であり、これにより、通信を行うことが可能である。ここでは、その他の通信装置Ｂ８９９は、第３の周波数帯の変調信号の送信、変調信号の受信を行うための通信装置を少なくとも具備しているものとする。
【１６０７】
なお、第３の周波数帯の送信信号は、複数の変調信号であってもよい。そして、複数の変調信号であったとき、複数の変調信号は複数のアンテナから送信されることになる。このとき、ＭＩＭＯ、ＭＩＳＯ伝送が用いられてもよい。したがって、一つ以上のアンテナで構成されることになる。
【１６０８】
図９７で説明したように、アクセスポイントＢ１０１とＢ１０２＿１の中継器＃１の通信は第１の周波数帯を用いて通信を行っている。したがって、ここでは、第１の周波数帯の送信信号Ｂ８０３は、Ｂ１０２＿１の中継器＃１宛の信号となる。そして、アクセスポイントＢ１０１と端末Ｂ１０３の通信は第３の周波数帯を用いて通信を行っている。したがって、ここでは図９１のその他の通信装置Ｂ８９９が、端末Ｂ１０３宛の変調信号を生成し、送信することになる。なお、各送信信号のフレーム構成については、すでに説明したとおりである。
【１６０９】
図１０２は、図９１とは異なる図９７のアクセスポイントＢ１０１の構成の一例を示している。なお、図１０２において、図９１と同様に動作するものについては同一番号を付しており、すでに説明を行っているものについては説明を省略する。
【１６１０】
第３の周波数帯用送信装置Ｂ１９１２は、データＢ１９１１を入力とし、誤り訂正符号の符号化、変調方式に基づいたマッピングなどの処理を行い、第３の周波数帯を用いた変調信号Ｂ１９１３を生成し、出力する。そして、アンテナＢ１９１４は、第３の周波数帯を用いた変調信号Ｂ１９１３を電波として出力する。なお、第３の周波数帯を用いた変調信号Ｂ１９１３は、図９７の端末Ｂ１０３宛の変調信号となる。
【１６１１】
第３の周波数帯用受信装置Ｂ１９１７は、アンテナＢ１９１５で受信した、受信信号Ｂ１９１６を入力とし、第３の周波数帯の変調信号の復調、誤り訂正符号の復号などの処理を行い、データＢ１９１８を出力する。
【１６１２】
なお、第３の周波数帯の変調信号Ｂ１９１３は、複数の変調信号であってもよい。そして、複数の変調信号であったとき、複数の変調信号は複数のアンテナから送信されることになる。このとき、ＭＩＭＯ、ＭＩＳＯ伝送が用いられてもよい。したがって、一つ以上のアンテナで構成されることになる。また、アンテナＢ１９１５は複数のアンテナで構成されていてもよく、このとき、複数の変調信号をアンテナＢ１９１５により、得ることになる。
【１６１３】
その他の通信装置Ｂ８９９は、有線の通信装置、および／または、無線の通信装置であり、これにより、通信を行うことが可能である。ただし、その他の通信装置Ｂ８９９を、アクセスポイントＢ１０１は具備していなくてもよい。
【１６１４】
図９７で説明したように、アクセスポイントＢ１０１とＢ１０２＿１の中継器＃１の通信は第１の周波数帯を用いて通信を行っている。したがって、ここでは、第１の周波数帯の送信信号Ｂ８０３は、Ｂ１０２＿１の中継器＃１宛の信号となる。そして、アクセスポイントＢ１０１と端末Ｂ１０３の通信は第３の周波数帯を用いて通信を行っている。したがって、ここでは図１０２の第３の周波数帯用送信装置Ｂ１９１２が、端末Ｂ１０３宛の変調信号を生成し、送信することになる。なお、各送信信号のフレーム構成については、すでに説明したとおりである。
【１６１５】
なお、第１の周波数帯と第３の周波数帯が同じ周波数帯の場合、第３の周波数帯関連の送信装置、受信装置がない構成であってもよい。また、第１の周波数帯と第３の周波数帯が同じ周波数帯であってもよい。
【１６１６】
図９２は、図９７のＢ１０２＿１の中継器＃１の構成の例を示している。
【１６１７】
図９２において、例えば、アンテナ９０１は、図９７のアクセスポイントＢ１０１と通信を行うためのアンテナ、アンテナ９０５は、図９７の端末Ｂ１０３と通信を行うためのアンテナとなる。
【１６１８】
したがって、中継器９０３は、アンテナ９０１を用いて、図９７のアクセスポイントＢ１０１と通信を行うことになる、同様に、アンテナ９０５を用いて図９７の端末Ｂ１０３と通信を行うことになる。
【１６１９】
図９３は、図９２の中継器の構成の一例を示している。図９３において、アンテナＢ１００１、Ｂ１０１７は、図９７のアクセスポイントＢ１０１と通信を行うためのアンテナであり、アンテナＢ１００７、Ｂ１０１１は、図９７の端末と通信を行うためのアンテナである。
【１６２０】
第Ａの周波数帯用受信装置Ｂ１００３は、アンテナＢ１００１で受信した受信信号Ｂ１００２を入力とする。なお、受信信号Ｂ１００２は、図９７のアクセスポイントＢ１０１が送信した変調信号に相当する。そして、第Ａの周波数帯用受信装置Ｂ１００３は、受信信号Ｂ１００２に対し、信号処理を行うとともに、復調、誤り訂正符号の復号などの処理を行い、データＢ１００４を出力する。
【１６２１】
なお、本実施の形態では、Ｂ１０２＿１の中継器＃１の場合、第Ａの周波数帯用受信装置Ｂ１００３は、「第１の周波数帯用受信装置」となる。したがって、受信信号Ｂ１００２は第１の周波数帯の受信信号となる。
【１６２２】
第Ｂの周波数帯用送信装置Ｂ１００５は、データＢ１００４を入力とする。ただし、第２データＢ１０００を、第Ｂの周波数帯用送信装置Ｂ１００５の入力としてあってもよい。第Ｂの周波数帯用送信装置Ｂ１００５は、「データＢ１００４」、または、「データＢ１００４、および、第２データＢ１０００」の全部、または一部に対し、誤り訂正符号化、変調（マッピング）、周波数変換等の処理を施し、送信信号Ｂ１００６を生成、出力し、送信信号Ｂ１００６は、アンテナＢ１００７から出力する。
【１６２３】
なお、本実施の形態では、Ｂ１０２＿１の中継器＃１の場合、第Ｂの周波数帯用送信装置Ｂ１００５は、「第２の周波数帯用送信装置」となる。したがって、送信信号Ｂ１００６は、第２の周波数帯の送信信号となる。
【１６２４】
図９３のアンテナＢ１００１は一つ以上のアンテナで構成されていてもよい、したがって、受信信号Ｂ１００２は一つ以上の変調信号で構成されていてもよい。よって、第Ａの周波数帯用の受信装置Ｂ１００３が、ＭＩＭＯ伝送のための受信信号処理を行ってもよい。当然であるが、第Ａの周波数帯用の受信装置Ｂ１００３は、シングルストリーム伝送のための受信信号処理を行ってもよい。
【１６２５】
また、図９３のアンテナＢ１００７は一つ以上のアンテナで構成されていてもよい。したがって、送信信号Ｂ１００６は一つ以上の変調信号で構成されていてもよい。よって、第Ｂの周波数帯用の送信装置Ｂ１００５が、ＭＩＭＯ伝送のための複数の変調信号を生成し、送信信号Ｂ１００６としてもよい。当然であるが、第Ｂの周波数帯用の送信装置Ｂ１００５は、シングルストリーム用の変調信号を送信信号Ｂ１００６と出力してもよい。
【１６２６】
アンテナＢ１０１１は、図９７の端末Ｂ１０３が送信した変調信号を受信するためのアンテナである。第Ｂの周波数帯用受信装置Ｂ１０１３は、端末Ｂ１０３が送信した変調信号を復調するための装置である。第Ａの周波数帯用送信装置Ｂ１０１５は、図９７のアクセスポイントＢ１０１に対し送信する変調信号を生成する装置である。そして、アンテナＢ１０１７は、アクセスポイントＢ１０１に対し、変調信号を送信するためのアンテナである。ただし、アンテナＢ１０１１からアンテナＢ１０１７までの動作についての説明はここでは省略する。
【１６２７】
このときの図９７の端末Ｂ１０３の構成例が図９１となる。なお、図９１において、各部の動作についてはすでに説明を行っているので説明を省略する。
【１６２８】
アンテナＢ８１５は、Ｂ１０２＿１の中継器＃１が送信した第２の周波数帯の変調信号を受信することになる。第２の周波数帯用の受信装置Ｂ８１７は、アンテナＢ８１５で受信した受信信号Ｂ８１６を入力とし、復調、誤り訂正符号の復号などの処理を行い、受信データＢ８１８を出力する。
【１６２９】
なお、アンテナＢ８１５は一つ以上のアンテナで構成されていてもよい、したがって、受信信号Ｂ８１６は一つ以上の変調信号で構成されていてもよい。よって、第２の周波数帯用の受信装置Ｂ８１７がＭＩＭＯ伝送のための受信信号処理を行ってもよい。当然であるが、第２の周波数帯用の受信装置Ｂ８１７はシングルストリーム伝送のための受信信号処理を行ってもよい。
【１６３０】
その他の通信装置Ｂ８９９は、図９７のアクセスポイントＢ１０１が送信した、第３の周波数帯の変調信号を受信し、復調、誤り訂正符号の復号などの処理を行い、データを得ることになる。
【１６３１】
なお、その他の通信装置Ｂ８９９は一つ以上のアンテナを具備していてもよい、したがって、受信信号は一つ以上の変調信号で構成されていてもよい。よって、その他の通信装置Ｂ８９９が具備する第３の周波数帯用の受信装置がＭＩＭＯ伝送のための受信信号処理を行ってもよい。当然であるが、第３の周波数帯用の受信装置はシングルストリーム伝送のための受信信号処理を行ってもよい。
【１６３２】
図９７の端末Ｂ１０３の図９１とは異なる構成例が図１０３となる。なお、図１０３において、図９１、図１０２と同様の動作するものについては、同一番号を付しており、説明の一部を省略する。
【１６３３】
アンテナＢ８１５は、Ｂ１０２＿１の中継器＃１が送信した第２の周波数帯の変調信号を受信することになる。第２の周波数帯用の受信装置Ｂ８１７は、アンテナＢ８１５で受信した受信信号Ｂ８１６を入力とし、復調、誤り訂正符号の復号などの処理を行い、受信データＢ８１８を出力する。
【１６３４】
なお、アンテナＢ８１５は一つ以上のアンテナで構成されていてもよい、したがって、受信信号Ｂ８１６は一つ以上の変調信号で構成されていてもよい。よって、第２の周波数帯用の受信装置Ｂ８１７がＭＩＭＯ伝送のための受信信号処理を行ってもよい。当然であるが、第２の周波数帯用の受信装置Ｂ８１７はシングルストリーム伝送のための受信信号処理を行ってもよい。
【１６３５】
アンテナＢ１９１４は、図９７のアクセスポイントＢ１０１が送信した第３の周波数帯の変調信号を含む受信信号を受信することになる。そして、第３の周波数帯用受信装置Ｂ１９１７は、アンテナＢ１９１５で受信した受信信号Ｂ１９１６を入力とし、復調、誤り訂正符号の復号などの処理を施し、データＢ１９１８を出力することになる。
【１６３６】
なお、アンテナＢ１９１５は一つ以上のアンテナで構成されていてもよい、したがって、受信信号Ｂ１９１６は一つ以上の変調信号で構成されていてもよい。よって、第３の周波数帯用の受信装置Ｂ１９１７がＭＩＭＯ伝送のための受信信号処理を行ってもよい。当然であるが、第３の周波数帯用の受信装置Ｂ１９１７はシングルストリーム伝送のための受信信号処理を行ってもよい。
【１６３７】
また、端末Ｂ１０３は、その他の通信装置Ｂ８９９を具備していてもよいし、具備していなくてもよい。
【１６３８】
以上のように実施することで、図９７の端末Ｂ１０３は、第１の周波数帯の変調信号と第３の周波数帯の変調信号を得るというように、複数の周波数帯の変調信号を得ることができるため、端末Ｂ１０３が得るデータの伝送量を多くすることができるという効果を得ることができる。また、第１の中継器は、「アクセスポイントＢ１０１が送信した第１の周波数帯の変調信号を受信し、第２の周波数帯の変調信号を生成し、端末Ｂ１０３に送信する」という構成とすることで、前述の効果が大きくなることになる。この点については、実施の形態Ｂ１で説明したとおりである。
【１６３９】
また、例えば、中継器の構成を図９３のような構成にすることができることを述べたが、このときの利点として、「例えば、第Ａの周波数帯の送信装置、受信装置を複数持つ必要がなく、また、第Ｂの周波数帯の送信装置、受信装置を複数持つ必要がなく、中継器の小型化、回路規模を抑圧することができる」、と考えることもできる。
【１６４０】
なお、第１の周波数帯と第２の周波数帯が同じ周波数帯であってもよいし、異なる周波数帯であってもよい。
【１６４１】
なお、本実施の形態はあくまでも一例であり、例えば、アクセスポイントＢ１０１を端末とし、端末Ｂ１０３をアクセスポイントとして実施しても同様に実施することができる。本実施の形態では、アクセスポイント、中継器、端末と名づけて説明しているが、アクセスポイントを、基地局、通信装置、端末、放送局、ノード、サーバ、コンピュータ、制御装置、コントローラ、メッシュノード、マスターアクセスポイント、携帯電話、スマートフォンなどと呼んで実施してもよく、また、中継器を、通信装置、アクセスポイント、ノード、端末、基地局、サーバ、コンピュータ、制御装置、コントローラ、メッシュノード、スレーブアクセスポイント、携帯電話、スマートフォン、サーバ、コンピュータ、などと呼んで実施してもよく、さらに、端末を、通信装置、アクセスポイント、ノード、基地局、メッシュノード、携帯電話、スマートフォン、サーバ、コンピュータ、などと呼んで実施してもよい。
【１６４２】
また、図９８、図９９、図１００、図１０１、図１２４、図１２５、図１２６において、フレーム構成の一例を記載しているが、フレーム構成は、この例に限ったものではなく、これらの図に記載されているシンボル以外のシンボルが含まれていてもよい。例えば、リファレンスシンボル、パイロットシンボル、ミッドアンブルなどのチャネル推定、位相雑音の推定、周波数・時間同期、周波数オフセット推定のためのシンボル、送信タイミングを制御するためのトリガフレームなどが含まれていてもよい。
【１６４３】
（補足Ｂ４）
ここでは、各実施の形態の補足説明を行う。
【１６４４】
実施の形態Ｂ１において、第１の周波数帯と第２周波数帯は、同じ周波数帯であってもよいし、異なる周波数帯であってもよい。
【１６４５】
実施の形態Ｂ２において、第１の周波数帯と第３の周波数帯は、同じ周波数帯であってもよいし、異なる周波数帯であってもよい。また、第１の周波数帯と第２の周波数帯は、同じ周波数帯であってもよいし、異なる周波数帯であってもよい。そして、第２の周波数帯と第３の周波数帯は、同じ周波数帯であってもよいし、異なる周波数帯であってもよい。
【１６４６】
実施の形態Ｂ３において、第Ａの周波数帯と第Ｂの周波数帯は、同じ周波数帯であってもよいし、異なる周波数帯であってもよい。また、第Ｂの周波数帯と第Ｃの周波数帯は、同じ周波数帯であってもよいし、異なる周波数帯であってもよい。そして、第Ａの周波数帯と第Ｃの周波数帯は、同じ周波数帯であってもよいし、異なる周波数帯であってもよい。
【１６４７】
実施の形態Ｂ６において、第１の周波数帯と第２の周波数帯は、同じ周波数帯であってもよいし、異なる周波数帯であってもよい。
【１６４８】
実施の形態Ｂ８において、第１の周波数帯と第２の周波数帯は、同じ周波数帯であってもよいし、異なる周波数帯であってもよい。
【１６４９】
実施の形態Ｂ９において、第１の周波数帯と第２の周波数帯は、同じ周波数帯であってもよいし、異なる周波数帯であってもよい。
【１６５０】
（実施の形態Ｂ１１）
本実施の形態では、実施の形態Ｂ１から実施の形態Ｂ１０、および、その変形例などで説明したＡＰ（アクセスポイント）、中継器、端末が送信する情報、および、各装置の動作について説明する。
【１６５１】
ＡＰ、中継器、端末は、通信相手とデータ伝送効率のよい通信を実現するために、例えば、図１２７の情報を送信する。
【１６５２】
例えば、ＡＰ、中継器、端末は、「複数変調信号による（同時）通信に対応しているか、対応していないか」を通知するための情報を送信するものとする。そのときの様子を図１２７に示す。なお、「（同時）」記載したが、「同時」であってもよいし、同時でなくてもよい。この点については、以降でも同様である。
【１６５３】
図１２７において、横軸は時間であり、例えば、capability fieldを示しているものとする。そして、capability fieldの一部の情報として、「複数変調信号による（同時）通信対応に関する情報」１２７０１が存在するものとする。なお、「複数変調信号による（同時）通信対応に関する情報」１２７０１は、「複数変調信号による（同時）通信に対応しているか、対応していないか」を通知するための情報である。ただし、capability field以外で、「複数変調信号による（同時）通信対応に関する情報」１２７０１を送信してもよい。
【１６５４】
ここで、capability fieldは、ＭＡＣフレームにおける管理フレーム、制御フレーム、データフレームなどに含まれるフィールドであって、通信に関する能力又は形態（受信能力又は送信能力など）を通信相手に通知するためのフィールドである。
【１６５５】
そして、「ＡＰは「複数変調信号による（同時）通信対応に関する情報」１２７０１を送信する」ことになる。
【１６５６】
同様に、「中継器は「複数変調信号による（同時）通信対応に関する情報」１２７０１を送信する」ことになる。
【１６５７】
「端末は「複数変調信号による（同時）通信対応に関する情報」１２７０１を送信する」ことになる。
【１６５８】
ＡＰは、中継器が送信した「複数変調信号による（同時）通信対応に関する情報」１２７０１を受信する。そして、ＡＰは、この通信に対応していることを知ると、実施の形態Ｂ１から実施の形態Ｂ１０、および、その変形例などで記載したように、複数変調信号の送信を行うことになる。
【１６５９】
中継器は、端末が送信した「複数変調信号による（同時）通信対応に関する情報」１２７０１を受信する。そして、中継器は、この通信に対応していることを知ると、実施の形態Ｂ１から実施の形態Ｂ１０、および、その変形例などで記載したように、複数変調信号が端末に受信できるよう、変調信号の送信を行うことになる。
【１６６０】
なお、ＡＰと端末が通信を行っている場合もある。この場合、以下のようになる。
【１６６１】
ＡＰは、端末が送信した「複数変調信号による（同時）通信対応に関する情報」１２７０１を受信する。そして、ＡＰは、この通信に対応していることを知ると、実施の形態Ｂ１から実施の形態Ｂ１０、および、その変形例などで記載したように、複数変調信号の送信を行うことになる。
【１６６２】
端末は、ＡＰが送信した「複数変調信号による（同時）通信対応に関する情報」１２７０１を受信する。そして、端末は、この通信に対応していることを知ると、実施の形態Ｂ１から実施の形態Ｂ１０、および、その変形例などで記載したように、複数変調信号の送信を行うことになる。
【１６６３】
また、以下であってもよい。
【１６６４】
例えば、ＡＰ、中継器、端末は、「複数変調信号による（同時）受信に対応しているか、対応していないか」を通知するための情報を送信するものとする。そのときの様子を図１２８に示す。
【１６６５】
図１２８において、横軸は時間であり、例えば、capability fieldを示しているものとする。そして、capability fieldの一部の情報として、「複数変調信号による（同時）受信対応に関する情報」１２８０１が存在するものとする。なお、「複数変調信号による（同時）受信対応に関する情報」１２８０１は、「複数変調信号による（同時）受信に対応しているか、対応していないか」を通知するための情報である。ただし、capability field以外で、「複数変調信号による（同時）受信対応に関する情報」１２８０１を送信してもよい。
【１６６６】
そして、例えば、ＡＰ、中継器、端末は、「複数変調信号による（同時）送信に対応しているか、対応していないか」を通知するための情報を送信するものとする。そのときの様子を図１２９に示す。
【１６６７】
図１２９において、横軸は時間であり、例えば、capability fieldを示しているものとする。そして、capability fieldの一部の情報として、「複数変調信号による（同時）送信対応に関する情報」１２９０１が存在するものとする。なお、「複数変調信号による（同時）送信対応に関する情報」１２９０１は、「複数変調信号による（同時）送信に対応しているか、対応していないか」を通知するための情報である。ただし、capability field以外で、「複数変調信号による（同時）送信対応に関する情報」１２９０１を送信してもよい。
【１６６８】
そして、ＡＰは、「複数変調信号による（同時）受信対応に関する情報」１２８０１、「複数変調信号による（同時）送信対応に関する情報」１２９０１を送信するとしてもよい。
【１６６９】
中継器は、「複数変調信号による（同時）受信対応に関する情報」１２８０１、「複数変調信号による（同時）送信対応に関する情報」１２９０１を送信するとしてもよい。
【１６７０】
端末は、「複数変調信号による（同時）受信対応に関する情報」１２８０１、「複数変調信号による（同時）送信対応に関する情報」１２９０１を送信するとしてもよい。
【１６７１】
ＡＰは、中継器が送信した「複数変調信号による（同時）受信対応に関する情報」１２８０１を受信する。そして、ＡＰは、この受信に対応していることを知ると、実施の形態Ｂ１から実施の形態Ｂ１０、および、その変形例などで記載したように、複数変調信号の送信を行うことになる。
【１６７２】
中継器は、端末が送信した「複数変調信号による（同時）受信対応に関する情報」１２８０１を受信する。そして、中継器は、この受信に対応していることを知ると、実施の形態Ｂ１から実施の形態Ｂ１０、および、その変形例などで記載したように、複数変調信号が端末に受信できるよう、変調信号の送信を行うことになる。
【１６７３】
端末は、中継器が送信した「複数変調信号による（同時）送信対応に関する情報」１２９０１を受信する。そして、端末は、この送信に対応していることを知ると、実施の形態Ｂ１から実施の形態Ｂ１０、および、その変形例などで記載したように、複数変調信号の受信が必要であると判断する。
【１６７４】
ＡＰは、中継器が送信した「複数変調信号による（同時）送信対応に関する情報」１２９０１を受信する。そして、ＡＰは、この送信に対応していることを知ると、実施の形態Ｂ１から実施の形態Ｂ１０、および、その変形例などで記載したように、複数変調信号の受信が必要であると判断する。
【１６７５】
中継器は、端末が送信した「複数変調信号による（同時）送信対応に関する情報」１２９０１を受信する。そして、中継器は、この送信に対応していることを知ると、実施の形態Ｂ１から実施の形態Ｂ１０、および、その変形例などで記載したように、複数変調信号の受信が必要であると判断する。
【１６７６】
中継器は、ＡＰが送信した「複数変調信号による（同時）送信対応に関する情報」１２９０１を受信する。そして、中継器は、この送信に対応していることを知ると、実施の形態Ｂ１から実施の形態Ｂ１０、および、その変形例などで記載したように、複数変調信号の受信が必要であると判断する。
【１６７７】
なお、ＡＰと端末が通信を行っている場合もある。この場合、以下のようになる。
【１６７８】
ＡＰは、端末が送信した「複数変調信号による（同時）受信対応に関する情報」１２８０１を受信する。そして、ＡＰは、この受信に対応していることを知ると、実施の形態Ｂ１から実施の形態Ｂ１０、および、その変形例などで記載したように、複数周波数帯の変調信号の送信を行うことになる。
【１６７９】
端末は、ＡＰが送信した「複数変調信号による（同時）受信対応に関する情報」１２８０１を受信する。そして、端末は、この受信に対応していることを知ると、実施の形態Ｂ１から実施の形態Ｂ１０、および、その変形例などで記載したように、複数変調信号が端末に受信できるよう、変調信号の送信を行うことになる。
【１６８０】
なお、中継器による変調信号の中継方法は、実施の形態Ｂ１から実施の形態Ｂ１０、および、その変形例の方法に限ったものではない。
【１６８１】
例えば、中継器は、第１の変調信号を受信し、第１の変調信号が使用している周波数と同じ周波数を用いて、第１の変調信号に相当する変調信号を送信してもよい。
【１６８２】
ただし、中継器は、第１の変調信号と第２の変調信号を受信し、中継する際、第１の変調信号に相当する第３の変調信号と第２の変調信号に相当する第４の変調信号を送信する際、第３の変調信号が使用する周波数帯と第４の変調信号が使用する周波数帯が異なる、または、第３の変調信号が使用するチャネルと第４の変調信号が使用するチャネルが異なるものとする。
【１６８３】
なお、通信装置が、通信相手からの上記capabilityを受信し、変調信号を送信する際、複数の変調信号の送信タイミングを知らせるためのトリガフレームを送信してもよい。例えば、通信相手は、このトリガフレームを受信することにより、複数変調信号の時間的な位置関係を知ることになる。
【１６８４】
（補足Ｂ５）
実施の形態Ｂ１から実施の形態Ｂ１０などの変形例について説明する。
【１６８５】
変形例の第１例を、図１３０を用いて説明する。図１３０において、他の図面と同様に動作するものについては同一番号を付している。
【１６８６】
図１３０の特徴的な点は、アクセスポイントＢ１０１、Ｂ１０２＿１の中継器＃１、Ｂ１０２＿２の中継器＃２で構成された通信装置１３００１が存在する点である。
【１６８７】
通信装置１３００１内の、アクセスポイントＢ１０１、Ｂ１０２＿１の中継器＃１間の通信は、有線通信（バス接続、コネクタによる接続などであってもよい）であってもよいし、無線通信であってもよい。
【１６８８】
また、通信装置１３００１内の、アクセスポイントＢ１０１、Ｂ１０２＿２の中継器＃２間の通信は、有線通信（バス接続、コネクタによる接続などであってもよい）であってもよいし、無線通信であってもよい。
【１６８９】
通信装置１３００１が具備するＢ１０２＿１の中継器＃１は、Ｂ１０３＿１の端末＃１、Ｂ１０３＿２の端末＃２、Ｂ１０３＿３の端末＃３のうち一つ以上の端末に対し、変調信号を送信する。これにより、Ｂ１０２＿１の中継器＃１は、Ｂ１０３＿１の端末＃１、Ｂ１０３＿２の端末＃２、Ｂ１０３＿３の端末＃３のうち一つ以上の端末に対し、所望のデータを伝送することになる。このとき、Ｂ１０２＿１の中継器＃１が送信する変調信号のフレーム構成の詳細の例については、他の実施の形態で説明したとおりであり、ここでは説明を省略する。
【１６９０】
同様に、通信装置１３００１が具備するＢ１０２＿２の中継器＃２は、Ｂ１０３＿１の端末＃１、Ｂ１０３＿２の端末＃２、Ｂ１０３＿３の端末＃３のうち一つ以上の端末に対し、変調信号を送信する。これにより、Ｂ１０２＿２の中継器＃２は、Ｂ１０３＿１の端末＃１、Ｂ１０３＿２の端末＃２、Ｂ１０３＿３の端末＃３のうち一つ以上の端末に対し、所望のデータを伝送することになる。このとき、Ｂ１０２＿２の中継器＃２が送信する変調信号のフレーム構成の例については、他の実施の形態で説明したとおりであり、ここでは説明を省略する。
【１６９１】
よって、Ｂ１０２＿１の中継器＃１は、変調信号を送信する際、例えば、ＯＦＤＭ、または、ＯＦＤＭＡを用いることになる。また、Ｂ１０２＿２の中継器＃２は、変調信号を送信する際、例えば、ＯＦＤＭ、または、ＯＦＤＭＡを用いることになる。
【１６９２】
例えば、通信装置１３００１が具備するＢ１０２＿１の中継器＃１が、一つ以上の端末に送信するデータは、通信装置１３００１が具備するアクセスポイントＢ１０１から得ることになる。このとき、アクセスポイントＢ１０１、Ｂ１０２＿１の中継器＃１間の通信は、有線通信であってもよいし、無線通信であってもよい。
【１６９３】
また、通信装置１３００１が具備するＢ１０２＿２の中継器＃２が、一つ以上の端末に送信するデータは、通信装置１３００１が具備するアクセスポイントＢ１０１から得ることになる。このとき、アクセスポイントＢ１０１、Ｂ１０２＿２の中継器＃２間の通信は、有線通信であってもよいし、無線通信であってもよい。
【１６９４】
本明細書で説明したように、図１３０におけるアクセスポイントＢ１０１を通信装置と呼んでもよいし、コントローラ、制御装置、サーバ、コンピュータ、携帯電話、スマートフォン、ノード、メッシュノードと呼んでもよい。呼び方はこれに限ったものではない。呼び方の例については、本明細書で記載したとおりである。
【１６９５】
また、Ｂ１０２＿１の中継器＃１を通信装置と呼んでもよいし、アクセスポイント、基地局、無線通信装置、サーバ、コンピュータ、携帯電話、スマートフォン、ノード、メッシュノード、スレーブアクセスポイント、コントローラ、制御装置と呼んでもよい。呼び方はこれに限ったものではない。呼び方の例については、本明細書で記載したとおりである。
【１６９６】
そして、Ｂ１０２＿２の中継器＃２を通信装置と呼んでもよいし、アクセスポイント、基地局、無線通信装置、サーバ、コンピュータ、携帯電話、スマートフォン、ノード、メッシュノード、コントローラ、制御装置と呼んでもよい。呼び方はこれに限ったものではない。呼び方の例については、本明細書で記載したとおりである。
【１６９７】
通信装置１３００１を、無線通信装置、アクセスポイント、コントローラ、制御装置、サーバ、基地局、コンピュータ、ノード、メッシュノード、携帯電話、スマートフォン、マスターアクセスポイントと呼んでもよい。呼び方はこれに限ったものではない。
【１６９８】
次に、変形例の第２例を、図１３１を用いて説明する。図１３１において、他の図面と同様に動作するものについては、同一番号を付している。なお、図１３１は、図９７に基づいている。
【１６９９】
図１３１の特徴的な点は、アクセスポイントＢ１０１、Ｂ１０２＿１の中継器＃１で構成された通信装置１３１０１が存在している点である。
【１７００】
通信装置１３００１内の、アクセスポイントＢ１０１、Ｂ１０２＿１の中継器＃１間の通信は、有線通信（バス接続、コネクタによる接続などであってもよい）であってもよいし、無線通信であってもよい。
【１７０１】
図１３１において、通信装置１３１０１が具備するＢ１０１のアクセスポイントは、Ｂ１０３＿１の端末＃１、Ｂ１０３＿２の端末＃２、Ｂ１０３＿３の端末＃３のうち一つ以上の端末に対し、変調信号を送信する。これにより、Ｂ１０１のアクセスポイントは、Ｂ１０３＿１の端末＃１、Ｂ１０３＿２の端末＃２、Ｂ１０３＿３の端末＃３のうち一つ以上の端末に対し、所望のデータを伝送することになる。このとき、Ｂ１０２＿１の中継器＃１が送信する変調信号のフレーム構成の詳細の例については、他の実施の形態で説明したとおりであり、ここでは説明を省略する。
【１７０２】
同様に、通信装置１３１０１が具備するＢ１０２＿１の中継器＃１は、Ｂ１０３＿１の端末＃１、Ｂ１０３＿２の端末＃２、Ｂ１０３＿３の端末＃３のうち一つ以上の端末に対し、変調信号を送信する。これにより、Ｂ１０２＿１の中継器＃１は、Ｂ１０３＿１の端末＃１、Ｂ１０３＿２の端末＃２、Ｂ１０３＿３の端末＃３のうち一つ以上の端末に対し、所望のデータを伝送することになる。このとき、Ｂ１０２＿１の中継器＃１が送信する変調信号のフレーム構成の詳細の例については、他の実施の形態で説明したとおりであり、ここでは説明を省略する。
【１７０３】
よって、アクセスポイントＢ１００は、変調信号を送信する際、例えば、ＯＦＤＭ、または、ＯＦＤＭＡを用いることになる。また、Ｂ１０２＿１の中継器＃１は、変調信号を送信する際、例えば、ＯＦＤＭ、または、ＯＦＤＭＡを用いることになる。
【１７０４】
例えば、通信装置１３１０１が具備するＢ１０２＿１の中継器＃１が、一つ以上の端末に送信するデータは、通信装置１３１０１が具備するアクセスポイントＢ１０１から得ることになる。このとき、アクセスポイントＢ１０１、Ｂ１０２＿１の中継器＃１間の通信は、有線通信であってもよいし、無線通信であってもよい。
【１７０５】
本明細書で説明したように、図１３１におけるアクセスポイントＢ１０１を通信装置と呼んでもよいし、コントローラ、制御装置、サーバ、基地局、無線通信装置、コンピュータ、携帯電話、スマートフォン、ノード、メッシュノード、マスターアクセスポイントと呼んでもよい。呼び方はこれに限ったものではない。呼び方の例については、本明細書で記載したとおりである。
【１７０６】
また、Ｂ１０２＿１の中継器＃１を通信装置と呼んでもよいし、アクセスポイント、基地局、無線通信装置、サーバ、コンピュータ、携帯電話、スマートフォン、ノード、メッシュノード、スレーブアクセスポイント、コントローラ、制御装置と呼んでもよい。呼び方はこれに限ったものではない。呼び方の例については、本明細書で記載したとおりである。
【１７０７】
通信装置１３１０１を、無線通信装置、アクセスポイント、コントローラ、制御装置、サーバ、基地局、コンピュータ、ノード、メッシュノード、携帯電話、スマートフォン、マスターアクセスポイントと呼んでもよい。呼び方はこれに限ったものではない。
【１７０８】
（補足Ｂ６）
本明細書において、アクセスポイント、中継器、端末、通信装置と名付けて説明したが、呼び名はこれに限ったものではなく、アクセスポイント、中継器、端末、通信装置それぞれを、アクセスポイント、中継器、端末、通信装置、無線通信装置、制御装置、コントローラ、ゲートウェイ、ノード、メッシュノード、マスターアクセスポイント、スレーブアクセスポイント、放送局、基地局、コンピュータ、サーバ、携帯電話、スマートフォン、タブレット、テレビ、カメラなどと呼んでもよい。
【１７０９】
実施の形態Ｂ１から実施の形態Ｂ１１、および、その変形例において、アクセスポイントが変調信号を送信する場合について説明を行った。このとき、アクセスポイントは、この変調信号を第１ビームとして送信し、また、これとは異なる変調信号を第２ビームとして送信し、第１ビームと第２ビームを同時に送信する時間が存在するようにしてもよい。なお、複数のビームを同時に送信する方法については、本明細書で説明したとおりとなる。
【１７１０】
実施の形態Ｂ１から実施の形態Ｂ１１、および、その変形例において、中継器が変調信号を送信する場合について説明を行った。このとき、中継器は、この変調信号を第３ビームとして送信し、また、これとは異なる変調信号を第４ビームとして送信し、第３ビームと第４ビームを同時に送信する時間が存在するようにしてもよい。なお、複数のビームを同時に送信する方法については、本明細書で説明したとおりとなる。
【１７１１】
実施の形態Ｂ１から実施の形態Ｂ１１、および、その変形例において、端末が変調信号を送信する場合について説明を行った。このとき、端末は、この変調信号を第５ビームとして送信し、また、これとは異なる変調信号を第６ビームとして送信し、第５ビームと第６ビームを同時に送信する時間が存在するようにしてもよい。なお、複数ビームを同時に送信する方法については、本明細書で説明したとおりとなる。
【１７１２】
実施の形態Ｂ１から実施の形態Ｂ１１、および、その変形例において、通信装置が変調信号を送信する場合について説明を行った。このとき、通信装置は、この変調信号を第７ビームとして送信し、また、これとは異なる変調信号を第８ビームとして送信し、第７ビームと第８ビームを同時に送信する時間が存在するようにしてもよい。なお、複数ビームを同時に送信する方法については、本明細書で説明したとおりとなる。
【１７１３】
実施の形態１から実施の形態７、および、その変形例では、同じデータを複数ビームで送信する場合について説明したが、実施の形態Ｂ１から実施の形態Ｂ１１、および、その変形例に適用する場合は、異なるデータを、複数ビームを用いて送信するだけでよい。
【１７１４】
実施の形態１から実施の形態７、および、その変形例では、１つの信号処理部が複数のビームを用いた送信または受信を行う場合を例に挙げて説明したが、複数の信号処理部を備えていてもよい。このとき、複数の信号処理部は独立に動作してもよいし、連携して動作してもよい。
【１７１５】
例えば、独立して動作する場合は、複数の信号処理部はそれぞれの異なるタイミングで信号が送受信される通信を並行して行う。
【１７１６】
複数の信号処理部は、上記の複数の動作のうち特定の動作のみが可能なように構成されていてもよいし、動作を切り替えることができるように構成されていてもよい。
【１７１７】
また、複数の信号処理部は、それぞれに固有の一または複数のアンテナを備えていてもよいし、複数の信号処理部により一または複数のアンテナを共有して用いてもよい。
【１７１８】
以上で説明した本開示は、例えば以下の態様を含む。
【１７１９】
本開示の一態様である第１の送信装置は、第１の端末宛てのデータを第１の端末に対して送信する第１の送信部と、第２の端末宛てのデータを他の送信装置に対して送信する第２の送信部と、を備え、第１の端末宛てのデータは、第１の周波数チャネルで送信される第１のＯＦＤＭ信号に含まれる第１の周波数リソースで伝送されており、第２の端末宛てのデータは、他の送信装置が第１の周波数チャネルで送信する第２のＯＦＤＭ信号に含まれる第２の周波数リソースで伝送されており、第１の周波数リソースを構成するサブキャリアは、第２の周波数リソースを構成するサブキャリアと異なり、第１のＯＦＤＭ信号が送信される第１の期間は、第２のＯＦＤＭ信号が送信される第２の期間と少なくとも一部が重複していており、第１のＯＦＤＭ信号の第２の周波数リソースにはデータは格納されておらず、第２のＯＦＤＭ信号の第１の周波数リソースにはデータは格納されていない。
【１７２０】
本開示の一態様である第２の送信装置は、上記第１の送信装置において、第１の送信部は、少なくとも一つの他の端末宛てのデータを第３のＯＦＤＭ信号に格納して、第１の期間と少なくとも一部が重複する第２の期間に送信する。
【１７２１】
本開示の一態様である第３の送信装置は、上記第２の送信装置において、第３のＯＦＤＭ信号の第１の周波数リソース及び第２の周波数リソースには、少なくとも一つの他の端末宛てのデータが格納されている。
【１７２２】
本開示の一態様である第４の送信装置は、上記第２の送信装置において、第３のＯＦＤＭ信号の第１の周波数リソースには、少なくとも一つの他の端末宛てのデータが格納されており、第２の周波数リソースにはデータは格納されていない。
【１７２３】
本開示の一態様である第５の送信装置は、上記第１の送信装置において、第２の送信部は、他の送信装置に対して、第２のＯＦＤＭ信号を送信するタイミングを指定する信号を送信する。
【１７２４】
本開示の一態様である第１の送信方法は送信装置が実施する送信方法であって、第１の端末宛てのデータを第１の端末に対して送信し、第２の端末宛てのデータを他の送信装置に対して送信し、第１の端末宛てのデータは、第１の周波数チャネルで送信される第１のＯＦＤＭ信号に含まれる第１の周波数リソースで伝送されており、第２の端末宛てのデータは、他の送信装置が第１の周波数チャネルで送信する第２のＯＦＤＭ信号に含まれる第２の周波数リソースで伝送されており、第１の周波数リソースを構成するサブキャリアは、第２の周波数リソースを構成するサブキャリアと異なり、第１のＯＦＤＭ信号が送信される期間は、第２のＯＦＤＭ信号が送信される期間と少なくとも一部が重複していている、第１のＯＦＤＭ信号の第２の周波数リソースにはデータは格納されておらず、第２のＯＦＤＭ信号の第１の周波数リソースにはデータは格納されていない。
【１７２５】
なお、上記の態様の説明では「周波数リソースにデータが格納されている」、または「周波数リソースにデータが格納されていない」と説明したが、以下のように言いかえてもよい。例えば、「周波数リソースにデータを変調して生成された変調信号がマッピングされている」、または「波数リソースにデータを変調して生成された変調信号がマッピングされていない」と説明してもよいし、「周波数リソースのサブキャリアにデータを変調して生成された変調信号がマッピングされている」、または「周波数リソースのサブキャリアにデータを変調して生成された変調信号がマッピングされていない」と説明してもよい。
【１７２６】
なお、上記各実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。ここで、上記各実施の形態のシステム又は装置などを実現するソフトウェアは、例えば次のようなプログラムである。
【１７２７】
（補足Ｂ７）
（１）図１３２Ａ、図１３２Ｂおよび図１３２Ｃのようなシステムにおける、特に、中継器の構成に関する発明について、図１３２Ａ、図１３２Ｂおよび図１３２Ｃにおける中継器の構成の一例が図１３３となる。つまり、中継器１３２０１は、一つ以上のアクセスポイントと通信を行う。そして、中継器１３２０１は、アクセスポイントが送信した変調信号に相当する信号を端末Ｂ１０３に送信する。また、中継器１３２０１は、端末Ｂ１０３が送信した変調信号に相当する信号をアクセスポイントに送信する。
【１７２８】
このとき、一つ以上のアクセスポイントと中継器１３２０１の通信では図に示すように、第Ａの周波数帯と第Ｂの周波数帯を使用する。また、端末Ｂ１０３と中継器の通信では図に示すように第Ａの周波数帯と第Ｂの周波数帯を使用する。
【１７２９】
中継器１３２０１は、アクセスポイントが送信した第Ａの周波数帯の変調信号を受信すると、第Ｂの周波数帯に変換し、変調信号を端末Ｂ１０３に送信する。中継器１３２０１は、アクセスポイントが送信した第Ｂの周波数帯の変調信号を受信すると、第Ａの周波数帯に変換し、変調信号を端末Ｂ１０３に送信する。
【１７３０】
中継器１３２０１は、端末Ｂ１０３が送信した第Ａの周波数帯の変調信号を受信すると、第Ｂの周波数帯に変換し、変調信号をアクセスポイントに送信する。中継器１３２０１は、端末が送信した第Ｂの周波数帯の変調信号を受信すると、第Ａの周波数帯に変換し、変調信号をアクセスポイントに送信する。
【１７３１】
なお、これら点については、他の実施の形態でも説明を行っている。
【１７３２】
中継器１３２０１は、例えば、図１３３の構成であるものとする。このとき、第１の構成として、図１３３の中継器の各部分は、図１３４、図１３５、図１３６及び図１３７の構成であるものとする。第２の構成として、図１３３の中継器の各部分は、図１３８、図１３９、図１４０及び図１４１の構成であるものとする。
【１７３３】
図１３３の第Ａの周波数帯用の通信装置１３３０３は、アクセスポイントと通信を行うための通信装置である。アンテナ１３３０１は、アクセスポイントとの通信のための第Ａの周波数帯の変調信号の送受信を行うためのアンテナである。
【１７３４】
第Ｂの周波数帯用の通信装置１３３０５は、端末と通信を行うための通信装置である。アンテナ１３３０７は、端末との通信のための第Ｂの周波数帯の変調信号の送受信を行うためのアンテナである。
【１７３５】
第Ｂの周波数帯用の通信装置１３３５３は、アクセスポイントと通信を行うための通信装置である。アンテナ１３３５１は、アクセスポイントとの通信のための第Ｂの周波数帯の変調信号の送受信を行うためのアンテナである。
【１７３６】
第Ａの周波数帯の通信装置１３３５５は、端末と通信を行うための通信装置である。アンテナ１３３５７は、端末との通信のための第Ａの周波数帯の変調信号の送受信を行うためのアンテナである。
【１７３７】
第Ａの周波数帯用の通信装置１３３０３は、アクセスポイントが送信した変調信号を受信し、一部のデータを第Ａの周波数帯の通信装置１３３５５へ伝送する（信号１３３１１）。
【１７３８】
同様に、第Ｂの周波数帯用の通信装置１３３５３は、アクセスポイントが送信した変調信号を受信し、一部のデータを第Ｂの周波数帯の通信装置１３３０５へ伝送する（信号１３３６１）。
【１７３９】
以下では、図１３４、図１３５、図１３６および図１３７の構成をもつ第１の構成の中継器、図１３８、図１３９、図１４０および図１４１の構成をもつ第２の構成の中継器について説明する。
【１７４０】
（１−１）図１３４、図１３５、図１３６および図１３７の構成をもつ第１の構成の中継器：
「Ｂ１０１のアクセスポイント（図１３２Ａのとき）（または、Ｂ１０１＿１のアクセスポイント＃１（図１３２Ｂ、図１３２Ｃのとき））が第Ａの周波数帯を用いて行う通信用のＳＳＩＤ」と「Ｂ１０１のアクセスポイント（または、Ｂ１０１＿２のアクセスポイント＃２）が第Ｂの周波数帯を用いて行う通信用のＳＳＩＤ」が異なるものとする。ただし、ＡとＢは異なるものとする。なお、「Ｂ１０１のアクセスポイント（または、Ｂ１０１＿１のアクセスポイント＃１）が第Ａの周波数帯を用いて行う通信用のＳＳＩＤ」をＳＳＩＤ＃Ｘ、「Ｂ１０１のアクセスポイント（または、Ｂ１０１＿２のアクセスポイント＃２）が第Ｂの周波数帯を用いて行う通信用のＳＳＩＤ」をＳＳＩＤ＃Ｙとする。
【１７４１】
動作については、図１３４、図１３５、図１３６および図１３７で記載したとおりとなる。
【１７４２】
図１３４は、図１３３の第Ａの周波数帯用通信装置１３３０３関連の構成を示している。
【１７４３】
ＡＰ（アクセスポイント）が、第Ａの周波数帯を用いで、データフレーム、ＭＡＣフレームを送信した場合の動作例について説明する。なお、ＭＡＣフレームについては、後で詳しく説明する。
【１７４４】
図１３４の第Ａの周波数帯用送受信装置１３４０３が、図１３３の第Ａの周波数帯用の通信装置１３３０３の一部に相当し、図１３４のアンテナ１３４０１、１３４１５が、図１３３のアンテナ１３３０１に相当する。
【１７４５】
ここで、ＡＰ（アクセスポイント）の第Ａの周波数帯を使用するときのＳＳＩＤをＳＳＩＤ＃Ｘとする。
【１７４６】
信号線１３４０４の一部は、図１３３に示される信号線１３３０４の一部に相当する。
【１７４７】
信号線１３４１１は、図１３３に示される信号線１３３０４の一部に相当する。
【１７４８】
信号線１３４０６は、図１３３に示される信号線１３３１１に相当し、例えば、ＳＳＩＤ＃Ｘの情報を含む信号が流れる。
【１７４９】
アンテナ１３４０１及び１３４１５は、例えば、アクセスポイントと通信する。そして、図１３４のアンテナ１３４０１において、ＡＰが第Ａの周波数帯を用いて送信した、データフレーム、ＭＡＣフレームを受信したものとする。
【１７５０】
ＳＳＩＤ抽出部１３４０５は、第Ａの周波数帯における例えばデータフレーム、ＭＡＣフレーム（例えば、beaconフレーム）などに含まれるSSID（Service Set ID(identifier)）を抽出する。これにより、ＳＳＩＤ＃Ｘが得られる。ただし、ＳＳＩＤ＃Ｘを得ることができるフレームはBeaconフレームに限ったものではない。
【１７５１】
図１３４の信号１３４１１は、図１３３の第Ｂの周波数帯の通信装置１３３０５が、端末が送信した第Ｂの周波数帯の変調信号を受信することにより得た信号となる。ＳＳＩＤチェック部１３４１２は、第Ｂの周波数帯における、端末が送信した例えば、ＭＡＣフレームのプローブ要求（Probe Request）、アソシエーション要求（Association Request）などに含まれるＳＳＩＤ（このときのＳＳＩＤはＳＳＩＤ＃Ｙとなる）を書き換える。したがって、信号１３４１１にＳＳＩＤが含まれていたときは、ＳＳＩＤチェック部１３４１２に入力される信号のＳＳＩＤはＳＳＩＤ＃Ｙであるが、ＳＳＩＤチェック部１３４１２通過後、ＳＳＩＤはＳＳＩＤ＃Ｘに置き換えられる。なお、フレームにＳＳＩＤが存在しない場合、ＳＳＩＤチェック部１３４１２は、動作せず、入力信号を出力信号（１３４１３）とする。
【１７５２】
そして、第Ａの周波数帯用送受信装置１３４０３は、信号１３４１３を入力とし、第Ａの周波数帯の変調信号を生成し、第Ａの周波数帯の変調信号はアンテナ１３４１５から電波として出力される。
【１７５３】
図１３５は、図１３３の第Ｂの周波数帯用通信装置１３３５３関連の構成を示している。
【１７５４】
ＡＰが、第Ｂの周波数帯を用いて、データフレーム、ＭＡＣフレームを送信した場合の動作例について説明する。
【１７５５】
図１３５の第Ｂの周波数帯用の受信装置１３５０３が、図１３３の第Ｂの周波数帯用の通信装置１３３５３の一部に相当し、図１３５のアンテナ１３５０１、１３５１５が、図１３３のアンテナ１３３５１に相当する。
【１７５６】
ここで、ＡＰの第Ｂの周波数帯を使用するときのＳＳＩＤをＳＳＩＤ＃Ｙとする。
【１７５７】
信号線１３５０４の一部は、図１３３に示される信号線１３３５４の一部に相当する。
【１７５８】
信号線１３５１１は、図１３３に示される信号線１３３５４の一部に相当する。
【１７５９】
信号線１３５０６は、図１３３に示される信号線１３３６１に相当し、例えば、ＳＳＩＤ＃Ｙの情報を含む信号が流れる。
【１７６０】
アンテナ１３５０１及び１３５１５は、例えば、アクセスポイントと通信する。その場合、図１３５のアンテナ１３５０１において、ＡＰが第Ｂの周波数帯を用いて送信した、データフレーム、ＭＡＣフレームを受信する。
【１７６１】
ＳＳＩＤ抽出部１３５０５は、第Ｂの周波数帯における例えばデータフレーム、ＭＡＣフレーム（例えば、beaconフレーム）などに含まれるSSID（Service Set ID(identifier)）を抽出する。これにより、ＳＳＩＤ＃Ｙが得られる。ただし、ＳＳＩＤ＃Ｙを得ることができるフレームはBeaconフレームに限ったものではない。
【１７６２】
図１３５の信号１３５１１は、図１３３の第Ａの周波数帯の通信装置１３５５５が、端末が送信した第Ａの周波数帯の変調信号を受信することにより得た信号である。ＳＳＩＤチェック部１３５１２は、第Ａの周波数帯における、端末が送信した例えば、ＭＡＣフレームのプローブ要求（Probe Request）、アソシエーション要求（Association Request）などに含まれるＳＳＩＤ（このときのＳＳＩＤはＳＳＩＤ＃Ｘとなる）を書き換える。したがって、信号１３５１１にＳＳＩＤがふくまれていたときは、ＳＳＩＤチェック部１３５１２に入力されるＳＳＩＤ＃Ｘであるが、ＳＳＩＤチェック部１３５１２通過後、ＳＳＩＤはＳＳＩＤ＃Ｙに置き換えられる。なお、フレームにＳＳＩＤが存在しない場合、ＳＳＩＤチェック部１３５１２は、動作せず、入力信号を出力信号（１３５１３）とすることになる。
【１７６３】
そして、第Ｂの周波数帯用送受信装置１３５０３は、信号１３５１３を入力とし、第Ｂの周波数帯の変調信号を生成し、第Ｂの周波数帯の変調信号はアンテナ１３５１５から電波として出力される。
【１７６４】
図１３６は、図１３３の第Ｂの周波数帯用通信装置１３３０５関連の構成を示している。
【１７６５】
信号線１３６０１は、図１３３に示される信号線１３３０４の一部に相当し、また、図１３４に示される信号線１３４０４に相当する。
【１７６６】
信号線１３６１３は、図１３３に示される信号線１３３０４に相当し、また、図１３４に示される信号線１３４１１に相当する。信号線１３６０２は、図１３３に示される信号線１３３６１に相当し、また、図１３５に示される信号線１３５０６に相当する。アンテナ１３６０７及び１３６１１は、例えば、端末との間で信号の送受信を行う。このとき、端末との間で送受信される信号は第Ｂの周波数帯を使用している。ＳＳＩＤチェック部１３６０３は、ＡＰが第Ａの周波数帯に送信した、例えば、ＭＡＣフレームなどのフレームの、例えば、ビーコン、プローブ応答（Probe Response）、アソシエーション応答（Association Response）などに含まれるＳＳＩＤ（このときのＳＳＩＤはＳＳＩＤ＃Ｘとなる。）を書き換える。したがって、信号１３６０１にＳＳＩＤが含まれていたときは、ＳＳＩＤチェック部１３６０３に入力される信号のＳＳＩＤはＳＳＩＤ＃Ｘであるが、ＳＳＩＤチェック部１３６０３通過後、ＳＳＩＤはＳＳＩＤ＃Ｙに置き換えられる。なお、ＳＳＩＤチェック部１３６０３は、フレームにＳＳＩＤが存在しない場合、動作せず、入力信号を出力信号（１３６０４）とする。
【１７６７】
そして、第Ｂの周波数帯用送受信装置１３６０５は、信号１３６０４を入力とし、第Ｂの周波数帯の変調信号を生成し、第Ｂの周波数帯の変調信号はアンテナ１３６０７から電波として出力される。
【１７６８】
また、アンテナ１３６１１は、端末が送信した第Ｂの周波数帯の変調信号を受信し、第Ｂの周波数帯用送受信装置１３６０５は、この受信信号を処理し、信号１３６１３を出力する。
【１７６９】
図１３７は、図１３３の第Ａの周波数帯用通信装置１３３５５関連の構成を示している。
【１７７０】
信号線１３７０１は、図１３３に示される信号線１３３５４の一部に相当し、また、図１３５に示される信号線１３５０４に相当する。
【１７７１】
信号線１３７１３は、図１３３に示される信号線１３３５４に相当し、また、図１３５に示される信号線１３５１１に相当する。
【１７７２】
信号線１３７０２は、図１３３に示される信号線１３３１１に相当し、また、図１３４に示される信号線１３４０６に相当する。
【１７７３】
アンテナ１３７０７及び１３７１１は、例えば、端末と通信する。このとき、第Ａの周波数帯を使用することになる。
【１７７４】
ＳＳＩＤチェック部１３７０３は、ＡＰが第Ｂの周波数帯に送信したＭＡＣフレームの例えば、ビーコン、プローブ応答（Probe Response）、アソシエーション応答（Association Response）などに含まれるＳＳＩＤ（このときのＳＳＩＤはＳＳＩＤ＃Ｙとなる）を書き換える。したがって、信号１３７０１にＳＳＩＤが含まれていたときは、ＳＳＩＤチェック部１３７０３に入力される信号のＳＳＩＤはＳＳＩＤ＃Ｙであるが、ＳＳＩＤチェック部１３７０３通過後、ＳＳＩＤはＳＳＩＤ＃Ｘに置き換えられる。なお、ＳＳＩＤチェック部１３７０３は、フレームにＳＳＩＤが存在しない場合、動作せず、入力信号を出力信号（１３７０４）とすることになる。
【１７７５】
そして、第Ａの周波数帯用送受信装置１３７０５は、信号１３７０４を入力とし、第Ａの周波数帯の変調信号を生成し、第Ａの周波数帯の変調信号はアンテナ１３７０７から電波として出力される。
【１７７６】
また、アンテナ１３７１１は、端末が送信した第Ａの周波数帯の変調信号を受信し、第Ａの周波数帯用送受信装置１３７０５は、この受信信号を処理し、信号１３７１３を出力する。
【１７７７】
（１−２）図１３８、図１３９、図１４０および図１４１の構成をもつ第２の構成の中継器：
「Ｂ１０１のアクセスポイント（図１３２Ａのとき）（または、Ｂ１０１＿１のアクセスポイント＃１（図１３２Ｂ、図１３２Ｃのとき））が第Ａの周波数帯を用いて行う通信用のＭＡＣアドレス」と「Ｂ１０１のアクセスポイント（または、Ｂ１０１＿２のアクセスポイント＃２）が第Ｂの周波数帯を用いて行う通信用のＭＡＣアドレス」が異なるものとする。ただし、ＡとＢは異なるものとする。なお、「Ｂ１０１のアクセスポイント（または、Ｂ１０１＿１のアクセスポイント＃１）が第Ａの周波数帯を用いて行う通信用のＭＡＣアドレス」をＭＡＣアドレスＸ、「Ｂ１０１のアクセスポイント（または、Ｂ１０１＿２のアクセスポイント＃２）が第Ｂの周波数帯を用いて行う通信用のＭＡＣアドレス」をＭＡＣアドレスＹとする。
【１７７８】
動作については、図１３８、図１３９、図１４０および図１４１で記載したとおりとなる。
【１７７９】
図１３８は、図１３３の第Ａの周波数帯用通信装置１３３０３関連の構成を示している。
【１７８０】
ＡＰが、第Ａの周波数帯を用いて、データフレーム、ＭＡＣフレームを送信した場合の動作例について説明する。なお、ＭＡＣフレームについては、後で詳しく説明する。
【１７８１】
なお、図１３８において、図１３４と同様に動作するものには、同一番号を付しており、すでに説明を行っているので、ここでの説明は省略する。
【１７８２】
ここで、ＡＰの第Ａの周波数帯を使用するときのＭＡＣアドレスをＭＡＣアドレス＃Ｘとする。
【１７８３】
信号線１３４０４の一部は、図１３３に示される信号線１３３０４の一部に相当する。
【１７８４】
信号線１３４１１は、図１３３に示される信号線１３３０４の一部に相当する。
【１７８５】
信号線１３８０２は、図１３３に示される信号線１３３１１に相当し、例えば、ＭＡＣアドレス＃Ｘの情報を含む信号である。
【１７８６】
アンテナ１３４０１及び１３４１５は、例えば、アクセスポイントと通信する。そして、図１３８のアンテナ１３４０１において、ＡＰが第Ａの周波数帯を用いて送信した、データフレーム、ＭＡＣフレームを受信したものとする。  ＭＡＣアドレス抽出部１３８０１は、第Ａの周波数帯における例えばデータフレーム、ＭＡＣフレーム（例えば、Beaconフレーム）などのSA（Source Address：送信元アドレス）を抽出することになる。これにより、ＭＡＣアドレス＃Ｘが得られる。ただし、ＭＡＣアドレス＃Ｘを得ることができるフレームはBeaconフレームに限ったものではない。図１３８の信号１３４１１は、図１３３の第Ｂの周波数帯の通信装置１３３０５が、端末が送信した第Ｂの周波数帯の変調信号を受信することにより得た信号となる。ＭＡＣアドレスチェック部１３８１１は、第Ｂの周波数帯における、端末が送信した例えば、ＭＡＣフレームのＲＴＳ、ＣＴＳ、ＡＣＫフレーム、プローブ要求（Probe Request）、アソシエーション要求（Association Request）、データフレームなどに含まれるＤＡ（Destination Address：宛先アドレス）（このときのＤＡはＭＡＣアドレス＃Ｙとなる）を書き換える。したがって、信号１３４１１にＤＡが含まれていたときは、ＭＡＣアドレスチェック部１３８１１に入力される信号のＤＡはＭＡＣアドレス＃Ｙであるが、ＭＡＣアドレスチェック部１３８１１通過後、ＤＡはＭＡＣアドレス＃Ｘに置き換えられる。なお、ＭＡＣアドレスチェック部１３８１１は、フレームにＤＡが存在しない場合、動作せず、入力信号を出力信号（１３８１２）とする。
【１７８７】
そして、第Ａの周波数帯用送受信装置１３４０３は、信号１３８１２を入力とし、第Ａの周波数帯の変調信号を生成し、第Ａの周波数帯の変調信号はアンテナ１３４１５から電波として出力される。
【１７８８】
図１３９は、図１３３の第Ｂの周波数帯用通信装置１３３５３関連の構成を示している。
【１７８９】
ＡＰが、第Ａの周波数帯を用いて、データフレーム、ＭＡＣフレームを送信した場合の動作例について説明する。
【１７９０】
なお、図１３９において、図１３５と同様に動作するものには、同一番号を付しており、すでに説明を行っているので、ここでの説明は省略する。
【１７９１】
ここで、ＡＰの第Ｂの周波数帯を使用するときのＭＡＣアドレスをＭＡＣアドレス＃Ｙとする。信号線１３５０４の一部は、図１３３に示される信号線１３３５４の一部に相当する。
【１７９２】
信号線１３５１１は、図１３３に示される信号線１３３５４の一部に相当する。
【１７９３】
信号線１３９０２は、図１３３に示される信号線１３３６１に相当し、例えば、ＭＡＣアドレス＃Ｙの情報を含む信号である。  アンテナ１３５０１及び１３５１５は、例えば、アクセスポイントと通信する。そして、図１３９のアンテナ１３５０１において、ＡＰが第Ｂの周波数帯を用いて送信した、データフレーム、ＭＡＣフレームを受信したものとする。  ＭＡＣアドレス抽出部１３９０１は、第Ｂの周波数帯における例えばデータフレーム、ＭＡＣフレーム（例えば、Beaconフレーム）などのSA（Source Address：送信元アドレス）を抽出する。これにより、ＭＡＣアドレス＃Ｙが得られる。ただし、ＭＡＣアドレス＃Ｙを得ることができるフレームはBeaconフレームに限ったものではない。
【１７９４】
図１３９の信号１３５１１は、図１３３の第Ａの周波数帯の通信装置１３３５５が、端末が送信した第Ａの周波数帯の変調信号を受信することにより得た信号である。ＭＡＣアドレスチェック部１３９１１は、第Ａの周波数帯における、端末が送信した例えば、ＭＡＣフレームのＲＴＳ、ＣＴＳ、ＡＣＫフレーム、プローブ要求（Probe Request）、アソシエーション要求（Association Request）、データフレームなどに含まれるＤＡ（Destination Address：宛先アドレス）（このときのＤＡはＭＡＣアドレス＃Ｘとなる）を書き換える。したがって、信号１３５１１にＤＡが含まれていたときは、ＭＡＣアドレスチェック部１３９１１に入力される信号のＤＡはＭＡＣアドレス＃Ｘであるが、ＭＡＣアドレスチェック部１３９１１通過後、ＤＡはＭＡＣアドレス＃Ｙに置き換えられる。なお、ＭＡＣアドレスチェック部１３９１１は、フレームにＤＡが存在しない場合、動作せず、入力信号を出力信号（１３９１２）とする。
【１７９５】
そして、第Ｂの周波数帯用送受信装置１３５０３は、信号１３９１２を入力とし、第Ｂの周波数帯の変調信号を生成し、第Ｂの周波数帯の変調信号はアンテナ１３５１５から電波として出力される。
【１７９６】
図１４０は、図１３３の第Ｂの周波数帯用通信装置１３３０５関連の構成を示している。
【１７９７】
信号線１３６０１は、図１３３に示される信号線１３３０４の一部に相当し、また、図１３８に示される信号線１３４０４に相当する。
【１７９８】
信号線１３６１３は、図１３３に示される信号線１３３０４に相当し、また、図１３８に示される信号線１３４１１に相当する。
【１７９９】
信号線１４００１は、図１３３に示される信号線１３３６１に相当し、また、図１３９に示される信号線１３９０２に相当する。
【１８００】
アンテナ１３６０７及び１３６１１は、例えば、端末と通信する。このとき、第Ａの周波数帯を使用することになる。
【１８０１】
ＭＡＣアドレスチェック部１４００２は、ＡＰが第Ａの周波数帯に送信した例えば、ＲＴＳ、プローブ応答（Probe Response）、アソシエーション応答（Association Response）、データフレームなどに含まれるＳＡ（Source Address：送信元アドレス）（このとき、ＳＡはＭＡＣアドレス＃Ｘとなる。）を書き換える。したがって、信号１３６０１にＳＡが含まれていたときは、ＭＡＣアドレスチェック部１４００２に入力される信号のＳＡはＭＡＣアドレス＃Ｘであるが、ＭＡＣアドレスチェック部１４００２通過後、ＳＡはＭＡＣアドレス＃Ｙに置き換えられている。なお、ＭＡＣアドレスチェック部１４００２は、フレームにＳＡが存在しない場合、動作せず、入力信号を出力信号（１４００３）とする。
【１８０２】
そして、第Ｂの周波数帯用送受信装置１３６０５は、信号１４００３を入力とし、第Ｂの周波数帯の変調信号を生成し、第Ｂの周波数帯の変調信号はアンテナ１３６０７から電波として出力される。
【１８０３】
また、アンテナ１３６１１は、端末が送信した第Ｂの周波数帯の変調信号を受信し、第Ｂの周波数帯用送受信装置１３６０５は、この受信信号を処理し、信号１３６１３を出力する。
【１８０４】
図１４１は、図１３３の第Ａの周波数帯用通信装置１３３５５関連の構成を示している。
【１８０５】
信号線１３７０１は、図１３３に示される信号線１３３５４の一部に相当し、また、図１３９に示される信号線１３５０４に相当する。
【１８０６】
信号線１３７１３は、図１３３に示される信号線１３３５４に相当し、また、図１３９に示される信号線１３５１１に相当する。
【１８０７】
信号線１４１０１は、図１３３に示される信号線１３３１１に相当し、また、図１３８に示される信号線１３８０２に相当する。
【１８０８】
アンテナ１３７０７及び１３７１１は、例えば、端末と通信する。このとき、第Ｂの周波数帯を使用することになる。ＭＡＣアドレスチェック部１４１０２は、ＡＰが第Ｂの周波数帯に送信した例えば、ＲＴＳ、プローブ応答（Probe Response）、アソシエーション応答（Association Response）、データフレームなどに含まれるＳＡ（Source Address：送信元アドレス）を書き換える（このとき、ＳＡはＭＡＣアドレス＃Ｙとなる。）。したがって、信号１３７０１にＳＡが含まれていたときは、ＭＡＣアドレスチェック部１４１０２に入力される信号のＳＡはＭＡＣアドレス＃Ｙであるが、ＭＡＣアドレスチェック部１４１０２通過後、ＳＡはＭＡＣアドレス＃Ｘに置き換えられている。なお、ＭＡＣアドレスチェック部１４１０２は、フレームにＳＡが存在しない場合、動作せず、入力信号を出力信号（１４１０３）とする。
【１８０９】
そして、第Ａの周波数帯用送受信装置１３７０５は、信号１４１０３を入力とし、第Ａの周波数帯の変調信号を生成し、第Ａの周波数帯の変調信号はアンテナ１３７０７から電波として出力される。
【１８１０】
また、アンテナ１３７１１は、端末が送信した第Ａの周波数帯の変調信号を受信し、第Ａの周波数帯用送受信装置１３７０５は、この受信信号を処理し、信号１３７１３を出力する。
【１８１１】
（１−３）変形例
「Ｂ１０１のアクセスポイント（または、Ｂ１０１＿１のアクセスポイント＃１）が第Ａの周波数帯を用いて行う通信用のＳＳＩＤ」と「Ｂ１０１のアクセスポイント（または、Ｂ１０１＿２のアクセスポイント＃２）が第Ｂの周波数帯を用いて行う通信用のＳＳＩＤ」が異なるものとする。ただし、ＡとＢは異なるものとする。さらに、「Ｂ１０１のアクセスポイント（または、Ｂ１０１＿１のアクセスポイント＃１）が第Ａの周波数帯を用いて行う通信用のＭＡＣアドレス」と「Ｂ１０１のアクセスポイント（または、Ｂ１０１＿２のアクセスポイント＃２）が第Ｂの周波数帯を用いて行う通信用のＭＡＣアドレス」が異なるものとする。
【１８１２】
この場合、図１３４の構成に対し、図１３８のＭＡＣアドレス抽出部１３８０１、ＭＡＣアドレスチェック部１３８１１を追加した構成となる。
【１８１３】
また、図１３５の構成に対し、図１３９のＭＡＣアドレス抽出部１３９０１、ＭＡＣアドレスチェック部１３９１１を追加した構成となる。
【１８１４】
そして、図１３６の構成に対し、図１４０のＭＡＣアドレスチェック部１４００２を追加した構成となる。
【１８１５】
また、図１３７の構成に対し、図１４１のＭＡＣアドレスチェック部１４１０２を追加した構成となる。
【１８１６】
（１−４）変形例
上記（１−１）、上記（１−２）および上記（１−３）において、第Ａの周波数帯、第Ｂの周波数帯と記載して説明を行ったが、第Ａの周波数帯を「第Ｃの周波数帯のＭチャネル」第Ｂの周波数帯を「第Ｃの周波数帯のＮチャネル」と置き換えて、上記（１−１）、上記（１−２）および上記（１−３）を実施しても、同様に実施することが可能である。
【１８１７】
（２）：
本開示において、ＭＡＣアドレスを用いて説明を行っている部分があるが、ＭＡＣアドレスの代わりに、ＢＳＳＩＤ（Basic Service Set ID(identifier)）、ＤＡ（Destination Address（宛先アドレス））、ＳＡ（Source Address（送信元アドレス））を用いても同様に実施することが可能である。
【１８１８】
（３）：
端末が、中継器、アクセスポイントに対し、Capabilityのフレームを送信する場合のCapabilityのフレームとシステムの動作の一例について説明する。
【１８１９】
Capabilityのフレームには、以下のフレームが存在していてもよい。
・5GHz帯（第Ａの周波数帯）の無線部の個数
・6GHz帯（第Ｂの周波数帯）の無線部の個数
【１８２０】
Capabilityのフレームが上記のデータを含む場合、上記のデータで通知された無線部の個数に基づき、アクセスポイント、中継器は、どの周波数帯、どのチャネルを用いて、通信を行うかを決定する。決定した通信方法の中に、本明細書で記載した通信方法が含まれていてもよい（例えば、マルチチャネルを用いた通信、マルチバンドを用いた通信）。
【１８２１】
なお、端末は、5GHz帯（第Ａの周波数帯）の無線部の個数に関するcapability fieldを送信しなくてもよい。5GHz帯（第Ａの周波数帯）の無線部の個数に関するcapability fieldを含まないCapabilityのフレームを受信した場合、例えば、アクセスポイント、中継器は、端末が備える5GHz帯（第Ａの周波数帯）の無線部の個数は１であると解釈する。
【１８２２】
同様に、端末は、6GHz帯（第Ｂの周波数帯）の無線部の個数に関するcapability fieldを送信しなくてもよい。6GHz帯（第Ｂの周波数帯）の無線部の個数に関するcapability fieldを含まないCapabilityのフレームを受信した場合、例えば、アクセスポイント、中継器は端末が備える６GHz帯（第Ｂの周波数帯）の無線部の個数は１であると解釈する。
【１８２３】
なお、上記の説明では、5GHz帯（第Ａの周波数帯）および6GHz帯（第Ｂの周波数帯）のそれぞれにおける無線部の個数を示すcapability fieldを送信する例を挙げて説明したが、capability field で通知される情報は異なっていてもよい。例えば、通信装置が送信するCapabilityのフレームは、当該通信装置が5GHz帯（第Ａの周波数帯）および6GHz帯（第Ｂの周波数帯）のそれぞれにおいて同時に送受信できるストリームの数を示すcapability fieldを含んでいてもよい。また、別の例として、通信装置が送信するCapabilityのフレームは、当該通信装置が5GHz帯（第Ａの周波数帯）および6GHz帯（第Ｂの周波数帯）のそれぞれにおいて同時に送信できるストリームの数及び受信できるストリームの数を示すcapability fieldを含んでいてもよい。
【１８２４】
（４）本開示で説明されているアクセスポイントの動作は、例えば、「放送局、基地局、端末、携帯電話（ｍｏｂｉｌｅ  ｐｈｏｎｅ）、スマートフォン、タブレット、ノートパソコン、サーバー、パソコン、パーソナルコンピュータ、テレビ、家電（家庭用電気機械器具）、工場内の装置、ＩｏＴ（Internet of Things）機器等の通信機器・放送機器、ｅＮＢ（e Node B）、ｇＮＢ（g Node B）、PCell（Primary Cell）用のeNBまたはgNB、SCell（Secondary Cell）用のeNBまたはgNB、PSCell（Primary SCell）用のeNBまたはgNB、Master eNBまたはgNB、Secondary eNBまたはgNB、中継器、ノード、車、自転車、バイク、船、衛星、航空機、ドローン、動くことが可能な機器、ロボット」などの任意の機器が具備する通信装置によって実施され得る。
【１８２５】
そして、本開示で説明されている中継器の動作は、例えば、「放送局、基地局、アクセスポイント、端末、携帯電話、スマートフォン、タブレット、ノートパソコン、サーバー、パソコン、パーソナルコンピュータ、テレビ、家電（家庭用電気機械器具）、工場内の装置、ＩｏＴ機器等の通信機器・放送機器、ｅＮＢ、ｇＮＢ、PCell用のeNBまたはgNB、SCell用のeNBまたはgNB、PSCell用のeNBまたはgNB、Master eNBまたはgNB、Secondary eNBまたはgNB、ノード、車、自転車、バイク、船、衛星、航空機、ドローン、動くことが可能な機器、ロボット」などの任意の機器が具備する通信装置によって実施され得る。
【１８２６】
また、本開示で説明されている端末の動作は、例えば、「放送局、基地局、アクセスポイント、携帯電話、スマートフォン、タブレット、ノートパソコン、サーバー、パソコン、パーソナルコンピュータ、テレビ、家電（家庭用電気機械器具）、工場内の装置、ＩｏＴ機器等の通信機器・放送機器、ｅＮＢ、ｇＮＢ、PCell用のeNBまたはgNB、SCell用のeNBまたはgNB、PSCell用のeNBまたはgNB、Master eNBまたはgNB、Secondary eNBまたはgNB、中継器、ノード、車、自転車、バイク、船、衛星、航空機、ドローン、動くことが可能な機器、ロボット」などの任意の機器が具備する通信装置によって実施され得る。
【１８２７】
（５）以下ではＭＡＣフレームの例について説明する。
【１８２８】
無線LANのＭＡＣフレームには、マネジメント（管理）フレーム、コントロール（制御）フレーム、データフレームがある。
【１８２９】
マネジメントフレームとして、例えば、ビーコンフレーム、Probe requestフレーム、Probe responseフレーム、Association requestフレーム、および、Association responseフレームがある。マネジメントフレームについて以下で説明する。
【１８３０】
IEEE 802.11のビーコンフレームの構成例は図１４２のとおりである。図１４２中の数値は、下に記載されているフィールドのデータ長を示しており、単位はバイトである。
【１８３１】
ビーコンフレームには、例えば以下が含まれている。
・２バイトのフレーム制御（フィールド）
・２バイトのデュレーション（フィールド）
・６バイトのＤＡ（宛先アドレス）（フィールド）
・６バイトのＳＡ（送信元アドレス）（フィールド）
・６バイトのＢＳＳＩＤ（フィールド）
・２バイトのシーケンス制御（フィールド）
【１８３２】
以上がＭＡＣヘッダーとなる。また、以下も含まれている。
・可変長のフレーム本体（フィールド）
・４バイトのＦＣＳ（Frame Check Sequence）（フィールド）
・８バイトのタイムスタンプ（フィールド）
・２バイトのビーコン間隔（フィールド）
・２バイトのケーパビリティ（Capability）情報（フィールド）
・可変長のＳＳＩＤ（フィールド）
・７バイトのＦＨ（Frequency Hopping）パラメータセット（フィールド）
・２バイトのＤＳ（Direct Sequence）パラメータセット（フィールド）
・８バイトのＣＦ（Contention Free）パラメータセット（フィールド）
・４バイトのＩＢＳＳパラメータセット（フィールド）
・可変長のＴＩＭ（Traffic Indication Map）（フィールド）
・可変長の国（フィールド）
・３バイトの電力制限（フィールド）
・６バイトのチャネル切り替え（フィールド）
・８バイトのクワィエット（フィールド）
・４バイトのＴＰＣ（Transmit Power Control）レポート（フィールド）
・可変長のＥＲＰ（Effective Radiated Power）（フィールド）
・可変長の拡張サポートレート（フィールド）
・可変長のＲＳＮ（Robust Security Network）（フィールド）
【１８３３】
なお、一般的には、APが送信するビーコンフレームにおいて、「BSSID」はAPのBSSIDであり、「SSID」はAPのSSIDである。また、「DA」はオール１で構成され（ブロードキャストのため）、「SA」と「BSSID」はAPのMACアドレスとなる。
【１８３４】
IEEE 802.11のProbe requestフレームの構成例は図１４３のとおりである。図１４３中の数値は、下に記載されているフィールドのデータ長を示しており、単位はバイトである。
【１８３５】
Probe requestフレームには、例えば以下が含まれている。
・２バイトのフレーム制御（フィールド）
・２バイトのデュレーション（フィールド）
・６バイトのＤＡ（宛先アドレス）（フィールド）
・６バイトのＳＡ（送信元アドレス）（フィールド）
・６バイトのＢＳＳＩＤ（フィールド）
・２バイトのシーケンス制御（フィールド）
以上がＭＡＣヘッダーとなる。また、以下も含まれている。
・可変長のＳＳＩＤ（フィールド）
・可変長のサポートレート（フィールド）
以上がフレーム本体であり、また、以下も含まれている。
・４バイトのＦＣＳ（フィールド）
【１８３６】
なお、一般的には、端末が送信するProbe requestフレームにおいて、「DA」はAPのMACアドレスであり、「SA」と「BSSID」は端末のMACアドレスとなる。一般的には「SSID」はAPのSSIDである。
【１８３７】
IEEE 802.11のProbe responseフレームの構成例は図１４４のとおりである。図１４４中の数値は、下に記載されているフィールドのデータ長を示しており、単位はバイトである。
【１８３８】
Probe responseフレームには、例えば以下が含まれている。
・２バイトのフレーム制御（フィールド）
・２バイトのデュレーション（フィールド）
・６バイトのＤＡ（宛先アドレス）（フィールド）
・６バイトのＳＡ（送信元アドレス）（フィールド）
・６バイトのＢＳＳＩＤ（フィールド）
・２バイトのシーケンス制御（フィールド）
【１８３９】
以上がＭＡＣヘッダーとなる。また、以下も含まれている。
・可変長の本体（フィールド）
・４バイトのＦＣＳ（Frame Check Sequence）（フィールド）
・８バイトのタイムスタンプ（フィールド）
・２バイトのビーコン間隔（フィールド）
・２バイトのケーパビリティ（Capability）情報（フィールド）
・可変長のＳＳＩＤ（フィールド）
・７バイトのＦＨ（Frequency Hopping）パラメータセット（フィールド）
・２バイトのＤＳ（Direct Sequence）パラメータセット（フィールド）
・８バイトのＣＦ（Contention Free）パラメータセット（フィールド）
・４バイトのＩＢＳＳパラメータセット（フィールド）
・可変長の国（フィールド）
・４バイトのＦＨホッピングパラメータ（フィールド）
・ＦＨパターンテーブル（フィールド）
・３バイトの電力制限（フィールド）
・６バイトの可変長チャネル切り替え（フィールド）
・８バイトのクワィエット（フィールド）
・４バイトのＴＰＣ（Transmit Power Control）レポート（フィールド）
・可変長のＥＲＰ（Effective Radiated Power）（フィールド）
・可変長の拡張サポートレート（フィールド）
・可変長のＲＳＮ（Robust Security Network）（フィールド）
【１８４０】
なお、一般的には、APが送信するProbe responseフレームにおいて、「DA」は端末のMACアドレスであり、「SA」と「BSSID」はAPのMACアドレスとなる。一般的には「SSID」はAPのSSIDである。
【１８４１】
IEEE 802.11のAssociation requestフレームの構成例は図１４５のとおりである。図１４５中の数値は、下に記載されているフィールドのデータ長を示しており、単位はバイトである。
【１８４２】
Association requestフレームには、例えば以下が含まれている。
・２バイトのフレーム制御（フィールド）
・２バイトのデュレーション（フィールド）
・６バイトのＤＡ（宛先アドレス）（フィールド）
・６バイトのＳＡ（送信元アドレス）（フィールド）
・６バイトのＢＳＳＩＤ（フィールド）
・２バイトのシーケンス制御（フィールド）
以上がＭＡＣヘッダーとなる。また、以下も含まれている。
・２バイトのケーパビリティ（Capability）情報（フィールド）
・２バイトのリッスン間隔（フィールド）
・可変長のＳＳＩＤ（フィールド）
・可変長のサポートレート（フィールド）
以上がフレーム本体であり、また、以下も含まれている。
・４バイトのＦＣＳ（フィールド）
【１８４３】
なお、一般的には、端末が送信するAssociation requestフレームにおいて、「DA」はAPのMACアドレスであり、「SA」と「BSSID」は端末のMACアドレスとなる。一般的には「SSID」はAPのSSIDである。
【１８４４】
IEEE 802.11のAssociation responseフレームの構成例は図１４６のとおりである。図１４６中の数値は、下に記載されているフィールドのデータ長を示しており、単位はバイトである。
【１８４５】
Association responseフレームには、例えば以下が含まれている。
・２バイトのフレーム制御（フィールド）
・２バイトのデュレーション（フィールド）
・６バイトのＤＡ（宛先アドレス）（フィールド）
・６バイトのＳＡ（送信元アドレス）（フィールド）
・６バイトのＢＳＳＩＤ（フィールド）
・２バイトのシーケンス制御（フィールド）
【１８４６】
以上がＭＡＣヘッダーとなる。また、以下も含まれている。
・２バイトのケーパビリティ（Capability）情報（フィールド）
・２バイトの状態コード（フィールド）
・２バイトのアソシエーション識別子（フィールド）
・可変長のサポートレート（フィールド）
以上がフレーム本体であり、また、以下も含まれている。
・４バイトのＦＣＳ（フィールド）
【１８４７】
なお、一般的には、ＡＰが送信するAssociation responseフレームにおいて、「DA」は端末のMACアドレスであり、「SA」と「BSSID」はＡＰのMACアドレスとなる。
【１８４８】
また、コントロールフレームとして、例えば、RTSフレーム、CTSフレームおよびACKフレームがある。
【１８４９】
IEEE 802.11のRTSフレームの構成例は図１４７のとおりである。図１４７中の数値は、下に記載されているフィールドのデータ長を示しており、単位はバイトである。
【１８５０】
RTSフレームには、例えば以下が含まれている。
・２バイトのフレーム制御（フィールド）
・２バイトのデュレーション（フィールド）
・６バイトのＤＡ（宛先アドレス）（フィールド）
・６バイトのＳＡ（送信元アドレス）（フィールド）
【１８５１】
IEEE 802.11のCTSフレームの構成例は図１４８のとおりである。図１４８中の数値は、下に記載されているフィールドのデータ長を示しており、単位はバイトである。
【１８５２】
CTSフレームには、例えば以下が含まれている。
・２バイトのフレーム制御（フィールド）
・２バイトのデュレーション（フィールド）
・６バイトのＤＡ（宛先アドレス）（フィールド）
【１８５３】
IEEE 802.11のACKフレームの構成例は図１４９のとおりである。図１４９中の数値は、下に記載されているフィールドのデータ長を示しており、単位はバイトである。
【１８５４】
ACKフレームには、例えば以下が含まれている。
・２バイトのフレーム制御（フィールド）
・２バイトのデュレーション（フィールド）
・６バイトのＤＡ（宛先アドレス）（フィールド）
【１８５５】
また、IEEE802.11のデータフレームの構成例は図１５０のとおりである。図１５０中の数値は、下に記載されているフィールドのデータ長を示しており、単位はバイトである。
【１８５６】
表１は、データフレームのアドレスフィールドの使用法である。
【１８５７】
【表１】
2020067242.tif 000010
【１８５８】
なお、表１において、ＩＢＳＳはIndependent Basic Service Set、APはアクセスポイント（Access Point）、WDSはWireless Distribution System、DSはディストリブューションシステム（Distribution System）、BSSIDはBasic Service Set ID (ID: identifier)、ＤＡは宛先アドレス（Destination Address）、SAは送信元アドレス（Source Address）、RAは受信機アドレス（Receiver Address）、TAは送信機アドレス（Transmitter Address）である。
【１８５９】
次に、BSSIDとSSID（Service Set ID）について説明する。
【１８６０】
BSSID：
インフラストラクチャネットワークでは、BSSIDは、アクセスポイントの無線インターフェースのMACアドレスである。アドホックネットワークでは、BSSIDをランダムに生成し、Universal/Localビットを１にする。
【１８６１】
SSID：
通常の48ビットの識別子よりも、大きな識別子（0から32バイト）
【１８６２】
（補足Ｂ８）
本開示において、例えば、図８４から図１５０を用いた説明において、アクセスポイントと中継機＃１の間の通信は、有線通信でもよいし、無線通信でもよいことを記載した。同様に、アクセスポイントと中継器＃２の間の通信は、有線通信でもよいし、無線通信でもよいことを記載した。
【１８６３】
また、すでに記載したように、本開示における中継器の動作は、例えば、「放送局、基地局、アクセスポイント、端末、携帯電話、スマートフォン、タブレット、ノートパソコン、サーバー、パソコン、パーソナルコンピュータ、テレビ、家電（家庭用電気機械器具）、工場内の装置、ＩｏＴ機器等の通信機器・放送機器、ｅＮＢ、ｇＮＢ、PCell用のeNBまたはgNB、SCell用のeNBまたはgNB、PSCell用のeNBまたはgNB、Master eNBまたはgNB、Secondary eNBまたはgNB、ノード、車、自転車、バイク、船、衛星、航空機、ドローン、動くことが可能な機器、ロボット」などの任意の機器が具備する通信装置によって実施され得る。
【１８６４】
上述した複数の構成例に含まれる構成の一例について説明する。例えば、図８４、図１１１、図１１６、図１２２、図１２３、図１３０において、中継器＃１をｇＮＢ、通信装置とし、さらに、中継器＃２をｇＮＢ、通信装置とすると、端末が２つのｇＮＢ、通信装置と通信を行うシステムとなる。この場合、図８４、図１１１、図１１６、図１２２、図１２３、図１３０はmultiple TRP（TX/RX point）を実施するシステムであり、図８４、図１１１、図１１６、図１２２、図１２３、図１３０を用いた説明はmultiple TRP（TX/RX point）における動作の一例である。なお、ＴＸは、transmitterであり、ＲＸは、receiverである。
【１８６５】
また、例えば、図４２、図８８、図１１３Ａ、図１１３Ｂのようなフレーム構成の変調信号を、二つの通信装置（ｇＮＢ、中継器）が端末に送信した場合、二つの通信装置（ｇＮＢ、中継器）は、互いに異なる二つの周波数帯、または、２つのチャネルを用いて変調信号を送信する。すなわち、二つの通信装置（ｇＮＢ、中継器）は、ＦＤＭ（Frequency Division Multiplexing）を行っていると考えることができる。具体的には、中継器＃１は、第１の周波数を用いてフレームを端末に送信し、中継器＃２は、第２の周波数を用いてフレームを端末に送信する。
【１８６６】
なお、二つの通信装置（ｇＮＢ、中継器）がＦＤＭを行う方法は、これまで説明した方法に限ったものではない。以下では、二つの通信装置（ｇＮＢ、中継器）がＦＤＭを行う方法の別の例を説明する。
【１８６７】
例えば、二つの通信装置（ｇＮＢ、中継器）が送信する変調信号は、図１５１Ａ、図１５１Ｂのようなフレーム構成であってもよい。なお、図１５１Ａ、図１５１Ｂともに、第１時間におけるフレーム構成を示している。また、図１５１Ａ、図１５１Ｂのフレーム構成は、第１キャリア群、第２キャリア群、第３キャリア群、第４キャリア群の複数のキャリア群を含む。なお、キャリア群のそれぞれは、複数キャリアで構成されているものとするが、１キャリアであってもよい。また、図１５１Ａ、図１５１Ｂでは、周波数軸方向に第１キャリア群、第２キャリア群、第３キャリア群、第４キャリア群の４つのキャリア群を含む構成について示しているが、キャリア群の数は４に限られない。例えば、キャリア群の数は２、３のいずれかであってもよいし、５以上であってもよい。
【１８６８】
図１５１Ａは、中継器＃１（ｇＮＢ、通信装置などであってもよい）が送信する変調信号のフレーム構成の一例である。図１５１Ａにおいて、横軸は時間であり、縦軸は周波数である。
【１８６９】
図１５１Ａでは、中継器＃１は第「奇数」番目のキャリア群を用いて、フレームを送信する。
【１８７０】
図１５１Ｂは、中継器＃２（ｇＮＢ、通信装置などであってもよい）が送信する変調信号のフレーム構成の一例である。図１５１Ｂにおいて、横軸は時間であり、縦軸は周波数である。
【１８７１】
図１５１Ｂでは、中継器＃２は第「偶数」番目のキャリア群を用いて、フレームを送信するものとする。
【１８７２】
以上のようにフレームを送信することで、マルチパスの悪影響を軽減することができ、また、周波数ダイバーシチ、空間ダイバーシチのゲインを得ることができる可能性が高くなるという効果を得ることができる。
【１８７３】
なお、図１１１、図１１６、図１２２、図１２３、図１３０のように、中継器＃１、中継器＃２が複数の端末宛のフレームを伝送するＯＦＤＭＡを行っている際に、図１５１Ａ、図１５１Ｂのフレームを適用してもよい。したがって、中継器＃１は一つ以上の端末と通信を行っており、中継器＃２は一つ以上の端末と通信を行っていてもよい。
【１８７４】
なお、例えば、中継器＃１、中継器＃２が第１の端末、第２の端末と通信を行う際、「中継器＃１が第１の端末宛に送信するフレームが使用する周波数」と「中継器＃２が第１の端末宛に送信するフレームが使用する周波数」は、例えば、異なっているものとする。同様に、「中継器＃１が第２の端末宛に送信するフレームが使用する周波数」と「中継器＃２が第２の端末宛に送信するフレームが使用する周波数」は、例えば、異なっているものとする。そして、中継器＃１が第１の端末宛に送信するフレーム構成が図１５１Ａであり、中継器＃２が第１の端末宛に送信するフレーム構成が図１５１Ｂとなる。
【１８７５】
ただし、ＯＦＤＭＡを用いたときの、中継器＃１の各端末に送信する変調信号のフレーム構成、中継器＃２の各端末に送信する変調信号のフレーム構成は上述の例に限ったものではない。
【１８７６】
また、上述では、ＯＦＤＭＡの場合について説明したが、ＯＦＤＭＡのかわりに他のマルチキャリア伝送方式を適用してもよく、例えば、シングルキャリア伝送方式の変調信号を複数使用することで、マルチキャリア伝送を実現してもよい。
【１８７７】
さらに、中継器＃１が送信する第１端末宛のフレームに含まれているデータの一部が、中継器＃２が送信する第１端末宛のフレームに含まれていてもよい。このようにすることで、第１端末における受信品質を向上させてＵＲＬＬＣ（Ultra-Reliable and Low-Latency Communications）を実現するシステムおよび通信方法を提供してもよい。また、中継器＃１が送信する第１端末宛のフレームを用いて、複数回、同一のデータを送信（Repetition）してもよいし、中継器＃２が送信する第１端末宛のフレームを用いて、複数回、同一のデータを送信（Repetition）してもよい。これにより、第１端末における受信品質を向上させてＵＲＬＬＣを実現するシステムおよび通信方法を提供してもよい。
【１８７８】
なお、上述の説明において、プリアンブルと記載して説明を行っているが、呼び名はこれに限ったものではない。例えば、プリアンブルは、例えば、ＰＤＣＣＨ（Physical Downlink Control Channel）、ＤＭＲＳ（Demodulation Reference Signals）などで構成されているシンボルであってもよい。また、データシンボルには、ＣＳＩ−ＲＳ（Channel State Information Reference Signals）、ＴＲＳ（Tracking Reference Signals）、ＰＴ−ＲＳ（Phase Tracking Reference Signals）などのＲＳ（Reference Signals）が含まれていてもよい。
【１８７９】
（補足Ｂ９）
本開示において、例えば、図８４から図１５０を用いた説明において、アクセスポイント、中継機＃１間の通信は、有線通信でもよいし、無線通信でもよいことを記載した。同様に、アクセスポイント、中継器＃２間の通信は、有線通信でもよいし、無線通信でもよいことを記載した。
【１８８０】
また、すでに記載したように、本開示における中継器の動作は、例えば、「放送局、基地局、アクセスポイント、端末、携帯電話、スマートフォン、タブレット、ノートパソコン、サーバー、パソコン、パーソナルコンピュータ、テレビ、家電（家庭用電気機械器具）、工場内の装置、ＩｏＴ機器等の通信機器・放送機器、ｅＮＢ、ｇＮＢ、PCell用のeNBまたはgNB、SCell用のeNBまたはgNB、PSCell用のeNBまたはgNB、Master eNBまたはgNB、Secondary eNBまたはgNB、ノード、車、自転車、バイク、船、衛星、航空機、ドローン、動くことが可能な機器、ロボット」などの任意の機器が具備する通信装置によって実施され得る。
【１８８１】
上述した複数の構成例に含まれる構成の一例について説明する。例えば、図８４、図１１１、図１１６、図１２２、図１２３、図１３０において、中継器＃１をｇＮＢ、通信装置とし、さらに、中継器＃２をｇＮＢ、通信装置とすると、端末が、２つのｇＮＢ、通信装置と通信を行うシステムとなる。この場合、図８４、図１１１、図１１６、図１２２、図１２３、図１３０はmultiple TRP（TX/RX point）を実施するシステムであり、図８４、図１１１、図１１６、図１２２、図１２３、図１３０を用いた説明はmultiple TRP（TX/RX point）における動作の一例である。
【１８８２】
また、例えば、図４２、図４３、図６３、図８８、図９０、図１１３Ａ、図１１３Ｂのようなフレーム構成の変調信号を、二つの通信装置（ｇＮＢ、中継器）が端末に送信した場合、中継器＃１（ｇＮＢ、通信装置であってもよい）が端末に送信する周波数帯域と中継器＃２（ｇＮＢ、通信装置）が端末に送信する周波数帯域が、同一であってもよいし、異なっていてもよいし、一部が重複する周波数帯域を使用してもよい。そして、中継器＃１（ｇＮＢ、通信装置であってもよい）が端末に送信する周波数帯域と中継器＃２（ｇＮＢ、通信装置）が端末に送信する周波数帯域が同一である場合、中継器＃１（ｇＮＢ、通信装置であってもよい）と中継器＃２（ｇＮＢ、通信装置）は、ＴＤＭ（Time Division Multiplexing）およびＳＤＭ（Space Division Multiplexing）を実施して端末と通信する。
【１８８３】
二つの通信装置（ｇＮＢ、中継器）がＴＤＭを行う方法の例について説明する。
【１８８４】
特に、図６３で説明したように、複数の通信装置（ｇＮＢ、中継器であってもよい）が、時間分割を行い、フレーム、変調信号を送信してもよい。例えば、この点について、図８４、図１１１、図１１６、図１２２、図１２３、図１３０の中継器＃１（ｇＮＢ、通信装置であってもよい）、中継器＃２（ｇＮＢ、通信装置であってもよい）が実施した場合の例を説明する。具体的には、図６３と図９０を組み合わせたフレームを考える。
【１８８５】
中継器＃１は、第Ｘ１時間にプリアンブルＢ５０１＿１、第Ｘ２時間に制御情報シンボルＢ５０２＿１、第Ｘ３時間にデータシンボルＢ５０３＿１を端末に送信する。
【１８８６】
また、中継器＃２は、第Ｘ４時間にプリアンブルＢ５０１＿２、第Ｘ５時間に制御情報シンボルＢ５０２＿２、第Ｘ６時間にデータシンボル５０３＿２を端末に送信する。
【１８８７】
このとき、図９０に示すように、「中継器＃１の送信時間である「第Ｘ１時間、第Ｘ２時間、第Ｘ３時間」で構成される時間区間」と「中継器＃２の送信時間である「第Ｘ４時間、第Ｘ５時間、第Ｘ６時間」で構成される時間区間」は異なる。したがって、図６３を用いて説明したように、図９０のフレーム構成において、中継器＃１が送信に使用する周波数と中継器＃２が送信に使用する周波数が同じ場合、ＴＤＭを実施していることになる。
【１８８８】
以上のようにフレームを送信することで、時間ダイバーシチ、空間ダイバーシチのゲインを得ることができる可能性が高くなるという効果を得ることができる。
【１８８９】
なお、図１１１、図１１６、図１２２、図１２３、図１３０のように、中継器＃１、中継器＃２が複数の端末宛のフレームを伝送していてもよい。なお、ＯＦＤＭＡを行っている際に、図９０のフレームを適用してもよい。この場合、中継器＃１は図９０の中継器＃１送信フレームを用いて一つ以上の端末と通信を行うことが可能であり、中継器＃２は一つ以上の端末と通信を行うことが可能である。
【１８９０】
このとき、例えば、中継器＃１、中継器＃２が第１の端末、第２の端末と通信を行っている際、「中継器＃１が第１の端末宛に送信するフレームが使用する時間領域（時間区間）」と「中継器＃２が第１の端末宛に送信するフレームが使用する時間領域（時間区間）」が互いに異なるものとする。同様に、「中継器＃１が第２の端末宛に送信するフレームが使用する時間領域（時間区間）」と「中継器＃２が第２の端末宛に送信するフレームが使用する時間領域（時間区間）」が互いに異なるものとする。
【１８９１】
ただし、ＯＦＤＭＡを用いたときの、中継器＃１の各端末に送信する変調信号のフレーム構成、中継器＃２の各端末に送信する変調信号のフレーム構成は、本明細書の例に限ったものではない。
【１８９２】
また、上述では、ＯＦＤＭＡの場合について説明したが、ＯＦＤＭＡのかわりに他のマルチキャリア伝送方式を適用してもよい。例えば、シングルキャリア伝送方式の変調信号を複数使用することで、マルチキャリア伝送を実現してもよい。なお、複数のシングルキャリア伝送方式の変調信号を用いたマルチキャリア伝送の実現については、本開示におけるマルチキャリア伝送に関する任意の説明に対して適用することが可能である。
【１８９３】
さらに、中継器＃１が送信する第１端末宛のフレームに含まれているデータの一部が、中継器＃２が送信する第１端末宛のフレームに含まれていてもよい。このようにすることで、第１端末における受信品質を向上させてＵＲＬＬＣを実現するシステムおよび通信方法を提供してもよい。また、中継器＃１が送信する第１端末宛のフレームを用いて、複数回、同一のデータを送信（Repetition）してもよいし、中継器＃２が送信する第１端末宛のフレームを用いて、複数回、同一のデータを送信（Repetition）してもよい。これにより、第１端末における受信品質を向上させてＵＲＬＬＣを実現するシステムおよび通信方法を提供してもよい。
【１８９４】
なお、上述の説明において、プリアンブルと記載してフレーム構成の説明を行っているが、プリアンブルの呼び名はこれに限ったものではない。例えば、プリアンブルは、例えば、ＰＤＣＣＨ（Physical Downlink Control Channel）、ＤＭＲＳ（Demodulation Reference Signals）などで構成されているシンボルであってもよい。また、データシンボルには、ＣＳＩ−ＲＳ（Channel State Information Reference Signals）、ＴＲＳ（Tracking Reference Signals）、ＰＴ−ＲＳ（Phase Tracking Reference Signals）などのＲＳが含まれていてもよい。
【１８９５】
本開示において、例えば、図８４から図１５０を用いた説明において、アクセスポイントと中継機＃１の間の通信は、有線通信でもよいし、無線通信でもよいことを記載した。同様に、アクセスポイントと中継器＃２の間の通信は、有線通信でもよいし、無線通信でもよいことを記載した。
【１８９６】
また、すでに記載したように、本開示における中継器の動作は、例えば、「放送局、基地局、アクセスポイント、端末、携帯電話、スマートフォン、タブレット、ノートパソコン、サーバー、パソコン、パーソナルコンピュータ、テレビ、家電（家庭用電気機械器具）、工場内の装置、ＩｏＴ機器等の通信機器・放送機器、ｅＮＢ、ｇＮＢ、PCell用のeNBまたはgNB、SCell用のeNBまたはgNB、PSCell用のeNBまたはgNB、Master eNBまたはgNB、Secondary eNBまたはgNB、ノード、車、自転車、バイク、船、衛星、航空機、ドローン、動くことが可能な機器、ロボット」などの任意の機器が具備する通信装置の動作によって実施され得る。
【１８９７】
上述した複数の構成例に含まれる構成の一例について説明する。例えば、図８４、図１１１、図１１６、図１２２、図１２３、図１３０において、中継器＃１をｇＮＢ、通信装置とし、さらに、中継器＃２をｇＮＢ、通信装置とすると、端末は、２つのｇＮＢ、通信装置と通信を行うシステムとなる。この場合、図８４、図１１１、図１１６、図１２２、図１２３、図１３０はmultiple TRP（TX/RX point）を実施するシステムであり、図８４、図１１１、図１１６、図１２２、図１２３、図１３０を用いた説明はmultiple TRP（TX/RX point）における動作の一例である。なお、ＴＸは、transmitterであり、ＲＸは、receiverである。
【１８９８】
二つの通信装置（ｇＮＢ、中継器）がＳＤＭ（Space Division Multiplexing）を行う方法の例について説明する。
【１８９９】
例えば、図８８で説明したように、複数の通信装置（ｇＮＢ、中継器であってもよい）が、ＳＤＭを行い、フレーム、変調信号を送信してもよい。例えば、この点については、図８４、図１１１、図１１６、図１２２、図１２３、図１３０の中継器＃１（ｇＮＢ、通信装置であってもよい）、中継器＃２（ｇＮＢ、通信装置であってもよい）が実施した場合の例を説明する。
【１９００】
中継器＃１は、第Ｘ１時間にプリアンブルＢ５０１＿１、第Ｘ２時間に制御情報シンボルＢ５０２＿１、第Ｘ３時間にデータシンボルを端末に送信する。
【１９０１】
また、中継器＃２は、第Ｘ１時間にプリアンブルＢ５０１＿２、第Ｘ２時間に制御情報シンボルＢ５０２＿２、第Ｘ３時間にデータシンボルＢ５０３＿２を端末に送信する。
【１９０２】
このとき、図８８に示すように、「中継器＃１の送信時間である「第Ｘ１時間、第Ｘ２時間、第Ｘ３時間」で構成される時間区間」と「中継器＃２の送信時間である「第Ｘ１時間、第Ｘ２時間、第Ｘ３時間」で構成される時間区間」は同じである。そして、中継器＃１がフレームを送信するのに使用する周波数帯域と中継器＃２がフレームを送信するのに使用する周波数帯域が同じであるとする。この場合、ＳＤＭを実施していることになる。なお、端末は複数のアンテナで中継器＃１と中継器＃２が送信したフレームの変調信号を受信することが好適であるが、これに限ったものではない。
【１９０３】
以上のようにフレームを送信することで、時間ダイバーシチ、空間ダイバーシチのゲインを得ることができる可能性が高くなるという効果を得ることができる。
【１９０４】
なお、図１１１、図１１６、図１２２、図１２３、図１３０のように中継器＃１、中継器＃２が複数の端末宛のフレームを伝送してもよい。なお、ＯＦＤＭＡを行っている際に、図８８のフレームを適用してもよい。したがって、中継器＃１は一つ以上の端末と通信を行っており、中継器＃２は一つ以上の端末と通信を行っていてもよい。
【１９０５】
このとき、例えば、中継器＃１、中継器＃２が第１の端末、第２の端末と通信を行っている際、「中継器＃１が第１の端末宛に送信するフレームが使用する時間領域（時間区間）」と「中継器＃２が第１の端末宛に送信するフレームが使用する時間領域（時間区間）」が同じであり、「中継器＃１が第１の端末宛に送信するフレームが使用する周波数」と「中継器＃２が第１の端末宛に送信するフレームが使用する周波数」が同じであるものとする。同様に、「中継器＃１が第２の端末宛に送信するフレームが使用する時間領域（時間区間）」と「中継器＃２が第２の端末宛に送信するフレームが使用する時間領域（時間区間）」が同じであり、「中継器＃１が第２の端末宛に送信するフレームが使用する周波数」と「中継器＃２が第２の端末宛に送信するフレームが使用する周波数」が同じであるものとする。
【１９０６】
ただし、ＯＦＤＭＡを用いたときの、中継器＃１の各端末に送信する変調信号のフレーム構成、中継器＃２の各端末に送信する変調信号のフレーム構成は、本明細書の例に限ったものではない。
【１９０７】
また、上述では、ＯＦＤＭＡの場合について説明したが、ＯＦＤＭＡのかわりに他のマルチキャリア伝送方式を適用してもよく、例えば、シングルキャリア伝送方式の変調信号を複数使用することで、マルチキャリア伝送を実現してもよい。なお、複数のシングルキャリア伝送方式の変調信号を用いたマルチキャリア伝送の実現については、本開示におけるマルチキャリア伝送に関する任意の説明に対して適用することが可能である。
【１９０８】
さらに、中継器＃１が送信する第１端末宛のフレームに含まれているデータの一部が、中継器＃２が送信する第１端末宛のフレームに含まれていてもよい。このようにすることで、第１端末における受信品質を向上させてＵＲＬＬＣを実現するシステムおよび通信方法を提供してもよい。また、中継器＃１が送信する第１端末宛のフレームを用いて、複数回、同一のデータを送信（Repetition）してもよいし、中継器＃２が送信する第１端末宛のフレームを用いて、複数回、同一のデータを送信（Repetition）してもよい。これにより、第１端末における受信品質を向上させてＵＲＬＬＣを実現するシステムおよび通信方法を提供してもよい。
【１９０９】
なお、上述の説明において、プリアンブルと記載して説明を行っているが、呼び名はこれに限ったものではない。例えば、プリアンブルは、例えば、ＰＤＣＣＨ（Physical Downlink Control Channel）、ＤＭＲＳ（Demodulation Reference Signals）などで構成されているシンボルであってもよい。また、データシンボルには、ＣＳＩ−ＲＳ（Channel State Information Reference Signals）、ＴＲＳ（Tracking Reference Signals）、ＰＴ−ＲＳ（Phase Tracking Reference Signals）などのＲＳが含まれていてもよい。
【１９１０】
（補足Ｂ１０）
補足Ｂ８、補足Ｂ９において、以下のように記載を行った。
【１９１１】
「なお、上述の説明において、プリアンブルと記載して説明を行っているが、呼び名はこれに限ったものではない。例えば、プリアンブルは、例えば、ＰＤＣＣＨ（Physical Downlink Control Channel）、ＤＭＲＳ（Demodulation Reference Signals）などで構成されているシンボルであってもよい。また、データシンボルには、ＣＳＩ−ＲＳ（Channel State Information Reference Signals）、ＴＲＳ（Tracking Reference Signals）、ＰＴ−ＲＳ（Phase Tracking Reference Signals）などのＲＳが含まれていてもよい。」
【１９１２】
この点についての変形例を説明する。
【１９１３】
例えば、中継器＃１（ｇＮＢ、通信装置であってもよい）、および、中継器＃２（ｇＮＢ、通信装置であってもよい）が、図８８、図８９、図９０のようにフレームを送信しているものとする。ただし、以降の説明においては、図８８、図８９、図９０におけるプリアンブルＢ５０１＿１がＰＤＣＣＨである場合について説明するため、以降の説明では、「Ｂ５０１＿１のＰＤＣＣＨ」と呼ぶことにする。同様に、以降の説明においては、図８８、図８９、図９０におけるプリアンブルＢ５０１＿２がＰＤＣＣＨである場合ついて説明するため、以降の説明では、「Ｂ５０１＿２のＰＤＣＣＨ」と呼ぶことにする。このとき、以下の場合を適用してもよい。
【１９１４】
ケース１：
図８８、図８９、図９０のように、中継器＃１がＢ５０１＿１のＰＤＣＣＨを送信し、中継器＃２がＢ５０１＿２のＰＤＣＣＨを送信するものとする。このとき、Ｂ５０１＿１のＰＤＣＣＨは、ＤＣＩ（Downlink Control Information）＃１を含むものとする。そして、Ｂ５０１＿２のＰＤＣＣＨは、ＤＣＩ＃２を含むものとする。
【１９１５】
ケース２：
図８８、図８９、図９０のように、中継器＃１がＢ５０１＿１のＰＤＣＣＨを送信し、中継器＃２がＢ５０１＿２のＰＤＣＣＨを送信するものとする。このとき、Ｂ５０１＿１のＰＤＣＣＨは、ＤＣＩ（Downlink Control Information）＃１を含むものとする。そして、Ｂ５０１＿２のＰＤＣＣＨは、ＤＣＩ＃１を含むものとする。
【１９１６】
ケース３：
図８８、図８９、図９０のように、中継器＃１がＢ５０１＿１のＰＤＣＣＨを送信し、中継器＃２がＢ５０１＿２のＰＤＣＣＨを送信するものとする。このとき、Ｂ５０１＿１のＰＤＣＣＨは、ＤＣＩ（Downlink Control Information）＃１を含むものとする。そして、Ｂ５０１＿２のＰＤＣＣＨは、ＤＣＩを含まないものとする。
【１９１７】
ケース４：
図８８、図８９、図９０のように、中継器＃１がＢ５０１＿１のＰＤＣＣＨを送信し、中継器＃２はＢ５０１＿２のＰＤＣＣＨを送信しないものとする。このとき、Ｂ５０１＿１のＰＤＣＣＨは、ＤＣＩ（Downlink Control Information）＃１を含むものとする。
【１９１８】
ケース５：
図８８、図８９、図９０のように、中継器＃１はＢ５０１＿１のＰＤＣＣＨを送信しないものとし、中継器＃２がＢ５０１＿２のＰＤＣＣＨを送信するものとする。このとき、Ｂ５０１＿２のＰＤＣＣＨは、ＤＣＩ＃２を含むものとする。
【１９１９】
なお、ＴＤＭ、ＦＤＭ、ＳＤＭを用いた送信方法については、補足Ｂ８、補足Ｂ９で説明したとおりである。
【１９２０】
また、本説明において、プリアンブルをＰＤＣＣＨとして説明を行ったが、ＰＤＣＣＨのフレームにおける配置は、図８８、図８９、図９０の例に限ったものではなく、周波数―時間軸において、どのように配置してもよく（時間軸方向、周波数方向にどのように配置してもよい）、また、時間軸において、時間軸方向にどのように配置してもよい。
【１９２１】
これにより、multiple TRPの送信を好適に実施することが可能であるという効果を得ることができる。
【１９２２】
（補足Ｂ１１）
本開示において、例えば、図８４から図１５０を用いた説明において、アクセスポイント、中継機＃１間の通信は、有線通信でもよいし、無線通信でもよいことを記載した。同様に、アクセスポイント、中継器＃２間の通信は、有線通信でもよいし、無線通信でもよいことを記載した。
【１９２３】
また、すでに記載したように、本開示における中継器の動作は、例えば、「放送局、基地局、アクセスポイント、端末、携帯電話、スマートフォン、タブレット、ノートパソコン、サーバー、パソコン、パーソナルコンピュータ、テレビ、家電（家庭用電気機械器具）、工場内の装置、ＩｏＴ機器等の通信機器・放送機器、ｅＮＢ、ｇＮＢ、PCell用のeNBまたはgNB、SCell用のeNBまたはgNB、PSCell用のeNBまたはgNB、Master eNBまたはgNB、Secondary eNBまたはgNB、ノード、車、自転車、バイク、船、衛星、航空機、ドローン、動くことが可能な機器、ロボット」などの任意の機器が具備する通信装置の動作によって実施され得る。
【１９２４】
上述した複数の構成例に含まれる構成の一例について説明する。例えば、図８４、図１１１、図１１６、図１２２、図１２３、図１３０において、中継器＃１をｇＮＢ、通信装置とし、さらに、中継器＃２をｇＮＢ、通信装置とすると、端末は、２つのｇＮＢ、通信装置と通信を行うシステムとなる。この場合、図８４、図１１１、図１１６、図１２２、図１２３、図１３０はmultiple TRP（TX/RX point）を実施するシステムであり、図８４、図１１１、図１１６、図１２２、図１２３、図１３０を用いた説明はmultiple TRP（TX/RX point）における動作の一例である。
【１９２５】
図８４、図１１６、図１２２、図１２３、図１３０において、アクセスポイントをｇＮＢ、または、通信装置と考える。ただし、以降では、アクセスポイントと呼ぶ。また、中継器＃１をｇＮＢ、または、通信装置と考える。だたし、以降では、中継器＃１と呼ぶ。さらに、中継器＃２をｇＮＢ、または、通信装置と考える。ただし、以降では、中継器＃２と呼ぶ。
【１９２６】
このとき、アクセスポイントが中継器＃１にフレームを送信するときの周波数とアクセスポイントが中継器＃２にフレームを送信するときの周波数は同一であってもよいし、異なっていてもよい。
【１９２７】
また、アクセスポイントが中継器＃１にフレームを送信するときの周波数帯域と中継器＃１が端末にフレームを送信するときの周波数帯域は同一であってもよいし、異なっていてもよい。同様に、アクセスポイントが中継器＃２にフレームを送信するときの周波数帯域と中継器＃２が端末にフレームを送信するときの周波数帯域は同一であってもよいし、異なっていてもよい。
【１９２８】
すなわち、このプログラムは、コンピュータに、アクセスポイントと、第１の通信装置と、第２の通信装置とを備え、端末と無線通信する通信システムの制御方法であって、前記アクセスポイントは、第１の周波数帯に含まれる少なくとも第１のチャネルで前記第１の通信装置と無線通信し、かつ、前記第１の周波数帯とは異なる第２の周波数帯に含まれる少なくとも第２のチャネルで前記第２の通信装置と無線通信し、前記第１の通信装置は、前記第２の周波数帯に含まれる少なくとも第３のチャネルで前記端末と無線通信し、前記第２の通信装置は、前記第１の周波数帯に含まれる少なくとも第４のチャネルで前記端末と無線通信する制御方法を実行させるプログラムを含む。
【１９２９】
また、このプログラムは、コンピュータに、通信システムと無線通信する端末の制御方法であって、前記通信システムは、アクセスポイントと、第１の通信装置と、第２の通信装置とを備え、前記アクセスポイントは、第１の周波数帯に含まれる少なくとも第１のチャネルで前記第１の通信装置と無線通信し、かつ、前記第１の周波数帯とは異なる第２の周波数帯に含まれる少なくとも第２のチャネルで前記第２の通信装置と無線通信し、前記制御方法は、前記第２の周波数帯に含まれる少なくとも第３のチャネルで前記第１の通信装置と無線通信し、前記第１の周波数帯に含まれる少なくとも第４のチャネルで前記第２の通信装置と無線通信する制御方法を実行させるプログラムを含む。
【１９３０】
以上、一つまたは複数の態様に係る通信システムなどについて、実施の形態に基づいて説明したが、本明細書で開示されている発明は、この実施の形態に限定されるものではない。本開示の趣旨を逸脱しない限り、当業者が思いつく各種変形を本実施の形態に施したものや、異なる実施の形態における構成要素を組み合わせて構築される形態も、一つまたは複数の態様の範囲内に含まれてもよい。
【産業上の利用可能性】
【１９３１】
本開示は、通信システムにおいて有用である。
【符号の説明】
【１９３２】
７００          基地局
７０１          アンテナ
７０２，７０３  送信ビーム
７０４          端末
７０５，７０６  受信指向性
１５０１，１５０３，１５１０，１５１２    アンテナ
１５０２，１５１１    受信信号
１５０４，１５１３    送信信号
１５０５    第１の送受信装置
１５０６，１５１５    受信データ
１５０７，１５１６    送信データ
１５０８    共有情報生成部
１５０９    情報
１５１４    第２の送受信装置
１６０１，１６０２    フレーム
１６５１，１６５２，１６６１，１６６２    グラフ
１８０１    受光部
１８０３    発光部
１９０１，１９０２，１９０３，１９０４，２００１，２００２，２００３，２００４，２１０１    送信
４５０１    屋外ゲートウェイ
４５０１ａ，４５０１ｂ，４５０２ａ，４５０２ｂ    通信ＩＦ
４５０１ｃ    無線受電部
４５０２    屋内ゲートウェイ
４５０２ｃ    受電部
４５０２ｄ    無線給電部
４５０３    屋外ネットワーク
４５０４    屋内ネットワーク
４８００Ａ，４８００Ｂ，４８００Ｃ    中継器
４８１０    エッジノード
Ｂ１００    データ
Ｂ１０１    アクセスポイント
Ｂ１０２＿１    中継器＃１
Ｂ１０２＿２    中継器＃２
Ｂ１０３    端末
ＢＳ    通信システム
【図１】
2020067242.tif 000011
【図２】
2020067242.tif 000012
【図３】
2020067242.tif 000013
【図４】
2020067242.tif 000014
【図５】
2020067242.tif 000015
【図６】
2020067242.tif 000016
【図７】
2020067242.tif 000017
【図８】
2020067242.tif 000018
【図９】
2020067242.tif 000019
【図１０】
2020067242.tif 000020
【図１１】
2020067242.tif 000021
【図１２】
2020067242.tif 000022
【図１３】
2020067242.tif 000023
【図１４】
2020067242.tif 000024
【図１５】
2020067242.tif 000025
【図１６】
2020067242.tif 000026
【図１７】
2020067242.tif 000027
【図１８】
2020067242.tif 000028
【図１９】
2020067242.tif 000029
【図２０】
2020067242.tif 000030
【図２１】
2020067242.tif 000031
【図２２】
2020067242.tif 000032
【図２３】
2020067242.tif 000033
【図２４】
2020067242.tif 000034
【図２５】
2020067242.tif 000035
【図２６】
2020067242.tif 000036
【図２７】
2020067242.tif 000037
【図２８】
2020067242.tif 000038
【図２９】
2020067242.tif 000039
【図３０】
2020067242.tif 000040
【図３１】
2020067242.tif 000041
【図３２】
2020067242.tif 000042
【図３３】
2020067242.tif 000043
【図３４】
2020067242.tif 000044
【図３５】
2020067242.tif 000045
【図３６】
2020067242.tif 000046
【図３７】
2020067242.tif 000047
【図３８】
2020067242.tif 000048
【図３９】
2020067242.tif 000049
【図４０】
2020067242.tif 000050
【図４１】
2020067242.tif 000051
【図４２】
2020067242.tif 000052
【図４３】
2020067242.tif 000053
【図４４】
2020067242.tif 000054
【図４５】
2020067242.tif 000055
【図４６】
2020067242.tif 000056
【図４７】
2020067242.tif 000057
【図４８】
2020067242.tif 000058
【図４９】
2020067242.tif 000059
【図５０】
2020067242.tif 000060
【図５１】
2020067242.tif 000061
【図５２】
2020067242.tif 000062
【図５３】
2020067242.tif 000063
【図５４】
2020067242.tif 000064
【図５５】
2020067242.tif 000065
【図５６】
2020067242.tif 000066
【図５７】
2020067242.tif 000067
【図５８】
2020067242.tif 000068
【図５９】
2020067242.tif 000069
【図６０】
2020067242.tif 000070
【図６１】
2020067242.tif 000071
【図６２】
2020067242.tif 000072
【図６３】
2020067242.tif 000073
【図６４】
2020067242.tif 000074
【図６５】
2020067242.tif 000075
【図６６】
2020067242.tif 000076
【図６７】
2020067242.tif 000077
【図６８】
2020067242.tif 000078
【図６９】
2020067242.tif 000079
【図７０】
2020067242.tif 000080
【図７１】
2020067242.tif 000081
【図７２】
2020067242.tif 000082
【図７３】
2020067242.tif 000083
【図７４】
2020067242.tif 000084
【図７５】
2020067242.tif 000085
【図７６】
2020067242.tif 000086
【図７７】
2020067242.tif 000087
【図７８】
2020067242.tif 000088
【図７９】
2020067242.tif 000089
【図８０】
2020067242.tif 000090
【図８１】
2020067242.tif 000091
【図８２】
2020067242.tif 000092
【図８３】
2020067242.tif 000093
【図８４】
2020067242.tif 000094
【図８５】
2020067242.tif 000095
【図８６】
2020067242.tif 000096
【図８７】
2020067242.tif 000097
【図８８】
2020067242.tif 000098
【図８９】
2020067242.tif 000099
【図９０】
2020067242.tif 000100
【図９１】
2020067242.tif 000101
【図９２】
2020067242.tif 000102
【図９３】
2020067242.tif 000103
【図９４】
2020067242.tif 000104
【図９５】
2020067242.tif 000105
【図９６】
2020067242.tif 000106
【図９７】
2020067242.tif 000107
【図９８】
2020067242.tif 000108
【図９９】
2020067242.tif 000109
【図１００】
2020067242.tif 000110
【図１０１】
2020067242.tif 000111
【図１０２】
2020067242.tif 000112
【図１０３】
2020067242.tif 000113
【図１０４】
2020067242.tif 000114
【図１０５】
2020067242.tif 000115
【図１０６】
2020067242.tif 000116
【図１０７】
2020067242.tif 000117
【図１０８Ａ】
2020067242.tif 000118
【図１０８Ｂ】
2020067242.tif 000119
【図１０９Ａ】
2020067242.tif 000120
【図１０９Ｂ】
2020067242.tif 000121
【図１１０Ａ】
2020067242.tif 000122
【図１１０Ｂ】
2020067242.tif 000123
【図１１１】
2020067242.tif 000124
【図１１２Ａ】
2020067242.tif 000125
【図１１２Ｂ】
2020067242.tif 000126
【図１１３Ａ】
2020067242.tif 000127
【図１１３Ｂ】
2020067242.tif 000128
【図１１４】
2020067242.tif 000129
【図１１５】
2020067242.tif 000130
【図１１６】
2020067242.tif 000131
【図１１７】
2020067242.tif 000132
【図１１８】
2020067242.tif 000133
【図１１９】
2020067242.tif 000134
【図１２０】
2020067242.tif 000135
【図１２１】
2020067242.tif 000136
【図１２２】
2020067242.tif 000137
【図１２３】
2020067242.tif 000138
【図１２４】
2020067242.tif 000139
【図１２５】
2020067242.tif 000140
【図１２６】
2020067242.tif 000141
【図１２７】
2020067242.tif 000142
【図１２８】
2020067242.tif 000143
【図１２９】
2020067242.tif 000144
【図１３０】
2020067242.tif 000145
【図１３１】
2020067242.tif 000146
【図１３２Ａ】
2020067242.tif 000147
【図１３２Ｂ】
2020067242.tif 000148
【図１３２Ｃ】
2020067242.tif 000149
【図１３３】
2020067242.tif 000150
【図１３４】
2020067242.tif 000151
【図１３５】
2020067242.tif 000152
【図１３６】
2020067242.tif 000153
【図１３７】
2020067242.tif 000154
【図１３８】
2020067242.tif 000155
【図１３９】
2020067242.tif 000156
【図１４０】
2020067242.tif 000157
【図１４１】
2020067242.tif 000158
【図１４２】
2020067242.tif 000159
【図１４３】
2020067242.tif 000160
【図１４４】
2020067242.tif 000161
【図１４５】
2020067242.tif 000162
【図１４６】
2020067242.tif 000163
【図１４７】
2020067242.tif 000164
【図１４８】
2020067242.tif 000165
【図１４９】
2020067242.tif 000166
【図１５０】
2020067242.tif 000167
【図１５１Ａ】
2020067242.tif 000168
【図１５１Ｂ】
2020067242.tif 000169
【国際調査報告】
2020067242.tif 000170
2020067242.tif 000171
2020067242.tif 000172